(57)【要約】【課題】本発明は、従来から知られるＣ．Ｉ．ピグメントイエロー１３８の吸収スペクトルの最も長波長側の極大吸収波長よりも長波長側に、吸収スペクトルの最も長波長側の極大吸収波長を有する化合物、及び／又は吸収スペクトルの最も長波長側の肩ピークの波長を有する化合物を含む着色組成物を提供することを目的とする。【解決手段】式（Ｉ）で表される化合物及び溶剤を含む着色組成物。2020132878.tif 000313【選択図】なし【特許請求の範囲】
【請求項１】
下記式（Ｉ）で表される化合物と溶剤とを含む着色組成物。
【化１】
2020132878.tif 000311
［式（Ｉ）中、
Ｒ1〜Ｒ5は、それぞれ独立して、水素原子、ハロゲン原子、シアノ基、ニトロ基、−ＳＯ3Ｍ、−ＣＯ2Ｍ、ＭＭ、炭素数１〜４０の１価の炭化水素基又は炭素数１〜４０の１価の複素環基を表し、
該１価の炭化水素基及び該１価の複素環基を構成する−Ｃ（−）（−）−は、−Ｓｉ（−）（−）−に置き換わっていてもよく、
該１価の炭化水素基及び該１価の複素環基を構成する−ＣＨ（−）−は、−Ｎ（−）−に置き換わっていてもよく、
該１価の炭化水素基及び該１価の複素環基を構成する−ＣＨ＝は、−Ｎ＝に置き換わっていてもよく、
該１価の炭化水素基及び該１価の複素環基を構成する−ＣＨ2−は、−Ｏ−、−Ｓ−、−Ｓ（Ｏ）2−又は−ＣＯ−に置き換わっていてもよく、
該１価の炭化水素基及び該１価の複素環基を構成する水素原子は、ハロゲン原子、シアノ基、ニトロ基、−ＳＯ3Ｍ、−ＣＯ2Ｍ又はＭＭに置き換わっていてもよい。
Ｒ1及びＲ2、Ｒ2及びＲ3、及びＲ3及びＲ4は、それぞれ互いに結合して環を形成していてもよい。
Ｍは、水素原子、アルカリ金属原子、配位子を有していてもよい金属原子又はＮ（Ｚ1）（Ｚ2）（Ｚ3）（Ｚ4）を表す。
ＭＭは、アルカリ金属原子、配位子を有していてもよい金属原子又はＮ（Ｚ1）（Ｚ2）（Ｚ3）（Ｚ4）を表す。
Ｚ1〜Ｚ4は、それぞれ独立して、水素原子、炭素数１〜４０の１価の炭化水素基又は炭素数１〜４０の１価の複素環基を表し、
該１価の炭化水素基及び該１価の複素環基を構成する−Ｃ（−）（−）−は、−Ｓｉ（−）（−）−に置き換わっていてもよく、
該１価の炭化水素基及び該１価の複素環基を構成する−ＣＨ（−）−は、−Ｎ（−）−に置き換わっていてもよく、
該１価の炭化水素基及び該１価の複素環基を構成する−ＣＨ＝は、−Ｎ＝に置き換わっていてもよく、
該１価の炭化水素基及び該１価の複素環基を構成する−ＣＨ2−は、−Ｏ−、−Ｓ−、−Ｓ（Ｏ）2−又は−ＣＯ−に置き換わっていてもよく、
該１価の炭化水素基及び該１価の複素環基を構成する水素原子は、ハロゲン原子、シアノ基、ニトロ基、−ＳＯ3Ｍ、−ＣＯ2Ｍ又はＭＭに置き換わっていてもよい。
Ｑ1及びＱ2は、それぞれ独立して、２価の炭化水素基又は２価の複素環基を表し、
該２価の炭化水素基及び該２価の複素環基を構成する−Ｃ（−）（−）−は、−Ｓｉ（−）（−）−に置き換わっていてもよく、
該２価の炭化水素基及び該２価の複素環基を構成する−ＣＨ（−）−は、−Ｎ（−）−に置き換わっていてもよく、
該２価の炭化水素基及び該２価の複素環基を構成する−ＣＨ＝は、−Ｎ＝に置き換わっていてもよく、
該２価の炭化水素基及び該２価の複素環基を構成する−ＣＨ2−は、−Ｏ−、−Ｓ−、−Ｓ（Ｏ）2−又は−ＣＯ−に置き換わっていてもよく、
該２価の炭化水素基及び該２価の複素環基を構成する水素原子は、ハロゲン原子、シアノ基、ニトロ基、−ＳＯ3Ｍ、−ＣＯ2Ｍ又はＭＭに置き換わっていてもよい。
Ｚ1〜Ｚ4、Ｍ及びＭＭがそれぞれ複数存在する場合、それらは互いに同一又は異なっていてよい。］
【請求項２】
樹脂を含む請求項１に記載の着色組成物。
【請求項３】
重合性化合物と重合開始剤とを含む請求項１〜２のいずれか一項に記載の着色組成物。
【請求項４】
請求項１〜３のいずれか一項に記載の着色組成物により形成されるカラーフィルタ。
【請求項５】
請求項４に記載のカラーフィルタを含む表示装置。
【請求項６】
式（Ｉ）で表される化合物。
【化２】
2020132878.tif 000312
［式（Ｉ）中、
Ｒ1〜Ｒ5は、それぞれ独立して、水素原子、ハロゲン原子、シアノ基、ニトロ基、−ＳＯ3Ｍ、−ＣＯ2Ｍ、ＭＭ、炭素数１〜４０の１価の炭化水素基又は炭素数１〜４０の１価の複素環基を表し、
該１価の炭化水素基及び該１価の複素環基を構成する−Ｃ（−）（−）−は、−Ｓｉ（−）（−）−に置き換わっていてもよく、
該１価の炭化水素基及び該１価の複素環基を構成する−ＣＨ（−）−は、−Ｎ（−）−に置き換わっていてもよく、
該１価の炭化水素基及び該１価の複素環基を構成する−ＣＨ＝は、−Ｎ＝に置き換わっていてもよく、
該１価の炭化水素基及び該１価の複素環基を構成する−ＣＨ2−は、−Ｏ−、−Ｓ−、−Ｓ（Ｏ）2−又は−ＣＯ−に置き換わっていてもよく、
該１価の炭化水素基及び該１価の複素環基を構成する水素原子は、ハロゲン原子、シアノ基、ニトロ基、−ＳＯ3Ｍ、−ＣＯ2Ｍ又はＭＭに置き換わっていてもよい。
Ｒ1及びＲ2、Ｒ2及びＲ3、及びＲ3及びＲ4は、それぞれ互いに結合して環を形成していてもよい。
Ｍは、水素原子、アルカリ金属原子、配位子を有していてもよい金属原子又はＮ（Ｚ1）（Ｚ2）（Ｚ3）（Ｚ4）を表す。
ＭＭは、アルカリ金属原子、配位子を有していてもよい金属原子又はＮ（Ｚ1）（Ｚ2）（Ｚ3）（Ｚ4）を表す。
Ｚ1〜Ｚ4は、それぞれ独立して、水素原子、炭素数１〜４０の１価の炭化水素基又は炭素数１〜４０の１価の複素環基を表し、
該１価の炭化水素基及び該１価の複素環基を構成する−Ｃ（−）（−）−は、−Ｓｉ（−）（−）−に置き換わっていてもよく、
該１価の炭化水素基及び該１価の複素環基を構成する−ＣＨ（−）−は、−Ｎ（−）−に置き換わっていてもよく、
該１価の炭化水素基及び該１価の複素環基を構成する−ＣＨ＝は、−Ｎ＝に置き換わっていてもよく、
該１価の炭化水素基及び該１価の複素環基を構成する−ＣＨ2−は、−Ｏ−、−Ｓ−、−Ｓ（Ｏ）2−又は−ＣＯ−に置き換わっていてもよく、
該１価の炭化水素基及び該１価の複素環基を構成する水素原子は、ハロゲン原子、シアノ基、ニトロ基、−ＳＯ3Ｍ、−ＣＯ2Ｍ又はＭＭに置き換わっていてもよい。
Ｑ1及びＱ2は、それぞれ独立して、２価の炭化水素基又は２価の複素環基を表し、
該２価の炭化水素基及び該２価の複素環基を構成する−Ｃ（−）（−）−は、−Ｓｉ（−）（−）−に置き換わっていてもよく、
該２価の炭化水素基及び該２価の複素環基を構成する−ＣＨ（−）−は、−Ｎ（−）−に置き換わっていてもよく、
該２価の炭化水素基及び該２価の複素環基を構成する−ＣＨ＝は、−Ｎ＝に置き換わっていてもよく、
該２価の炭化水素基及び該２価の複素環基を構成する−ＣＨ2−は、−Ｏ−、−Ｓ−、−Ｓ（Ｏ）2−又は−ＣＯ−に置き換わっていてもよく、
該２価の炭化水素基及び該２価の複素環基を構成する水素原子は、ハロゲン原子、シアノ基、ニトロ基、−ＳＯ3Ｍ、−ＣＯ2Ｍ又はＭＭに置き換わっていてもよい。
Ｚ1〜Ｚ4、Ｍ及びＭＭがそれぞれ複数存在する場合、それらは互いに同一又は異なっていてよい。］
【発明の詳細な説明】
【技術分野】
【０００１】
本発明は、着色組成物、化合物、カラーフィルタ及び表示装置に関する。
【背景技術】
【０００２】
着色組成物は、液晶表示装置、エレクトロルミネッセンス表示装置等の表示装置に使用されるカラーフィルタの製造に用いられている。着色組成物に含まれる着色剤としては、Ｃ．Ｉ．ピグメントイエロー１３８が知られている（特許文献１）。
【０００３】
【化１】
2020132878.tif 000002
（Ｃ．Ｉ．ピグメントイエロー１３８）
【先行技術文献】
【特許文献】
【０００４】
【特許文献１】特開２０１３−８２９０６号公報
【発明の概要】
【発明が解決しようとする課題】
【０００５】
近年、表示ディスプレイは、表示することができる色再現域を広げるための開発が進められており、その一環として、カラーフィルタも、より濃色なものが求められている。その要求を満たすためには、従来から知られるＣ．Ｉ．ピグメントイエロー１３８の吸収スペクトルの最も長波長側の極大吸収波長よりも長波長側に、吸収スペクトルの最も長波長側の極大吸収波長を有する化合物、及び／又は吸収スペクトルの最も長波長側の肩ピークの波長を有する化合物を含む着色組成物が必要とされている。
上記の吸収スペクトルの最も長波長側の肩ピークの波長とは、
化合物が、
・Ｃ．Ｉ．ピグメントイエロー１３８の吸収スペクトルの最も長波長側の極大吸収波長よりも長波長側に、吸収スペクトルの最も長波長側の極大吸収波長を有さない場合で、
かつ、
・吸収スペクトルの最も長波長側の極大吸収波長よりも長波長側に、吸収スペクトルの変曲点を２つ以上有する場合に、
吸収スペクトルの最も長波長側の変曲点の波長と、吸収スペクトルの２番目に長波長側の変曲点の波長の平均値の波長を意味する。
【課題を解決するための手段】
【０００６】
本発明は、以下の［１］〜［６］を提供するものである。
［１］  下記式（Ｉ）で表される化合物と溶剤とを含む着色組成物。
【０００７】
【化２】
2020132878.tif 000003
［式（Ｉ）中、
Ｒ1〜Ｒ5は、それぞれ独立して、水素原子、ハロゲン原子、シアノ基、ニトロ基、−ＳＯ3Ｍ、−ＣＯ2Ｍ、ＭＭ、炭素数１〜４０の１価の炭化水素基又は炭素数１〜４０の１価の複素環基を表し、
該１価の炭化水素基及び該１価の複素環基を構成する−Ｃ（−）（−）−は、−Ｓｉ（−）（−）−に置き換わっていてもよく、
該１価の炭化水素基及び該１価の複素環基を構成する−ＣＨ（−）−は、−Ｎ（−）−に置き換わっていてもよく、
該１価の炭化水素基及び該１価の複素環基を構成する−ＣＨ＝は、−Ｎ＝に置き換わっていてもよく、
該１価の炭化水素基及び該１価の複素環基を構成する−ＣＨ2−は、−Ｏ−、−Ｓ−、−Ｓ（Ｏ）2−又は−ＣＯ−に置き換わっていてもよく、
該１価の炭化水素基及び該１価の複素環基を構成する水素原子は、ハロゲン原子、シアノ基、ニトロ基、−ＳＯ3Ｍ、−ＣＯ2Ｍ又はＭＭに置き換わっていてもよい。
Ｒ1及びＲ2、Ｒ2及びＲ3、及びＲ3及びＲ4は、それぞれ互いに結合して環を形成していてもよい。
Ｍは、水素原子、アルカリ金属原子、配位子を有していてもよい金属原子又はＮ（Ｚ1）（Ｚ2）（Ｚ3）（Ｚ4）を表す。
ＭＭは、アルカリ金属原子、配位子を有していてもよい金属原子又はＮ（Ｚ1）（Ｚ2）（Ｚ3）（Ｚ4）を表す。
Ｚ1〜Ｚ4は、それぞれ独立して、水素原子、炭素数１〜４０の１価の炭化水素基又は炭素数１〜４０の１価の複素環基を表し、
該１価の炭化水素基及び該１価の複素環基を構成する−Ｃ（−）（−）−は、−Ｓｉ（−）（−）−に置き換わっていてもよく、
該１価の炭化水素基及び該１価の複素環基を構成する−ＣＨ（−）−は、−Ｎ（−）−に置き換わっていてもよく、
該１価の炭化水素基及び該１価の複素環基を構成する−ＣＨ＝は、−Ｎ＝に置き換わっていてもよく、
該１価の炭化水素基及び該１価の複素環基を構成する−ＣＨ2−は、−Ｏ−、−Ｓ−、−Ｓ（Ｏ）2−又は−ＣＯ−に置き換わっていてもよく、
該１価の炭化水素基及び該１価の複素環基を構成する水素原子は、ハロゲン原子、シアノ基、ニトロ基、−ＳＯ3Ｍ、−ＣＯ2Ｍ又はＭＭに置き換わっていてもよい。
Ｑ1及びＱ2は、それぞれ独立して、２価の炭化水素基又は２価の複素環基を表し、
該２価の炭化水素基及び該２価の複素環基を構成する−Ｃ（−）（−）−は、−Ｓｉ（−）（−）−に置き換わっていてもよく、
該２価の炭化水素基及び該２価の複素環基を構成する−ＣＨ（−）−は、−Ｎ（−）−に置き換わっていてもよく、
該２価の炭化水素基及び該２価の複素環基を構成する−ＣＨ＝は、−Ｎ＝に置き換わっていてもよく、
該２価の炭化水素基及び該２価の複素環基を構成する−ＣＨ2−は、−Ｏ−、−Ｓ−、−Ｓ（Ｏ）2−又は−ＣＯ−に置き換わっていてもよく、
該２価の炭化水素基及び該２価の複素環基を構成する水素原子は、ハロゲン原子、シアノ基、ニトロ基、−ＳＯ3Ｍ、−ＣＯ2Ｍ又はＭＭに置き換わっていてもよい。
Ｚ1〜Ｚ4、Ｍ及びＭＭがそれぞれ複数存在する場合、それらは互いに同一又は異なっていてもよい。］
［２］  樹脂を含む［１］に記載の着色組成物。
［３］  重合性化合物と重合開始剤とを含む［１］〜［２］のいずれか一項に記載の着色組成物。
［４］  ［１］〜［３］のいずれか一項に記載の着色組成物により形成されるカラーフィルタ。
［５］  ［４］に記載のカラーフィルタを含む表示装置。
［６］  式（Ｉ）で表される化合物。
【０００８】
【化３】
2020132878.tif 000004
［式（Ｉ）中、
Ｒ1〜Ｒ5は、それぞれ独立して、水素原子、ハロゲン原子、シアノ基、ニトロ基、−ＳＯ3Ｍ、−ＣＯ2Ｍ、ＭＭ、炭素数１〜４０の１価の炭化水素基又は炭素数１〜４０の１価の複素環基を表し、
該１価の炭化水素基及び該１価の複素環基を構成する−Ｃ（−）（−）−は、−Ｓｉ（−）（−）−に置き換わっていてもよく、
該１価の炭化水素基及び該１価の複素環基を構成する−ＣＨ（−）−は、−Ｎ（−）−に置き換わっていてもよく、
該１価の炭化水素基及び該１価の複素環基を構成する−ＣＨ＝は、−Ｎ＝に置き換わっていてもよく、
該１価の炭化水素基及び該１価の複素環基を構成する−ＣＨ2−は、−Ｏ−、−Ｓ−、−Ｓ（Ｏ）2−又は−ＣＯ−に置き換わっていてもよく、
該１価の炭化水素基及び該１価の複素環基を構成する水素原子は、ハロゲン原子、シアノ基、ニトロ基、−ＳＯ3Ｍ、−ＣＯ2Ｍ又はＭＭに置き換わっていてもよい。
Ｒ1及びＲ2、Ｒ2及びＲ3、及びＲ3及びＲ4は、それぞれ互いに結合して環を形成していてもよい。
Ｍは、水素原子、アルカリ金属原子、配位子を有していてもよい金属原子又はＮ（Ｚ1）（Ｚ2）（Ｚ3）（Ｚ4）を表す。
ＭＭは、アルカリ金属原子、配位子を有していてもよい金属原子又はＮ（Ｚ1）（Ｚ2）（Ｚ3）（Ｚ4）を表す。
Ｚ1〜Ｚ4は、それぞれ独立して、水素原子、炭素数１〜４０の１価の炭化水素基又は炭素数１〜４０の１価の複素環基を表し、
該１価の炭化水素基及び該１価の複素環基を構成する−Ｃ（−）（−）−は、−Ｓｉ（−）（−）−に置き換わっていてもよく、
該１価の炭化水素基及び該１価の複素環基を構成する−ＣＨ（−）−は、−Ｎ（−）−に置き換わっていてもよく、
該１価の炭化水素基及び該１価の複素環基を構成する−ＣＨ＝は、−Ｎ＝に置き換わっていてもよく、
該１価の炭化水素基及び該１価の複素環基を構成する−ＣＨ2−は、−Ｏ−、−Ｓ−、−Ｓ（Ｏ）2−又は−ＣＯ−に置き換わっていてもよく、
該１価の炭化水素基及び該１価の複素環基を構成する水素原子は、ハロゲン原子、シアノ基、ニトロ基、−ＳＯ3Ｍ、−ＣＯ2Ｍ又はＭＭに置き換わっていてもよい。
Ｑ1及びＱ2は、それぞれ独立して、２価の炭化水素基又は２価の複素環基を表し、
該２価の炭化水素基及び該２価の複素環基を構成する−Ｃ（−）（−）−は、−Ｓｉ（−）（−）−に置き換わっていてもよく、
該２価の炭化水素基及び該２価の複素環基を構成する−ＣＨ（−）−は、−Ｎ（−）−に置き換わっていてもよく、
該２価の炭化水素基及び該２価の複素環基を構成する−ＣＨ＝は、−Ｎ＝に置き換わっていてもよく、
該２価の炭化水素基及び該２価の複素環基を構成する−ＣＨ2−は、−Ｏ−、−Ｓ−、−Ｓ（Ｏ）2−又は−ＣＯ−に置き換わっていてもよく、
該２価の炭化水素基及び該２価の複素環基を構成する水素原子は、ハロゲン原子、シアノ基、ニトロ基、−ＳＯ3Ｍ、−ＣＯ2Ｍ又はＭＭに置き換わっていてもよい。
Ｚ1〜Ｚ4、Ｍ及びＭＭがそれぞれ複数存在する場合、それらは互いに同一又は異なっていてもよい。］
【発明の効果】
【０００９】
本発明によれば、Ｃ．Ｉ．ピグメントイエロー１３８を含む着色組成物に比べて、より濃色なカラーフィルタの形成に用いることができる着色組成物及び化合物が提供される。
【発明を実施するための形態】
【００１０】
［着色組成物］
本発明の着色組成物は、式（Ｉ）で表される化合物（以下、化合物（Ｉ）という場合がある。）と、溶剤（以下、溶剤（Ｅ）という場合がある。）とを含む。
【００１１】
【化４】
2020132878.tif 000005
［式（Ｉ）中、
Ｒ1〜Ｒ5は、それぞれ独立して、水素原子、ハロゲン原子、シアノ基、ニトロ基、−ＳＯ3Ｍ、−ＣＯ2Ｍ、ＭＭ、炭素数１〜４０の１価の炭化水素基又は炭素数１〜４０の１価の複素環基を表し、
該１価の炭化水素基及び該１価の複素環基を構成する−Ｃ（−）（−）−は、−Ｓｉ（−）（−）−に置き換わっていてもよく、
該１価の炭化水素基及び該１価の複素環基を構成する−ＣＨ（−）−は、−Ｎ（−）−に置き換わっていてもよく、
該１価の炭化水素基及び該１価の複素環基を構成する−ＣＨ＝は、−Ｎ＝に置き換わっていてもよく、
該１価の炭化水素基及び該１価の複素環基を構成する−ＣＨ2−は、−Ｏ−、−Ｓ−、−Ｓ（Ｏ）2−又は−ＣＯ−に置き換わっていてもよく、
該１価の炭化水素基及び該１価の複素環基を構成する水素原子は、ハロゲン原子、シアノ基、ニトロ基、−ＳＯ3Ｍ、−ＣＯ2Ｍ又はＭＭに置き換わっていてもよい。
Ｒ1及びＲ2、Ｒ2及びＲ3、及びＲ3及びＲ4は、それぞれ互いに結合して環を形成していてもよい。
Ｍは、水素原子、アルカリ金属原子、配位子を有していてもよい金属原子又はＮ（Ｚ1）（Ｚ2）（Ｚ3）（Ｚ4）を表す。
ＭＭは、アルカリ金属原子、配位子を有していてもよい金属原子又はＮ（Ｚ1）（Ｚ2）（Ｚ3）（Ｚ4）を表す。
Ｚ1〜Ｚ4は、それぞれ独立して、水素原子、炭素数１〜４０の１価の炭化水素基又は炭素数１〜４０の１価の複素環基を表し、
該１価の炭化水素基及び該１価の複素環基を構成する−Ｃ（−）（−）−は、−Ｓｉ（−）（−）−に置き換わっていてもよく、
該１価の炭化水素基及び該１価の複素環基を構成する−ＣＨ（−）−は、−Ｎ（−）−に置き換わっていてもよく、
該１価の炭化水素基及び該１価の複素環基を構成する−ＣＨ＝は、−Ｎ＝に置き換わっていてもよく、
該１価の炭化水素基及び該１価の複素環基を構成する−ＣＨ2−は、−Ｏ−、−Ｓ−、−Ｓ（Ｏ）2−又は−ＣＯ−に置き換わっていてもよく、
該１価の炭化水素基及び該１価の複素環基を構成する水素原子は、ハロゲン原子、シアノ基、ニトロ基、−ＳＯ3Ｍ、−ＣＯ2Ｍ又はＭＭに置き換わっていてもよい。
Ｑ1及びＱ2は、それぞれ独立して、２価の炭化水素基又は２価の複素環基を表し、
該２価の炭化水素基及び該２価の複素環基を構成する−Ｃ（−）（−）−は、−Ｓｉ（−）（−）−に置き換わっていてもよく、
該２価の炭化水素基及び該２価の複素環基を構成する−ＣＨ（−）−は、−Ｎ（−）−に置き換わっていてもよく、
該２価の炭化水素基及び該２価の複素環基を構成する−ＣＨ＝は、−Ｎ＝に置き換わっていてもよく、
該２価の炭化水素基及び該２価の複素環基を構成する−ＣＨ2−は、−Ｏ−、−Ｓ−、−Ｓ（Ｏ）2−又は−ＣＯ−に置き換わっていてもよく、
該２価の炭化水素基及び該２価の複素環基を構成する水素原子は、ハロゲン原子、シアノ基、ニトロ基、−ＳＯ3Ｍ、−ＣＯ2Ｍ又はＭＭに置き換わっていてもよい。
Ｚ1〜Ｚ4、Ｍ及びＭＭがそれぞれ複数存在する場合、それらは互いに同一又は異なっていてもよい。］
【００１２】
化合物（Ｉ）には、その互変異性体やそれらの塩も含まれる。
化合物（Ｉ）は、着色剤として使用することができる。
本発明の着色組成物には、１種又は２種以上の化合物（Ｉ）が含まれていてもよい。
本発明の着色組成物は、樹脂（以下、樹脂（Ｂ）という場合がある。）を含んでいてもよい。
本発明の着色組成物は、重合性化合物（以下、重合性化合物（Ｃ）という場合がある。
）を含んでいてもよい。
本発明の着色組成物は、重合開始剤（以下、重合開始剤（Ｄ）という場合がある。）を含んでいてもよい。
本発明の着色組成物は、重合開始助剤（以下、重合開始助剤（Ｄ１）という場合がある。）を含んでいてもよい。
本発明の着色組成物は、化合物（Ｉ）以外の着色剤（以下、着色剤（Ａ１）という場合がある。そして以下では、化合物（Ｉ）及び着色剤（Ａ１）を「着色剤（Ａ）」と総称する場合がある。）を含んでいてもよい。
着色剤（Ａ１）には、１種又は２種以上の着色剤が含まれていてもよい。
着色剤（Ａ１）は、黄色着色剤、橙色着色剤、赤色着色剤及び緑色着色剤から選ばれる１種以上を含むことが好ましい。
本発明の着色組成物は、レベリング剤（以下、レベリング剤（Ｆ）という場合がある。）を含んでもよい。
本発明の着色組成物は、酸化防止剤（以下、酸化防止剤（Ｇ）という場合がある。）を含んでもよい。
【００１３】
［化合物（Ｉ）］
以下、化合物（Ｉ）の部分構造を挙げて本発明をより具体的に説明するが、各部分構造において、環構造に結合する置換基が、環構造のいずれかの部位で結合するものしか例示されていなくても、以下の例示には、該置換基が、環構造のすべての部位に、それぞれ結合する態様が含まれる。１つまたは２つ以上の置換基が環構造に結合していてもよく、２つ以上の置換基が環構造に結合する場合、該置換基はそれぞれ、同じであってもよく異なっていてもよい。
【００１４】
ハロゲン原子としては、フッ素原子、塩素原子、臭素原子及びヨウ素原子等が挙げられ、フッ素原子、塩素原子及び臭素原子が好ましい。
【００１５】
Ｒ1〜Ｒ5及びＺ1〜Ｚ4で表される炭化水素基の炭素数は、１〜４０であり、好ましくは１〜３０であり、より好ましくは１〜２０であり、さらに好ましくは１〜１８であり、とりわけ好ましくは１〜１２である。
Ｒ1〜Ｒ5及びＺ1〜Ｚ4で表される炭素数１〜４０の１価の炭化水素基は、脂肪族炭化水素基及び芳香族炭化水素基であってもよく、該脂肪族炭化水素基は、飽和又は不飽和であってもよく、鎖状又は環状（脂環式炭化水素基）であってもよい。
【００１６】
Ｒ1〜Ｒ5及びＺ1〜Ｚ4で表される飽和又は不飽和鎖状炭化水素基としては、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基、ヘンイコシル基、ドコシル基、トリコシル基、テトラコシル基、ペンタコシル基、ヘキサコシル基、ヘプタコシル基、オクタコシル基、ノナコシル基、トリアコンチル基、ヘントリアコンチル基、ドトリアコンチル基、トリトリアコンチル基、テトラトリアコンチル基、ペンタトリアコンチル基、ヘキサトリアコンチル基、ヘプタトリアコンチル基、オクタトリアコンチル基、ノナトリアコンチル基及びテトラコンチル基等の直鎖状アルキル基；
イソプロピル基、イソブチル基、ｓｅｃ−ブチル基、ｔｅｒｔ−ブチル基、２−エチルブチル基、３，３−ジメチルブチル基、１，１，３，３−テトラメチルブチル基、１−メチルブチル基、１−エチルプロピル基、３−メチルブチル基、ネオペンチル基、１，１−ジメチルプロピル基、２−メチルペンチル基、３−エチルペンチル基、１，３−ジメチルブチル基、２−プロピルペンチル基、１−エチル−１，２−ジメチルプロピル基、１−メチルペンチル基、４−メチルペンチル基、４−メチルヘキシル基、５−メチルヘキシル基、２−エチルヘキシル基、１−メチルヘキシル基、１−エチルペンチル基、１−プロピルブチル基、３−エチルヘプチル基、２，２−ジメチルヘプチル基、１−メチルヘプチル基、１−エチルヘキシル基、１−プロピルペンチル基、１−メチルオクチル基、１−エチルヘプチル基、１−プロピルヘキシル基、１−ブチルペンチル基、１−メチルノニル基、１−エチルオクチル基、１−プロピルヘプチル基及び１−ブチルヘキシル基等の分枝鎖状アルキル基；
エテニル基（ビニル基）、プロペニル基（例えば、１−プロペニル基、２−プロペニル基（アリル基））、１−メチルエテニル基、ブテニル基（例えば、１−ブテニル基、２−ブテニル基、３−ブテニル基）、３−メチル−１−ブテニル基、１，３−ブタジエニル基、１−（２−プロペニル）エテニル基、１−（１−メチルエテニル）エテニル基、１，２−ジメチル−１−プロペニル基、ペンテニル基（例えば、１−ペンテニル基、２−ペンテニル基、３−ペンテニル基、４−ペンテニル基）、１−（１，１−ジメチルエチル）エテニル基、１，３−ジメチル−１−ブテニル基、ヘキセニル基（例えば、１−ヘキセニル基、５−ヘキセニル基）、ヘプテニル基（例えば、１−ヘプテニル基、６−ヘプテニル基）、オクテニル基（例えば、１−オクテニル基、７−オクテニル基）、ノネニル基（例えば、１−ノネニル基、８−ノネニル基）、デセニル基（例えば、１−デセニル基、９−デセニル基）、ウンデセニル基、ドデセニル基、トリデセニル基、テトラデセニル基、ペンタデセニル基、ヘキサデセニル基、ヘプタデセニル基、オクタデセニル基、ノナデセニル基、イコセニル基、１，１−ジメチル−２−プロペニル基、１−エチル−２−プロペニル基及び１−メチル−１−ブテニル基等のアルケニル基；
エチニル基、プロピニル基（例えば、１−プロピニル基、２−プロピニル基）、オクチニル基（例えば、１−オクチニル基、７−オクチニル基）、ブチニル基、ペンチニル基、ヘキシニル基、ヘプチニル基、ノニニル基、デシニル基、ウンデシニル基、ドデシニル基、トリデシニル基、テトラデシニル基、ペンタデシニル基、ヘキサデシニル基、ヘプタデシニル基、オクタデシニル基、ノナデシニル基及びイコシニル基等のアルキニル基；
等が挙げられる。飽和又は不飽和鎖状炭化水素基の炭素数は、好ましくは１〜３０であり、より好ましくは１〜２０であり、さらに好ましくは１〜１８であり、とりわけ好ましくは１〜１２である。中でも、炭素数１〜１２の直鎖状又は分岐鎖状アルキル基であることが特に好ましい。
【００１７】
Ｒ1〜Ｒ5及びＺ1〜Ｚ4で表される飽和又は不飽和脂環式炭化水素基としては、シクロプロピル基、１−メチルシクロプロピル基、シクロブチル基、シクロペンチル基、シクロヘキシル基、シクロヘプチル基、１−メチルシクロヘキシル基、２−メチルシクロヘキシル基、３−メチルシクロヘキシル基、４−メチルシクロヘキシル基、１，２−ジメチルシクロヘキシル基、１，３−ジメチルシクロヘキシル基、１，４−ジメチルシクロヘキシル基、２，３−ジメチルシクロヘキシル基、２，４−ジメチルシクロヘキシル基、２，５−ジメチルシクロヘキシル基、２，６−ジメチルシクロヘキシル基、３，４−ジメチルシクロヘキシル基、３，５−ジメチルシクロヘキシル基、２，２−ジメチルシクロヘキシル基、３，３−ジメチルシクロヘキシル基、４，４−ジメチルシクロヘキシル基、シクロオクチル基、２，４，６−トリメチルシクロヘキシル基、２，２，６，６−テトラメチルシクロヘキシル基、３，３，５，５−テトラメチルシクロヘキシル基、４−ペンチルシクロヘキシル基、４−オクチルシクロヘキシル基及び４−シクロヘキシルシクロヘキシル基等のシクロアルキル基；シクロヘキセニル基（例えば、シクロヘキサ−１−エン−１−イル基、シクロヘキサ−２−エン−１−イル基、シクロヘキサ−３−エン−１−イル基）、シクロヘプテニル基及びシクロオクテニル基等のシクロアルケニル基；ノルボルニル基、ノルボルネニル基、アダマンチル基及びビシクロ［２．２．２］オクチル基等の飽和又は不飽和多環式炭化水素基；等が挙げられる。飽和又は不飽和脂環式炭化水素基の炭素数は、好ましくは３〜３０であり、より好ましくは３〜２０であり、さらに好ましくは３〜１８であり、とりわけ好ましくは３〜１２である。中でも、シクロペンチル基、シクロヘキシル基、シクロへプチル基、シクロオクチル基、アダマンチル基であることが特に好ましい。
【００１８】
Ｒ1〜Ｒ5及びＺ1〜Ｚ4で表される芳香族炭化水素基としては、フェニル基、ｏ−トリル基、ｍ−トリル基、ｐ−トリル基、２−エチルフェニル基、３−エチルフェニル基、４−エチルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、４−ビニルフェニル基、ｏ−イソプロピルフェニル基、ｍ−イソプロピルフェニル基、ｐ−イソプロピルフェニル基、ｏ−ｔｅｒｔ−ブチルフェニル基、ｍ−ｔｅｒｔ−ブチルフェニル基、ｐ−ｔｅｒｔ−ブチルフェニル基、３，５−ジ（ｔｅｒｔ−ブチル）フェニル基、３，５−ジ（ｔｅｒｔ−ブチル）−４−メチルフェニル基、４−ブチルフェニル基、４−ペンチルフェニル基、２，６−ビス（１−メチルエチル）フェニル基、２，４，６−トリス（１−メチルエチル）フェニル基、４−シクロヘキシルフェニル基、２，４，６−トリメチルフェニル基、４−オクチルフェニル基、４−（１，１，３，３−テトラメチルブチル）フェニル基、１−ナフチル基、２−ナフチル基、６−メチル−２−ナフチル基、５，６，７，８−テトラヒドロ−１−ナフチル基、５，６，７，８−テトラヒドロ−２−ナフチル基、フルオレニル基、フェナントリル基、アントリル基、２−ドデシルフェニル基、３−ドデシルフェニル基、４−ドデシルフェニル基、ペリレニル基、クリセニル基及びピレニル基等の芳香族炭化水素基；等が挙げられる。芳香族炭化水素基の炭素数は、好ましくは６〜３０であり、より好ましくは６〜２０であり、さらに好ましくは６〜１８であり、とりわけ好ましくは６〜１２である。
【００１９】
Ｒ1〜Ｒ5及びＺ1〜Ｚ4で表される炭化水素基は、上記に挙げた炭化水素基（例えば芳香族炭化水素基と、鎖状炭化水素基及び脂環式炭化水素基の少なくとも１つ）を組合せた基であってもよく、
ベンジル基、（２−メチルフェニル）メチル基、（３−メチルフェニル）メチル基、（４−メチルフェニル）メチル基、（２−エチルフェニル）メチル基、（３−エチルフェニル）メチル基、（４−エチルフェニル）メチル基、（２−（ｔｅｒｔ−ブチル）フェニル）メチル基、（３−（ｔｅｒｔ−ブチル）フェニル）メチル基、（４−（ｔｅｒｔ−ブチル）フェニル）メチル基、（３，５−ジメチルフェニル）メチル基、１−フェニルエチル基、１，１−ジフェニルエチル基、フェネチル基、１−メチル−１−フェニルエチル基、（１−ナフチル）メチル基及び（２−ナフチル）メチル基等のアラルキル基；
１−フェニルエテニル基、２−フェニルエテニル基（フェニルビニル基）、２，２−ジフェニルエテニル基、２−フェニル−２−（１−ナフチル）エテニル基等のアリールアルケニル基；フェニルエチニル基等のアリールアルキニル基；ビフェニリル基、ターフェニリル基等の１つ以上のフェニル基が結合したフェニル基；シクロヘキシルメチルフェニル基、ベンジルフェニル基、（ジメチル（フェニル）メチル）フェニル基等が挙げられる。
これらの炭素数は、好ましくは４〜３０であり、より好ましくは４〜２０であり、さらに好ましくは４〜１８であり、とりわけ好ましくは４〜１２である。これらの範囲の下限は、好ましくは７である。
Ｒ1〜Ｒ5及びＺ1〜Ｚ4で表される基は、上記に挙げた炭化水素基（例えば鎖状炭化水素基と脂環式炭化水素基）を組合せた基として、例えば、シクロプロピルメチル基、シクロプロピルエチル基、シクロブチルメチル基、シクロブチルエチル基、シクロペンチルメチル基、シクロペンチルエチル基、シクロヘキシルメチル基、（２−メチルシクロヘキシル）メチル基、シクロヘキシルエチル基、アダマンチルメチル基等の１つ以上の脂環式炭化水素基が結合したアルキル基であってもよい。
これらの炭素数は、好ましくは４〜３０であり、より好ましくは４〜２０であり、さらに好ましくは４〜１８であり、とりわけ好ましくは４〜１２である。
【００２０】
Ｒ1〜Ｒ5及びＺ1〜Ｚ4で表される炭素数１〜４０の１価の複素環基は、環の構成要素としてヘテロ原子を含む基を表す。炭素数１〜４０の１価の複素環基としては、単環であってもよいし多環であってもよい。ヘテロ原子としては、窒素原子、酸素原子及び硫黄原子等が挙げられる。
複素環基の炭素数は、好ましくは３〜３０であり、より好ましくは３〜２０であり、さらに好ましくは３〜１８であり、とりわけ好ましくは３〜１２である。
【００２１】
窒素原子を含む複素環としては、
アジリジン、アゼチジン、ピロリジン、ピペリジン及びピペラジン等の単環系飽和複素環；
ピロール、１−メチルピロール、２，５−ジメチルピロール等のピロール、ピラゾール、１−メチルピラゾール、２−メチルピラゾール、３−メチルピラゾール、４−メチルピラゾール、５−メチルピラゾール等のピラゾール、イミダゾール、１，２，３−トリアゾール及び１，２，４−トリアゾール等の５員環系不飽和複素環；
ピリジン、ピリダジン、ピリジミン、６−メチルピリミジン等のピリミジン、ピラジン及び１，３，５−トリアジン等の６員環系不飽和複素環；
インダゾール、インドリン、イソインドリン、インドール、インドリジン、ベンゾイミダゾール、キノリン、イソキノリン、５，６，７，８−テトラヒドロ（３−メチル）キノキサリン、３−メチルキノキサリン等のキノキサリン、キナゾリン、シンノリン、フタラジン、ナフチリジン、プリン、プテリジン、ベンゾピラゾール、ベンゾピペリジン等の縮合二環系複素環；
カルバゾール、アクリジン及びフェナジン等の縮合三環系複素環；等が挙げられる。
【００２２】
酸素原子を含む複素環としては、
オキシラン、オキセタン、テトラヒドロフラン、テトラヒドロピラン、１，３−ジオキサン及び１，４−ジオキサン、１−シクロペンチルジオキソラン、２−シクロペンチルジオキソラン等の単環系飽和複素環；
１，４−ジオキサスピロ［４．５］デカン、１，４−ジオキサスピロ［４．５］ノナン、１，４−ジオキサスピロ［４．４］ノナン等の二環系飽和複素環；
α−アセトラクトン、β−プロピオラクトン、γ−ブチロラクトン、γ−バレロラクトン及びδ−バレロラクトン等のラクトン系複素環；
フラン、２，３−ジメチルフラン、２，５−ジメチルフラン等のフラン等の５員環系不飽和複素環；
２Ｈ−ピラン、４Ｈ−ピラン等の６員環系不飽和複素環；
１−ベンゾフラン等のベンゾフラン、ベンゾピラン、４−メチルベンゾピラン等のベンゾピラン、ベンゾジオキソール、１，３−ベンゾジオキソール、ベンゾジオキサン、クロマン及びイソクロマン等の縮合二環系複素環；
キサンテン、ジベンゾフラン等の縮合三環系複素環；等が挙げられる。
【００２３】
硫黄原子を含む複素環としては、
ジチオラン等の５員環系飽和複素環；
チアン、１，３−ジチアン、２−メチル−１，３−ジチアン等の６員環系飽和複素環；
チオフェン、３−メチルチオフェン、２−カルボキシチオフェン等のチオフェン、２Ｈ−チオピラン、４Ｈ−チオピラン等のチオピラン、ベンゾテトラヒドロチオピラン等のベンゾチオピラン等の５員環系不飽和複素環及び６員環系不飽和複素環；
ベンゾチオピラン、ベンゾテトラヒドロチオピラン等のベンゾチオピラン、ベンゾチオフェン等の縮合二環系複素環等；
チアントレン、ジベンゾチオフェン等の縮合三環系複素環；等が挙げられる。
【００２４】
窒素原子及び酸素原子を含む複素環としては、
モルホリン、２−ピロリドン、１−メチル−２−ピロリドン、２−メチル−２−ピロリドン、２−ピペリドン、１−メチル−２−ピペリドン及び２−メチル−２−ピペリドン等の単環系飽和複素環；
オキサゾール、４−メチルオキサゾール等のオキサゾール、２−メチルイソオキサゾール、３−メチルイソオキサゾール、４−メチルイソオキサゾール、５−メチルイソオキサゾール等のイソオキサゾール等の単環系不飽和複素環；
ベンゾオキサゾール、ベンゾイソオキサゾール、ベンゾオキサジン、ベンゾジオキサン、ベンゾイミダゾリン等の縮合二環系複素環；
フェノキサジン等の縮合三環系複素環；等が挙げられる。
【００２５】
窒素原子及び硫黄原子を含む複素環としては、
チアゾール、２−メチルチアゾール、３―メチルチアゾール、４−メチルチアゾール、５−メチルチアゾール、２，４−ジメチルチアゾール等のチアゾール等の単環系複素環；
ベンゾチアゾール等の縮合二環系複素環；
フェノチアジン等の縮合三環系複素環；等が挙げられる。
【００２６】
なお、上記の複素環基の結合位は、各複素環に含まれる任意の水素原子が脱離した部分である。
【００２７】
上記複素環基は、上記に挙げた複素環と上記に挙げた炭化水素基を組合せた基であってもよく、例えば、テトラヒドロフリルメチル基等が挙げられる。
【００２８】
さらに上記複素環基は、以下の式で表されるものであってもよい。※は結合手を表す。
【００２９】
【化５】
2020132878.tif 000006
【００３０】
該１価の炭化水素基及び該１価の複素環基を構成する−Ｃ（−）（−）−は、−Ｓｉ（−）（−）−に置き換わっていてもよく、
該１価の炭化水素基及び該１価の複素環基を構成する−ＣＨ（−）−は、−Ｎ（−）−に置き換わっていてもよく、
該１価の炭化水素基及び該１価の複素環基を構成する−ＣＨ＝は、−Ｎ＝に置き換わっていてもよく、
該１価の炭化水素基及び該１価の複素環基を構成する−ＣＨ2−は、−Ｏ−、−Ｓ−、−Ｓ（Ｏ）2−又は−ＣＯ−に置き換わっていてもよく、
該１価の炭化水素基及び該１価の複素環基を構成する水素原子は、ハロゲン原子、シアノ基、ニトロ基、−ＳＯ3Ｍ、−ＣＯ2Ｍ又はＭＭに置き換わっていてもよい。このような基としては、以下の基が挙げられる。
【００３１】
例えば、トリクロロメチル基、トリフルオロメチル基、２，２，２−トリフルオロエチル基、２，２−ジブロモエチル基、２，２，３，３−テトラフルオロプロピル基、２−エトキシエチル基、２−ブトキシエチル基、２−ニトロプロピル基、ジエチルアミノエチル基、（４−メトキシフェニル）メチル基、（２−メトキシフェニル）メチル基、（３−メトキシフェニル）メチル基、（４−ニトロフェニル）メチル基、（２，４−ジクロロフェニル）メチル基、（４−フルオロフェニル）メチル基、（３，５−ジフルオロフェニル）メチル基、２，２，２−トリフルオロ−１−トリフルオロメチル−１−フェニルエチル基、（フェノキシ）（フェニル）メチル基、（ベンジルオキシ）（フェニル）メチル基、ピロリルメチル基、ピロリルエチル基、（４−アミノフェニル）メチル基、（４−シアノフェニル）メチル基、２−ヒドロキシ−１−メチル−１−フェニルエチル基、２−クロロ−１−メチル−１−フェニルエチル基；
−ＣＨ2ＣＨ2ＯＣＨ2ＣＨ3、−ＣＨ2ＣＨ2Ｏ（ＣＨ2）3ＣＨ3、−（ＣＨ2ＣＨ2Ｏ）2ＣＨ2ＣＨ3、−（ＣＨ2ＣＨ2Ｏ）3ＣＨ2ＣＨ3、−（ＣＨ2ＣＨ2Ｏ）4ＣＨ2ＣＨ3、−（ＣＨ2ＣＨ2Ｏ）5ＣＨ2ＣＨ3、−（ＣＨ2ＣＨ2Ｏ）6ＣＨ2ＣＨ3、−（ＣＨ2ＣＨ2Ｏ）7ＣＨ2ＣＨ3、−（ＣＨ2ＣＨ2Ｏ）8ＣＨ2ＣＨ3、−（ＣＨ2ＣＨ2Ｏ）9ＣＨ2ＣＨ3、−（ＣＨ2ＣＨ2Ｏ）10ＣＨ2ＣＨ3、−（ＣＨ2ＣＨ2Ｏ）11ＣＨ2ＣＨ3、−（ＣＨ2ＣＨ2Ｏ）12ＣＨ2ＣＨ3、−（ＣＨ2ＣＨ2Ｏ）13ＣＨ3、−ＣＨ2ＣＨ2ＯＨ、−（ＣＨ2ＣＨ2Ｏ）2Ｈ、−（ＣＨ2ＣＨ2Ｏ）3Ｈ、−（ＣＨ2ＣＨ2Ｏ）4Ｈ、−（ＣＨ2ＣＨ2Ｏ）5Ｈ、−（ＣＨ2ＣＨ2Ｏ）6Ｈ、−（ＣＨ2ＣＨ2Ｏ）7Ｈ、−（ＣＨ2ＣＨ2Ｏ）8Ｈ、−（ＣＨ2ＣＨ2Ｏ）9Ｈ、−（ＣＨ2ＣＨ2Ｏ）10Ｈ、−（ＣＨ2ＣＨ2Ｏ）11Ｈ、−（ＣＨ2ＣＨ2Ｏ）12Ｈ、−（ＣＨ2ＣＨ2Ｏ）13Ｈ、−ＣＨ2ＣＨ2ＯＣＨ3、−（ＣＨ2ＣＨ2Ｏ）2ＣＨ3、−（ＣＨ2ＣＨ2Ｏ）3ＣＨ3、−（ＣＨ2ＣＨ2Ｏ）4ＣＨ3、−（ＣＨ2ＣＨ2Ｏ）5ＣＨ3、−（ＣＨ2ＣＨ2Ｏ）6ＣＨ3、−（ＣＨ2ＣＨ2Ｏ）7ＣＨ3、−（ＣＨ2ＣＨ2Ｏ）8ＣＨ3、−（ＣＨ2ＣＨ2Ｏ）9ＣＨ3、−（ＣＨ2ＣＨ2Ｏ）10ＣＨ3、−（ＣＨ2ＣＨ2Ｏ）11ＣＨ3、−（ＣＨ2ＣＨ2Ｏ）12ＣＨ3、−（ＣＨ2ＣＨ2Ｏ）13ＣＨ3等の上記の１価の炭化水素基又は１価の複素環基の−ＣＨ2−が−Ｏ−に置き換わった基；
等の置換基を有するアルキル基（以下、これらを群Ａの基という場合がある）が挙げられる。
【００３２】
例えば、４−ブロモフェニル基、４−ニトロフェニル基、４−メトキシフェニル基、２，４−ジクロロフェニル基、ペンタフルオロフェニル基、２−アミノフェニル基、２−メチル−４−クロロフェニル基、４−ヒドロキシ−１−ナフチル基、４，５，８−トリクロロ−２−ナフチル基、アントラキノニル基、２−アミノアントラキノニル基等の置換基を有するアリール基（以下、これらを群Ｂの基という場合がある）が挙げられる。
【００３３】
例えばホルミル基；アセチル基、プロパノイル基、ブタノイル基、２，２−ジメチルプロパノイル基、ペンタノイル基、ヘキサノイル基、２−エチルヘキサノイル基、ヘプタノイル基、オクタノイル基、ノナノイル基、デカノイル基、ウンデカノイル基、ドデカノイル基、ヘンイコサノイル基、ベンゾイル基、
【００３４】
【化６】
2020132878.tif 000007
及び、上記の群Ａ〜Ｂの基或いは上記の１価の炭化水素基又は１価の複素環基が結合したカルボニル基等が挙げられ、
【００３５】
炭素数１〜３０の炭化水素基、上記の群Ａ〜Ｂの基或いは上記の１価の炭化水素基又は１価の複素環基の好ましいものが結合したカルボニル基が好ましく、
炭素数１〜２０の炭化水素基、上記の群Ａ〜Ｂの基或いは上記の１価の炭化水素基又は１価の複素環基の好ましいものが結合したカルボニル基がより好ましく、
炭素数１〜１８の炭化水素基、上記の群Ａ〜Ｂの基或いは上記の１価の炭化水素基又は１価の複素環基の好ましいものが結合したカルボニル基がさらに好ましく、
炭素数１〜１２の炭化水素基、上記の群Ａ〜Ｂの基或いは上記の１価の炭化水素基又は１価の複素環基の好ましいものが結合したカルボニル基がとりわけ好ましい。
※は、結合手を表す。
【００３６】
例えばメトキシカルボニル基、エトキシカルボニル基、プロポキシカルボニル基、ｔｅｒｔ−ブトキシカルボニル基、ブトキシカルボニル基、ペンチルオキシカルボニル基、ヘキシルオキシカルボニル基、（２−エチルヘキシル）オキシカルボニル基、ヘプチルオキシカルボニル基、オクチルオキシカルボニル基、ノニルオキシカルボニル基、デシルオキシカルボニル基、ウンデシルオキシカルボニル基、ドデシルオキシカルボニル基、フェニルオキシカルボニル基、イコシルオキシカルボニル基、
【００３７】
【化７】
2020132878.tif 000008
及び、上記の群Ａ〜Ｂの基或いは上記の１価の炭化水素基又は１価の複素環基が結合したオキシカルボニル基等が挙げられ、
【００３８】
炭素数１〜３０の炭化水素基、上記の群Ａ〜Ｂの基或いは上記の１価の炭化水素基又は１価の複素環基の好ましいものが結合したオキシカルボニル基が好ましく、
炭素数１〜２０の炭化水素基、上記の群Ａ〜Ｂの基或いは上記の１価の炭化水素基又は１価の複素環基の好ましいものが結合したオキシカルボニル基がより好ましく、
炭素数１〜１８の炭化水素基、上記の群Ａ〜Ｂの基或いは上記の１価の炭化水素基又は１価の複素環基の好ましいものが結合したオキシカルボニル基がさらに好ましく、
炭素数１〜１２の炭化水素基、上記の群Ａ〜Ｂの基或いは上記の１価の炭化水素基又は１価の複素環基の好ましいものが結合したオキシカルボニル基がとりわけ好ましい。
※は、結合手を表す。
【００３９】
例えばホルミルオキシ基；アセトキシ基、プロパノイルオキシ基、ブタノイルオキシ基、（２，２−ジメチルプロパノイル）オキシ基、ペンタノイルオキシ基、ヘキサノイルオキシ基、（２−エチルヘキサノイル）オキシ基、ヘプタノイルオキシ基、オクタノイルオキシ基、ノナノイルオキシ基、デカノイルオキシ基、ウンデカノイルオキシ基、ドデカノイルオキシ基、ヘンイコサノイルオキシ基、ベンゾイルオキシ基、エテニルカルボニルオキシ基、（２−プロペニル）カルボニルオキシ基、（１−メチルエテニル）カルボニルオキシ基
及び、上記の群Ａ〜Ｂの基或いは上記の１価の炭化水素基又は１価の複素環基が結合したカルボニルオキシ基等が挙げられ、
【００４０】
炭素数１〜３０の炭化水素基、上記の群Ａ〜Ｂの基或いは上記の１価の炭化水素基又は１価の複素環基の好ましいものが結合したカルボニルオキシ基が好ましく、
炭素数１〜２０の炭化水素基、上記の群Ａ〜Ｂの基或いは上記の１価の炭化水素基又は１価の複素環基の好ましいものが結合したカルボニルオキシ基がより好ましく、
炭素数１〜１８の炭化水素基、上記の群Ａ〜Ｂの基或いは上記の１価の炭化水素基又は１価の複素環基の好ましいものが結合したカルボニルオキシ基がさらに好ましく、
炭素数１〜１２の炭化水素基、上記の群Ａ〜Ｂの基或いは上記の１価の炭化水素基又は１価の複素環基の好ましいものが結合したカルボニルオキシ基がとりわけ好ましい。
【００４１】
例えばヒドロキシ基；メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、ネオペンチルオキシ基、１−エチル−１，２−ジメチルプロポキシ基、ヘキシルオキシ基、ヘプチルオキシ基、オクチルオキシ基、ノニルオキシ基、デシルオキシ基、ウンデシルオキシ基、ドデシルオキシ基、（２−エチルヘキシル）オキシ基、ステアリルオキシ基、イコシルオキシ基、１−フェニルエトキシ基、１−メチル−１−フェニルエトキシ基、フェニルオキシ基、ベンジルオキシ基、２，３−ジメチルフェニルオキシ基、２，４−ジメチルフェニルオキシ基、２，５−ジメチルフェニルオキシ基、２，６−ジメチルフェニルオキシ基、３，４−ジメチルフェニルオキシ基、３，５−ジメチルフェニルオキシ基、２，３−ジシアノフェニルオキシ基、２，４−ジシアノフェニルオキシ基、２，５−ジシアノフェニルオキシ基、２，６−ジシアノフェニルオキシ基、３，４−ジシアノフェニルオキシ基、３，５−ジシアノフェニルオキシ基、４−メトキシフェニルオキシ基、２−メトキシフェニルオキシ基、３−メトキシフェニルオキシ基、４−エトキシフェニルオキシ基、２−エトキシフェニルオキシ基、３−エトキシフェニルオキシ基；
トリクロロメトキシ基、トリフルオロメトキシ基、２，２，２−トリフルオロエトキシ基、２，２，３，３−テトラフルオロプロポキシ基、３，３，３−トリフルオロ−２−トリフルオロメチル−２−メチルプロポキシ基、２−ブトキシエトキシ基、２−ニトロプロポキシ基、−ＯＣＨ2ＣＨ2ＯＨ、−Ｏ（ＣＨ2ＣＨ2Ｏ）4Ｈ、−ＯＣＨ2ＣＦ2ＣＦ2Ｈ、−ＯＣＨ2ＣＨ2Ｏ（ＣＨ2）3ＣＨ3、−ＯＣＨ2ＣＨ2ＯＣＨ2ＣＨ3、−Ｏ（ＣＨ2ＣＨ2Ｏ）2ＣＨ2ＣＨ3、−Ｏ（ＣＨ2ＣＨ2Ｏ）4ＣＨ2ＣＨ3、−ＯＣＨ2ＣＨ2Ｏ（ＣＨ2）3ＣＨ3、
【００４２】
【化８】
2020132878.tif 000009
【００４３】
【化９】
2020132878.tif 000010
及び、上記の群Ａ〜Ｂの基或いは上記の１価の炭化水素基又は１価の複素環基が結合したオキシ基等が挙げられ、
【００４４】
炭素数１〜３０の炭化水素基、上記の群Ａ〜Ｂの基或いは上記の１価の炭化水素基又は１価の複素環基の好ましいものが結合したオキシ基、又はヒドロキシ基が好ましく、
炭素数１〜２０の炭化水素基、上記の群Ａ〜Ｂの基或いは上記の１価の炭化水素基又は１価の複素環基の好ましいものが結合したオキシ基、又はヒドロキシ基がより好ましく、
炭素数１〜１８の炭化水素基、上記の群Ａ〜Ｂの基或いは上記の１価の炭化水素基又は１価の複素環基の好ましいものが結合したオキシ基、又はヒドロキシ基がさらに好ましく、
炭素数１〜１２の炭化水素基、上記の群Ａ〜Ｂの基或いは上記の１価の炭化水素基又は１価の複素環基の好ましいものが結合したオキシ基、又はヒドロキシ基がとりわけ好ましい。
※は、結合手を表す。
【００４５】
例えばメルカプト基；メチルチオ基、エチルチオ基、プロピルチオ基、ブチルチオ基、ｔｅｒｔ−ブチルチオ基、ペンチルチオ基、ヘキシルチオ基、（２−エチルヘキシル）チオ基、ヘプチルチオ基、オクチルチオ基、ノニルチオ基、デシルチオ基、ウンデシルチオ基、ドデシルチオ基、イコシルチオ基、フェニルチオ基、ｏ−トリルチオ基、
【００４６】
【化１０】
2020132878.tif 000011
及び、水素原子が上記の群Ａ〜Ｂの基或いは上記の１価の炭化水素基又は１価の複素環基に置換したメルカプト基等が挙げられ、
【００４７】
水素原子が炭素数１〜３０の炭化水素基、上記の群Ａ〜Ｂの基或いは上記の１価の炭化水素基又は１価の複素環基の好ましいものに置換したメルカプト基、又はメルカプト基が好ましく、
水素原子が炭素数１〜２０の炭化水素基、上記の群Ａ〜Ｂの基或いは上記の１価の炭化水素基又は１価の複素環基の好ましいものに置換したメルカプト基、又はメルカプト基がより好ましく、
水素原子が炭素数１〜１８の炭化水素基、上記の群Ａ〜Ｂの基或いは上記の１価の炭化水素基又は１価の複素環基の好ましいものに置換したメルカプト基、又はメルカプト基がさらに好ましく、
水素原子が炭素数１〜１２の炭化水素基、上記の群Ａ〜Ｂの基或いは上記の１価の炭化水素基又は１価の複素環基の好ましいものに置換したメルカプト基、又はメルカプト基がとりわけ好ましい。
※は、結合手を表す。
【００４８】
例えばメチルスルホニル基、エチルスルホニル基、プロピルスルホニル基、ブチルスルホニル基、ペンチルスルホニル基、ヘキシルスルホニル基、（２−エチルヘキシル）スルホニル基、ヘプチルスルホニル基、オクチルスルホニル基、ノニルスルホニル基、デシルスルホニル基、ウンデシルスルホニル基、ドデシルスルホニル基、イコシルスルホニル基、フェニルスルホニル基、ｐ−トリルスルホニル基、
【００４９】
【化１１】
2020132878.tif 000012
及び、上記の群Ａ〜Ｂの基或いは上記の１価の炭化水素基又は１価の複素環基が結合したスルホニル基等が挙げられ、
【００５０】
炭素数１〜３０の炭化水素基、上記の群Ａ〜Ｂの基或いは上記の１価の炭化水素基又は１価の複素環基の好ましいものが結合したスルホニル基が好ましく、
炭素数１〜２０の炭化水素基、上記の群Ａ〜Ｂの基或いは上記の１価の炭化水素基又は１価の複素環基の好ましいものが結合したスルホニル基がより好ましく、
炭素数１〜１８の炭化水素基、上記の群Ａ〜Ｂの基或いは上記の１価の炭化水素基又は１価の複素環基の好ましいものが結合したスルホニル基がさらに好ましく、
炭素数１〜１２の炭化水素基、上記の群Ａ〜Ｂの基或いは上記の１価の炭化水素基又は１価の複素環基の好ましいものが結合したスルホニル基がとりわけ好ましい。
※は、結合手を表す。
【００５１】
例えば、
スルファモイル基；
Ｎ−メチルスルファモイル基、Ｎ−エチルスルファモイル基、Ｎ−プロピルスルファモイル基、Ｎ−イソプロピルスルファモイル基、Ｎ−ブチルスルファモイル基、Ｎ−イソブチルスルファモイル基、Ｎ−（ｓｅｃ−ブチル）スルファモイル基、Ｎ−（ｔｅｒｔ−ブチル）スルファモイル基、Ｎ−ペンチルスルファモイル基、Ｎ−（１−エチルプロピル）スルファモイル基、Ｎ−ヘキシルスルファモイル基、Ｎ−（２−エチルヘキシル）スルファモイル基、Ｎ−ヘプチルスルファモイル基、Ｎ−オクチルスルファモイル基、Ｎ−ノニルスルファモイル基、Ｎ−デシルスルファモイル基、Ｎ−ウンデシルスルファモイル基、Ｎ−ドデシルスルファモイル基、Ｎ−イコシルスルファモイル基、Ｎ−フェニルスルファモイル基、−ＳＯ2ＮＨ（ＣＨ2）2Ｎ（ＣＨ2ＣＨ3）2、−ＳＯ2ＮＨＣＨ2ＣＨ2ＣＨ2Ｓｉ（ＯＣＨ2ＣＨ3）3、及び、上記の群Ａ〜Ｂの基或いは上記の１価の炭化水素基又は１価の複素環基が１つ置換したスルファモイル基等；
【００５２】
Ｎ，Ｎ−ジメチルスルファモイル基、Ｎ−エチル−Ｎ−メチルスルファモイル基、Ｎ，Ｎ−ジエチルスルファモイル基、Ｎ−プロピル−Ｎ−メチルスルファモイル基、Ｎ，Ｎ−ジプロピルスルファモイル基、Ｎ−イソプロピル−Ｎ−メチルスルファモイル基、Ｎ，Ｎ−ジイソプロピルスルファモイル基、Ｎ，Ｎ−ジイソブチルスルファモイル基、Ｎ，Ｎ−ジ（ｓｅｃ−ブチル）スルファモイル基、Ｎ−（ｔｅｒｔ−ブチル）−Ｎ−メチルスルファモイル基、Ｎ，Ｎ−ジ（ｔｅｒｔ−ブチル）スルファモイル基、Ｎ−ブチル−Ｎ−メチルスルファモイル基、Ｎ，Ｎ−ジブチルスルファモイル基、Ｎ−ブチル−Ｎ−オクチルスルファモイル基、Ｎ，Ｎ−ジペンチルスルファモイル基、Ｎ，Ｎ−ビス（１−エチルプロピル）スルファモイル基、Ｎ−ブチル−Ｎ−ヘキシルスルファモイル基、Ｎ−ヘキシル−Ｎ−メチルスルファモイル基、Ｎ，Ｎ−ジヘキシルスルファモイル基、Ｎ−（２−エチルヘキシル）−Ｎ−メチルスルファモイル基、Ｎ，Ｎ−ビス（２−エチルヘキシル）スルファモイル基、Ｎ，Ｎ−ジヘプチルスルファモイル基、Ｎ−オクチル−Ｎ−メチルスルファモイル基、Ｎ，Ｎ−ジオクチルスルファモイル基、Ｎ，Ｎ−ジノニルスルファモイル基、Ｎ−デシル−Ｎ−メチルスルファモイル基、Ｎ−ウンデシル−Ｎ−メチルスルファモイル基、Ｎ−ドデシル−Ｎ−メチルスルファモイル基、Ｎ−イコシル−Ｎ−メチルスルファモイル基、Ｎ−フェニル−Ｎ−メチルスルファモイル基、Ｎ，Ｎ−ジフェニルスルファモイル基、及び、
上記の群Ａ〜Ｂの基、上記の１価の炭化水素基及び上記の１価の複素環基より選ばれる２つが置換したスルファモイル基等が挙げられ、
【００５３】
炭素数１〜３０の炭化水素基、上記の群Ａ〜Ｂの基、上記の１価の炭化水素基の好ましいもの及び上記の１価の複素環基の好ましいものより選ばれる１つ又は２つが置換したスルファモイル基、−ＳＯ2ＮＨ（ＣＨ2）2Ｎ（ＣＨ2ＣＨ3）2又はスルファモイル基が好ましく、
炭素数１〜２０の炭化水素基、上記の群Ａ〜Ｂの基、上記の１価の炭化水素基の好ましいもの及び上記の１価の複素環基の好ましいものより選ばれる１つ又は２つが置換したスルファモイル基、−ＳＯ2ＮＨ（ＣＨ2）2Ｎ（ＣＨ2ＣＨ3）2又はスルファモイル基がより好ましく、
炭素数１〜１８の炭化水素基、上記の群Ａ〜Ｂの基、上記の１価の炭化水素基の好ましいもの及び上記の１価の複素環基の好ましいものより選ばれる１つ又は２つが置換したスルファモイル基、−ＳＯ2ＮＨ（ＣＨ2）2Ｎ（ＣＨ2ＣＨ3）2又はスルファモイル基がさらに好ましく、
炭素数１〜１２の炭化水素基、上記の群Ａ〜Ｂの基、上記の１価の炭化水素基の好ましいもの及び上記の１価の複素環基の好ましいものより選ばれる１つ又は２つが置換したスルファモイル基、−ＳＯ2ＮＨ（ＣＨ2）2Ｎ（ＣＨ2ＣＨ3）2又はスルファモイル基がとりわけ好ましい。
【００５４】
例えば、
カルバモイル基；
Ｎ−メチルカルバモイル基、Ｎ−エチルカルバモイル基、Ｎ−プロピルカルバモイル基、Ｎ−イソプロピルカルバモイル基、Ｎ−ブチルカルバモイル基、Ｎ−イソブチルカルバモイル基、Ｎ−（ｓｅｃ−ブチル）カルバモイル基、Ｎ−（ｔｅｒｔ−ブチル）カルバモイル基、Ｎ−ペンチルカルバモイル基、Ｎ−（１−エチルプロピル）カルバモイル基、Ｎ−ヘキシルカルバモイル基、Ｎ−（２−エチルヘキシル）カルバモイル基、Ｎ−ヘプチルカルバモイル基、Ｎ−オクチルカルバモイル基、Ｎ−ノニルカルバモイル基、Ｎ−デシルカルバモイル基、Ｎ−ウンデシルカルバモイル基、Ｎ−ドデシルカルバモイル基、Ｎ−イコシルカルバモイル基、Ｎ−フェニルカルバモイル基、−ＣＯＮＨ（ＣＨ2）2Ｎ（ＣＨ2ＣＨ3）2、−ＣＯＮＨＣＨ2ＣＨ2ＣＨ2Ｓｉ（ＯＣＨ2ＣＨ3）3、及び、上記の群Ａ〜Ｂの基或いは上記の１価の炭化水素基又は１価の複素環基が１つ置換したカルバモイル基等；
【００５５】
Ｎ，Ｎ−ジメチルカルバモイル基、Ｎ−エチル−Ｎ−メチルカルバモイル基、Ｎ，Ｎ−ジエチルカルバモイル基、Ｎ−プロピル−Ｎ−メチルカルバモイル基、Ｎ，Ｎ−ジプロピルカルバモイル基、Ｎ−イソプロピル−Ｎ−メチルカルバモイル基、Ｎ，Ｎ−ジイソプロピルカルバモイル基、Ｎ，Ｎ−ジイソブチルカルバモイル基、Ｎ，Ｎ−ジ（ｓｅｃ−ブチル）カルバモイル基、Ｎ−（ｔｅｒｔ−ブチル）−Ｎ−メチルカルバモイル基、Ｎ，Ｎ−ジ（ｔｅｒｔ−ブチル）カルバモイル基、Ｎ−ブチル−Ｎ−メチルカルバモイル基、Ｎ，Ｎ−ジブチルカルバモイル基、Ｎ−ブチル−Ｎ−オクチルカルバモイル基、Ｎ，Ｎ−ジペンチルカルバモイル基、Ｎ，Ｎ−ビス（１−エチルプロピル）カルバモイル基、Ｎ−ブチル−Ｎ−ヘキシルカルバモイル基、Ｎ−ヘキシル−Ｎ−メチルカルバモイル基、Ｎ，Ｎ−ジヘキシルカルバモイル基、Ｎ−（２−エチルヘキシル）−Ｎ−メチルカルバモイル基、Ｎ，Ｎ−ビス（２−エチルヘキシル）カルバモイル基、Ｎ，Ｎ−ジヘプチルカルバモイル基、Ｎ−オクチル−Ｎ−メチルカルバモイル基、Ｎ，Ｎ−ジオクチルカルバモイル基、Ｎ，Ｎ−ジノニルカルバモイル基、Ｎ−デシル−Ｎ−メチルカルバモイル基、Ｎ−ウンデシル−Ｎ−メチルカルバモイル基、Ｎ−ドデシル−Ｎ−メチルカルバモイル基、Ｎ−イコシル−Ｎ−メチルカルバモイル基、Ｎ−フェニル−Ｎ−メチルカルバモイル基、Ｎ，Ｎ−ジフェニルカルバモイル基、及び、
上記の群Ａ〜Ｂの基、上記の１価の炭化水素基及び上記の１価の複素環基より選ばれる２つが置換したカルバモイル基等が挙げられ、
【００５６】
炭素数１〜３０の炭化水素基、上記の群Ａ〜Ｂの基、上記の１価の炭化水素基の好ましいもの及び上記の１価の複素環基の好ましいものより選ばれる１つ又は２つが置換したカルバモイル基、又はカルバモイル基が好ましく、
炭素数１〜２０の炭化水素基、上記の群Ａ〜Ｂの基、上記の１価の炭化水素基の好ましいもの及び上記の１価の複素環基の好ましいものより選ばれる１つ又は２つが置換したカルバモイル基、又はカルバモイル基がより好ましく、
炭素数１〜１８の炭化水素基、上記の群Ａ〜Ｂの基、上記の１価の炭化水素基の好ましいもの及び上記の１価の複素環基の好ましいものより選ばれる１つ又は２つが置換したカルバモイル基、又はカルバモイル基がさらに好ましく、
炭素数１〜１２の炭化水素基、上記の群Ａ〜Ｂの基、上記の１価の炭化水素基の好ましいもの及び上記の１価の複素環基の好ましいものより選ばれる１つ又は２つが置換したカルバモイル基、又はカルバモイル基がとりわけ好ましい。
【００５７】
例えば、
アミノ基；
Ｎ−メチルアミノ基、Ｎ−エチルアミノ基、Ｎ−プロピルアミノ基、Ｎ−イソプロピルアミノ基、Ｎ−ブチルアミノ基、Ｎ−イソブチルアミノ基、Ｎ−（ｓｅｃ−ブチル）アミノ基、Ｎ−（ｔｅｒｔ−ブチル）アミノ基、Ｎ−ペンチルアミノ基、Ｎ−（１−エチルプロピル）アミノ基、Ｎ−ヘキシルアミノ基、Ｎ−（２−エチルヘキシル）アミノ基、Ｎ−ヘプチルアミノ基、Ｎ−オクチルアミノ基、Ｎ−ノニルアミノ基、Ｎ−デシルアミノ基、Ｎ−ウンデシルアミノ基、Ｎ−ドデシルアミノ基、Ｎ−イコシルアミノ基、Ｎ−フェニルアミノ基、及び、上記の群Ａ〜Ｂの基或いは上記の１価の炭化水素基又は１価の複素環基が１つ置換したアミノ基等；
【００５８】
Ｎ，Ｎ−ジメチルアミノ基、Ｎ−エチル−Ｎ−メチルアミノ基、Ｎ，Ｎ−ジエチルアミノ基、Ｎ−プロピル−Ｎ−メチルアミノ基、Ｎ，Ｎ−ジプロピルアミノ基、Ｎ−イソプロピル−Ｎ−メチルアミノ基、Ｎ，Ｎ−ジイソプロピルアミノ基、Ｎ，Ｎ−ジイソブチルアミノ基、Ｎ，Ｎ−ジ（ｓｅｃ−ブチル）アミノ基、Ｎ−（ｔｅｒｔ−ブチル）−Ｎ−メチルアミノ基、Ｎ，Ｎ−ジ（ｔｅｒｔ−ブチル）アミノ基、Ｎ−ブチル−Ｎ−メチルアミノ基、Ｎ，Ｎ−ジブチルアミノ基、Ｎ−ブチル−Ｎ−オクチルアミノ基、Ｎ，Ｎ−ジペンチルアミノ基、Ｎ，Ｎ−ビス（１−エチルプロピル）アミノ基、Ｎ−ブチル−Ｎ−ヘキシルアミノ基、Ｎ−ヘキシル−Ｎ−メチルアミノ基、Ｎ，Ｎ−ジヘキシルアミノ基、Ｎ−（２−エチルヘキシル）−Ｎ−メチルアミノ基、Ｎ，Ｎ−ビス（２−エチルヘキシル）アミノ基、Ｎ，Ｎ−ジヘプチルアミノ基、Ｎ−オクチル−Ｎ−メチルアミノ基、Ｎ，Ｎ−ジオクチルアミノ基、Ｎ，Ｎ−ジノニルアミノ基、Ｎ−デシル−Ｎ−メチルアミノ基、Ｎ−ウンデシル−Ｎ−メチルアミノ基、Ｎ−ドデシル−Ｎ−メチルアミノ基、Ｎ−イコシル−Ｎ−メチルアミノ基、Ｎ−フェニル−Ｎ−メチルアミノ基、Ｎ，Ｎ−ジフェニルアミノ基、及び、
上記の群Ａ〜Ｂの基、上記の１価の炭化水素基及び上記の１価の複素環基より選ばれる２つが置換したアミノ基等が挙げられ、
【００５９】
炭素数１〜３０の炭化水素基、上記の群Ａ〜Ｂの基、上記の１価の炭化水素基の好ましいもの及び上記の１価の複素環基の好ましいものより選ばれる１つ又は２つが置換したアミノ基、又はアミノ基が好ましく、
炭素数１〜２０の炭化水素基、上記の群Ａ〜Ｂの基、上記の１価の炭化水素基の好ましいもの及び上記の１価の複素環基の好ましいものより選ばれる１つ又は２つが置換したアミノ基、又はアミノ基がより好ましく、
炭素数１〜１８の炭化水素基、上記の群Ａ〜Ｂの基、上記の１価の炭化水素基の好ましいもの及び上記の１価の複素環基の好ましいものより選ばれる１つ又は２つが置換したアミノ基、又はアミノ基がさらに好ましく、
炭素数１〜１２の炭化水素基、上記の群Ａ〜Ｂの基、上記の１価の炭化水素基の好ましいもの及び上記の１価の複素環基の好ましいものより選ばれる１つ又は２つが置換したアミノ基、又はアミノ基がとりわけ好ましい。
【００６０】
例えば、ホルミルアミノ基；アセチルアミノ基、プロパノイルアミノ基、ブタノイルアミノ基、（２，２−ジメチルプロパノイル）アミノ基、ペンタノイルアミノ基、ヘキサノイルアミノ基、（２−エチルヘキサノイル）アミノ基、ヘプタノイルアミノ基、オクタノイルアミノ基、ノナノイルアミノ基、デカノイルアミノ基、ウンデカノイルアミノ基、ドデカノイルアミノ基、ヘンイコサノイルアミノ基、ベンゾイルアミノ基、
【００６１】
【化１２】
2020132878.tif 000013
及び、上記の群Ａ〜Ｂの基或いは上記の１価の炭化水素基又は１価の複素環基が結合したカルボニルアミノ基等が挙げられ、
【００６２】
炭素数１〜３０の炭化水素基、上記の群Ａ〜Ｂの基或いは上記の１価の炭化水素基又は１価の複素環基の好ましいものが結合したカルボニルアミノ基が好ましく、
炭素数１〜２０の炭化水素基、上記の群Ａ〜Ｂの基或いは上記の１価の炭化水素基又は１価の複素環基の好ましいものが結合したカルボニルアミノ基がより好ましく、
炭素数１〜１８の炭化水素基、上記の群Ａ〜Ｂの基或いは上記の１価の炭化水素基又は１価の複素環基の好ましいものが結合したカルボニルアミノ基がさらに好ましく、
炭素数１〜１２の炭化水素基、上記の群Ａ〜Ｂの基或いは上記の１価の炭化水素基又は１価の複素環基の好ましいものが結合したカルボニルアミノ基がとりわけ好ましい。
※は、結合手を表す。
【００６３】
例えば、
−ＳｉＨ3；
−Ｓｉ（ＣＨ3)3、
−Ｓｉ（ＣＨ2ＣＨ3)3、
−Ｓｉ（（ＣＨ2)2ＣＨ3)3、
−Ｓｉ（ＣＨ（ＣＨ3）2)3、
−Ｓｉ（（ＣＨ2)3ＣＨ3)3、
−Ｓｉ（（ＣＨ2)4ＣＨ3)3、
−Ｓｉ（（ＣＨ2)5ＣＨ3)3、
−Ｓｉ（（ＣＨ2)6ＣＨ3)3、
−Ｓｉ（（ＣＨ2)7ＣＨ3)3、
−Ｓｉ（（ＣＨ2)8ＣＨ3)3、
−Ｓｉ（（ＣＨ2)9ＣＨ3)3、
−Ｓｉ（（ＣＨ2)10ＣＨ3)3、
−Ｓｉ（（ＣＨ2)11ＣＨ3)3、
−Ｓｉ（（ＣＨ2)12ＣＨ3)3、
−Ｓｉ（Ｃ6Ｈ5)3、
−Ｓｉ（Ｃ10Ｈ7)3、
−Ｓｉ（ＣＨ3)2（ＣＨ2ＣＨ3)、
−Ｓｉ（ＣＨ3)2（（ＣＨ2)2ＣＨ3)、
−Ｓｉ（ＣＨ3)2（ＣＨ（ＣＨ3）2)、
−Ｓｉ（ＣＨ3)2（（ＣＨ2)3ＣＨ3)、
−Ｓｉ（ＣＨ3)2（（ＣＨ2)5ＣＨ3)、
−Ｓｉ（ＣＨ3)2（（ＣＨ2)7ＣＨ3)、
−Ｓｉ（ＣＨ3)2（（ＣＨ2)9ＣＨ3)、
−Ｓｉ（ＣＨ3)2（（ＣＨ2)11ＣＨ3)、
−Ｓｉ（ＣＨ3)2（（ＣＨ2)13ＣＨ3)、
−Ｓｉ（ＣＨ3)2（（ＣＨ2)15ＣＨ3)、
−Ｓｉ（ＣＨ3)2（（ＣＨ2)17ＣＨ3)、
−Ｓｉ（ＣＨ3)2（（ＣＨ2)19ＣＨ3)、
−Ｓｉ（ＣＨ3)2（（ＣＨ2)29ＣＨ3)、
−Ｓｉ（ＣＨ3)2（Ｃ6Ｈ5)、
−Ｓｉ（ＣＨ3)（Ｃ6Ｈ5) 2、
−Ｓｉ（ＣＨ3)2（Ｃ10Ｈ7)、
及び、上記の群Ａ〜Ｂの基、上記の１価の炭化水素基及び上記の１価の複素環基より選ばれる１つ、２つ又は３つが置換した−ＳｉＨ3等；
【００６４】
−Ｓｉ（ＯＨ）3；
−Ｓｉ（ＯＣＨ3)3、
−Ｓｉ（ＯＣＨ2ＣＨ3)3、
−Ｓｉ（Ｏ（ＣＨ2)2ＣＨ3)3、
−Ｓｉ（ＯＣＨ（ＣＨ3）2)3、
−Ｓｉ（Ｏ（ＣＨ2)3ＣＨ3)3、
−Ｓｉ（Ｏ（ＣＨ2)4ＣＨ3)3、
−Ｓｉ（Ｏ（ＣＨ2)5ＣＨ3)3、
−Ｓｉ（Ｏ（ＣＨ2)6ＣＨ3)3、
−Ｓｉ（Ｏ（ＣＨ2)7ＣＨ3)3、
−Ｓｉ（Ｏ（ＣＨ2)8ＣＨ3)3、
−Ｓｉ（Ｏ（ＣＨ2)9ＣＨ3)3、
−Ｓｉ（Ｏ（ＣＨ2)10ＣＨ3)3、
−Ｓｉ（Ｏ（ＣＨ2)11ＣＨ3)3、
−Ｓｉ（ＯＣ6Ｈ5)3、
−Ｓｉ（ＯＣ10Ｈ7)3、
−Ｓｉ（ＯＣＨ3)2（ＯＣＨ2ＣＨ3)、
−Ｓｉ（ＯＣＨ3)2（Ｏ（ＣＨ2)2ＣＨ3)、
−Ｓｉ（ＯＣＨ3)2（ＯＣＨ（ＣＨ3）2)、
−Ｓｉ（ＯＣＨ3)2（Ｏ（ＣＨ2)3ＣＨ3)、
−Ｓｉ（ＯＣＨ3)2（Ｏ（ＣＨ2)5ＣＨ3)、
−Ｓｉ（ＯＣＨ3)2（Ｏ（ＣＨ2)7ＣＨ3)、
−Ｓｉ（ＯＣＨ3)2（Ｏ（ＣＨ2)9ＣＨ3)、
−Ｓｉ（ＯＣＨ3)2（Ｏ（ＣＨ2)11ＣＨ3)、
−Ｓｉ（ＯＣＨ3)2（Ｏ（ＣＨ2)13ＣＨ3)、
−Ｓｉ（ＯＣＨ3)2（Ｏ（ＣＨ2)15ＣＨ3)、
−Ｓｉ（ＯＣＨ3)2（Ｏ（ＣＨ2)17ＣＨ3)、
−Ｓｉ（ＯＣＨ3)2（Ｏ（ＣＨ2)19ＣＨ3)、
−Ｓｉ（ＯＣＨ3)2（Ｏ（ＣＨ2)29ＣＨ3)、
−Ｓｉ（ＯＣＨ3)2（ＯＣ6Ｈ5)、
−Ｓｉ（ＯＣＨ3)（ＯＣ6Ｈ5) 2、
−Ｓｉ（ＯＣＨ3)2（ＯＣ10Ｈ7)、
及び、上記の群Ａ〜Ｂの基、上記の１価の炭化水素基及び上記の１価の複素環基より選ばれる１つ、２つ又は３つが置換した−Ｓｉ（ＯＨ）3等；
【００６５】
−ＳｉＨ（ＯＨ）2；
−Ｓｉ（ＣＨ3）（ＯＣＨ3）2、
−Ｓｉ（（ＣＨ2)11ＣＨ3）（Ｏ（ＣＨ2)11ＣＨ3）2、
−Ｓｉ（Ｃ6Ｈ5）（ＯＣ6Ｈ5）2、
−Ｓｉ（ＣＨ3）（ＯＨ）2、
−Ｓｉ（（ＣＨ2)36ＣＨ3）（ＯＨ）2、
−Ｓｉ（Ｃ6Ｈ5）（ＯＨ）2、
及び、上記の群Ａ〜Ｂの基、上記の１価の炭化水素基及び上記の１価の複素環基より選ばれる１つ、２つ又は３つが置換した−ＳｉＨ（ＯＨ）2等；
【００６６】
−ＳｉＨ2（ＯＨ）；
−Ｓｉ（ＣＨ3）2（ＯＣＨ3）、
−Ｓｉ（（ＣＨ2)11ＣＨ3）2（Ｏ（ＣＨ2)11ＣＨ3）、
−Ｓｉ（Ｃ6Ｈ5）2（ＯＣ6Ｈ5）、
−Ｓｉ（ＣＨ3）2（ＯＨ）、
−Ｓｉ（（ＣＨ2)17ＣＨ3）2（ＯＨ）、
−Ｓｉ（Ｃ6Ｈ5）2（ＯＨ）、
及び、上記の群Ａ〜Ｂの基、上記の１価の炭化水素基及び上記の１価の複素環基より選ばれる１つ、２つ又は３つが置換した−ＳｉＨ2（ＯＨ）等；
が挙げられ、
【００６７】
炭素数１〜３０の炭化水素基、上記の群Ａ〜Ｂの基、上記の１価の炭化水素基の好ましいもの及び上記の１価の複素環基の好ましいものより選ばれる１つ、２つ又は３つが置換した−ＳｉＨ3、−Ｓｉ（ＯＨ）3、−ＳｉＨ（ＯＨ）2及び−ＳｉＨ2（ＯＨ）、又は−Ｓｉ（ＯＨ）3が好ましく、
炭素数１〜２０の炭化水素基、上記の群Ａ〜Ｂの基、上記の１価の炭化水素基の好ましいもの及び上記の１価の複素環基の好ましいものより選ばれる１つ、２つ又は３つが置換した−ＳｉＨ3、−Ｓｉ（ＯＨ）3、−ＳｉＨ（ＯＨ）2及び−ＳｉＨ2（ＯＨ）、又は−Ｓｉ（ＯＨ）3がより好ましく、
炭素数１〜１８の炭化水素基、上記の群Ａ〜Ｂの基、上記の１価の炭化水素基の好ましいもの及び上記の１価の複素環基の好ましいものより選ばれる１つ、２つ又は３つが置換した−ＳｉＨ3、−Ｓｉ（ＯＨ）3、−ＳｉＨ（ＯＨ）2及び−ＳｉＨ2（ＯＨ）、又は−Ｓｉ（ＯＨ）3がさらに好ましく、
炭素数１〜１２の炭化水素基、上記の群Ａ〜Ｂの基、上記の１価の炭化水素基の好ましいもの及び上記の１価の複素環基の好ましいものより選ばれる１つ、２つ又は３つが置換した−ＳｉＨ3、−Ｓｉ（ＯＨ）3、−ＳｉＨ（ＯＨ）2及び−ＳｉＨ2（ＯＨ）、又は−Ｓｉ（ＯＨ）3がとりわけ好ましい。
【００６８】
例えば、置換基を有してもよいフタルイミドメチル基（Ｃ6Ｈ4（ＣＯ）2Ｎ−ＣＨ2−）が挙げられ、該置換基としては、上記のハロゲン原子、上記の群Ａ〜Ｂの基、上記の１価の炭化水素基及び上記の１価の複素環基等からなる群から選ばれる少なくとも１つが挙げられる。
【００６９】
この他の基として、−ＳＣＯＣＨ3、
【００７０】
【化１３】
2020132878.tif 000014
等が挙げられる。
※は、結合手を表す。
【００７１】
該１価の炭化水素基又は該１価の複素環基には、−ＳＯ3-Ｎ+（Ｃ12Ｈ25）（ＣＨ3）3、−ＣＯ2-Ｎ+（Ｃ12Ｈ25）（ＣＨ3）3、−ＳＯ3-、−ＣＯ2-等が置換していてもよい。
【００７２】
Ｒ1及びＲ2、Ｒ2及びＲ3、及びＲ3及びＲ4は、それぞれ互いに結合して環を形成していてもよい。
【００７３】
Ｍ及びＭＭで表されるアルカリ金属原子としては、リチウム原子、ナトリウム原子及びカリウム原子等のアルカリ金属原子が挙げられる。
【００７４】
Ｍ及びＭＭで表される配位子を有していてもよい金属原子の金属原子としては、元素の周期律表の２族〜１５族に属する金属原子が挙げられる。配位子を有していてもよい金属原子の金属原子としては、より好ましくは、Ｍｇ、Ｃａ、Ｓｒ、Ｂａ、Ｃｄ、Ｎｉ、Ｚｎ、Ｃｕ、Ｈｇ、Ｆｅ、Ｃｏ、Ｓｎ、Ｐｂ、Ｍｎ、Ａｌ、Ｃｒ、Ｒｈ、Ｉｒ、Ｐｄ、Ｔｉ、Ｚｒ、Ｈｆ、Ｓｉ、Ｇｅであり、さらに好ましくは、Ｍｇ、Ｃａ、Ｓｒ、Ｂａ、Ｎｉ、Ｚｎ、Ｃｕ、Ｆｅ、Ｃｏ、Ｓｎ、Ｍｎ、Ａｌ、Ｃｒであり、とりわけ好ましくは、Ｍｇ、Ｃａ、Ｓｒ、Ｂａ、Ｎｉ、Ｚｎ、Ｃｕ、Ｆｅ、Ｃｏ、Ｍｎ、Ａｌ、Ｃｒである。
【００７５】
配位子を有していてもよい金属原子の配位子としては、特に制限されず、例えば、ハロゲン原子、ＮＯ、ＮＯ3、ＳＯ4、ＣＨ3ＣＯ2、ＯＨ等であってもよく、
該金属原子に配位している配位子と、同一の配位子に含まれる炭素原子、窒素原子、酸素原子又は硫黄原子等が、同一の金属原子に配位していてもよく、
該金属原子に、複数の異なる配位子が、同一の金属原子へ配位していてもよく、
オリゴマー又はポリマーを形成していてもよい。
該配位子には、化合物（Ｉ）が配位子を有していてもよい金属原子を含む場合、配位子を有していてもよい金属原子を除いた化合物（Ｉ）も含有される。
本発明の化合物（Ｉ）には、このようなオリゴマー又はポリマーも含有される。
ただし、化合物（Ｉ）の電荷は０である。
【００７６】
このような化合物（Ｉ）としては、例えば、下記の式（ＥＮ１）〜式（ＥＮ５）で表される金属塩等が挙げられる。
ただし、式（ＥＮ１）〜式（ＥＮ５）中、（  ）内で示されている構造がオリゴマー及びポリマーのように、繰り返し結合していることを示す。
例えば、式（ＥＮ１）で表される金属塩は、同一の金属原子に同一の配位子が配位しているものを示す。
例えば、式（ＥＮ２）〜式（ＥＮ３）で表される金属塩は、同一の金属原子に複数の異なる配位子が配位してオリゴマーを形成しているものを示す。
例えば、式（ＥＮ４）〜式（ＥＮ５）で表される金属塩は、同一の金属原子に複数の異なる配位子が配位してオリゴマー又はポリマーを形成しているものを示す。
【００７７】
【化１４】
2020132878.tif 000015
【００７８】
【化１５】
2020132878.tif 000016
【００７９】
【化１６】
2020132878.tif 000017
【００８０】
【化１７】
2020132878.tif 000018
【００８１】
【化１８】
2020132878.tif 000019
【００８２】
Ｍ及びＭＭで表されるＮ（Ｚ1）（Ｚ2）（Ｚ3）（Ｚ4）としては、
ＮＨ4；
ＮＨ3（（ＣＨ2）7ＣＨ3）、ＮＨ3（（ＣＨ2）11ＣＨ3）、ＮＨ3（（ＣＨ2）17ＣＨ3）等のＮＨ4にアルキル基が１つ置換した基；
Ｎ（ＣＨ3）3（（ＣＨ2）15ＣＨ3）、Ｎ（ＣＨ3）3（（ＣＨ2）11ＣＨ3）、Ｎ（ＣＨ3）2（（ＣＨ2）11ＣＨ3）2、Ｎ（ＣＨ3）2（（ＣＨ2）17ＣＨ3）2等のＮＨ4にアルキル基が４つ置換した基；
及び、上記の群Ａ〜Ｂの基、上記の１価の炭化水素基及び上記の１価の複素環基より選ばれる１つ、２つ、３つ又は４つが置換したＮＨ4
等が挙げられる。
【００８３】
Ｍは、
水素原子；
アルカリ金属原子；
配位子を有していてもよいＭｇ、配位子を有していてもよいＣａ、配位子を有していてもよいＳｒ、配位子を有していてもよいＢａ、配位子を有していてもよいＮｉ、配位子を有していてもよいＺｎ、配位子を有していてもよいＣｕ、配位子を有していてもよいＦｅ、配位子を有していてもよいＣｏ、配位子を有していてもよいＳｎ、配位子を有していてもよいＭｎ、配位子を有していてもよいＡｌ、配位子を有していてもよいＣｒ；
ＮＨ4；
ＮＨ3（（ＣＨ2）7ＣＨ3）、ＮＨ3（（ＣＨ2）11ＣＨ3）、ＮＨ3（（ＣＨ2）17ＣＨ3）等のＮＨ4にアルキル基が１つ置換した基；
Ｎ（ＣＨ3）3（（ＣＨ2）15ＣＨ3）、Ｎ（ＣＨ3）3（（ＣＨ2）11ＣＨ3）、Ｎ（ＣＨ3）2（（ＣＨ2）11ＣＨ3）2、Ｎ（ＣＨ3）2（（ＣＨ2）17ＣＨ3）2等のＮＨ4にアルキル基が４つ置換した基
が好ましく、
【００８４】
水素原子；
ナトリウム原子、カリウム原子；
配位子を有していてもよいＭｇ、配位子を有していてもよいＣａ、配位子を有していてもよいＳｒ、配位子を有していてもよいＢａ、配位子を有していてもよいＮｉ、配位子を有していてもよいＺｎ、配位子を有していてもよいＣｕ、配位子を有していてもよいＦｅ、配位子を有していてもよいＣｏ、配位子を有していてもよいＭｎ、配位子を有していてもよいＡｌ、配位子を有していてもよいＣｒ；
ＮＨ4；
ＮＨ3（（ＣＨ2）7ＣＨ3）、ＮＨ3（（ＣＨ2）11ＣＨ3）、ＮＨ3（（ＣＨ2）17ＣＨ3）等のＮＨ4にアルキル基が１つ置換した基；
Ｎ（ＣＨ3）3（（ＣＨ2）15ＣＨ3）、Ｎ（ＣＨ3）3（（ＣＨ2）11ＣＨ3）、Ｎ（ＣＨ3）2（（ＣＨ2）11ＣＨ3）2、Ｎ（ＣＨ3）2（（ＣＨ2）17ＣＨ3）2等のＮＨ4にアルキル基が４つ置換した基
がより好ましい。
【００８５】
ＭＭは、
アルカリ金属原子；
配位子を有していてもよいＭｇ、配位子を有していてもよいＣａ、配位子を有していてもよいＳｒ、配位子を有していてもよいＢａ、配位子を有していてもよいＮｉ、配位子を有していてもよいＺｎ、配位子を有していてもよいＣｕ、配位子を有していてもよいＦｅ、配位子を有していてもよいＣｏ、配位子を有していてもよいＳｎ、配位子を有していてもよいＭｎ、配位子を有していてもよいＡｌ、配位子を有していてもよいＣｒ；
ＮＨ4；
ＮＨ3（（ＣＨ2）7ＣＨ3）、ＮＨ3（（ＣＨ2）11ＣＨ3）、ＮＨ3（（ＣＨ2）17ＣＨ3）等のＮＨ4にアルキル基が１つ置換した基；
Ｎ（ＣＨ3）3（（ＣＨ2）15ＣＨ3）、Ｎ（ＣＨ3）3（（ＣＨ2）11ＣＨ3）、Ｎ（ＣＨ3）2（（ＣＨ2）11ＣＨ3）2、Ｎ（ＣＨ3）2（（ＣＨ2）17ＣＨ3）2等のＮＨ4にアルキル基が４つ置換した基
が好ましく、
【００８６】
ナトリウム原子、カリウム原子；
配位子を有していてもよいＭｇ、配位子を有していてもよいＣａ、配位子を有していてもよいＳｒ、配位子を有していてもよいＢａ、配位子を有していてもよいＮｉ、配位子を有していてもよいＺｎ、配位子を有していてもよいＣｕ、配位子を有していてもよいＦｅ、配位子を有していてもよいＣｏ、配位子を有していてもよいＭｎ、配位子を有していてもよいＡｌ、配位子を有していてもよいＣｒ；
ＮＨ4；
ＮＨ3（（ＣＨ2）7ＣＨ3）、ＮＨ3（（ＣＨ2）11ＣＨ3）、ＮＨ3（（ＣＨ2）17ＣＨ3）等のＮＨ4にアルキル基が１つ置換した基；
Ｎ（ＣＨ3）3（（ＣＨ2）15ＣＨ3）、Ｎ（ＣＨ3）3（（ＣＨ2）11ＣＨ3）、Ｎ（ＣＨ3）2（（ＣＨ2）11ＣＨ3）2、Ｎ（ＣＨ3）2（（ＣＨ2）17ＣＨ3）2等のＮＨ4にアルキル基が４つ置換した基
がより好ましい。
【００８７】
Ｑ1及びＱ2は、それぞれ独立して、２価の炭化水素基又は２価の複素環基を表し、
該２価の炭化水素基及び該２価の複素環基を構成する−Ｃ（−）（−）−は、−Ｓｉ（−）（−）−に置き換わっていてもよく、
該２価の炭化水素基及び該２価の複素環基を構成する−ＣＨ（−）−は、−Ｎ（−）−に置き換わっていてもよく、
該２価の炭化水素基及び該２価の複素環基を構成する−ＣＨ＝は、−Ｎ＝に置き換わっていてもよく、
該２価の炭化水素基及び該２価の複素環基を構成する−ＣＨ2−は、−Ｏ−、−Ｓ−、−Ｓ（Ｏ）2−又は−ＣＯ−に置き換わっていてもよく、
該２価の炭化水素基及び該２価の複素環基を構成する水素原子は、ハロゲン原子、シアノ基、ニトロ基、−ＳＯ3Ｍ、−ＣＯ2Ｍ又はＭＭに置き換わっていてもよい。
該２価の炭化水素基及び該２価の複素環基を構成する水素原子を置き換える基としては、好ましくはハロゲン原子、シアノ基、ニトロ基、−ＳＯ3Ｈ、又は−ＣＯ2Ｈである。
【００８８】
Ｑ1及びＱ2は、同一であってもよく異なっていてもよく、同一であることが好ましい。
Ｑ1及びＱ2は、式（ＱＱ１）〜式（ＱＱ１９）で表される基であることが好ましい。
【００８９】
【化１９】
2020132878.tif 000020
【００９０】
【化２０】
2020132878.tif 000021
【００９１】
［式式（ＱＱ１）〜式（ＱＱ１９）中、
ＲQ1〜ＲQ94は、それぞれ独立して、水素原子、ハロゲン原子、シアノ基、ニトロ基、−ＳＯ3Ｍ、−ＣＯ2Ｍ、ＭＭ、炭素数１〜４０の１価の炭化水素基又は炭素数１〜４０の１価の複素環基を表し、
該１価の炭化水素基及び該１価の複素環基を構成する−Ｃ（−）（−）−は、−Ｓｉ（−）（−）−に置き換わっていてもよく、
該１価の炭化水素基及び該１価の複素環基を構成する−ＣＨ（−）−は、−Ｎ（−）−に置き換わっていてもよく、
該１価の炭化水素基及び該１価の複素環基を構成する−ＣＨ＝は、−Ｎ＝に置き換わっていてもよく、
該１価の炭化水素基及び該１価の複素環基を構成する−ＣＨ2−は、−Ｏ−、−Ｓ−、−Ｓ（Ｏ）2−又は−ＣＯ−に置き換わっていてもよく、
該１価の炭化水素基及び該１価の複素環基を構成する水素原子は、ハロゲン原子、シアノ基、ニトロ基、−ＳＯ3Ｍ、−ＣＯ2Ｍ又はＭＭに置き換わっていてもよい。
ＲQ1〜ＲQ94は、それぞれ互いにＲQ1〜ＲQ94から選ばれる１つ以上と結合して環を形成してもよい。
Ｍ及びＭＭは、前記と同一の意味を表す。
※は、結合手を表す。］
【００９２】
ＲQ1〜ＲQ94で表される炭素数１〜４０の１価の炭化水素基又は炭素数１〜４０の１価の複素環基であり、
該１価の炭化水素基及び該１価の複素環基を構成する−Ｃ（−）（−）−は、−Ｓｉ（−）（−）−に置き換わっていてもよく、
該１価の炭化水素基及び該１価の複素環基を構成する−ＣＨ（−）−は、−Ｎ（−）−に置き換わっていてもよく、
該１価の炭化水素基及び該１価の複素環基を構成する−ＣＨ＝は、−Ｎ＝に置き換わっていてもよく、
該１価の炭化水素基及び該１価の複素環基を構成する−ＣＨ2−は、−Ｏ−、−Ｓ−、−Ｓ（Ｏ）2−又は−ＣＯ−に置き換わっていてもよく、
該１価の炭化水素基及び該１価の複素環基を構成する水素原子は、ハロゲン原子、シアノ基、ニトロ基、−ＳＯ3Ｍ、−ＣＯ2Ｍ又はＭＭに置き換わっていてもよい基
としては、
Ｒ1〜Ｒ5及びＺ1〜Ｚ4で表される炭素数１〜４０の１価の炭化水素基又は炭素数１〜４０の１価の複素環基であり、
該１価の炭化水素基及び該１価の複素環基を構成する−Ｃ（−）（−）−は、−Ｓｉ（−）（−）−に置き換わっていてもよく、
該１価の炭化水素基及び該１価の複素環基を構成する−ＣＨ（−）−は、−Ｎ（−）−に置き換わっていてもよく、
該１価の炭化水素基及び該１価の複素環基を構成する−ＣＨ＝は、−Ｎ＝に置き換わっていてもよく、
該１価の炭化水素基及び該１価の複素環基を構成する−ＣＨ2−は、−Ｏ−、−Ｓ−、−Ｓ（Ｏ）2−又は−ＣＯ−に置き換わっていてもよく、
該１価の炭化水素基及び該１価の複素環基を構成する水素原子は、ハロゲン原子、シアノ基、ニトロ基、−ＳＯ3Ｍ、−ＣＯ2Ｍ又はＭＭに置き換わっていてもよい基
と同じものが挙げられる。
【００９３】
ＲQ1〜ＲQ94の好ましいものとしては、Ｒ1〜Ｒ5及びＺ1〜Ｚ4の好ましいものと同じものが挙げられる。
【００９４】
Ｑ1及びＱ2は、
式（ＱＱ１）〜式（ＱＱ１２）で表される基であることが好ましく、
式（ＱＱ１）〜式（ＱＱ５）で表される基であることがより好ましく、
式（ＱＱ１）〜式（ＱＱ４）で表される基であることがさらに好ましく、
式（ＱＱ１）及び式（ＱＱ２）で表される基であることがとりわけ好ましく、
式（ＱＱ２）で表される基であることが一層好ましい。
【００９５】
式（ＱＱ１）〜式（ＱＱ１９）としては、例えば、下記の
式（Ｑａ１）〜式（Ｑａ５０）；
式（Ｑｂ１）〜式（Ｑｂ２７）；
式（Ｑｃ１）〜式（Ｑｃ５６）；
式（Ｑｄ１）〜式（Ｑｄ４１）；
式（Ｑｅ１）〜式（Ｑｅ１６）；
式（Ｑｆ１）〜式（Ｑｆ１５）；
式（Ｑｇ１）〜式（Ｑｇ４０）；
式（Ｑｈ１）〜式（Ｑｈ４０）；
式（Ｑｊ１）〜式（Ｑｊ２９）；
式（Ｑｋ１）〜式（Ｑｋ２２）；
式（Ｑｍ１）〜式（Ｑｍ２０）；
式（Ｑｎ１）〜式（Ｑｎ１６）；
式（Ｑо１）〜式（Ｑо１５）；
式（Ｑｐ１）〜式（Ｑｐ８３）；
式（Ｑｑ１）〜式（Ｑｑ７２）；
式（Ｑｒ１）〜式（Ｑｒ１７）；
式（Ｑｓ１）〜式（Ｑｓ２６）；
式（Ｑｔ１）〜式（Ｑｔ２６）；
式（Ｑｕ１）〜式（Ｑｕ１７）；
式（Ｑｖ１）〜式（Ｑｖ２６）；
式（Ｑｘ１）〜式（Ｑｘ２）；及び
式（Ｑｙ１）〜式（Ｑｙ１０）
で表される基等が挙げられる。ただし、※は、結合手を表す。
【００９６】
【化２１】
2020132878.tif 000022
【００９７】
【化２２】
2020132878.tif 000023
【００９８】
【化２３】
2020132878.tif 000024
【００９９】
【化２４】
2020132878.tif 000025
【０１００】
【化２５】
2020132878.tif 000026
【０１０１】
【化２６】
2020132878.tif 000027
【０１０２】
【化２７】
2020132878.tif 000028
【０１０３】
【化２８】
2020132878.tif 000029
【０１０４】
【化２９】
2020132878.tif 000030
【０１０５】
【化３０】
2020132878.tif 000031
【０１０６】
【化３１】
2020132878.tif 000032
【０１０７】
【化３２】
2020132878.tif 000033
【０１０８】
【化３３】
2020132878.tif 000034
【０１０９】
【化３４】
2020132878.tif 000035
【０１１０】
【化３５】
2020132878.tif 000036
【０１１１】
【化３６】
2020132878.tif 000037
【０１１２】
【化３７】
2020132878.tif 000038
【０１１３】
【化３８】
2020132878.tif 000039
【０１１４】
【化３９】
2020132878.tif 000040
【０１１５】
【化４０】
2020132878.tif 000041
【０１１６】
【化４１】
2020132878.tif 000042
【０１１７】
【化４２】
2020132878.tif 000043
【０１１８】
【化４３】
2020132878.tif 000044
【０１１９】
【化４４】
2020132878.tif 000045
【０１２０】
【化４５】
2020132878.tif 000046
【０１２１】
【化４６】
2020132878.tif 000047
【０１２２】
【化４７】
2020132878.tif 000048
【０１２３】
【化４８】
2020132878.tif 000049
【０１２４】
【化４９】
2020132878.tif 000050
【０１２５】
【化５０】
2020132878.tif 000051
【０１２６】
【化５１】
2020132878.tif 000052
【０１２７】
【化５２】
2020132878.tif 000053
【０１２８】
【化５３】
2020132878.tif 000054
【０１２９】
【化５４】
2020132878.tif 000055
【０１３０】
【化５５】
2020132878.tif 000056
【０１３１】
【化５６】
2020132878.tif 000057
【０１３２】
【化５７】
2020132878.tif 000058
【０１３３】
【化５８】
2020132878.tif 000059
【０１３４】
【化５９】
2020132878.tif 000060
【０１３５】
【化６０】
2020132878.tif 000061
【０１３６】
化合物（Ｉ）としては、例えば、下記表１〜表１４に示す式（Ｉａ）で表される化合物またはそのアルカリ金属塩が挙げられる。
なお、表１〜表１４中の「Ｑ1」欄及び「Ｑ2」欄に記載されている記号は、それぞれ上記の式で表される基に対応している。
※は、結合手を表す。
【０１３７】
【化６１】
2020132878.tif 000062
【０１３８】
【表１】
2020132878.tif 000063
【０１３９】
【表２】
2020132878.tif 000064
【０１４０】
【表３】
2020132878.tif 000065
【０１４１】
【表４】
2020132878.tif 000066
【０１４２】
【表５】
2020132878.tif 000067
【０１４３】
【表６】
2020132878.tif 000068
【０１４４】
【表７】
2020132878.tif 000069
【０１４５】
【表８】
2020132878.tif 000070
【０１４６】
【表９】
2020132878.tif 000071
【０１４７】
【表１０】
2020132878.tif 000072
【０１４８】
【表１１】
2020132878.tif 000073
【０１４９】
【表１２】
2020132878.tif 000074
【０１５０】
【表１３】
2020132878.tif 000075
【０１５１】
【表１４】
2020132878.tif 000076
【０１５２】
化合物（Ｉ）としては、例えば、下記表１５〜表３１に示す式（Ｉｂ）で表される化合物またはそのアルカリ金属塩が挙げられる。
【０１５３】
【化６２】
2020132878.tif 000077
【０１５４】
式（Ｉｂ）中、ＲIb1〜ＲIb5のいずれか１つは、水素原子ではない置換基（以下、ＲＲ基という場合がある。）であり、その他の４つは水素原子である。
表１５〜表３１中の「Ｑ1」欄及び「Ｑ2」欄に記載されている記号は、それぞれ上記の式で表される基に対応している。
表１５〜表３１中の「ＲＲ」欄に記載されている記号は、ＲＲ基を表し、それぞれ下記式（ａ１）〜式（ａ６９）；
式（ｂ１）〜式（ｂ４）；
式（ｃ１）〜式（ｃ４）；
式（ｄ１）〜式（ｄ５）；
式（ｅ１）〜式（ｅ２０）；
式（ｆ１）〜式（ｆ５）；
式（ｇ１）〜式（ｇ９）；
式（ｈ１）〜式（ｈ９）；
式（ｊ１）〜式（ｊ９）；
式（ｋ１）〜式（ｋ４）；
式（ｍ１）〜式（ｍ９）；
式（ｎ１）〜式（ｎ３）；
式（о１）〜式（о５）；
式（ｐ１）〜式（ｐ２３）；
式（ｑ１）〜式（ｑ２６）；
式（ｒ１）〜式（ｒ２６）；
式（ｓ１）〜式（ｓ２６）；
で表される基に対応しており、
表１５〜表３１中の「Ｎｏ」欄に記載されている数値は、それぞれＲＲ基が置換している位置を表し、
「１」は、ＲＲ基がＲIb1に置換していることを表し、
「２」は、ＲＲ基がＲIb2に置換していることを表し、
「３」は、ＲＲ基がＲIb3に置換していることを表し、
「４」は、ＲＲ基がＲIb4に置換していることを表し、
「５」は、ＲＲ基がＲIb5に置換していることを表す。
※は、結合手を表す。
【０１５５】
【表１５】
2020132878.tif 000078
【０１５６】
【表１６】
2020132878.tif 000079
【０１５７】
【表１７】
2020132878.tif 000080
【０１５８】
【表１８】
2020132878.tif 000081
【０１５９】
【表１９】
2020132878.tif 000082
【０１６０】
【表２０】
2020132878.tif 000083
【０１６１】
【表２１】
2020132878.tif 000084
【０１６２】
【表２２】
2020132878.tif 000085
【０１６３】
【表２３】
2020132878.tif 000086
【０１６４】
【表２４】
2020132878.tif 000087
【０１６５】
【表２５】
2020132878.tif 000088
【０１６６】
【表２６】
2020132878.tif 000089
【０１６７】
【表２７】
2020132878.tif 000090
【０１６８】
【表２８】
2020132878.tif 000091
【０１６９】
【表２９】
2020132878.tif 000092
【０１７０】
【表３０】
2020132878.tif 000093
【０１７１】
【表３１】
2020132878.tif 000094
【０１７２】
【化６３】
2020132878.tif 000095
【０１７３】
【化６４】
2020132878.tif 000096
【０１７４】
【化６５】
2020132878.tif 000097
【０１７５】
【化６６】
2020132878.tif 000098
【０１７６】
【化６７】
2020132878.tif 000099
【０１７７】
【化６８】
2020132878.tif 000100
【０１７８】
【化６９】
2020132878.tif 000101
【０１７９】
【化７０】
2020132878.tif 000102
【０１８０】
【化７１】
2020132878.tif 000103
【０１８１】
化合物（Ｉ）としては、例えば、下記表ｆ１〜表ｆ４４に示す式（Ｉｆ）で表される化合物またはそのアルカリ金属塩が挙げられる。
なお、表ｆ１〜表ｆ４４中の「Ｑ１」欄及び「Ｑ２」欄に記載されている記号は、それぞれ上記の式で表される基に対応している。
※は、結合手を表す。
【０１８２】
【化７２】
2020132878.tif 000104
【０１８３】
【表ｆ１】
2020132878.tif 000105
【０１８４】
【表ｆ２】
2020132878.tif 000106
【０１８５】
【表ｆ３】
2020132878.tif 000107
【０１８６】
【表ｆ４】
2020132878.tif 000108
【０１８７】
【表ｆ５】
2020132878.tif 000109
【０１８８】
【表ｆ６】
2020132878.tif 000110
【０１８９】
【表ｆ７】
2020132878.tif 000111
【０１９０】
【表ｆ８】
2020132878.tif 000112
【０１９１】
【表ｆ９】
2020132878.tif 000113
【０１９２】
【表ｆ１０】
2020132878.tif 000114
【０１９３】
【表ｆ１１】
2020132878.tif 000115
【０１９４】
【表ｆ１２】
2020132878.tif 000116
【０１９５】
【表ｆ１３】
2020132878.tif 000117
【０１９６】
【表ｆ１４】
2020132878.tif 000118
【０１９７】
【表ｆ１５】
2020132878.tif 000119
【０１９８】
【表ｆ１６】
2020132878.tif 000120
【０１９９】
【表ｆ１７】
2020132878.tif 000121
【０２００】
【表ｆ１８】
2020132878.tif 000122
【０２０１】
【表ｆ１９】
2020132878.tif 000123
【０２０２】
【表ｆ２０】
2020132878.tif 000124
【０２０３】
【表ｆ２１】
2020132878.tif 000125
【０２０４】
【表ｆ２２】
2020132878.tif 000126
【０２０５】
【表ｆ２３】
2020132878.tif 000127
【０２０６】
【表ｆ２４】
2020132878.tif 000128
【０２０７】
【表ｆ２５】
2020132878.tif 000129
【０２０８】
【表ｆ２６】
2020132878.tif 000130
【０２０９】
【表ｆ２７】
2020132878.tif 000131
【０２１０】
【表ｆ２８】
2020132878.tif 000132
【０２１１】
【表ｆ２９】
2020132878.tif 000133
【０２１２】
【表ｆ３０】
2020132878.tif 000134
【０２１３】
【表ｆ３１】
2020132878.tif 000135
【０２１４】
【表ｆ３２】
2020132878.tif 000136
【０２１５】
【表ｆ３３】
2020132878.tif 000137
【０２１６】
【表ｆ３４】
2020132878.tif 000138
【０２１７】
【表ｆ３５】
2020132878.tif 000139
【０２１８】
【表ｆ３６】
2020132878.tif 000140
【０２１９】
【表ｆ３７】
2020132878.tif 000141
【０２２０】
【表ｆ３８】
2020132878.tif 000142
【０２２１】
【表ｆ３９】
2020132878.tif 000143
【０２２２】
【表ｆ４０】
2020132878.tif 000144
【０２２３】
【表ｆ４１】
2020132878.tif 000145
【０２２４】
【表ｆ４２】
2020132878.tif 000146
【０２２５】
【表ｆ４３】
2020132878.tif 000147
【０２２６】
【表ｆ４４】
2020132878.tif 000148
【０２２７】
化合物（Ｉ）としては、例えば、下記表ｔ１〜表ｔ５に示す式（Ｉｔ）で表される化合物、及び下記表ｕ１〜表ｕ１１に示す式（Ｉｕ）で表される化合物及びこれらのアルカリ金属塩が挙げられる。
なお、表ｔ１〜表ｔ５中及び表ｕ１〜表ｕ１１中の「ａｑ」欄、「Ｑ１」欄、「Ｑ２」欄及び「Ｑｕ＋１」欄に記載されている記号は、それぞれ上記の式で表される基及び下記の式（ａｑ１）〜式（ａｑ３６）で表される基に対応している。
表ｕ１〜表ｕ１１中の「Ｑｕ＋１」欄は、式（Ｉｕ）で表される化合物中のＱ１で表される基及びＱ２で表される基が、「Ｑｕ＋１」欄に記載されている記号に対応する基であることを表す。
下記の式（ａｑ１）〜式（ａｑ３６）で表される基中、＃はＱ１との結合手を表し、＆はＱ２との結合手を表す。
【０２２８】
【化７３】
2020132878.tif 000149
【０２２９】
【化７４】
2020132878.tif 000150
【０２３０】
【化７５】
2020132878.tif 000151
【０２３１】
【化７６】
2020132878.tif 000152
【０２３２】
【化７７】
2020132878.tif 000153
【０２３３】
【表ｔ１】
2020132878.tif 000154
【０２３４】
【表ｔ２】
2020132878.tif 000155
【０２３５】
【表ｔ３】
2020132878.tif 000156
【０２３６】
【表ｔ４】
2020132878.tif 000157
【０２３７】
【表ｔ５】
2020132878.tif 000158
【０２３８】
【表ｕ１】
2020132878.tif 000159
【０２３９】
【表ｕ２】
2020132878.tif 000160
【０２４０】
【表ｕ３】
2020132878.tif 000161
【０２４１】
【表ｕ４】
2020132878.tif 000162
【０２４２】
【表ｕ５】
2020132878.tif 000163
【０２４３】
【表ｕ６】
2020132878.tif 000164
【０２４４】
【表ｕ７】
2020132878.tif 000165
【０２４５】
【表ｕ８】
2020132878.tif 000166
【０２４６】
【表ｕ９】
2020132878.tif 000167
【０２４７】
【表ｕ１０】
2020132878.tif 000168
【０２４８】
【表ｕ１１】
2020132878.tif 000169
【０２４９】
化合物（Ｉ）としては、例えば、式（Ｉａ１）〜式（Ｉａ２２１６）及び式（Ｉｂ１）〜式（Ｉｂ１３１２）で表される化合物、
式（Ｉｆ１）〜式（Ｉｆ１３０９０）で表される化合物、
式（Ｉｔ１）〜式（Ｉｔ９００）で表される化合物及び
式（Ｉｕ１）〜式（Ｉｕ３２３８）で表される化合物
に、−ＳＯ3Ｈ、−ＣＯ2Ｈ、−ＳＯ3ＮＨ4、−ＣＯ2ＮＨ4、−ＳＯ2ＮＨ2、−ＣＯＮＨ2、フタルイミドメチル基（Ｃ6Ｈ4（ＣＯ）2Ｎ−ＣＨ2−）、−ＳＯ2ＮＨ（ＣＨ2）2Ｎ（ＣＨ2ＣＨ3）2、−Ｎ（ＣＨ3）（（ＣＨ2）11ＣＨ3）、フッ素原子、塩素原子及び臭素原子から選ばれる１つ以上が置換された化合物も挙げられる。
【０２５０】
例えば、表１の式（Ｉａ１）で表される化合物に−ＳＯ3Ｈが置換された化合物は、下記構造を表す。ただし、式中、−（ＳＯ3Ｈ）は、式（Ｉａ１）で表される化合物の水素原子の全部又は１個以上を、−ＳＯ3Ｈが置換していることを意味するものとする。
【０２５１】
【化７８】
2020132878.tif 000170
【０２５２】
かかる化合物としては、例えば、式（Ｉｃ１）〜式（Ｉｃ１２）で表される、芳香族環の水素原子の全部が、フッ素原子、塩素原子及び臭素原子から選ばれる１つ以上で置換された化合物も挙げられる。
【０２５３】
【化７９】
2020132878.tif 000171
【０２５４】
【化８０】
2020132878.tif 000172
【０２５５】
化合物（Ｉ）としては、例えば、式（Ｉａ１）〜式（Ｉａ２２１６）及び式（Ｉｂ１）〜式（Ｉｂ１３１２）で表される化合物、
式（Ｉｆ１）〜式（Ｉｆ１３０９０）で表される化合物、
式（Ｉｔ１）〜式（Ｉｔ９００）で表される化合物及び
式（Ｉｕ１）〜式（Ｉｕ３２３８）で表される化合物
に、−ＳＯ3Ｈ、−ＣＯ2Ｈ、−ＳＯ3ＮＨ4、−ＣＯ2ＮＨ4、−ＳＯ2ＮＨ2、−ＣＯＮＨ2、フタルイミドメチル基（Ｃ6Ｈ4（ＣＯ）2Ｎ−ＣＨ2−）、−ＳＯ2ＮＨ（ＣＨ2）2Ｎ（ＣＨ2ＣＨ3）2、−Ｎ（ＣＨ3）（（ＣＨ2）11ＣＨ3）、フッ素原子、塩素原子及び臭素原子から選ばれる１つ以上が、１〜６個置換された化合物も挙げられる。
【０２５６】
例えば、表１の式（Ｉａ１）で表される化合物に１〜６個の−ＳＯ3Ｈが置換された化合物は、下記構造を表す。ただし、式中、−（ＳＯ3Ｈ）1〜6は、式（Ｉａ１）で表される化合物の１〜６個のいずれかの水素原子を、−ＳＯ3Ｈが置換していることを意味するものとする。
【０２５７】
【化８１】
2020132878.tif 000173
【０２５８】
化合物（Ｉ）としては、例えば、式（Ｉａ１）〜式（Ｉａ２２１６）及び式（Ｉｂ１）〜式（Ｉｂ１３１２）で表される化合物、
式（Ｉｆ１）〜式（Ｉｆ１３０９０）で表される化合物、
式（Ｉｔ１）〜式（Ｉｔ９００）で表される化合物及び
式（Ｉｕ１）〜式（Ｉｕ３２３８）で表される化合物
に、−ＳＯ3-及び−ＣＯ2-から選ばれる１つ以上が置換された陰イオンと、
Ｍｇ2+、Ｃａ2+、Ｓｒ2+、Ｂａ2+、Ｎｉ2+、Ｚｎ2+、Ｆｅ2＋、Ｃｏ2+、Ｓｎ2+、Ｍｎ2+、Ａｌ3+、Ｆｅ３＋、Ｃｒ3+、Ｓｎ4+、Ｍｎ4+、Ｃｕ2+、Ｌｉ+、Ｎａ+及びＫ+から選ばれる１つ以上の陽イオンからなる金属塩が挙げられる。
【０２５９】
化合物（Ｉ）としては、例えば、下記表３２〜表３３及び表ｈ１〜表ｈ６に示す式（Ｉｄ）で表される陰イオン及び式（Ｉｈ）で表される陰イオンと、
Ｍｇ2+、Ｃａ2+、Ｓｒ2+、Ｂａ2+、Ｎｉ2+、Ｚｎ2+、Ｆｅ2+、Ｃｏ2+、Ｓｎ2+、Ｍｎ2+、Ａｌ3+、Ｆｅ3+、Ｃｒ3+、Ｓｎ4＋、Ｍｎ4+、Ｃｕ2+、Ｌｉ+、Ｎａ+及びＫ+から選ばれる１つ以上の陽イオンからなる金属塩が挙げられる。
【０２６０】
表３２〜表３３及び表ｈ１〜表ｈ６中の「Ｑ1」欄及び「Ｑ2」欄に記載されている記号は、それぞれ上記の式で表される基及び下記式（Ｑｗ１）〜式（Ｑｗ１１）で表される基に対応している。
【０２６１】
【化８２】
2020132878.tif 000174
【０２６２】
【化８３】
2020132878.tif 000175
【０２６３】
【化８４】
2020132878.tif 000176
【０２６４】
【化８５】
2020132878.tif 000177
【０２６５】
【化８６】
2020132878.tif 000178
【０２６６】
【表３２】
2020132878.tif 000179
【０２６７】
【表３３】
2020132878.tif 000180
【０２６８】
【表ｈ１】
2020132878.tif 000181
【０２６９】
【表ｈ２】
2020132878.tif 000182
【０２７０】
【表ｈ３】
2020132878.tif 000183
【０２７１】
【表ｈ４】
2020132878.tif 000184
【０２７２】
【表ｈ５】
2020132878.tif 000185
【０２７３】
【表ｈ６】
2020132878.tif 000186
【０２７４】
かかる金属塩としては、例えば、下記表３４〜表３８に示す式（Ｉｅ）で表される金属塩及び表ｋ１〜表ｋ１４に示す式（Ｉｋ）で表される金属塩が挙げられる。
表３４〜表３８及び表ｋ１〜表ｋ１４中の「Ｍｅｔ」欄に記載されている記号として、
Ｍｇ２＋は、Ｍｇ2+を表し、
Ｃａ２＋は、Ｃａ2+を表し、
Ｓｒ２＋は、Ｓｒ2+を表し、
Ｂａ２＋は、Ｂａ2+を表し、
Ｎｉ２＋は、Ｎｉ2+を表し、
Ｚｎ２＋は、Ｚｎ2+を表し、
Ｆｅ２＋は、Ｆｅ2+を表し、
Ｃｏ２＋は、Ｃｏ2+を表し、
Ｓｎ２＋は、Ｓｎ2+を表し、
Ｍｎ２＋は、Ｍｎ2+を表し、
Ａｌ３＋は、Ａｌ3+を表し、
Ｆｅ３＋は、Ｆｅ3+を表し、
Ｃｒ３＋は、Ｃｒ3+を表し、
Ｓｎ４＋は、Ｓｎ4+を表し、
Ｍｎ４＋は、Ｍｎ4+を表し、
Ｃｕ２＋は、Ｃｕ2+を表し、
Ｌｉ＋は、Ｌｉ+を表し、
Ｎａ＋は、Ｎａ+を表し、
Ｋ＋は、Ｋ+を表す。
【０２７５】
表３４〜表３８及び表ｋ１〜表ｋ１４中の「Ｑ1」欄及び「Ｑ2」欄に記載されている記号は、それぞれ上記の式で表される基に対応している。
式（Ｉｅ）及び式（Ｉｋ）中のｍは、１以上の整数であり、好ましくは１〜２０の整数であり、より好ましくは１〜１０の整数である。
式（Ｉｅ）及び式（Ｉｋ）中のｎは、１以上の整数であり、好ましくは１〜２０の整数であり、より好ましくは１〜１０の整数である。
ただし、本発明の化合物（Ｉ）が、前記のオリゴマー又はポリマーである場合は、ｍ及びｎは、化合物（Ｉ）の電荷がゼロになるような配位子の個数及び金属原子の個数の比率を表す最小の整数を表すことにより、化合物（Ｉ）が前記のオリゴマー又はポリマーであることを表す。
【０２７６】
【化８７】
2020132878.tif 000187
【０２７７】
【化８８】
2020132878.tif 000188
【０２７８】
【表３４】
2020132878.tif 000189
【０２７９】
【表３５】
2020132878.tif 000190
【０２８０】
【表３６】
2020132878.tif 000191
【０２８１】
【表３７】
2020132878.tif 000192
【０２８２】
【表３８】
2020132878.tif 000193
【０２８３】
【表ｋ１】
2020132878.tif 000194
【０２８４】
【表ｋ２】
2020132878.tif 000195
【０２８５】
【表ｋ３】
2020132878.tif 000196
【０２８６】
【表ｋ４】
2020132878.tif 000197
【０２８７】
【表ｋ５】
2020132878.tif 000198
【０２８８】
【表ｋ６】
2020132878.tif 000199
【０２８９】
【表ｋ７】
2020132878.tif 000200
【０２９０】
【表ｋ８】
2020132878.tif 000201
【０２９１】
【表ｋ９】
2020132878.tif 000202
【０２９２】
【表ｋ１０】
2020132878.tif 000203
【０２９３】
【表ｋ１１】
2020132878.tif 000204
【０２９４】
【表ｋ１２】
2020132878.tif 000205
【０２９５】
【表ｋ１３】
2020132878.tif 000206
【０２９６】
【表ｋ１４】
2020132878.tif 000207
【０２９７】
化合物（Ｉ）としては、
式（Ｉａ１）〜式（Ｉａ２２１６）で表される化合物；
式（Ｉｆ１）〜式（Ｉｆ１３０９０）で表される化合物；
式（Ｉｔ１）〜式（Ｉｔ９００）で表される化合物；及び
式（Ｉｕ１）〜式（Ｉｕ３２３８）で表される化合物；
式（Ｉｂ８）で表される化合物；
式（Ｉｂ１４）で表される化合物；
式（Ｉａ１）〜式（Ｉａ２２１６）で表される化合物、
式（Ｉｆ１）〜式（Ｉｆ１３０９０）で表される化合物、
式（Ｉｔ１）〜式（Ｉｔ９００）で表される化合物、
式（Ｉｕ１）〜式（Ｉｕ３２３８）で表される化合物、
式（Ｉｂ８）で表される化合物及び
式（Ｉｂ１４）で表される化合物に、
−ＳＯ3Ｈ、−ＣＯ2Ｈ、−ＳＯ3ＮＨ4、−ＣＯ2ＮＨ4、−ＳＯ2ＮＨ2、−ＣＯＮＨ2、フタルイミドメチル基（Ｃ6Ｈ4（ＣＯ）2Ｎ−ＣＨ2−）、−ＳＯ2ＮＨ（ＣＨ2）2Ｎ（ＣＨ2ＣＨ3）2、−Ｎ（ＣＨ3）（（ＣＨ2）11ＣＨ3）、フッ素原子、塩素原子及び臭素原子から選ばれる１つ以上が置換された化合物；及び
式（Ｉａ１）〜式（Ｉａ２２１６）で表される化合物、
式（Ｉｆ１）〜式（Ｉｆ１３０９０）で表される化合物、
式（Ｉｔ１）〜式（Ｉｔ９００）で表される化合物、
式（Ｉｕ１）〜式（Ｉｕ３２３８）で表される化合物、
式（Ｉｂ８）で表される化合物及び
式（Ｉｂ１４）で表される化合物に、
−ＳＯ3-及び−ＣＯ2-から選ばれる１つ以上が置換された陰イオンと、
Ｍｇ2+、Ｃａ2+、Ｓｒ2+、Ｂａ2+、Ｎｉ2+、Ｚｎ2+、Ｆｅ2+、Ｃｏ2+、Ｓｎ2+、Ｍｎ2＋、Ａｌ3+、Ｆｅ3+、Ｃｒ3+、Ｓｎ4+、Ｍｎ4+、Ｃｕ2+、Ｌｉ+、Ｎａ+及びＫ+から選ばれる１つ以上の陽イオンからなる金属塩
が好ましく、
【０２９８】
式（Ｉａ１）〜式（Ｉａ２２１６）で表される化合物；
式（Ｉｆ１）〜式（Ｉｆ１３０９０）で表される化合物；
式（Ｉｔ１）〜式（Ｉｔ９００）で表される化合物；
式（Ｉｕ１）〜式（Ｉｕ３２３８）で表される化合物；
式（Ｉａ１）〜式（Ｉａ２２１６）で表される化合物、
式（Ｉｆ１）〜式（Ｉｆ１３０９０）で表される化合物、
式（Ｉｔ１）〜式（Ｉｔ９００）で表される化合物、
式（Ｉｕ１）〜式（Ｉｕ３２３８）で表される化合物、
式（Ｉｂ８）で表される化合物及び
式（Ｉｂ１４）で表される化合物に、
−ＳＯ3Ｈ、−ＣＯ2Ｈ、−ＳＯ3ＮＨ4、−ＣＯ2ＮＨ4、フッ素原子、塩素原子及び臭素原子から選ばれる１つ以上が置換された化合物；及び
式（Ｉｄ１）〜式（Ｉｄ３０４）で表される陰イオン
及び式（Ｉｈ１）〜式（Ｉｈ１６６６）で表される陰イオンと、
Ｍｇ2+、Ｃａ2+、Ｓｒ2+、Ｂａ2+、Ｎｉ2+、Ｚｎ2+、Ｆｅ2+、Ｃｏ2+、Ｓｎ2+、Ｍｎ2＋、Ａｌ3+、Ｆｅ3+、Ｃｒ3+、Ｓｎ4+、Ｍｎ4+、Ｃｕ2+、Ｌｉ+、Ｎａ+及びＫ+から選ばれる１つ以上の陽イオンからなる金属塩
がより好ましく、
【０２９９】
式（Ｉａ１）〜式（Ｉａ２２１６）で表される化合物；
式（Ｉｆ１）〜式（Ｉｆ１３０９０）で表される化合物；
式（Ｉｔ１）〜式（Ｉｔ９００）で表される化合物；
式（Ｉｕ１）〜式（Ｉｕ３２３８）で表される化合物；
式（Ｉａ１）〜式（Ｉａ２２１６）で表される化合物、
式（Ｉｆ１）〜式（Ｉｆ１３０９０）で表される化合物、
式（Ｉｔ１）〜式（Ｉｔ９００）で表される化合物、
式（Ｉｕ１）〜式（Ｉｕ３２３８）で表される化合物、
式（Ｉｂ８）で表される化合物及び
式（Ｉｂ１４）で表される化合物に、
−ＳＯ3Ｈ、−ＣＯ2Ｈ、−ＳＯ3ＮＨ4、−ＣＯ2ＮＨ4、塩素原子及び臭素原子から選ばれる１つ以上が置換された化合物；
式（Ｉｅ１）〜式（Ｉｅ７６）で表される化合物；及び
式（Ｉｋ１）〜式（Ｉｋ１１４）で表される化合物
式（Ｉｋ１６１５）〜式（Ｉｋ１６３３）で表される化合物；
式（Ｉｋ１８２２）〜式（Ｉｋ１９８３）で表される化合物；
式（Ｉｅ１１７）で表される化合物；
式（Ｉｅ１２３）で表される化合物；
式（Ｉｋ１７２）で表される化合物；
式（Ｉｋ１７１）で表される化合物；
式（Ｉｋ１７７７）で表される化合物；
式（Ｉｋ１８１）で表される化合物；
式（Ｉｋ３９７）で表される化合物；
式（Ｉｅ２７３）で表される化合物；及び
式（Ｉｅ１１６）で表される化合物；
がさらに好ましく、
【０３００】
式（Ｉａ１）〜式（Ｉａ２２１６）で表される化合物；
式（Ｉｆ１）〜式（Ｉｆ１３０９０）で表される化合物；
式（Ｉｔ１）〜式（Ｉｔ９００）で表される化合物；
式（Ｉｕ１）〜式（Ｉｕ３２３８）で表される化合物；
式（Ｉｂ８）で表される化合物；及び
式（Ｉｂ１４）で表される化合物
がとりわけ好ましく、
【０３０１】
式（Ｉａ１）〜式（Ｉａ１２４１）で表される化合物、式（Ｉｔ１）〜式（Ｉｔ９００）で表される化合物が一層好ましく、
【０３０２】
式（Ｉａ１）で表される化合物、式（Ｉａ２）で表される化合物、式（Ｉａ３）で表される化合物、式（Ｉａ１０）で表される化合物、式（Ｉａ２２）で表される化合物、式（Ｉａ２３）で表される化合物、式（Ｉａ３３）で表される化合物、式（Ｉａ３５）で表される化合物、式（Ｉａ３１５）で表される化合物、式（Ｉａ６９６）で表される化合物、式（Ｉａ７０３）で表される化合物、式（Ｉａ９７３）で表される化合物、式（Ｉｔ２３２）で表される化合物、式（Ｉｔ２４２）で表される化合物、及び式（Ｉｔ７５０）で表される化合物が特に好ましく、
【０３０３】
式（Ｉａ１）で表される化合物、式（Ｉａ２）で表される化合物、式（Ｉａ３）で表される化合物、式（Ｉａ２２）で表される化合物、式（Ｉａ２３）で表される化合物、式（Ｉａ３５）で表される化合物、式（Ｉａ６９６）で表される化合物、式（Ｉａ７０３）で表される化合物、式（Ｉａ９７３）で表される化合物、式（Ｉｔ２３２）で表される化合物、式（Ｉｔ２４２）で表される化合物、及び式（Ｉｔ７５０）で表される化合物が極めて好ましく、
【０３０４】
式（Ｉａ１）で表される化合物、式（Ｉａ２）で表される化合物、式（Ｉａ３）で表される化合物、式（Ｉａ６９６）で表される化合物、式（Ｉａ７０３）で表される化合物、式（Ｉａ９７３）で表される化合物、式（Ｉｔ２３２）で表される化合物、式（Ｉｔ２４２）で表される化合物、及び式（Ｉｔ７５０）で表される化合物が最も好ましい。
【０３０５】
式（Ｉ）で表される化合物は、式（ｐｔ１）で表される化合物と、式（ｐｔ２）で表される化合物及び式（ｐｔ３）で表される化合物との反応により製造することができる。
【０３０６】
【化８９】
2020132878.tif 000208
【０３０７】
式（ｐｔ１）〜式（ｐｔ３）中、Ｒ1〜Ｒ5、Ｑ1及びＱ2は、前記と同一の意味を表す。
【０３０８】
式（ｐｔ１）で表される化合物と、式（ｐｔ２）で表される化合物及び式（ｐｔ３）で表される化合物との反応における、式（ｐｔ２）で表される化合物の使用量は、式（ｐｔ１）で表される化合物１モルに対して、通常、０．１〜３０モルであり、好ましくは１〜２０モルであり、より好ましくは１〜１６モルであり、さらに好ましくは１〜１０モルである。
【０３０９】
式（ｐｔ１）で表される化合物と、式（ｐｔ２）で表される化合物及び式（ｐｔ３）で表される化合物との反応における、式（ｐｔ３）で表される化合物の使用量は、式（ｐｔ１）で表される化合物１モルに対して、通常、０．１〜３０モルであり、好ましくは１〜２０モルであり、より好ましくは１〜１６モルであり、さらに好ましくは１〜１０モルである。
【０３１０】
反応温度は、通常−１００〜３００℃であり、好ましくは０〜２８０℃であり、より好ましくは５０〜２５０℃であり、さらに好ましく１００〜２３０℃であり、とりわけ好ましくは１５０〜２００℃である。
【０３１１】
反応時間は、通常０．５時間〜５００時間である。
【０３１２】
式（ｐｔ１）で表される化合物と、式（ｐｔ２）で表される化合物及び式（ｐｔ３）で表される化合物との反応は、通常、溶媒の存在下に実施される。
【０３１３】
溶媒としては、水；アセトニトリル等のニトリル溶媒；メタノール、エタノール、１−プロパノール、２−プロパノール、１−ブタノール、１−ペンタノール、１−ヘキサノール、１−ヘプタノール、２−エチル−１−ヘキサノール、１−オクタノール、フェノール等のアルコール溶媒；アミン溶媒；ジエチルエーテル、テトラヒドロフラン、ジフェニルエーテル等のエーテル溶媒；アセトン、メチルイソブチルケトン等のケトン溶媒；酢酸エチル、安息香酸メチル等のエステル溶媒；ヘキサン等の脂肪族炭化水素溶媒；トルエン、トリメチルベンゼン（例えば、１，３，５−トリメチルベンゼン）、デカリン、テトラリン等の芳香族炭化水素溶媒；塩化メチレン、クロロホルム、１，２−ジクロロベンゼン、トリクロロベンゼン（例えば、１，３，５−トリクロロベンゼン）、１−クロロナフタレン、２−クロロナフタレン等のハロゲン化炭化水素溶媒；ニトロベンゼン等のニトロ化炭化水素溶媒；Ｎ，Ｎ−ジメチルホルムアミド、Ｎ，Ｎ−ジメチルアセトアミド、Ｎ−メチルピロリドン等のアミド溶媒；ジメチルスルホキシド等のスルホキシド溶媒が挙げられ、
【０３１４】
好ましくは、ジフェニルエーテル、安息香酸メチル、トリメチルベンゼン（例えば、１，３，５−トリメチルベンゼン）、デカリン、テトラリン、１，２−ジクロロベンゼン、トリクロロベンゼン（例えば、１，３，５−トリクロロベンゼン）、１−クロロナフタレン、２−クロロナフタレン、ニトロベンゼン、Ｎ，Ｎ−ジメチルホルムアミド、Ｎ，Ｎ−ジメチルアセトアミド、Ｎ−メチルピロリドン、ジメチルスルホキシドが挙げられ、
【０３１５】
より好ましくは、ジフェニルエーテル、安息香酸メチル、トリメチルベンゼン（例えば、１，３，５−トリメチルベンゼン）、デカリン、テトラリン、１，２−ジクロロベンゼン、トリクロロベンゼン（例えば、１，３，５−トリクロロベンゼン）、１−クロロナフタレン、２−クロロナフタレン、ニトロベンゼン、Ｎ−メチルピロリドン
が挙げられ、
【０３１６】
さらに好ましくは、安息香酸メチルが挙げられる。
【０３１７】
溶媒の使用量は、式（ｐｔ１）で表される化合物と、式（ｐｔ２）で表される化合物及び式（ｐｔ３）で表される化合物との反応における、式（ｐｔ１）で表される化合物１質量部に対して、通常１〜１０００質量部である。
【０３１８】
式（ｐｔ１）で表される化合物と、式（ｐｔ２）で表される化合物及び式（ｐｔ３）で表される化合物との反応では、酸及び金属塩から選ばれる１種以上が共存することが好ましい。
【０３１９】
酸としては、塩化水素、臭化水素、ヨウ化水素、硫酸、硝酸、フルオロスルホン酸、リン酸等の無機酸；メタンスルホン酸、トリフルオロメタンスルホン酸及びｐ−トルエンスルホン酸等のスルホン酸；酢酸、トリフルオロ酢酸、クエン酸、ギ酸、グルコン酸、乳酸、シュウ酸、安息香酸及び酒石酸等のカルボン酸；等が挙げられ、好ましくは塩化水素、臭化水素、硫酸、メタンスルホン酸、トリフルオロメタンスルホン酸、ｐ−トルエンスルホン酸及びカルボン酸が挙げられ、より好ましくはカルボン酸が挙げられ、さらに好ましくは安息香酸が挙げられる。
【０３２０】
式（ｐｔ１）で表される化合物と、式（ｐｔ２）で表される化合物及び式（ｐｔ３）で表される化合物との反応における酸の使用量は、式（ｐｔ１）で表される化合物１モルに対して、通常１〜９０モルであり、好ましくは１〜７０モルであり、より好ましくは１〜５０モルであり、さらに好ましくは１〜３０モルである。
【０３２１】
金属塩としては、塩化亜鉛及び塩化アルミニウム等が挙げられる。
【０３２２】
式（ｐｔ１）で表される化合物と、式（ｐｔ２）で表される化合物及び式（ｐｔ３）で表される化合物との反応における金属塩の使用量は、式（ｐｔ１）で表される化合物１モルに対して、通常０．０１〜３０モルであり、好ましくは０．０１〜２０モルであり、より好ましくは０．０１〜１０モルであり、さらに好ましくは０．０１〜３モルである。
【０３２３】
反応混合物から、化合物（Ｉ）を取り出す方法は特に限定されず、公知の種々の方法で取り出すことができる。
例えば、反応終了後、反応混合物中の化合物（Ｉ）は溶解しにくい場合があるが、化合物（Ｉ）以外の化合物が溶解しやすい、メタノール等の溶媒と、反応混合物とを、よく混合した後、ろ過することによって、化合物（Ｉ）を取り出すことができる。さらに、Ｎ，Ｎ−ジメチルホルムアミド、Ｎ，Ｎ−ジメチルアセトアミド、Ｎ−メチルピロリドン等のアミド溶媒、ジメチルスルホキシド等のスルホキシド溶媒又はそれらの混合溶媒で、水酸化ナトリウム水溶液等のアルカリ性水溶液で、及び／又は塩酸等の酸性水溶液で、得られた残渣を洗浄した後、水、メタノール等の低沸点アルコール又はそれらの混合溶媒で洗浄し、化合物（Ｉ）を取り出してもよい。さらに、カラムクロマトグラフィー及び／又は再結晶等で精製してもよい。
または、反応終了後、反応混合物の溶媒を留去し、得られた残渣をカラムクロマトグラフィー及び／又は再結晶等で精製してもよいし、
反応終了後、反応混合物をカラムクロマトグラフィー及び／又は再結晶等で精製してもよい。
反応終了後、反応混合物中の化合物（Ｉ）は溶解しにくい場合があるが、化合物（Ｉ）以外の化合物が溶解しやすい、メタノール等の溶媒と、反応混合物とを、よく混合した後、ろ過することによって、化合物（Ｉ）を取り出すことができる。さらに、カラムクロマトグラフィー及び／又は再結晶等で精製してもよい。
【０３２４】
式（Ｉ）で表される化合物は、式（ｐｔ１）で表される化合物と、式（ｐｔ２）で表される化合物との反応により、式（Ｉ’）で表される化合物（以下、化合物（Ｉ’）という場合がある。）を製造し、続いて、
式（Ｉ’）で表される化合物を、塩基存在下、加水分解して、式（ＩＭ１）で表される化合物（以下、化合物（ＩＭ１）という場合がある。）を製造し、さらに、
式（ＩＭ１）で表される化合物と、式（ｐｔ３）で表される化合物との反応により、製造することができる。
【化９０】
2020132878.tif 000209
【０３２５】
式（ｐｔ１）、式（ｐｔ２）、式（ｐｔ３）、式（Ｉ’）及び式（ＩＭ１）中、Ｒ１〜Ｒ５、Ｑ１、Ｑ２は、前記と同一の意味を表す。
【０３２６】
式（ｐｔ１）で表される化合物と、式（ｐｔ２）で表される化合物の反応における、式（ｐｔ２）で表される化合物の使用量は、式（ｐｔ１）で表される化合物１モルに対して、通常、０．１〜６０モルであり、好ましくは１〜４０モルであり、より好ましくは１〜３２モルであり、さらに好ましくは２〜２０モルである。
【０３２７】
式（ＩＭ１）で表される化合物と、式（ｐｔ３）で表される化合物との反応における、式（ｐｔ３）で表される化合物の使用量は、式（ＩＭ１）で表される化合物１モルに対して、通常、０．１〜３０モルであり、好ましくは１〜２０モルであり、より好ましくは１〜１６モルであり、さらに好ましくは１〜１０モルである。
【０３２８】
式（ｐｔ１）で表される化合物と、式（ｐｔ２）で表される化合物の反応における反応温度又は、式（ＩＭ１）で表される化合物と、式（ｐｔ３）で表される化合物との反応における反応温度は、通常−１００〜３００℃であり、好ましくは０〜２８０℃であり、より好ましくは５０〜２５０℃であり、さらに好ましく１００〜２３０℃であり、とりわけ好ましくは１５０〜２００℃である。
【０３２９】
式（ｐｔ１）で表される化合物と、式（ｐｔ２）で表される化合物の反応における反応時間又は、式（ＩＭ１）で表される化合物と、式（ｐｔ３）で表される化合物との反応における反応時間は、通常０．５時間〜５００時間である。
【０３３０】
式（ｐｔ１）で表される化合物と、式（ｐｔ２）で表される化合物の反応又は、式（ＩＭ１）で表される化合物と、式（ｐｔ３）で表される化合物との反応は、通常、溶媒の存在下に実施される。
【０３３１】
式（ｐｔ１）で表される化合物と、式（ｐｔ２）で表される化合物の反応又は、式（ＩＭ１）で表される化合物と、式（ｐｔ３）で表される化合物との反応における溶媒としては、水；アセトニトリル等のニトリル溶媒；メタノール、エタノール、１−プロパノール、２−プロパノール、１−ブタノール、１−ペンタノール、１−ヘキサノール、１−ヘプタノール、２−エチル−１−ヘキサノール、１−オクタノール、フェノール等のアルコール溶媒；アミン溶媒；ジエチルエーテル、テトラヒドロフラン、ジフェニルエーテル等のエーテル溶媒；アセトン、メチルイソブチルケトン等のケトン溶媒；酢酸エチル、安息香酸メチル等のエステル溶媒；ヘキサン等の脂肪族炭化水素溶媒；トルエン、トリメチルベンゼン（例えば、１，３，５−トリメチルベンゼン）、デカリン、テトラリン等の芳香族炭化水素溶媒；塩化メチレン、クロロホルム、１，２−ジクロロベンゼン、トリクロロベンゼン（例えば、１，３，５−トリクロロベンゼン）、１−クロロナフタレン、２−クロロナフタレン等のハロゲン化炭化水素溶媒；ニトロベンゼン等のニトロ化炭化水素溶媒；Ｎ，Ｎ−ジメチルホルムアミド、Ｎ，Ｎ−ジメチルアセトアミド、Ｎ−メチルピロリドン等のアミド溶媒；ジメチルスルホキシド等のスルホキシド溶媒；等が挙げられ、
【０３３２】
好ましくは、ジフェニルエーテル、安息香酸メチル、トリメチルベンゼン（例えば、１，３，５−トリメチルベンゼン）、デカリン、テトラリン、１，２−ジクロロベンゼン、トリクロロベンゼン（例えば、１，３，５−トリクロロベンゼン）、１−クロロナフタレン、２−クロロナフタレン、ニトロベンゼン、Ｎ，Ｎ−ジメチルホルムアミド、Ｎ，Ｎ−ジメチルアセトアミド、Ｎ−メチルピロリドン、ジメチルスルホキシドが挙げられ、
【０３３３】
より好ましくは、ジフェニルエーテル、安息香酸メチル、トリメチルベンゼン（例えば、１，３，５−トリメチルベンゼン）、デカリン、テトラリン、１，２−ジクロロベンゼン、トリクロロベンゼン（例えば、１，３，５−トリクロロベンゼン）、１−クロロナフタレン、２−クロロナフタレン、ニトロベンゼン、Ｎ−メチルピロリドンが挙げられ、
【０３３４】
さらに好ましくは、安息香酸メチルが挙げられる。
【０３３５】
式（ｐｔ１）で表される化合物と、式（ｐｔ２）で表される化合物の反応における溶媒の使用量は、式（ｐｔ１）で表される化合物１質量部に対して、通常１〜１０００質量部である。
【０３３６】
式（ＩＭ１）で表される化合物と、式（ｐｔ３）で表される化合物との反応における溶媒の使用量は、式（ＩＭ１）で表される化合物１質量部に対して、通常１〜１０００質量部である。
【０３３７】
式（ｐｔ１）で表される化合物と、式（ｐｔ２）で表される化合物の反応又は、式（ＩＭ１）で表される化合物と、式（ｐｔ３）で表される化合物との反応では、酸及び金属塩から選ばれる１種以上が共存することが好ましい。
【０３３８】
式（ｐｔ１）で表される化合物と、式（ｐｔ２）で表される化合物の反応又は、式（ＩＭ１）で表される化合物と、式（ｐｔ３）で表される化合物との反応における酸としては、塩化水素、臭化水素、ヨウ化水素、硫酸、硝酸、フルオロスルホン酸、リン酸等の無機酸；メタンスルホン酸、トリフルオロメタンスルホン酸及びｐ−トルエンスルホン酸等のスルホン酸；酢酸、トリフルオロ酢酸、クエン酸、ギ酸、グルコン酸、乳酸、シュウ酸、安息香酸及び酒石酸等のカルボン酸；等が挙げられ、好ましくは塩化水素、臭化水素、硫酸、メタンスルホン酸、トリフルオロメタンスルホン酸、ｐ−トルエンスルホン酸及びカルボン酸が挙げられ、より好ましくはカルボン酸が挙げられ、さらに好ましくは安息香酸が挙げられる。
【０３３９】
式（ｐｔ１）で表される化合物と、式（ｐｔ２）で表される化合物の反応における酸の使用量は、式（ｐｔ１）で表される化合物１モルに対して、通常１〜９０モルであり、好ましくは１〜７０モルであり、より好ましくは１〜５０モルであり、さらに好ましくは１〜３０モルである。
【０３４０】
式（ＩＭ１）で表される化合物と、式（ｐｔ３）で表される化合物との反応における酸の使用量は、式（ＩＭ１）で表される化合物１モルに対して、通常１〜９０モルであり、好ましくは１〜７０モルであり、より好ましくは１〜５０モルであり、さらに好ましくは１〜３０モルである。
【０３４１】
式（ｐｔ１）で表される化合物と、式（ｐｔ２）で表される化合物の反応又は、式（ＩＭ１）で表される化合物と、式（ｐｔ３）で表される化合物との反応における金属塩としては、塩化亜鉛及び塩化アルミニウム等が挙げられる。
【０３４２】
式（ｐｔ１）で表される化合物と、式（ｐｔ２）で表される化合物の反応における金属塩の使用量は、式（ｐｔ１）で表される化合物１モルに対して、通常０．０１〜３０モルであり、好ましくは０．０１〜２０モルであり、より好ましくは０．０１〜１０モルであり、さらに好ましくは０．０１〜３モルである。
【０３４３】
式（ＩＭ１）で表される化合物と、式（ｐｔ３）で表される化合物との反応における金属塩の使用量は、式（ＩＭ１）で表される化合物１モルに対して、通常０．０１〜３０モルであり、好ましくは０．０１〜２０モルであり、より好ましくは０．０１〜１０モルであり、さらに好ましくは０．０１〜３モルである。
【０３４４】
式（ｐｔ１）で表される化合物と、式（ｐｔ２）で表される化合物の反応における反応混合物から、式（Ｉ’）で表される化合物を取り出す方法は特に限定されず、公知の種々の方法で取り出すことができる。
例えば、反応終了後、反応混合物中の化合物（Ｉ’）は溶解しにくい場合があるが、化合物（Ｉ’）以外の化合物が溶解しやすい、メタノール等の溶媒と、反応混合物とを、よく混合した後、ろ過することによって、化合物（Ｉ’）を取り出すことができる。さらに、Ｎ，Ｎ−ジメチルホルムアミド、Ｎ，Ｎ−ジメチルアセトアミド、Ｎ−メチルピロリドン等のアミド溶媒、ジメチルスルホキシド等のスルホキシド溶媒又はそれらの混合溶媒で、水酸化ナトリウム水溶液等のアルカリ性水溶液で、及び／又は塩酸等の酸性水溶液で、得られた残渣を洗浄した後、水、メタノール等の低沸点アルコール又はそれらの混合溶媒で洗浄し、化合物（Ｉ’）を取り出してもよい。さらに、カラムクロマトグラフィー及び／又は再結晶等で精製してもよい。
または、反応終了後、反応混合物の溶媒を留去し、得られた残渣をカラムクロマトグラフィー及び／又は再結晶等で精製してもよいし、
反応終了後、反応混合物をカラムクロマトグラフィー及び／又は再結晶等で精製してもよい。
反応終了後、反応混合物中の化合物（Ｉ’）は溶解しにくい場合があるが、化合物（Ｉ’）以外の化合物が溶解しやすい、メタノール等の溶媒と、反応混合物とを、よく混合した後、ろ過することによって、化合物（Ｉ’）を取り出すことができる。さらに、カラムクロマトグラフィー及び／又は再結晶等で精製してもよい。
【０３４５】
式（ＩＭ１）で表される化合物と、式（ｐｔ３）で表される化合物との反応における反応混合物から、式（Ｉ）で表される化合物を取り出す方法は特に限定されず、公知の種々の方法で取り出すことができる。
例えば、反応終了後、反応混合物中の化合物（Ｉ）は溶解しにくい場合があるが、化合物（Ｉ）以外の化合物が溶解しやすい、メタノール等の溶媒と、反応混合物とを、よく混合した後、ろ過することによって、化合物（Ｉ）を取り出すことができる。さらに、Ｎ，Ｎ−ジメチルホルムアミド、Ｎ，Ｎ−ジメチルアセトアミド、Ｎ−メチルピロリドン等のアミド溶媒、ジメチルスルホキシド等のスルホキシド溶媒又はそれらの混合溶媒で、水酸化ナトリウム水溶液等のアルカリ性水溶液で、及び／又は塩酸等の酸性水溶液で、得られた残渣を洗浄した後、水、メタノール等の低沸点アルコール又はそれらの混合溶媒で洗浄し、化合物（Ｉ）を取り出してもよい。さらに、カラムクロマトグラフィー及び／又は再結晶等で精製してもよい。
または、反応終了後、反応混合物の溶媒を留去し、得られた残渣をカラムクロマトグラフィー及び／又は再結晶等で精製してもよいし、
反応終了後、反応混合物をカラムクロマトグラフィー及び／又は再結晶等で精製してもよい。
反応終了後、反応混合物中の化合物（Ｉ）は溶解しにくい場合があるが、化合物（Ｉ）以外の化合物が溶解しやすい、メタノール等の溶媒と、反応混合物とを、よく混合した後、ろ過することによって、化合物（Ｉ）を取り出すことができる。さらに、カラムクロマトグラフィー及び／又は再結晶等で精製してもよい。
【０３４６】
塩基存在下、式（Ｉ’）で表される化合物の加水分解反応における塩基としては、トリエチルアミン、４−（Ｎ，Ｎ−ジメチルアミノ）ピリジン、ピリジン、ピペリジン、１，８−ジアザビシクロ［５．４．０］ウンデカ−７−エン、１，５−ジアザビシクロ［４．３．０］ノナ−５−エン、１，５−ジアザビシクロ［４．３．０］ノナ−５−エン等の有機塩基、ナトリウムメトキシド、ナトリウムエトキシド、ナトリウムｔｅｒｔ−ブトキシド、カリウムｔｅｒｔ−ブトキシド等の金属アルコキシド、メチルリチウム、ブチルリチウム、ｔｅｒｔ−ブチルリチウム及びフェニルリチウム等の有機金属化合物、炭酸水素ナトリウム、炭酸水素カリウム、炭酸ナトリウム、炭酸カリウム、水酸化リチウム、水酸化ナトリウム、及び水酸化カリウム等の無機塩基等が挙げられ、
無機塩基が好ましく、
水酸化リチウム、水酸化ナトリウム、及び水酸化カリウムがより好ましく、
水酸化ナトリウム及び水酸化カリウムがさらに好ましく、
水酸化カリウムがとりわけ好ましい。
【０３４７】
塩基存在下、式（Ｉ’）で表される化合物の加水分解反応における塩基の使用量は、式（Ｉ’）で表される化合物１モルに対して、通常、０．１〜１００モルであり、好ましくは１〜７０モルであり、より好ましくは２〜４０モルである。
【０３４８】
塩基存在下、式（Ｉ’）で表される化合物の加水分解反応における水の使用量は、式（Ｉ’）で表される化合物１質量部に対して、通常１〜１０００質量部であり、好ましくは、１〜２００質量部であり、より好ましくは、１〜１００質量部であり、さらに好ましくは、１〜５０質量部である。
【０３４９】
塩基存在下、式（Ｉ’）で表される化合物の加水分解反応における反応温度は、通常、０〜１００℃であり、好ましくは、５〜１００℃であり、より好ましくは、２０〜１００℃であり、さらに好ましくは、４０〜１００℃であり、とりわけ好ましくは、６０〜１００℃である。
【０３５０】
塩基存在下、式（Ｉ’）で表される化合物の加水分解反応における反応時間は、通常、０．５〜１２０時間であり、好ましくは、１〜７２時間であり、より好ましくは、１〜２４時間である。
【０３５１】
塩基存在下、式（Ｉ’）で表される化合物の加水分解反応における反応混合物から、  式（ＩＭ１）で表される化合物を取り出す方法は特に限定されず、公知の種々の方法で取り出すことができる。
例えば、反応終了後、反応混合物に塩酸等の酸性水溶液を加えて中和した後、ろ過することによって、化合物（ＩＭ１）を取り出すことができる。さらに、Ｎ，Ｎ−ジメチルホルムアミド、Ｎ，Ｎ−ジメチルアセトアミド、Ｎ−メチルピロリドン等のアミド溶媒、ジメチルスルホキシド等のスルホキシド溶媒、アセトン等のケトン溶媒、メタノール等のアルコール溶媒、アセトニトリル等のニトリル溶媒、水又はそれらの混合溶媒で、水酸化ナトリウム水溶液等のアルカリ性水溶液で、及び／又は塩酸等の酸性水溶液で、得られた残渣を洗浄し、化合物（ＩＭ１）を取り出してもよい。さらに、カラムクロマトグラフィー及び／又は再結晶等で精製してもよい。
または、反応終了後、反応混合物の溶媒を留去し、得られた残渣をカラムクロマトグラフィー及び／又は再結晶等で精製してもよいし、
反応終了後、反応混合物をカラムクロマトグラフィー及び／又は再結晶等で精製してもよい。
【０３５２】
式（Ｉ）で表される化合物は、式（ｐｔ１）で表される化合物と、式（ｐｔ３）で表される化合物との反応により、式（ＩＭ２）で表される化合物（以下、化合物（ＩＭ２）という場合がある。）を製造し、続いて、
式（ＩＭ２）で表される化合物と、式（ｐｔ２）で表される化合物との反応により、製造することができる。
【０３５３】
【化９１】
2020132878.tif 000210
【０３５４】
式（ｐｔ１）、式（ｐｔ２）、式（ｐｔ３）、式（ＩＭ２）中、Ｒ１〜Ｒ５、Ｑ１、Ｑ２は、前記と同一の意味を表す。
【０３５５】
式（ｐｔ１）で表される化合物と、式（ｐｔ３）で表される化合物との反応における、式（ｐｔ３）で表される化合物の使用量は、式（ｐｔ１）で表される化合物１モルに対して、通常、０．１〜１０モルであり、好ましくは、０．１〜５モルであり、より好ましくは０．５〜２モルであり、さらに好ましくは０．８〜１．５モルである。
【０３５６】
式（ｐｔ１）で表される化合物と、式（ｐｔ３）で表される化合物との反応における反応温度は、通常−１００〜３００℃であり、好ましくは０〜２８０℃であり、より好ましくは５０〜２５０℃であり、さらに好ましく１００〜２３０℃であり、とりわけ好ましくは１２０〜２００℃である。
【０３５７】
式（ｐｔ１）で表される化合物と、式（ｐｔ３）で表される化合物との反応における反応時間は、通常０．５時間〜５００時間である。
【０３５８】
式（ｐｔ１）で表される化合物と、式（ｐｔ３）で表される化合物との反応は、通常、溶媒の存在下に実施される。
【０３５９】
式（ｐｔ１）で表される化合物と、式（ｐｔ３）で表される化合物との反応における溶媒としては、水；アセトニトリル等のニトリル溶媒；メタノール、エタノール、１−プロパノール、２−プロパノール、１−ブタノール、１−ペンタノール、１−ヘキサノール、１−ヘプタノール、２−エチル−１−ヘキサノール、１−オクタノール、フェノール等のアルコール溶媒；アミン溶媒；ジエチルエーテル、テトラヒドロフラン、ジフェニルエーテル等のエーテル溶媒；アセトン、メチルイソブチルケトン等のケトン溶媒；酢酸エチル、安息香酸メチル等のエステル溶媒；ヘキサン等の脂肪族炭化水素溶媒；トルエン、トリメチルベンゼン（例えば、１，３，５−トリメチルベンゼン）、デカリン、テトラリン等の芳香族炭化水素溶媒；塩化メチレン、クロロホルム、１，２−ジクロロベンゼン、トリクロロベンゼン（例えば、１，３，５−トリクロロベンゼン）、１−クロロナフタレン、２−クロロナフタレン等のハロゲン化炭化水素溶媒；ニトロベンゼン等のニトロ化炭化水素溶媒；Ｎ，Ｎ−ジメチルホルムアミド、Ｎ，Ｎ−ジメチルアセトアミド、Ｎ−メチルピロリドン等のアミド溶媒；ジメチルスルホキシド等のスルホキシド溶媒；等が挙げられ、
【０３６０】
好ましくは、フェノール、ジフェニルエーテル、安息香酸メチル、トリメチルベンゼン（例えば、１，３，５−トリメチルベンゼン）、デカリン、テトラリン、１，２−ジクロロベンゼン、トリクロロベンゼン（例えば、１，３，５−トリクロロベンゼン）、１−クロロナフタレン、２−クロロナフタレン、ニトロベンゼン、Ｎ，Ｎ−ジメチルホルムアミド、Ｎ，Ｎ−ジメチルアセトアミド、Ｎ−メチルピロリドン、ジメチルスルホキシドが挙げられ、
【０３６１】
より好ましくは、フェノール、ジフェニルエーテル、安息香酸メチル、トリメチルベンゼン（例えば、１，３，５−トリメチルベンゼン）、デカリン、テトラリン、１，２−ジクロロベンゼン、トリクロロベンゼン（例えば、１，３，５−トリクロロベンゼン）、１−クロロナフタレン、２−クロロナフタレン、ニトロベンゼン、Ｎ−メチルピロリドンが挙げられ、
【０３６２】
さらに好ましくは、フェノール、安息香酸メチルが挙げられ、
【０３６３】
とりわけ好ましくは、フェノールが挙げられる。
【０３６４】
式（ｐｔ１）で表される化合物と、式（ｐｔ３）で表される化合物との反応における溶媒の使用量は、式（ｐｔ１）で表される化合物１質量部に対して、通常１〜１０００質量部であり、好ましくは１〜２００質量部であり、より好ましくは１〜１００質量部であり、さらに好ましくは、１〜５０質量部である。
【０３６５】
式（ｐｔ１）で表される化合物と、式（ｐｔ３）で表される化合物との反応における反応混合物から、化合物（ＩＭ２）を取り出す方法は特に限定されず、公知の種々の方法で取り出すことができる。
例えば、反応終了後、反応混合物中の化合物（ＩＭ２）は溶解しにくい場合があるが、化合物（ＩＭ２）以外の化合物が溶解しやすい、メタノール等の溶媒と、反応混合物とを、よく混合した後、ろ過することによって、化合物（ＩＭ２）を取り出すことができる。
さらに、Ｎ，Ｎ−ジメチルホルムアミド、Ｎ，Ｎ−ジメチルアセトアミド、Ｎ−メチルピロリドン等のアミド溶媒、ジメチルスルホキシド等のスルホキシド溶媒、アセトン等のケトン溶媒、メタノール等のアルコール溶媒、アセトニトリル等のニトリル溶媒、水又はそれらの混合溶媒で、水酸化ナトリウム水溶液等のアルカリ性水溶液で、及び／又は塩酸等の酸性水溶液で、得られた残渣を洗浄し、化合物（ＩＭ２）を取り出すことができる。
さらに、カラムクロマトグラフィー及び／又は再結晶等で精製してもよい。
または、反応終了後、反応混合物の溶媒を留去し、得られた残渣をカラムクロマトグラフィー及び／又は再結晶等で精製してもよいし、
反応終了後、反応混合物をカラムクロマトグラフィー及び／又は再結晶等で精製してもよい。
反応終了後、反応混合物中の化合物（ＩＭ２）は溶解しにくいが、化合物（ＩＭ２）以外の化合物が溶解しやすい、メタノール等の溶媒に、反応混合物を加えて、よく混合した後、ろ過することによって、化合物（ＩＭ２）を取り出すことができる。さらに、カラムクロマトグラフィー及び／又は再結晶等で精製してもよい。
【０３６６】
式（ＩＭ２）で表される化合物と、式（ｐｔ２）で表される化合物との反応における、式（ｐｔ２）で表される化合物の使用量は、式（ＩＭ２）で表される化合物１モルに対して、通常、０．１〜３０モルであり、好ましくは１〜２０モルであり、より好ましくは１〜１６モルであり、さらに好ましくは１〜１０モルである。
【０３６７】
式（ＩＭ２）で表される化合物と、式（ｐｔ２）で表される化合物との反応における反応温度は、通常−１００〜３００℃であり、好ましくは０〜２８０℃であり、より好ましくは５０〜２５０℃であり、さらに好ましく１００〜２３０℃であり、とりわけ好ましくは１５０〜２００℃である。
【０３６８】
式（ＩＭ２）で表される化合物と、式（ｐｔ２）で表される化合物との反応における反応時間は、通常０．５時間〜５００時間である。
【０３６９】
式（ＩＭ２）で表される化合物と、式（ｐｔ２）で表される化合物との反応は、 通常、溶媒の存在下に実施される。
【０３７０】
式（ＩＭ２）で表される化合物と、式（ｐｔ２）で表される化合物との反応における溶媒としては、水；アセトニトリル等のニトリル溶媒；メタノール、エタノール、１−プロパノール、２−プロパノール、１−ブタノール、１−ペンタノール、１−ヘキサノール、１−ヘプタノール、２−エチル−１−ヘキサノール、１−オクタノール、フェノール等のアルコール溶媒；アミン溶媒；ジエチルエーテル、テトラヒドロフラン、ジフェニルエーテル等のエーテル溶媒；アセトン、メチルイソブチルケトン等のケトン溶媒；酢酸エチル、安息香酸メチル等のエステル溶媒；ヘキサン等の脂肪族炭化水素溶媒；トルエン、トリメチルベンゼン（例えば、１，３，５−トリメチルベンゼン）、デカリン、テトラリン等の芳香族炭化水素溶媒；塩化メチレン、クロロホルム、１，２−ジクロロベンゼン、トリクロロベンゼン（例えば、１，３，５−トリクロロベンゼン）、１−クロロナフタレン、２−クロロナフタレン等のハロゲン化炭化水素溶媒；ニトロベンゼン等のニトロ化炭化水素溶媒；Ｎ，Ｎ−ジメチルホルムアミド、Ｎ，Ｎ−ジメチルアセトアミド、Ｎ−メチルピロリドン等のアミド溶媒；ジメチルスルホキシド等のスルホキシド溶媒が挙げられ、
【０３７１】
好ましくは、ジフェニルエーテル、安息香酸メチル、トリメチルベンゼン（例えば、１，３，５−トリメチルベンゼン）、デカリン、テトラリン、１，２−ジクロロベンゼン、トリクロロベンゼン（例えば、１，３，５−トリクロロベンゼン）、１−クロロナフタレン、２−クロロナフタレン、ニトロベンゼン、Ｎ，Ｎ−ジメチルホルムアミド、Ｎ，Ｎ−ジメチルアセトアミド、Ｎ−メチルピロリドン、ジメチルスルホキシドが挙げられ、
【０３７２】
より好ましくは、ジフェニルエーテル、安息香酸メチル、トリメチルベンゼン（例えば、１，３，５−トリメチルベンゼン）、デカリン、テトラリン、１，２−ジクロロベンゼン、トリクロロベンゼン（例えば、１，３，５−トリクロロベンゼン）、１−クロロナフタレン、２−クロロナフタレン、ニトロベンゼン、Ｎ−メチルピロリドンが挙げられ、
【０３７３】
さらに好ましくは、安息香酸メチルが挙げられる。
【０３７４】
式（ＩＭ２）で表される化合物と、式（ｐｔ２）で表される化合物との反応における溶媒の使用量は、式（ＩＭ２）で表される化合物１質量部に対して、通常１〜１０００質量部である。
【０３７５】
式（ＩＭ２）で表される化合物と、式（ｐｔ２）で表される化合物との反応では、酸及び金属塩から選ばれる１種以上が共存することが好ましい。
【０３７６】
式（ＩＭ２）で表される化合物と、式（ｐｔ２）で表される化合物との反応における酸としては、塩化水素、臭化水素、ヨウ化水素、硫酸、硝酸、フルオロスルホン酸、リン酸等の無機酸；メタンスルホン酸、トリフルオロメタンスルホン酸及びｐ−トルエンスルホン酸等のスルホン酸；酢酸、トリフルオロ酢酸、クエン酸、ギ酸、グルコン酸、乳酸、シュウ酸、安息香酸及び酒石酸等のカルボン酸；等が挙げられ、好ましくは塩化水素、臭化水素、硫酸、メタンスルホン酸、トリフルオロメタンスルホン酸、ｐ−トルエンスルホン酸及びカルボン酸が挙げられ、より好ましくはカルボン酸が挙げられ、さらに好ましくは安息香酸が挙げられる。
【０３７７】
式（ＩＭ２）で表される化合物と、式（ｐｔ２）で表される化合物との反応における酸の使用量は、式（ＩＭ２）で表される化合物１モルに対して、通常１〜９０モルであり、好ましくは１〜７０モルであり、より好ましくは１〜５０モルであり、さらに好ましくは１〜３０モルである。
【０３７８】
式（ＩＭ２）で表される化合物と、式（ｐｔ２）で表される化合物との反応における金属塩としては、塩化亜鉛及び塩化アルミニウム等が挙げられる。
【０３７９】
式（ＩＭ２）で表される化合物と、式（ｐｔ２）で表される化合物との反応における金属塩の使用量は、式（ＩＭ２）で表される化合物１モルに対して、通常０．０１〜３０モルであり、好ましくは０．０１〜２０モルであり、より好ましくは０．０１〜１０モルであり、さらに好ましくは０．０１〜３モルである。
【０３８０】
式（ＩＭ２）で表される化合物と、式（ｐｔ２）で表される化合物との反応における反応混合物から、式（Ｉ）で表される化合物を取り出す方法は特に限定されず、公知の種々の方法で取り出すことができる。
例えば、反応終了後、反応混合物中の化合物（Ｉ）は溶解しにくい場合があるが、化合物（Ｉ）以外の化合物が溶解しやすい、メタノール等の溶媒と、反応混合物とを、よく混合した後、ろ過することによって、化合物（Ｉ）を取り出すことができる。さらに、Ｎ，Ｎ−ジメチルホルムアミド、Ｎ，Ｎ−ジメチルアセトアミド、Ｎ−メチルピロリドン等のアミド溶媒、ジメチルスルホキシド等のスルホキシド溶媒又はそれらの混合溶媒で、水酸化ナトリウム水溶液等のアルカリ性水溶液で、及び／又は塩酸等の酸性水溶液で、得られた残渣を洗浄した後、水、メタノール等の低沸点アルコール又はそれらの混合溶媒で洗浄し、化合物（Ｉ）を取り出してもよい。さらに、カラムクロマトグラフィー及び／又は再結晶等で精製してもよい。
または、反応終了後、反応混合物の溶媒を留去し、得られた残渣をカラムクロマトグラフィー及び／又は再結晶等で精製してもよいし、
反応終了後、反応混合物をカラムクロマトグラフィー及び／又は再結晶等で精製してもよい。
反応終了後、反応混合物中の化合物（Ｉ）は溶解しにくい場合があるが、化合物（Ｉ）以外の化合物が溶解しやすい、メタノール等の溶媒と、反応混合物とを、よく混合した後、ろ過することによって、化合物（Ｉ）を取り出すことができる。さらに、カラムクロマトグラフィー及び／又は再結晶等で精製してもよい。
【０３８１】
式（Ｉ）で表される化合物は、式（ｐｔ１）で表される化合物と、式（ｐｔ３）で表される化合物との反応により、式（ＩＭ２）で表される化合物（以下、化合物（ＩＭ２）という場合がある。）を製造し、続いて、式（ＩＭ２）で表される化合物と、式（ｐｔ２）で表される化合物との反応により、製造することができる。
【化９２】
2020132878.tif 000211
【０３８２】
式（ｐｔ１）、式（ｐｔ２）、式（ｐｔ３）、式（ＩＭ２）中、Ｒ１〜Ｒ５、Ｑ１、Ｑ２は、前記と同一の意味を表す。
【０３８３】
式（ｐｔ１）で表される化合物と、式（ｐｔ３）で表される化合物との反応における、式（ｐｔ３）で表される化合物の使用量は、式（ｐｔ１）で表される化合物１モルに対して、通常、０．１〜１０モルであり、好ましくは、０．１〜５モルであり、より好ましくは０．５〜２モルであり、さらに好ましくは０．８〜１．５モルである。
【０３８４】
式（ｐｔ１）で表される化合物と、式（ｐｔ３）で表される化合物との反応における反応温度は、通常−１００〜３００℃であり、好ましくは０〜２８０℃であり、より好ましくは５０〜２５０℃であり、さらに好ましく１００〜２３０℃であり、とりわけ好ましくは１２０〜２００℃である。
【０３８５】
式（ｐｔ１）で表される化合物と、式（ｐｔ３）で表される化合物との反応における反応時間は、通常０．５時間〜５００時間である。
【０３８６】
式（ｐｔ１）で表される化合物と、式（ｐｔ３）で表される化合物との反応は、通常、溶媒の存在下に実施される。
【０３８７】
式（ｐｔ１）で表される化合物と、式（ｐｔ３）で表される化合物との反応における溶媒としては、水；アセトニトリル等のニトリル溶媒；メタノール、エタノール、１−プロパノール、２−プロパノール、１−ブタノール、１−ペンタノール、１−ヘキサノール、１−ヘプタノール、２−エチル−１−ヘキサノール、１−オクタノール、フェノール等のアルコール溶媒；アミン溶媒；ジエチルエーテル、テトラヒドロフラン、ジフェニルエーテル等のエーテル溶媒；アセトン、メチルイソブチルケトン等のケトン溶媒；酢酸エチル、安息香酸メチル等のエステル溶媒；ヘキサン等の脂肪族炭化水素溶媒；トルエン、トリメチルベンゼン（例えば、１，３，５−トリメチルベンゼン）、デカリン、テトラリン等の芳香族炭化水素溶媒；塩化メチレン、クロロホルム、１，２−ジクロロベンゼン、トリクロロベンゼン（例えば、１，３，５−トリクロロベンゼン）、１−クロロナフタレン、２−クロロナフタレン等のハロゲン化炭化水素溶媒；ニトロベンゼン等のニトロ化炭化水素溶媒；Ｎ，Ｎ−ジメチルホルムアミド、Ｎ，Ｎ−ジメチルアセトアミド、Ｎ−メチルピロリドン等のアミド溶媒；ジメチルスルホキシド等のスルホキシド溶媒；等が挙げられ、
【０３８８】
好ましくは、フェノール、ジフェニルエーテル、安息香酸メチル、トリメチルベンゼン（例えば、１，３，５−トリメチルベンゼン）、デカリン、テトラリン、１，２−ジクロロベンゼン、トリクロロベンゼン（例えば、１，３，５−トリクロロベンゼン）、１−クロロナフタレン、２−クロロナフタレン、ニトロベンゼン、Ｎ，Ｎ−ジメチルホルムアミド、Ｎ，Ｎ−ジメチルアセトアミド、Ｎ−メチルピロリドン、ジメチルスルホキシドが挙げられ、
【０３８９】
より好ましくは、フェノール、ジフェニルエーテル、安息香酸メチル、トリメチルベンゼン（例えば、１，３，５−トリメチルベンゼン）、デカリン、テトラリン、１，２−ジクロロベンゼン、トリクロロベンゼン（例えば、１，３，５−トリクロロベンゼン）、１−クロロナフタレン、２−クロロナフタレン、ニトロベンゼン、Ｎ−メチルピロリドンが挙げられ、
【０３９０】
さらに好ましくは、フェノール、安息香酸メチルが挙げられ、
【０３９１】
とりわけ好ましくは、フェノールが挙げられる。
【０３９２】
式（ｐｔ１）で表される化合物と、式（ｐｔ３）で表される化合物との反応における溶媒の使用量は、式（ｐｔ１）で表される化合物１質量部に対して、通常１〜１０００質量部であり、好ましくは１〜２００質量部であり、より好ましくは１〜１００質量部であり、さらに好ましくは、１〜５０質量部である。
【０３９３】
式（ｐｔ１）で表される化合物と、式（ｐｔ３）で表される化合物との反応における反応混合物から、化合物（ＩＭ２）を取り出す方法は特に限定されず、公知の種々の方法で取り出すことができる。
例えば、反応終了後、反応混合物中の化合物（ＩＭ２）は溶解しにくい場合があるが、化合物（ＩＭ２）以外の化合物が溶解しやすい、メタノール等の溶媒と、反応混合物とを、よく混合した後、ろ過することによって、化合物（ＩＭ２）を取り出すことができる。
さらに、Ｎ，Ｎ−ジメチルホルムアミド、Ｎ，Ｎ−ジメチルアセトアミド、Ｎ−メチルピロリドン等のアミド溶媒、ジメチルスルホキシド等のスルホキシド溶媒、アセトン等のケトン溶媒、メタノール等のアルコール溶媒、アセトニトリル等のニトリル溶媒、水又はそれらの混合溶媒で、水酸化ナトリウム水溶液等のアルカリ性水溶液で、及び／又は塩酸等の酸性水溶液で、得られた残渣を洗浄し、化合物（ＩＭ２）を取り出すことができる。
さらに、カラムクロマトグラフィー及び／又は再結晶等で精製してもよい。
または、反応終了後、反応混合物の溶媒を留去し、得られた残渣をカラムクロマトグラフィー及び／又は再結晶等で精製してもよいし、
反応終了後、反応混合物をカラムクロマトグラフィー及び／又は再結晶等で精製してもよい。
反応終了後、反応混合物中の化合物（ＩＭ２）は溶解しにくい場合があるが、化合物（ＩＭ２）以外の化合物が溶解しやすい、メタノール等の溶媒と、反応混合物とを、よく混合した後、ろ過することによって、化合物（ＩＭ２）を取り出すことができる。さらに、カラムクロマトグラフィー及び／又は再結晶等で精製してもよい。
【０３９４】
式（ＩＭ２）で表される化合物と、式（ｐｔ２）で表される化合物との反応における、式（ｐｔ２）で表される化合物の使用量は、式（ＩＭ２）で表される化合物１モルに対して、通常、０．１〜３０モルであり、好ましくは１〜２０モルであり、より好ましくは１〜１６モルであり、さらに好ましくは１〜１０モルである。
【０３９５】
式（ＩＭ２）で表される化合物と、式（ｐｔ２）で表される化合物との反応における反応温度は、通常−１００〜３００℃であり、好ましくは０〜２８０℃であり、より好ましくは５０〜２５０℃であり、さらに好ましく１００〜２３０℃であり、とりわけ好ましくは１５０〜２００℃である。
【０３９６】
式（ＩＭ２）で表される化合物と、式（ｐｔ２）で表される化合物との反応における反応時間は、通常０．５時間〜５００時間である。
【０３９７】
式（ＩＭ２）で表される化合物と、式（ｐｔ２）で表される化合物との反応は、通常、溶媒の存在下に実施される。
【０３９８】
式（ＩＭ２）で表される化合物と、式（ｐｔ２）で表される化合物との反応における溶媒としては、水；アセトニトリル等のニトリル溶媒；メタノール、エタノール、１−プロパノール、２−プロパノール、１−ブタノール、１−ペンタノール、１−ヘキサノール、１−ヘプタノール、２−エチル−１−ヘキサノール、１−オクタノール、フェノール等のアルコール溶媒；アミン溶媒；ジエチルエーテル、テトラヒドロフラン、ジフェニルエーテル等のエーテル溶媒；アセトン、メチルイソブチルケトン等のケトン溶媒；酢酸エチル、安息香酸メチル等のエステル溶媒；ヘキサン等の脂肪族炭化水素溶媒；トルエン、トリメチルベンゼン（例えば、１，３，５−トリメチルベンゼン）、デカリン、テトラリン等の芳香族炭化水素溶媒；塩化メチレン、クロロホルム、１，２−ジクロロベンゼン、トリクロロベンゼン（例えば、１，３，５−トリクロロベンゼン）、１−クロロナフタレン、２−クロロナフタレン等のハロゲン化炭化水素溶媒；ニトロベンゼン等のニトロ化炭化水素溶媒；Ｎ，Ｎ−ジメチルホルムアミド、Ｎ，Ｎ−ジメチルアセトアミド、Ｎ−メチルピロリドン等のアミド溶媒；ジメチルスルホキシド等のスルホキシド溶媒；等が挙げられ、
【０３９９】
好ましくは、ジフェニルエーテル、安息香酸メチル、トリメチルベンゼン（例えば、１，３，５−トリメチルベンゼン）、デカリン、テトラリン、１，２−ジクロロベンゼン、トリクロロベンゼン（例えば、１，３，５−トリクロロベンゼン）、１−クロロナフタレン、２−クロロナフタレン、ニトロベンゼン、Ｎ，Ｎ−ジメチルホルムアミド、Ｎ，Ｎ−ジメチルアセトアミド、Ｎ−メチルピロリドン、ジメチルスルホキシドが挙げられ、
【０４００】
より好ましくは、ジフェニルエーテル、安息香酸メチル、トリメチルベンゼン（例えば、１，３，５−トリメチルベンゼン）、デカリン、テトラリン、１，２−ジクロロベンゼン、トリクロロベンゼン（例えば、１，３，５−トリクロロベンゼン）、１−クロロナフタレン、２−クロロナフタレン、ニトロベンゼン、Ｎ−メチルピロリドンが挙げられ、
【０４０１】
さらに好ましくは、安息香酸メチルが挙げられる。
【０４０２】
式（ＩＭ２）で表される化合物と、式（ｐｔ２）で表される化合物との反応における溶媒の使用量は、式（ＩＭ２）で表される化合物１質量部に対して、通常１〜１０００質量部である。
【０４０３】
式（ＩＭ２）で表される化合物と、式（ｐｔ２）で表される化合物との反応では、酸及び金属塩から選ばれる１種以上が共存することが好ましい。
【０４０４】
式（ＩＭ２）で表される化合物と、式（ｐｔ２）で表される化合物との反応における酸としては、塩化水素、臭化水素、ヨウ化水素、硫酸、硝酸、フルオロスルホン酸、リン酸等の無機酸；メタンスルホン酸、トリフルオロメタンスルホン酸及びｐ−トルエンスルホン酸等のスルホン酸；酢酸、トリフルオロ酢酸、クエン酸、ギ酸、グルコン酸、乳酸、シュウ酸、安息香酸及び酒石酸等のカルボン酸；等が挙げられ、好ましくは塩化水素、臭化水素、硫酸、メタンスルホン酸、トリフルオロメタンスルホン酸、ｐ−トルエンスルホン酸及びカルボン酸が挙げられ、より好ましくはカルボン酸が挙げられ、さらに好ましくは安息香酸が挙げられる。
【０４０５】
式（ＩＭ２）で表される化合物と、式（ｐｔ２）で表される化合物との反応における酸の使用量は、式（ＩＭ２）で表される化合物１モルに対して、通常１〜９０モルであり、好ましくは１〜７０モルであり、より好ましくは１〜５０モルであり、さらに好ましくは１〜３０モルである。
【０４０６】
式（ＩＭ２）で表される化合物と、式（ｐｔ２）で表される化合物との反応における金属塩としては、塩化亜鉛及び塩化アルミニウム等が挙げられる。
【０４０７】
式（ＩＭ２）で表される化合物と、式（ｐｔ２）で表される化合物との反応における金属塩の使用量は、式（ＩＭ２）で表される化合物１モルに対して、通常０．０１〜３０モルであり、好ましくは０．０１〜２０モルであり、より好ましくは０．０１〜１０モルであり、さらに好ましくは０．０１〜３モルである。
【０４０８】
式（ＩＭ２）で表される化合物と、式（ｐｔ２）で表される化合物との反応における反応混合物から、式（Ｉ）で表される化合物を取り出す方法は特に限定されず、公知の種々の方法で取り出すことができる。
例えば、反応終了後、反応混合物中の化合物（Ｉ）は溶解しにくい場合があるが、化合物（Ｉ）以外の化合物が溶解しやすい、メタノール等の溶媒と、反応混合物とを、よく混合した後、ろ過することによって、化合物（Ｉ）を取り出すことができる。さらに、Ｎ，Ｎ−ジメチルホルムアミド、Ｎ，Ｎ−ジメチルアセトアミド、Ｎ−メチルピロリドン等のアミド溶媒、ジメチルスルホキシド等のスルホキシド溶媒又はそれらの混合溶媒で、水酸化ナトリウム水溶液等のアルカリ性水溶液で、及び／又は塩酸等の酸性水溶液で、得られた残渣を洗浄した後、水、メタノール等の低沸点アルコール又はそれらの混合溶媒で洗浄し、化合物（Ｉ）を取り出してもよい。さらに、カラムクロマトグラフィー及び／又は再結晶等で精製してもよい。
または、反応終了後、反応混合物の溶媒を留去し、得られた残渣をカラムクロマトグラフィー及び／又は再結晶等で精製してもよいし、反応終了後、反応混合物をカラムクロマトグラフィー及び／又は再結晶等で精製してもよい。
反応終了後、反応混合物中の化合物（Ｉ）は溶解しにくい場合があるが、化合物（Ｉ）以外の化合物が溶解しやすい、メタノール等の溶媒と、反応混合物とを、よく混合した後、ろ過することによって、化合物（Ｉ）を取り出すことができる。さらに、カラムクロマトグラフィー及び／又は再結晶等で精製してもよい。
【０４０９】
化合物（Ｉ）と、発煙硫酸又はクロロスルホン酸等のスルホ化剤とを反応させることによって、化合物（Ｉ）にスルホ基又は−ＳＯ3Ｍを導入することができる。
化合物（Ｉ）にスルホ基又は−ＳＯ3Ｍを導入した化合物（以下、「スルホ化化合物（Ｉ）」という場合がある。）も、本発明の化合物である。
【０４１０】
発煙硫酸中のＳＯ3の使用量は、化合物（Ｉ）１モルに対して、通常１〜２００モルであり、好ましくは２〜１５０モルであり、より好ましくは３〜１００モルであり、さらに好ましくは５〜８０モルである。
【０４１１】
発煙硫酸中のＳＯ3は、発煙硫酸１００質量部中、通常１〜９０質量部であり、好ましくは５〜７０質量部であり、より好ましくは１０〜６０質量部であり、さらに好ましくは１５〜５０質量部である。
【０４１２】
クロロスルホン酸の使用量は、化合物（Ｉ）１モルに対し、通常１〜５００モルであり、好ましくは１〜３００モルであり、より好ましくは１〜２００モルであり、さらに好ましくは１〜１５０モルである。
【０４１３】
クロロスルホン酸を用いて、化合物（Ｉ）にスルホ基又は−ＳＯ3Ｍを導入する場合、溶媒存在下で反応させてもよい。
該溶媒としては、塩化メチレン、クロロホルム、１，２−ジクロロベンゼン、トリクロロベンゼン（例えば、１，３，５−トリクロロベンゼン）、１−クロロナフタレン、２−クロロナフタレン等のハロゲン化炭化水素溶媒が挙げられる。
【０４１４】
該溶媒の使用量は、化合物（Ｉ）１質量部に対して、通常１〜１０００質量部である。
【０４１５】
スルホ化の反応温度は、通常−２０〜２００℃であり、好ましくは−１０〜１５０℃であり、より好ましくは０〜１００℃である。反応時間は、通常０．５〜３００時間である。
【０４１６】
反応混合物から、スルホ化化合物（Ｉ）を取り出す方法は特に限定されず、公知の種々の方法で取り出すことができる。
例えば、反応終了後、反応混合物を氷に滴下し、得られた混合物をろ過することによって、スルホ化化合物（Ｉ）を取り出すことができる。さらに、カラムクロマトグラフィー及び／又は再結晶等で精製してもよい。
または、反応終了後、反応混合物を氷に滴下し、得られた混合物を、スルホ化化合物（Ｉ）は溶解し難いが、スルホ化化合物（Ｉ）以外の化合物が溶解しやすい、メタノール等のアルコール溶媒、アセトニトリル等のニトリル溶媒及びそれらの混合溶媒等の親水性有機溶媒と混合し、ろ過することによって、スルホ化化合物（Ｉ）を取り出すことができる。さらに、カラムクロマトグラフィー及び／又は再結晶等で精製してもよい。
または、反応終了後、反応混合物を氷に滴下し、得られた混合物を、アンモニア、水溶性アミン又はそれらの混合物等の水溶液で中和した後、この混合物を、メタノール等のアルコール溶媒、アセトニトリル等のニトリル溶媒及びそれらの混合溶媒等の親水性有機溶媒と混合し、ろ過し、得られたろ液の溶媒を留去することによって、スルホ化化合物（Ｉ）を取り出すことができる。さらに、カラムクロマトグラフィー及び／又は再結晶等で精製してもよい。
【０４１７】
−ＳＯ3Ｈ及び／又は−ＣＯ2Ｈを有する化合物（Ｉ）（以下、「含酸基化合物（Ｉ）」という場合がある。）と、ＭＭを有する塩とを反応させることにより、−ＳＯ3（ＭＭ）及び／又は−ＣＯ2（ＭＭ）を有する化合物（Ｉ）（以下、「含ＭＭ化合物（Ｉ）」という場合がある。）を製造することができる。
【０４１８】
ＭＭを有する塩の使用量は、含酸基化合物（Ｉ）１モルに対して、通常０．０１〜１００モルであり、好ましくは０．０２〜５０モルであり、より好ましくは０．１〜３０モルである。
【０４１９】
反応温度は、通常０〜１００℃であり、好ましくは、０〜８０℃であり、より好ましくは、０〜６０℃であり、さらに好ましくは、０〜４０℃である。
【０４２０】
反応時間は、通常０．５時間〜５００時間である。
【０４２１】
含酸基化合物（Ｉ）とＭＭを有する塩との反応は、通常、溶媒の存在下で実施される。
該溶媒としては、水；アセトニトリル等のニトリル溶媒；メタノール、エタノール、１−プロパノール、２−プロパノール、１−ブタノール、１−ペンタノール、１−ヘキサノール、１−ヘプタノール、２−エチル−１−ヘキサノール、１−オクタノール、フェノール等のアルコール溶媒；アミン溶媒；ジエチルエーテル、テトラヒドロフラン、ジフェニルエーテル等のエーテル溶媒；アセトン、メチルイソブチルケトン等のケトン溶媒；酢酸エチル、安息香酸メチル等のエステル溶媒；ヘキサン等の脂肪族炭化水素溶媒；トルエン、トリメチルベンゼン（例えば、１，３，５−トリメチルベンゼン）、デカリン、テトラリン等の芳香族炭化水素溶媒；塩化メチレン、クロロホルム、１，２−ジクロロベンゼン、トリクロロベンゼン（例えば、１，３，５−トリクロロベンゼン）、１−クロロナフタレン、２−クロロナフタレン等のハロゲン化炭化水素溶媒；ニトロベンゼン等のニトロ化炭化水素溶媒；Ｎ，Ｎ−ジメチルホルムアミド、Ｎ，Ｎ−ジメチルアセトアミド、Ｎ−メチルピロリドン等のアミド溶媒；ジメチルスルホキシド等のスルホキシド溶媒が挙げられ、
水；アセトニトリル等のニトリル溶媒；メタノール、エタノール、１−プロパノール、２−プロパノール等のアルコール溶媒；テトラヒドロフラン等のエーテル溶媒；アセトン等のケトン溶媒；Ｎ，Ｎ−ジメチルホルムアミド、Ｎ，Ｎ−ジメチルアセトアミド、Ｎ−メチルピロリドン等のアミド溶媒；ジメチルスルホキシド等のスルホキシド溶媒；及びそれらの混合溶媒が好ましく、
水がより好ましい。
【０４２２】
該溶媒の使用量は、含酸基化合物（Ｉ）１質量部に対して、通常１〜１０００質量部であり、好ましくは１０〜５００質量部であり、より好ましくは２０〜３００質量部である。
【０４２３】
含酸基化合物（Ｉ）とＭＭを有する塩との反応は、塩基存在下で行ってもよい。
【０４２４】
該塩基としては、トリエチルアミン、４−（Ｎ，Ｎ−ジメチルアミノ）ピリジン、ピリジン、ピペリジン、１，８−ジアザビシクロ［５．４．０］ウンデカ−７−エン、１，５−ジアザビシクロ［４．３．０］ノナ−５−エン、１，５−ジアザビシクロ［４．３．０］ノナ−５−エン等の有機塩基、ナトリウムメトキシド、ナトリウムエトキシド、ナトリウムｔｅｒｔ−ブトキシド、カリウムｔｅｒｔ−ブトキシド等の金属アルコキシド、メチルリチウム、ブチルリチウム、ｔｅｒｔ−ブチルリチウム及びフェニルリチウム等の有機金属化合物、炭酸水素ナトリウム、炭酸水素カリウム、炭酸ナトリウム、炭酸カリウム、水酸化リチウム、水酸化ナトリウム、及び水酸化カリウム等の無機塩基等が挙げられ、
無機塩基が好ましく、
水酸化リチウム、水酸化ナトリウム、及び水酸化カリウムがより好ましく、
水酸化ナトリウム及び水酸化カリウムがさらに好ましく、
水酸化ナトリウムがとりわけ好ましい。
【０４２５】
該塩基の使用量は、含酸基化合物（Ｉ）１モルに対して、通常１〜１００モルであり、好ましくは１〜５０モルであり、より好ましくは１〜２０モルであり、さらに好ましくは１〜１０モルである。
【０４２６】
反応混合物から、含ＭＭ化合物（Ｉ）を取り出す方法は特に限定されず、公知の種々の方法で取り出すことができる。
例えば、反応終了後、反応混合物をろ過することによって、−ＳＯ3（ＭＭ）及び／又は−ＣＯ2（ＭＭ）を有する化合物（Ｉ）を取り出すことができる。さらに、Ｎ，Ｎ−ジメチルホルムアミド、Ｎ，Ｎ−ジメチルアセトアミド、Ｎ−メチルピロリドン等のアミド溶媒、ジメチルスルホキシド等のスルホキシド溶媒、アセトン等のケトン溶媒、メタノール等のアルコール溶媒、アセトニトリル等のニトリル溶媒、水又はそれらの混合溶媒で、得られた残渣を洗浄した後、水、メタノール等の低沸点アルコール又はそれらの混合溶媒で洗浄して精製してもよい。
【０４２７】
［着色組成物］
本発明の着色組成物は、化合物（Ｉ）及び溶剤（Ｅ）を含む。本発明の着色組成物によれば、Ｃ．Ｉ．ピグメントイエロー１３８を含む着色組成物に比べて、より濃色なカラーフィルタを形成することができる。本発明の着色組成物から形成されるカラーフィルタは、液晶表示装置等の表示装置に好適に用いられる。本発明の着色組成物は、好ましくは黄色組成物、橙色組成物、赤色組成物及び緑色組成物である。
【０４２８】
着色組成物中の固形分の含有率は、着色組成物の総量に対して、１００質量％未満であり、好ましくは０．０１質量％以上１００質量％未満であり、より好ましくは０．１質量％以上９９．９質量％以下であり、さらに好ましくは０．１質量％以上９９質量％以下であり、とりわけ好ましくは１質量％以上９０質量％以下であり、一層好ましくは１質量％以上８０質量％以下であり、特に好ましくは１質量％以上７０質量％以下であり、極めて好ましくは１質量％以上６０質量％以下であり、最も好ましくは１質量％以上５０質量％以下である。
本明細書において「固形分の総量」とは、本発明の着色組成物から溶剤（Ｅ）を除いた成分の合計量をいう。固形分の総量及びこれに対する各成分の含有量は、液体クロマトグラフィー又はガスクロマトグラフィー等の公知の分析手段で測定することができる。
【０４２９】
着色組成物中の化合物（Ｉ）の含有率は、固形分の総量中、１００質量％以下であり、好ましくは０．０００１質量％以上９９．９９９９質量％以下であり、より好ましくは０．０００１質量％以上９９質量％以下であり、さらに好ましくは０．０００１質量％以上９０質量％以下であり、とりわけ好ましくは０．０００１質量％以上８０質量％以下であり、一層好ましくは０．０００１質量％以上７０質量％以下であり、特に好ましくは０．０００１質量％以上６０質量％以下であり、極めて好ましくは０．０００１質量％以上５５質量％以下であり、最も好ましくは０．１質量％以上５５質量％以下である。
【０４３０】
［溶剤（Ｅ）］
溶剤（Ｅ）は特に限定されず、当該分野で通常使用される溶剤を用いることができる。
溶剤（Ｅ）は、例えば、エステル溶剤（分子内に−ＣＯ−Ｏ−を含み、−Ｏ−を含まない溶剤）、エーテル溶剤（分子内に−Ｏ−を含み、−ＣＯ−Ｏ−を含まない溶剤）、エーテルエステル溶剤（分子内に−ＣＯ−Ｏ−と−Ｏ−とを含む溶剤）、ケトン溶剤（分子内に−ＣＯ−を含み、−ＣＯ−Ｏ−を含まない溶剤）、アルコール溶剤（分子内にＯＨを含み、−Ｏ−、−ＣＯ−及び−ＣＯ−Ｏ−を含まない溶剤）、芳香族炭化水素溶剤、アミド溶剤及びジメチルスルホキシド等が挙げられる。
【０４３１】
エステル溶剤としては、乳酸メチル、乳酸エチル、乳酸ブチル、２−ヒドロキシイソブタン酸メチル、酢酸エチル、酢酸ｎ−ブチル、酢酸イソブチル、ギ酸ペンチル、酢酸イソペンチル、プロピオン酸ブチル、酪酸イソプロピル、酪酸エチル、酪酸ブチル、ピルビン酸メチル、ピルビン酸エチル、ピルビン酸プロピル、アセト酢酸メチル、アセト酢酸エチル、シクロヘキサノールアセテート及びγ−ブチロラクトン等が挙げられる。
【０４３２】
エーテル溶剤としては、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、３−メトキシ−１−ブタノール、３−メトキシ−３−メチルブタノール、テトラヒドロフラン、テトラヒドロピラン、１，４−ジオキサン、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、アニソール、フェネトール及びメチルアニソール等が挙げられる。
【０４３３】
エーテルエステル溶剤としては、メトキシ酢酸メチル、メトキシ酢酸エチル、メトキシ酢酸ブチル、エトキシ酢酸メチル、エトキシ酢酸エチル、３−メトキシプロピオン酸メチル、３−メトキシプロピオン酸エチル、３−エトキシプロピオン酸メチル、３−エトキシプロピオン酸エチル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−メトキシ−２−メチルプロピオン酸メチル、２−エトキシ−２−メチルプロピオン酸エチル、３−メトキシブチルアセテート、３−メチル−３−メトキシブチルアセテート、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテート及びジプロピレングリコールメチルエーテルアセテート等が挙げられる。
【０４３４】
ケトン溶剤としては、４−ヒドロキシ−４−メチル−２−ペンタノン、アセトン、２−ブタノン、２−ヘプタノン、３−ヘプタノン、４−ヘプタノン、４−メチル−２−ペンタノン、シクロペンタノン、シクロヘキサノン及びイソホロン等が挙げられる。
【０４３５】
アルコール溶剤としては、メタノール、エタノール、プロパノール、ブタノール、ヘキサノール、シクロヘキサノール、エチレングリコール、プロピレングリコール及びグリセリン等が挙げられる。
【０４３６】
芳香族炭化水素溶剤としては、ベンゼン、トルエン、キシレン及びメシチレン等が挙げられる。
【０４３７】
アミド溶剤としては、Ｎ，Ｎ−ジメチルホルムアミド、Ｎ，Ｎ−ジメチルアセトアミド及びＮ−メチルピロリドン等が挙げられる。
【０４３８】
これらの溶剤は、２種以上を併用してもよい。
【０４３９】
上記の溶剤のうち、塗布性、乾燥性の点から、１ａｔｍにおける沸点が１２０℃以上１８０℃以下である有機溶剤が好ましい。溶剤としては、好ましくはプロピレングリコールモノメチルエーテルアセテート、乳酸エチル、プロピレングリコールモノメチルエーテル、３−エトキシプロピオン酸エチル、エチレングリコールモノメチルエーテル、ジエチレングリコールモノメチルエーテル、ジエチレングリコールモノエチルエーテル、４−ヒドロキシ−４−メチル−２−ペンタノン、及びＮ，Ｎ−ジメチルホルムアミドが挙げられ、より好ましくはプロピレングリコールモノメチルエーテルアセテート、プロピレングリコールモノメチルエーテル、乳酸エチル、３−エトキシプロピオン酸エチル、及び４−ヒドロキシ−４−メチル−２−ペンタノン等が挙げられる。
【０４４０】
溶剤（Ｅ）の含有率は、着色組成物の総量に対して、１００質量％未満であり、好ましくは９９．９９質量％以下であり、より好ましくは０．１質量％以上９９．９質量％以下、さらに好ましくは１質量％以上９９．９質量％以下、とりわけ好ましくは１０質量％以上９９質量％以下であり、一層好ましくは２０質量％以上９９質量％以下であり、特に好ましくは３０質量％以上９９質量％以下であり、極めて好ましくは４０質量％以上９９質量％以下であり、最も好ましくは５０質量％以上９９質量％以下である。
【０４４１】
［樹脂（Ｂ）］
樹脂（Ｂ）は、アルカリ可溶性樹脂であることが好ましく、不飽和カルボン酸及び不飽和カルボン酸無水物からなる群より選ばれる少なくとも１種の単量体（以下、「単量体（ａ）」という場合がある。）に由来する構造単位を有する重合体であることがより好ましい。
樹脂（Ｂ）は、炭素数２〜４の環状エーテル構造とエチレン性不飽和結合とを有する単量体（以下、「単量体（ｂ）」という場合がある。）に由来する構造単位、及びその他の構造単位を有する共重合体であることが好ましい。
その他の構造単位としては、単量体（ａ）と共重合可能な単量体（ただし、単量体（ａ）及び単量体（ｂ）とは異なる。以下、「単量体（ｃ）」という場合がある。）に由来する構造単位、エチレン性不飽和結合を有する構造単位等が挙げられる。
【０４４２】
本明細書において「（メタ）アクリル酸」とは、アクリル酸及びメタクリル酸からなる群より選ばれる少なくとも１種を表す。「（メタ）アクリロイル」及び「（メタ）アクリレート」等の表記も、同様の意味を有する。
【０４４３】
単量体（ａ）としては、例えば、アクリル酸、メタクリル酸、クロトン酸及びｏ−、ｍ−、ｐ−ビニル安息香酸等の不飽和モノカルボン酸；
マレイン酸、フマル酸、シトラコン酸、メサコン酸、イタコン酸、３−ビニルフタル酸、４−ビニルフタル酸、３，４，５，６−テトラヒドロフタル酸、１，２，３，６−テトラヒドロフタル酸、ジメチルテトラヒドロフタル酸及び１，４−シクロヘキセンジカルボン酸等の不飽和ジカルボン酸；
メチル−５−ノルボルネン−２，３−ジカルボン酸、５−カルボキシビシクロ［２．２．１］ヘプト−２−エン、５，６−ジカルボキシビシクロ［２．２．１］ヘプト−２−エン、５−カルボキシ−５−メチルビシクロ［２．２．１］ヘプト−２−エン、５−カルボキシ−５−エチルビシクロ［２．２．１］ヘプト−２−エン、５−カルボキシ−６−メチルビシクロ［２．２．１］ヘプト−２−エン、５−カルボキシ−６−エチルビシクロ［２．２．１］ヘプト−２−エン等のカルボキシ基を含有するビシクロ不飽和化合物； 
無水マレイン酸、シトラコン酸無水物、イタコン酸無水物、３−ビニルフタル酸無水物、４−ビニルフタル酸無水物、３，４，５，６−テトラヒドロフタル酸無水物、１，２，３，６−テトラヒドロフタル酸無水物、ジメチルテトラヒドロフタル酸無水物、５，６−ジカルボキシビシクロ［２．２．１］ヘプト−２−エン無水物等の不飽和ジカルボン酸無水物；
こはく酸モノ〔２−（メタ）アクリロイルオキシエチル〕及びフタル酸モノ〔２−（メタ）アクリロイルオキシエチル〕等の２価以上の多価カルボン酸の不飽和モノ〔（メタ）アクリロイルオキシアルキル〕エステル；
α−（ヒドロキシメチル）アクリル酸等、同一分子中にヒドロキシ基及びカルボキシ基を含有する不飽和アクリレート；
等が挙げられる。
【０４４４】
これらのうち、共重合反応性の点や得られる樹脂のアルカリ水溶液への溶解性の点から、アクリル酸、メタクリル酸、ｏ−、ｍ−、ｐ−ビニル安息香酸及び無水マレイン酸等が好ましい。
【０４４５】
単量体（ｂ）は、炭素数２〜４の環状エーテル構造（例えば、オキシラン環、オキセタン環及びテトラヒドロフラン環からなる群から選ばれる少なくとも１種）とエチレン性不飽和結合とを有する重合性化合物をいう。
単量体（ｂ）は、炭素数２〜４の環状エーテル構造と（メタ）アクリロイルオキシ基とを有する単量体であることが好ましい。
【０４４６】
単量体（ｂ）としては、例えば、オキシラニル基とエチレン性不飽和結合とを有する単量体）（以下、「単量体（ｂ１）」という場合がある。）、オキセタニル基とエチレン性不飽和結合とを有する単量体（以下、「単量体（ｂ２）」という場合がある。）及びテトラヒドロフリル基とエチレン性不飽和結合とを有する単量体（以下、「単量体（ｂ３）」という場合がある。）等が挙げられる。
【０４４７】
単量体（ｂ１）としては、例えば、直鎖状又は分岐鎖状の脂肪族不飽和炭化水素がエポキシ化された構造を有する単量体（以下、「単量体（ｂ１−１）」という場合がある。）及び脂環式不飽和炭化水素がエポキシ化された構造を有する単量体（以下、「単量体（ｂ１−２）」という場合がある。）が挙げられる。
【０４４８】
単量体（ｂ１−１）としては、グリシジル基とエチレン性不飽和結合とを有する単量体が好ましい。
単量体（ｂ１−１）としては、例えば、
グリシジル（メタ）アクリレート、β−メチルグリシジル（メタ）アクリレート、β−エチルグリシジル（メタ）アクリレート、グリシジルビニルエーテル、ｏ−ビニルベンジルグリシジルエーテル、ｍ−ビニルベンジルグリシジルエーテル、ｐ−ビニルベンジルグリシジルエーテル、α−メチル−ｏ−ビニルベンジルグリシジルエーテル、α−メチル−ｍ−ビニルベンジルグリシジルエーテル、α−メチル−ｐ−ビニルベンジルグリシジルエーテル、２，３−ビス（グリシジルオキシメチル）スチレン、２，４−ビス（グリシジルオキシメチル）スチレン、２，５−ビス（グリシジルオキシメチル）スチレン、２，６−ビス（グリシジルオキシメチル）スチレン、２，３，４−トリス（グリシジルオキシメチル）スチレン、２，３，５−トリス（グリシジルオキシメチル）スチレン、２，３，６−トリス（グリシジルオキシメチル）スチレン、３，４，５−トリス（グリシジルオキシメチル）スチレン及び２，４，６−トリス（グリシジルオキシメチル）スチレン等が挙げられる。
【０４４９】
単量体（ｂ１−２）としては、例えば、ビニルシクロヘキセンモノオキサイド、１，２−エポキシ−４−ビニルシクロヘキサン（例えば、セロキサイド（登録商標）２０００；（株）ダイセル製）、３，４−エポキシシクロヘキシルメチル（メタ）アクリレート（例えば、サイクロマー（登録商標）Ａ４００；（株）ダイセル製）、３，４−エポキシシクロヘキシルメチル（メタ）アクリレート（例えば、サイクロマー（登録商標）Ｍ１００；（株）ダイセル製）、式（ＢＩ）で表される化合物及び式（ＢＩＩ）で表される化合物等が挙げられる。
【０４５０】
【化９３】
2020132878.tif 000212
【０４５１】
［式（ＢＩ）及び式（ＢＩＩ）中、Ｒa及びＲbは、互いに独立に、水素原子、又は炭素数１〜４のアルキル基を表し、該アルキル基に含まれる水素原子は、ヒドロキシ基で置換されていてもよい。
Ｘa及びＸbは、互いに独立に、単結合、＊−Ｒc−、＊−Ｒc−Ｏ−、＊−Ｒc−Ｓ−又は＊−Ｒc−ＮＨ−を表す。
Ｒcは、炭素数１〜６のアルカンジイル基を表す。
＊は、Ｏとの結合手を表す。］
【０４５２】
炭素数１〜４のアルキル基としては、例えば、メチル基、エチル基、ｎ−プロピル基、イソプロピル基、ｎ−ブチル基、ｓｅｃ−ブチル基、ｔｅｒｔ−ブチル基等が挙げられる。
【０４５３】
水素原子がヒドロキシで置換されたアルキル基としては、例えば、ヒドロキシメチル基、１−ヒドロキシエチル基、２−ヒドロキシエチル基、１−ヒドロキシプロピル基、２−ヒドロキシプロピル基、３−ヒドロキシプロピル基、１−ヒドロキシ−１−メチルエチル基、２−ヒドロキシ−１−メチルエチル基、１−ヒドロキシブチル基、２−ヒドロキシブチル基、３−ヒドロキシブチル基、４−ヒドロキシブチル基等が挙げられる。
【０４５４】
Ｒa及びＲbとしては、好ましくは水素原子、メチル基、ヒドロキシメチル基、１−ヒドロキシエチル基、２−ヒドロキシエチル基が挙げられ、より好ましくは水素原子、メチル基が挙げられる。
【０４５５】
アルカンジイル基としては、例えば、メチレン基、エチレン基、プロパン−１，２−ジイル基、プロパン−１，３−ジイル基、ブタン−１，４−ジイル基、ペンタン−１，５−ジイル基、ヘキサン−１，６−ジイル基等が挙げられる。
【０４５６】
Ｘa及びＸbとしては、好ましくは単結合、メチレン基、エチレン基、＊−ＣＨ2−Ｏ−及び＊−ＣＨ2ＣＨ2−Ｏ−が挙げられ、より好ましくは単結合、＊−ＣＨ2ＣＨ2−Ｏ−が挙げられる（＊はＯとの結合手を表す。）。
【０４５７】
式（ＢＩ）で表される化合物としては、式（ＢＩ−１）〜式（ＢＩ−１５）のいずれかで表される化合物等が挙げられる。中でも、式（ＢＩ−１）、式（ＢＩ−３）、式（ＢＩ−５）、式（ＢＩ−７）、式（ＢＩ−９）及び式（ＢＩ−１１）〜式（ＢＩ−１５）で表される化合物が好ましく、式（ＢＩ−１）、式（ＢＩ−７）、式（ＢＩ−９）及び式（ＢＩ−１５）で表される化合物がより好ましい。
【０４５８】
【化９４】
2020132878.tif 000213
【化９５】
2020132878.tif 000214
【０４５９】
式（ＢＩＩ）で表される化合物としては、式（ＢＩＩ−１）〜式（ＢＩＩ−１５）のいずれかで表される化合物等が挙げられ、中でも、好ましくは式（ＢＩＩ−１）、式（ＢＩＩ−３）、式（ＢＩＩ−５）、式（ＢＩＩ−７）、式（ＢＩＩ−９）及び式（ＢＩＩ−１１）〜式（ＢＩＩ−１５）で表される化合物が挙げられ、より好ましくは式（ＢＩＩ−１）、式（ＢＩＩ−７）、式（ＢＩＩ−９）及び式（ＢＩＩ−１５）で表される化合物が挙げられる。
【０４６０】
【化９６】
2020132878.tif 000215
【化９７】
2020132878.tif 000216
【０４６１】
式（ＢＩ）で表される化合物及び式（ＢＩＩ）で表される化合物は、それぞれ単独で用いてもよいし、２種以上を併用してもよい。式（ＢＩ）で表される化合物及び式（ＢＩＩ）で表される化合物を併用してもよい。式（ＢＩ）で表される化合物及び式（ＢＩＩ）で表される化合物を併用する場合、これらの含有比率〔式（ＢＩ）で表される化合物：式（ＢＩＩ）で表される化合物〕はモル基準で、好ましくは５：９５〜９５：５であり、より好ましくは１０：９０〜９０：１０であり、さらに好ましくは２０：８０〜８０：２０である。
【０４６２】
単量体（ｂ２）としては、オキセタニル基と（メタ）アクリロイルオキシ基とを有する単量体がより好ましい。
単量体（ｂ２）としては、例えば、３−メチル−３−メタクリルロイルオキシメチルオキセタン、３−メチル−３−アクリロイルオキシメチルオキセタン、３−エチル−３−メタクリロイルオキシメチルオキセタン、３−エチル−３−アクリロイルオキシメチルオキセタン、３−メチル−３−メタクリロイルオキシエチルオキセタン、３−メチル−３−アクリロイルオキシエチルオキセタン、３−エチル−３−メタクリロイルオキシエチルオキセタン、３−エチル−３−アクリロイルオキシエチルオキセタン等が挙げられる。
【０４６３】
単量体（ｂ３）としては、テトラヒドロフリル基と（メタ）アクリロイルオキシ基とを有する単量体がより好ましい。
単量体（ｂ３）としては、例えば、テトラヒドロフルフリルアクリレート（例えば、ビスコートＶ＃１５０、大阪有機化学工業（株）製）、テトラヒドロフルフリルメタクリレート等が挙げられる。
【０４６４】
単量体（ｂ）としては、得られるカラーフィルタの耐熱性、耐薬品性等の信頼性をより高くすることができる点で、単量体（ｂ１）であることが好ましい。さらに、着色組成物の保存安定性が優れるという点で、単量体（ｂ１−２）がより好ましい。
【０４６５】
単量体（ｃ）としては、例えば、メチル（メタ）アクリレート、エチル（メタ）アクリレート、ｎ−ブチル（メタ）アクリレート、ｓｅｃ−ブチル（メタ）アクリレート、ｔｅｒｔ−ブチル（メタ）アクリレート、２−エチルヘキシル（メタ）アクリレート、ドデシル（メタ）アクリレート、ラウリル（メタ）アクリレート、ステアリル（メタ）アクリレート、シクロペンチル（メタ）アクリレート、シクロヘキシル（メタ）アクリレート、２−メチルシクロヘキシル（メタ）アクリレート、トリシクロ［５．２．１．０2,6］デカン−８−イル（メタ）アクリレート、トリシクロ［５．２．１．０2,6］デカン−９−イル（メタ）アクリレート、トリシクロ［５．２．１．０2,6］デセン−８−イル（メタ）アクリレート、トリシクロ［５．２．１．０2,6］デセン−９−イル（メタ）アクリレート、ジシクロペンタニルオキシエチル（メタ）アクリレート、イソボルニル（メタ）アクリレート、アダマンチル（メタ）アクリレート、アリル（メタ）アクリレート、プロパルギル（メタ）アクリレート、フェニル（メタ）アクリレート、ナフチル（メタ）アクリレート及びベンジル（メタ）アクリレート等の（メタ）アクリル酸エステル；
２−ヒドロキシエチル（メタ）アクリレート及び２−ヒドロキシプロピル（メタ）アクリレート等のヒドロキシ基含有（メタ）アクリル酸エステル；
２，２，３，３，４，４，５，５−オクタフルオロペンチル（メタ）アクリレート等のハロゲン原子含有（メタ）アクリル酸エステル；
マレイン酸ジエチル、フマル酸ジエチル及びイタコン酸ジエチル等のジカルボン酸ジエステル；
ビシクロ［２．２．１］ヘプト−２−エン、５−メチルビシクロ［２．２．１］ヘプト−２−エン、５−エチルビシクロ［２．２．１］ヘプト−２−エン、５−ヒドロキシビシクロ［２．２．１］ヘプト−２−エン、５−ヒドロキシメチルビシクロ［２．２．１］ヘプト−２−エン、５−（２’−ヒドロキシエチル）ビシクロ［２．２．１］ヘプト−２−エン、５−メトキシビシクロ［２．２．１］ヘプト−２−エン、５−エトキシビシクロ［２．２．１］ヘプト−２−エン、５，６−ジヒドロキシビシクロ［２．２．１］ヘプト−２−エン、５，６−ジ（ヒドロキシメチル）ビシクロ［２．２．１］ヘプト−２−エン、５，６−ジ（２’−ヒドロキシエチル）ビシクロ［２．２．１］ヘプト−２−エン、５，６−ジメトキシビシクロ［２．２．１］ヘプト−２−エン、５，６−ジエトキシビシクロ［２．２．１］ヘプト−２−エン、５−ヒドロキシ−５−メチルビシクロ［２．２．１］ヘプト−２−エン、５−ヒドロキシ−５−エチルビシクロ［２．２．１］ヘプト−２−エン、５−ヒドロキシメチル−５−メチルビシクロ［２．２．１］ヘプト−２−エン、５−ｔｅｒｔ−ブトキシカルボニルビシクロ［２．２．１］ヘプト−２−エン、５−シクロヘキシルオキシカルボニルビシクロ［２．２．１］ヘプト−２−エン、５−フェノキシカルボニルビシクロ［２．２．１］ヘプト−２−エン、５，６−ビス（ｔｅｒｔ−ブトキシカルボニル）ビシクロ［２．２．１］ヘプト−２−エン及び５，６−ビス（シクロヘキシルオキシカルボニル）ビシクロ［２．２．１］ヘプト−２−エン等のビシクロ不飽和化合物；
Ｎ−フェニルマレイミド、Ｎ−シクロヘキシルマレイミド、Ｎ−ベンジルマレイミド、Ｎ−スクシンイミジル−３−マレイミドベンゾエート、Ｎ−スクシンイミジル−４−マレイミドブチレート、Ｎ−スクシンイミジル−６−マレイミドカプロエート、Ｎ−スクシンイミジル−３−マレイミドプロピオネート及びＮ−（９−アクリジニル）マレイミド等のジカルボニルイミド誘導体；
スチレン、ｏ−メチルスチレン、ｍ−メチルスチレン、ｐ−メチルスチレン、ビニルトルエン、９−ビニルカルバゾール及びｐ−メトキシスチレン等のビニル基含有芳香族化合物；（メタ）アクリロニトリル等のビニル基含有ニトリル；塩化ビニル及び塩化ビニリデン等のハロゲン化炭化水素；（メタ）アクリルアミド等のビニル基含有アミド；酢酸ビニル等のエステル；１，３−ブタジエン、イソプレン及び２，３−ジメチル−１，３−ブタジエン等のジエン；等が挙げられる。
【０４６６】
これらのうち、共重合反応性及び耐熱性の点から、スチレン、ビニルトルエン、トリシクロ［５．２．１．０2,6］デカン−８−イル（メタ）アクリレート、トリシクロ［５．２．１．０2,6］デカン−９−イル（メタ）アクリレート、トリシクロ［５．２．１．０2,6］デセン−８−イル（メタ）アクリレート、トリシクロ［５．２．１．０2,6］デセン−９−イル（メタ）アクリレート、Ｎ−フェニルマレイミド、Ｎ−シクロヘキシルマレイミド、Ｎ−ベンジルマレイミド、ビシクロ［２．２．１］ヘプト−２−エン、フェニル（メタ）アクリレート、２，２，３，３，４，４，５，５−オクタフルオロペンチル（メタ）アクリレート、９−ビニルカルバゾール、ベンジル（メタ）アクリレート、２−ヒドロキシエチル（メタ）アククリレート及び２−エチルヘキシル（メタ）アクリレート等が好ましい。
【０４６７】
樹脂（Ｂ）としては、具体的に、３，４−エポキシシクロヘキシルメチル（メタ）アクリレート／（メタ）アクリル酸共重合体、３，４−エポキシトリシクロ［５．２．１．０2,6］デシル（メタ）アクリレート／（メタ）アクリル酸共重合体、３，４−エポキシトリシクロ［５．２．１．０2,6］デシル（メタ）アクリレート／ベンジル（メタ）アクリレート／（メタ）アクリル酸共重合体、３，４−エポキシトリシクロ［５．２．１．０2,6］デシル（メタ）アクリレート／９−ビニルカルバゾール／（メタ）アクリル酸共重合体、３，４−エポキシトリシクロ［５．２．１．０2,6］デシル（メタ）アクリレート／フェニル（メタ）アクリレート／ｏ−ビニル安息香酸共重合体、３，４−エポキシトリシクロ［５．２．１．０2,6］デシル（メタ）アクリレート／フェニル（メタ）アクリレート／ｍ−ビニル安息香酸共重合体、３，４−エポキシトリシクロ［５．２．１．０2,6］デシル（メタ）アクリレート／フェニル（メタ）アクリレート／ｐ−ビニル安息香酸共重合体、３，４−エポキシトリシクロ［５．２．１．０2,6］デシル（メタ）アクリレート／フェニル（メタ）アクリレート／（メタ）アクリル酸共重合体、３，４−エポキシトリシクロ［５．２．１．０2,6］デシル（メタ）アクリレート／２，２，３，３，４，４，５，５−オクタフルオロペンチル（メタ）アクリレート／（メタ）アクリル酸共重合体、グリシジル（メタ）アクリレート／ベンジル（メタ）アクリレート／（メタ）アクリル酸共重合体、グリシジル（メタ）アクリレート／スチレン／（メタ）アクリル酸共重合体、３，４−エポキシトリシクロ［５．２．１．０2,6］デシル（メタ）アクリレート／（メタ）アクリル酸／Ｎ−シクロヘキシルマレイミド共重合体、３，４−エポキシトリシクロ［５．２．１．０2,6］デシル（メタ）アクリレート／（メタ）アクリル酸／Ｎ−シクロヘキシルマレイミド／２−ヒドロキシエチル（メタ）アクリレート共重合体、３，４−エポキシトリシクロ［５．２．１．０2,6］デシル（メタ）アクリレート／（メタ）アクリル酸／ビニルトルエン共重合体、３，４−エポキシトリシクロ［５．２．１．０2,6］デシル（メタ）アクリレート／（メタ）アクリル酸／２−エチルヘキシル（メタ）アクリレート共重合体、３，４−エポキシトリシクロ［５．２．１．０2,6］デシル（メタ）アクリレート／トリシクロ［５．２．１．０2,6］デセニル（メタ）アクリレート／（メタ）アクリル酸／Ｎ−シクロヘキシルマレイミド共重合体、３−メチル−３−（メタ）アクリルロイルオキシメチルオキセタン／（メタ）アクリル酸／スチレン共重合体、ベンジル（メタ）アクリレート／（メタ）アクリル酸共重合体、スチレン／（メタ）アクリル酸共重合体並びに特開平９−１０６０７１号公報、特開２００４−２９５１８号公報及び特開２００４−３６１４５５号公報の各公報記載の樹脂等が挙げられる。
中でも、樹脂（Ｂ）としては、単量体（ａ）に由来する構造単位及び単量体（ｂ）に由来する構造単位を含む共重合体が好ましい。
樹脂（Ｂ）は２種以上を組み合わせてもよく、この場合は、樹脂（Ｂ）は、少なくとも、
単量体（ａ）に由来する構造単位及び単量体（ｂ）に由来する構造単位を含む共重合体を少なくとも１種含むことが好ましく、
単量体（ａ）に由来する構造単位及び単量体（ｂ１）に由来する構造単位を含む共重合体を少なくとも１種含むことがより好ましく、
単量体（ａ）に由来する構造単位及び単量体（ｂ１−２）に由来する構造単位を含む共重合体を少なくとも１種含むことがさらに好ましく、
３，４−エポキシトリシクロ［５．２．１．０2,6］デシル（メタ）アクリレート／（メタ）アクリル酸共重合体、３，４−エポキシトリシクロ［５．２．１．０2,6］デシル（メタ）アクリレート／ベンジル（メタ）アクリレート／（メタ）アクリル酸共重合体、３，４−エポキシトリシクロ［５．２．１．０2,6］デシル（メタ）アクリレート／（メタ）アクリル酸／Ｎ−シクロヘキシルマレイミド／２−ヒドロキシエチル（メタ）アクリレート共重合体、３，４−エポキシトリシクロ［５．２．１．０2,6］デシル（メタ）アクリレート／（メタ）アクリル酸／ビニルトルエン共重合体、３，４−エポキシトリシクロ［５．２．１．０2,6］デシル（メタ）アクリレート／（メタ）アクリル酸／２−エチルヘキシル（メタ）アクリレート共重合体から選ばれる１以上を含むことがとりわけ好ましい。
【０４６８】
樹脂（Ｂ）のポリスチレン換算の重量平均分子量（Ｍｗ）は、好ましくは１，０００〜１００，０００であり、より好ましくは１，０００〜５０，０００であり、さらに好ましくは１，０００〜３０，０００であり、とりわけ好ましくは３０００〜３００００であり、特に好ましくは５，０００〜３０，０００である。
【０４６９】
樹脂（Ｂ）の分散度［重量平均分子量（Ｍｗ）／数平均分子量（Ｍｎ）］は、好ましくは１〜６であり、より好ましくは１〜５であり、さらに好ましくは１〜４である。
【０４７０】
樹脂（Ｂ）の酸価（固形分換算値）は、好ましくは１０〜５００ｍｇ−ＫＯＨ／ｇ、より好ましくは２０〜４５０ｍｇ−ＫＯＨ／ｇ、さらに好ましくは２０〜４００ｍｇ−ＫＯＨ／ｇ、さらにより好ましくは２０〜３７０ｍｇ−ＫＯＨ／ｇであり、より一層好ましくは３０〜３７０ｍｇ−ＫＯＨ／ｇ、よりさらに一層好ましくは３０〜３５０ｍｇ−ＫＯＨ／ｇ、特に好ましくは３０〜３４０ｍｇ−ＫＯＨ／ｇ、最も好ましくは３０〜３３５ｍｇ−ＫＯＨ／ｇである。ここで酸価は樹脂（Ｂ）１ｇを中和するに必要な水酸化カリウムの量（ｍｇ）として測定される値であり、例えば水酸化カリウム水溶液を用いて滴定することにより求めることができる。
【０４７１】
着色組成物中、樹脂（Ｂ）の含有率は、固形分の総量に対して、１００質量％未満であり、好ましくは０．００００１質量％以上９９．９９９９９質量％以下であり、より好ましくは１質量％以上９９質量％以下であり、さらに好ましくは１質量％以上９７質量％以下であり、とりわけ好ましくは１質量％以上９５質量％以下であり、一層好ましくは３質量％以上９５質量％以下であり、特に好ましくは５質量％以上９５質量％以下であり、極めて好ましくは１０質量％以上９５質量％以下である。
【０４７２】
［化合物（Ｉ）含有液の調製］
本発明の着色組成物は、予め化合物（Ｉ）と溶剤（Ｅ）とを含む化合物（Ｉ）含有液を調製した後、該化合物（Ｉ）含有液を使用して着色組成物を調製してもよい。化合物（Ｉ）が溶剤（Ｅ）に溶解しない場合、化合物（Ｉ）含有液は、化合物（Ｉ）を溶剤（Ｅ）に分散させて混合することにより調製してもよい。化合物（Ｉ）含有液は、着色組成物に含有される溶剤（Ｅ）の一部又は全部を含んでいてもよい。
なお、該化合物（Ｉ）含有液は、本発明の着色組成物に含まれる。
【０４７３】
化合物（Ｉ）含有液の固形分の含有率は、化合物（Ｉ）含有液の総量に対して、１００質量％未満であり、好ましくは０．０１質量％以上９９．９９質量％以下であり、より好ましくは０．１質量％以上９９．９質量％以下、さらに好ましくは０．１質量％以上９９質量％以下、とりわけ好ましくは１質量％以上９０質量％以下であり、一層好ましくは１質量％以上８０質量％以下であり、特に好ましくは１質量％以上７０質量％以下であり、極めて好ましくは１質量％以上６０質量％以下であり、最も好ましくは１質量％以上５０質量％以下である。
【０４７４】
化合物（Ｉ）含有液の化合物（Ｉ）の含有率は、化合物（Ｉ）含有液中の固形分の総量中、１００質量％以下であり、好ましくは０．０００１質量％以上９９．９９９９質量％以下であり、より好ましくは０．０００１質量％以上９９質量％以下であり、さらに好ましくは１質量％以上９９質量％以下であり、とりわけ好ましくは３質量％以上９９質量％以下であり、一層好ましくは５質量％以上９９質量％以下である。
【０４７５】
化合物（Ｉ）は、必要に応じて、ロジン処理、酸性基又は塩基性基が導入された誘導体等を用いた表面処理、高分子化合物等による化合物（Ｉ）表面へのグラフト処理、硫酸微粒化法、ソルトミリング法等による微粒化処理、不純物を除去するための有機溶剤や水等による洗浄処理、イオン性不純物のイオン交換法等による除去処理等が施されていてもよい。
また、化合物（Ｉ）は、必要に応じて、結晶構造変換、粒子の整形及び／又は粒径の略均一化処理；
化合物（Ｉ）と、水及び／又は有機溶媒とを混合し、撹拌及び／又は加熱しながら撹拌して、懸濁液を得た後、該懸濁液をろ過して、結晶構造が変わった化合物（Ｉ）を得る処理；
再結晶することにより、化合物（Ｉ）の結晶構造を変える処理；
化合物（Ｉ）と、水、硫酸又は有機溶媒とを混合し、撹拌及び／又は加熱しながら撹拌して、溶液又は懸濁液を得た後、該溶液又は該懸濁液を、化合物（Ｉ）の貧溶媒と混合し、懸濁液を得た後、該懸濁液をろ過して、結晶構造が変わった化合物（Ｉ）を得る処理；
化合物（Ｉ）と、誘導体と、水及び／又は有機溶媒とを混合し、撹拌及び／又は加熱しながら撹拌して、懸濁液を得た後、該懸濁液をろ過して、結晶構造が変わった化合物（Ｉ）を含む混合物を得る処理及び／又は化合物（Ｉ）と誘導体とを混合する処理；
化合物（Ｉ）と誘導体の混合物を再結晶することにより、結晶構造が変わった化合物（Ｉ）を含む混合物を得る処理及び／又は化合物（Ｉ）と誘導体とを混合する処理；
化合物（Ｉ）と、誘導体と、水、硫酸又は有機溶媒とを混合し、撹拌及び／又は加熱しながら撹拌して、溶液又は懸濁液を得た後、該溶液又は該懸濁液を、化合物（Ｉ）の貧溶媒と混合し、懸濁液を得た後、該懸濁液をろ過して、結晶構造が変わった化合物（Ｉ）を含む混合物を得る処理及び／又は化合物（Ｉ）と誘導体とを混合する処理；
等が施されていてもよい。
化合物（Ｉ）又は誘導体を複数種使用する場合、それぞれ単独でこれらの処理をしてもよいし、複数種を混合してこれらの処理をしてもよい。
化合物（Ｉ）の粒径は、略均一であることが好ましい。
【０４７６】
前記結晶構造変換に用いられる有機溶媒としては、
アセトニトリル等のニトリル溶媒；メタノール、エタノール、１−プロパノール、２−プロパノール、１−ブタノール、１−ペンタノール、１−ヘキサノール、１−ヘプタノール、２−エチル−１−ヘキサノール、１−オクタノール、フェノール等のアルコール溶媒；アミン溶媒；ジエチルエーテル、テトラヒドロフラン、ジフェニルエーテル等のエーテル溶媒；アセトン、メチルイソブチルケトン等のケトン溶媒；酢酸エチル、安息香酸メチル等のエステル溶媒；ヘキサン等の脂肪族炭化水素溶媒；トルエン、トリメチルベンゼン（例えば、１，３，５−トリメチルベンゼン）、デカリン、テトラリン等の芳香族炭化水素溶媒；塩化メチレン、クロロホルム、１，２−ジクロロベンゼン、トリクロロベンゼン（例えば、１，３，５−トリクロロベンゼン）、１−クロロナフタレン、２−クロロナフタレン等のハロゲン化炭化水素溶媒；ニトロベンゼン等のニトロ化炭化水素溶媒；Ｎ，Ｎ−ジメチルホルムアミド、Ｎ，Ｎ−ジメチルアセトアミド、Ｎ−メチルピロリドン等のアミド溶媒；ジメチルスルホキシド等のスルホキシド溶媒；等が挙げられる。
【０４７７】
前記貧溶媒としては、
アセトニトリル等のニトリル溶媒；メタノール、エタノール、１−プロパノール、２−プロパノール、１−ブタノール、１−ペンタノール、１−ヘキサノール、１−ヘプタノール、２−エチル−１−ヘキサノール、１−オクタノール、フェノール等のアルコール溶媒；アミン溶媒；ジエチルエーテル、テトラヒドロフラン、ジフェニルエーテル等のエーテル溶媒；アセトン、メチルイソブチルケトン等のケトン溶媒；酢酸エチル、安息香酸メチル等のエステル溶媒；ヘキサン等の脂肪族炭化水素溶媒；トルエン、トリメチルベンゼン（例えば、１，３，５−トリメチルベンゼン）、デカリン、テトラリン等の芳香族炭化水素溶媒；塩化メチレン、クロロホルム、１，２−ジクロロベンゼン、トリクロロベンゼン（例えば、１，３，５−トリクロロベンゼン）、１−クロロナフタレン、２−クロロナフタレン等のハロゲン化炭化水素溶媒；ニトロベンゼン等のニトロ化炭化水素溶媒；等が挙げられる。
【０４７８】
誘導体としては、式（ｚ）で表される化合物及び式（ｚ１）で表される化合物等が挙げられる。
【０４７９】
【化９８】
2020132878.tif 000217
【０４８０】
【化９９】
2020132878.tif 000218
【０４８１】
化合物（Ｉ）含有液が誘導体を含有する場合、該誘導体の含有率は、化合物（Ｉ）１００質量部に対して、０．０１質量部以上１００質量部以下であり、０．０１質量部以上７０質量部以下が好ましく、０．１質量部以上５０質量部以下がより好ましく、０．１質量部以上３０質量部以下がさらに好ましく、０．１質量部以上２０質量部以下がとりわけ好ましい。
【０４８２】
化合物（Ｉ）は、分散剤を含有させて分散処理を行うことで、化合物（Ｉ）が化合物（Ｉ）含有液の中で均一に分散した状態にすることができる。化合物（Ｉ）を複数種使用する場合、それぞれ単独で分散処理してもよいし、複数種を混合して分散処理してもよい。
【０４８３】
分散剤としては、界面活性剤等が挙げられ、カチオン系、アニオン系、ノニオン系及び両性のいずれの界面活性剤であってもよい。具体的にはポリエステル系、ポリアミン系及びアクリル系等の界面活性剤等が挙げられる。これらの分散剤は、単独で又は二種以上を組み合わせて用いてもよい。分散剤としては、商品名で表すと、ＫＰ（信越化学工業（株）製）、フローレン（共栄社化学（株）製）、ソルスパース（登録商標）（ゼネカ（株）製）、ＥＦＫＡ（登録商標）（ＢＡＳＦ製）、アジスパー（登録商標）（味の素ファインテクノ（株）製）、ＤＩＳＰＥＲＢＹＫ（登録商標）（ビックケミー（株）製）、及びＢＹＫ（登録商標）（ビックケミー（株）製）等が挙げられる。
【０４８４】
化合物（Ｉ）含有液が分散剤を含有する場合、該分散剤（固形分）の使用量は、化合物（Ｉ）１００質量部に対して、例えば０．０１質量部以上１００００質量部以下であり、好ましくは０．０１質量部以上５０００質量部以下であり、より好ましくは０．０１質量部以上１０００質量部以下であり、さらに好ましくは０．１質量部以上５００質量部以下であり、とりわけ好ましくは０．１質量部以上３００質量部以下であり、一層好ましくは１質量部以上３００質量部以下であり、特に好ましくは５質量部以上２６０質量部以下である。
該分散剤の使用量が前記の範囲にあると、より均一な分散状態の化合物（Ｉ）含有液が得られる傾向がある。
【０４８５】
本発明の着色組成物が樹脂（Ｂ）を含み、化合物（Ｉ）と溶剤（Ｅ）とを含む化合物（Ｉ）含有液を予め調製した後、該化合物（Ｉ）含有液を使用して本発明の着色組成物を調製する場合、化合物（Ｉ）含有液は、着色組成物に含有される樹脂（Ｂ）の一部又は全部、好ましくは一部を予め含んでいてもよい。樹脂（Ｂ）を予め含ませておくことで、化合物（Ｉ）含有液の分散安定性をさらに改善できる。
【０４８６】
化合物（Ｉ）含有液が樹脂（Ｂ）を含有する場合、樹脂（Ｂ）の含有量は、化合物（Ｉ）１００質量部に対して、例えば０．０１質量部以上１００００質量部以下であり、好ましくは０．０１質量部以上５０００質量部以下であり、より好ましくは０．０１質量部以上１０００質量部以下であり、さらに好ましくは０．１質量部以上５００質量部以下であり、とりわけ好ましくは０．１質量部以上３００質量部以下である。
【０４８７】
［重合性化合物（Ｃ）］
重合性化合物（Ｃ）は、重合開始剤（Ｄ）から発生した活性ラジカル及び／又は酸によって重合しうる化合物であり、例えば、重合性のエチレン性不飽和結合を有する化合物等であり、好ましくは（メタ）アクリル酸エステル化合物である。
【０４８８】
エチレン性不飽和結合を１つ有する重合性化合物としては、例えば、ノニルフェニルカルビトールアクリレート、２−ヒドロキシ−３−フェノキシプロピルアクリレート、２−エチルヘキシルカルビトールアクリレート、２−ヒドロキシエチルアクリレート、Ｎ−ビニルピロリドン等、並びに、上述の単量体（ａ）、単量体（ｂ）及び単量体（ｃ）が挙げられる。
【０４８９】
エチレン性不飽和結合を２つ有する重合性化合物としては、例えば、１，６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイロキシエチル）エーテル及び３−メチルペンタンジオールジ（メタ）アクリレート等が挙げられる。
【０４９０】
中でも、重合性化合物（Ｃ）は、エチレン性不飽和結合を３つ以上有する重合性化合物であることが好ましい。このような重合性化合物としては、例えば、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリペンタエリスリトールオクタ（メタ）アクリレート、トリペンタエリスリトールヘプタ（メタ）アクリレート、テトラペンタエリスリトールデカ（メタ）アクリレート、テトラペンタエリスリトールノナ（メタ）アクリレート、トリス（２−（メタ）アクリロイルオキシエチル）イソシアヌレート、エチレングリコール変性ペンタエリスリトールテトラ（メタ）アクリレート、エチレングリコール変性ジペンタエリスリトールヘキサ（メタ）アクリレート、プロピレングリコール変性ペンタエリスリトールテトラ（メタ）アクリレート、プロピレングリコール変性ジペンタエリスリトールヘキサ（メタ）アクリレート、カプロラクトン変性ペンタエリスリトールテトラ（メタ）アクリレート及びカプロラクトン変性ジペンタエリスリトールヘキサ（メタ）アクリレート等が挙げられ、好ましくはジペンタエリスリトールペンタ（メタ）アクリレート及びジペンタエリスリトールヘキサ（メタ）アクリレートが挙げられる。
【０４９１】
重合性化合物（Ｃ）の重量平均分子量は、好ましくは５０以上４０００以下であり、より好ましくは５０以上３５００以下であり、さらに好ましくは５０以上３０００以下であり、とりわけ好ましくは１５０以上２，９００以下であり、特に好ましくは２５０以上１，５００以下である。
【０４９２】
重合性化合物（Ｃ）の含有量は、着色組成物中、固形分の総量に対して、１００質量％未満であり、好ましくは０．００００１質量％以上９９．９９９９９質量％以下であり、より好ましくは１質量％以上９９質量％以下であり、さらに好ましくは１質量％以上９７質量％以下であり、とりわけ好ましくは１質量％以上９５質量％以下であり、一層好ましくは１質量％以上９０質量％以下であり、特に好ましくは２質量％以上８０質量％以下であり、極めて好ましくは３質量％以上７０質量％以下である。
【０４９３】
［重合開始剤（Ｄ）］
重合開始剤（Ｄ）は、光や熱の作用により活性ラジカル、酸等を発生し、重合を開始しうる化合物であれば特に限定されることなく、公知の重合開始剤を用いることができる。
重合開始剤（Ｄ）としては、オキシム化合物、例えばＯ−アシルオキシム化合物等、アルキルフェノン化合物、ビイミダゾール化合物、トリアジン化合物及びアシルホスフィンオキサイド化合物等が挙げられる。
【０４９４】
Ｏ−アシルオキシム化合物としては、例えば、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン、Ｎ−ベンゾイルオキシ−１−（４−フェニルスルファニルフェニル）−３−シクロペンチルプロパン−１−オン−２−イミン、Ｎ−アセトキシ−１−（４−フェニルスルファニルフェニル）−３−シクロペンチルプロパン−１−オン−２−イミン、Ｎ−アセトキシ−１−（４−フェニルスルファニルフェニル）−３−シクロヘキシルプロパン−１−オン−２−イミン、Ｎ−アセトキシ−１−［９−エチル−６−（２−メチルベンゾイル）−９Ｈ−カルバゾール−３−イル］エタン−１−イミン、Ｎ−アセトキシ−１−［９−エチル−６−｛２−メチル−４−（３，３−ジメチル−２，４−ジオキサシクロペンタニルメチルオキシ）ベンゾイル｝−９Ｈ−カルバゾール−３−イル］エタン−１−イミン、Ｎ−アセトキシ−１−［９−エチル−６−（２−メチルベンゾイル）−９Ｈ−カルバゾール−３−イル］−３−シクロペンチルプロパン−１−イミン及びＮ−ベンゾイルオキシ−１−［９−エチル−６−（２−メチルベンゾイル）−９Ｈ−カルバゾール−３−イル］−３−シクロペンチルプロパン−１−オン−２−イミン等が挙げられる。また、Ｏ−アシルオキシム化合物として、イルガキュアＯＸＥ０１、ＯＸＥ０２（以上、ＢＡＳＦ製）及びＮ−１９１９（（株）ＡＤＥＫＡ製）等の市販品を用いてもよい。中でも、Ｏ−アシルオキシム化合物としては、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン及びＮ−ベンゾイルオキシ−１−（４−フェニルスルファニルフェニル）−３−シクロペンチルプロパン−１−オン−２−イミンからなる群から選ばれる少なくとも１種が好ましく、Ｎ−ベンゾイルオキシ−１−（４−フェニルスルファニルフェニル）オクタン−１−オン−２−イミンがより好ましい。
【０４９５】
アルキルフェノン化合物としては、２−メチル−２−モルホリノ−１−（４−メチルスルファニルフェニル）プロパン−１−オン、２−ジメチルアミノ−１−（４−モルホリノフェニル）−２−ベンジルブタン−１−オン及び２−（ジメチルアミノ）−２−［（４−メチルフェニル）メチル］−１−［４−（４−モルホリニル）フェニル］ブタン−１−オン等が挙げられる。アルキルフェノン化合物として、イルガキュア３６９、９０７、３７９（以上、ＢＡＳＦ製）等の市販品を用いてもよい。
アルキルフェノン化合物としては、２−ヒドロキシ−２−メチル−１−フェニルプロパン−１−オン、２−ヒドロキシ−２−メチル−１−〔４−（２−ヒドロキシエトキシ）フェニル〕プロパン−１−オン、１−ヒドロキシシクロヘキシルフェニルケトン、２−ヒドロキシ−２−メチル−１−（４−イソプロペニルフェニル）プロパン−１−オンのオリゴマー、α，α−ジエトキシアセトフェノン及びベンジルジメチルケタールも挙げられる。
【０４９６】
ビイミダゾール化合物としては、例えば、２，２’−ビス（２−クロロフェニル）−４，４’，５，５’−テトラフェニルビイミダゾール、２，２’−ビス（２，３−ジクロロフェニル）−４，４’，５，５’−テトラフェニルビイミダゾール（例えば、特開平６−７５３７２号公報、特開平６−７５３７３号公報等参照。）、２，２’−ビス（２−クロロフェニル）−４，４’，５，５’−テトラ（アルコキシフェニル）ビイミダゾール、２，２’−ビス（２−クロロフェニル）−４，４’，５，５’−テトラ（ジアルコキシフェニル）ビイミダゾール、２，２’−ビス（２−クロロフェニル）−４，４’，５，５’−テトラ（トリアルコキシフェニル）ビイミダゾール（例えば、特公昭４８−３８４０３号公報、特開昭６２−１７４２０４号公報等参照。）及び４，４’，５，５’−位のフェニル基がカルボアルコキシ基により置換されているビイミダゾール化合物（例えば、特開平７−１０９１３号公報等参照）等が挙げられる。
【０４９７】
トリアジン化合物としては、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−ピペロニル−１，３，５−トリアジン、２，４−ビス（トリクロロメチル）−６−(４−メトキシスチリル)−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン及び２，４−ビス（トリクロロメチル）−６−〔２−（３，４−ジメトキシフェニル）エテニル〕−１，３，５−トリアジン等が挙げられる。
【０４９８】
アシルホスフィンオキサイド化合物としては、２，４，６−トリメチルベンゾイルジフェニルホスフィンオキサイド等が挙げられる。イルガキュア（登録商標）８１９（ＢＡＳＦ製）等の市販品を用いてもよい。
【０４９９】
さらに重合開始剤（Ｄ）としては、ベンゾイン、ベンゾインメチルエーテル、ベンゾインエチルエーテル、ベンゾインイソプロピルエーテル、ベンゾインイソブチルエーテル等のベンゾイン化合物；ベンゾフェノン、ｏ−ベンゾイル安息香酸メチル、４−フェニルベンゾフェノン、４−ベンゾイル−４’−メチルジフェニルサルファイド、３，３’，４，４’−テトラ（ｔｅｒｔ−ブチルパーオキシカルボニル）ベンゾフェノン及び２，４，６−トリメチルベンゾフェノン等のベンゾフェノン化合物；９，１０−フェナンスレンキノン、２−エチルアントラキノン及びカンファーキノン等のキノン化合物；１０−ブチル−２−クロロアクリドン、ベンジル、フェニルグリオキシル酸メチル及びチタノセン化合物等が挙げられる。
これらは、後述の重合開始助剤（以下、重合開始助剤（Ｄ１）という場合がある。）、特にアミン類と組み合わせて用いることが好ましい。
【０５００】
重合開始剤（Ｄ）は、好ましくはアルキルフェノン化合物、トリアジン化合物、アシルホスフィンオキサイド化合物、オキシム化合物及びビイミダゾール化合物からなる群から選ばれる少なくとも一種を含む重合開始剤であり、より好ましくはオキシム化合物を含む重合開始剤であり、さらに好ましくはＯ−アシルオキシム化合物を含む重合開始剤である。
【０５０１】
重合開始剤（Ｄ）の含有率は、樹脂（Ｂ）及び重合性化合物（Ｃ）の合計量に対して、好ましくは０．００１質量％以上６０質量％以下であり、より好ましくは０．０１質量％以上５０質量％以下である。
【０５０２】
［重合開始助剤（Ｄ１）］
本発明の着色組成物は、重合開始助剤（Ｄ１）を含有してもよい。重合開始助剤（Ｄ１）は、重合開始剤（Ｄ）によって重合が開始された重合性化合物（Ｃ）の重合を促進するために用いられる化合物、もしくは増感剤である。重合開始助剤（Ｄ１）を含む場合、通常、重合開始剤（Ｄ）と組み合わせて用いられる。
重合開始助剤（Ｄ１）としては、アミン化合物、アルコキシアントラセン化合物、チオキサントン化合物及びカルボン酸化合物等が挙げられる。
【０５０３】
アミン化合物としては、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ，Ｎ−ジメチルパラトルイジン、４，４’−ビス（ジメチルアミノ）ベンゾフェノン（通称ミヒラーズケトン）、４，４’−ビス（ジエチルアミノ）ベンゾフェノン及び４，４’−ビス（エチルメチルアミノ）ベンゾフェノン等が挙げられ、好ましくは４，４’−ビス（ジエチルアミノ）ベンゾフェノンが挙げられる。また、アミン化合物として、ＥＡＢ−Ｆ（保土谷化学工業（株）製）等の市販品を用いてもよい。
【０５０４】
アルコキシアントラセン化合物としては、９，１０−ジメトキシアントラセン、２−エチル−９，１０−ジメトキシアントラセン、９，１０−ジエトキシアントラセン、２−エチル−９，１０−ジエトキシアントラセン、９，１０−ジブトキシアントラセン及び２−エチル−９，１０−ジブトキシアントラセン等が挙げられる。
【０５０５】
チオキサントン化合物としては、２−イソプロピルチオキサントン、４−イソプロピルチオキサントン、２，４−ジエチルチオキサントン、２，４−ジクロロチオキサントン及び１−クロロ−４−プロポキシチオキサントン等が挙げられる。
【０５０６】
カルボン酸化合物としては、フェニルスルファニル酢酸、メチルフェニルスルファニル酢酸、エチルフェニルスルファニル酢酸、メチルエチルフェニルスルファニル酢酸、ジメチルフェニルスルファニル酢酸、メトキシフェニルスルファニル酢酸、ジメトキシフェニルスルファニル酢酸、クロロフェニルスルファニル酢酸、ジクロロフェニルスルファニル酢酸、Ｎ−フェニルグリシン、フェノキシ酢酸、ナフチルチオ酢酸、Ｎ−ナフチルグリシン及びナフトキシ酢酸等が挙げられる。
【０５０７】
これらの重合開始助剤（Ｄ１）を用いる場合、その含有率は、樹脂（Ｂ）及び重合性化合物（Ｃ）の合計量に対して、好ましくは０．００００１質量％以上６０質量％以下であり、より好ましくは０．０００１質量％以上５０質量％以下である。
【０５０８】
［着色剤（Ａ１）］
本発明の着色組成物は、化合物（Ｉ）以外の着色剤（以下、着色剤（Ａ１）という場合がある。）を含んでいてもよい。着色剤（Ａ１）には、１種又は２種以上の着色剤が含まれていてもよい。着色剤（Ａ１）は、黄色着色剤、橙色着色剤、赤色着色剤及び緑色着色剤から選ばれる１種以上を含むことが好ましく、黄色着色剤及び緑色着色剤から選ばれる１種以上を含むことがより好ましい。
【０５０９】
着色剤（Ａ１）は、染料であっても顔料であってもよい。染料としては、公知の染料を使用することができ、例えば、カラーインデックス（The Society of Dyers and Colourists 出版）及び染色ノート（色染社）に記載されている公知の染料が挙げられる。また、化学構造によれば、アゾ染料、シアニン染料、トリフェニルメタン染料、キサンテン染料、アントラキノン染料、ナフトキノン染料、キノンイミン染料、メチン染料、アゾメチン染料、スクワリリウム染料、アクリジン染料、スチリル染料、クマリン染料、キノリン染料、ニトロ染料、フタロシアニン染料、ペリレン染料、キノフタロン染料、イソインドリン染料等が挙げられる。これらの染料は、単独、又は２種以上を組み合わせて使用してもよい。
【０５１０】
具体的には、以下のようなカラーインデックス（Ｃ．Ｉ．）番号の染料が挙げられる。
Ｃ．Ｉ．ソルベントイエロー４、１４、１５、２３、２４、２５、３８、６２、６３、６８、７９、８１、８２、８３、８９、９４、９８、９９、１１７、１６２、１６３、１６７、１８９；
Ｃ．Ｉ．ソルベントレッド２４、４５、４９、９０，９１、１１１、１１８、１１９、１２２、１２４、１２５、１２７、１３０、１３２、１４３、１４５、１４６、１５０、１５１、１５５、１６０、１６８、１６９、１７２、１７５、１８１、２０７、２１８、２２２、２２７、２３０、２４５、２４７；
Ｃ．Ｉ．ソルベントオレンジ２、７、１１、１５、２６、４１、５４、５６、７７、８６、９９；
Ｃ．Ｉ．ソルベントバイオレット１１、１３、１４、２６、３１、３６、３７、３８、４５、４７、４８、５１、５９、６０；
Ｃ．Ｉ．ソルベントブルー４、５、１４、１８、３５、３６、３７、３８、４４、４５、５８、５９、５９：１、６３、６７、６８、６９、７０、７８、７９、８３、９０、９４、９７、９８、１００、１０１、１０２、１０４、１０５、１１１、１１２、１２２、１２８、１３２、１３６、１３９；
Ｃ．Ｉ．ソルベントグリーン１、３、４、５、７、２８、２９、３２、３３、３４、３５等のＣ．Ｉ．ソルベント染料、
Ｃ．Ｉ．アシッドイエロー１、３、７、９、１１、１７、２３、２５、２９、３４、３６、３８、４０、４２、５４、６５、７２、７３、７６、７９、９８、９９、１１１、１１２、１１３、１１４、１１６、１１９、１２３、１２８、１３４、１３５、１３８、１３９、１４０、１４４、１５０、１５５、１５７、１６０、１６１、１６３、１６８、１６９、１７２、１７７、１７８、１７９、１８４、１９０、１９３、１９６、１９７、１９９、２０２、２０３、２０４、２０５、２０７、２１２、２１４、２２０、２２１、２２８、２３０、２３２、２３５、２３８、２４０、２４２、２４３、２５１；
Ｃ．Ｉ．アシッドレッド１、４、８、１４、１７、１８、２６、２７、２９、３１、３３、３４、３５、３７、４０、４２、４４、５０、５１、５２、５７、６６、７３、７６、８０、８７、８８、９１、９２、９４、９５、９７、９８、１０３、１０６、１１１、１１４、１２９、１３３、１３４、１３８、１４３、１４５、１５０、１５１、１５５、１５８、１６０、１７２、１７６、１８２、１８３、１９５、１９８、２０６、２１１、２１５、２１６、２１７、２２７、２２８、２４９、２５２、２５７、２５８、２６０、２６１、２６６、２６８、２７０、２７４、２７７、２８０、２８１、２８９、３０８、３１２、３１５、３１６、３３９、３４１、３４５、３４６、３４９、３８２、３８３、３８８、３９４、４０１、４１２、４１７、４１８、４２２、４２６；
Ｃ．Ｉ．アシッドオレンジ６、７、８、１０、１２、２６、５０、５１、５２、５６、６２、６３、６４、７４、７５、９４、９５、１０７、１０８、１４９、１６２、１６９、１７３；
Ｃ．Ｉ．アシッドバイオレット６Ｂ、７、９、１５、１６、１７、１９、２１、２３、２４、２５、３０、３４、３８、４９、７２、１０２；
Ｃ．Ｉ．アシッドブルー１、３、５、７、９、１１、１３、１５、１７、１８、２２、２３、２４、２５、２６、２７、２９、３４、３８、４０、４１、４２、４３、４５、４８、５１、５４、５９、６０、６２、７０、７２、７４、７５、７８、８０、８２、８３、８６、８７、８８、９０、９０：１、９１、９２、９３、９３：１、９６、９９、１００、１０２、１０３、１０４、１０８、１０９、１１０、１１２、１１３、１１７、１１９、１２０、１２３、１２６、１２７、１２９、１３０、１３１、１３８、１４０、１４２、１４３、１４７、１５０、１５１、１５４、１５８、１６１、１６６、１６７、１６８、１７０、１７１、１７５、１８２、１８３、１８４、１８７、１９２、１９９、２０３、２０４、２０５、２１０、２１３、２２９、２３４、２３６、２４２、２４３、２４９、２５６、２５９、２６７、２６９、２７８、２８０、２８５、２９０、２９６、３１５、３２４：１、３３５、３４０；
Ｃ．Ｉ．アシッドグリーン１、３、５、６、７、８、９、１１、１３、１４、１５、１６、２２、２５、２７、２８、４１、５０、５０：１、５８、６３、６５、８０、１０４、１０５、１０６、１０９等のＣ．Ｉ．アシッド染料、
Ｃ．Ｉ．ダイレクトイエロー２、４、２８、３３、３４、３５、３８、３９、４３、４４、４７、５０、５４、５８、６８、６９、７０、７１、８６、９３、９４、９５、９８、１０２、１０８、１０９、１２９、１３２、１３６、１３８、１４１；
Ｃ．Ｉ．ダイレクトレッド７９、８２、８３、８４、９１、９２、９６、９７、９８、９９、１０５、１０６、１０７、１７２、１７３、１７６、１７７、１７９、１８１、１８２、１８４、２０４、２０７、２１１、２１３、２１８、２２０、２２１、２２２、２３２、２３３、２３４、２４１、２４３、２４６、２５０；
Ｃ．Ｉ．ダイレクトオレンジ２６、３４、３９、４１、４６、５０、５２、５６、５７、６１、６４、６５、６８、７０、９６、９７、１０６、１０７；
Ｃ．Ｉ．ダイレクトバイオレット４７、５２、５４、５９、６０、６５、６６、７９、８０、８１、８２、８４、８９、９０、９３、９５、９６、１０３、１０４；
Ｃ．Ｉ．ダイレクトブルー１、２、３、６、８、１５、２２、２５、２８、２９、４０、４１、４２、４７、５２、５５、５７、７１、７６、７７、７８、８０、８１、８４、８５、８６、８７、９０、９３、９４、９５、９７、９８、９９、１００、１０１、１０６、１０７、１０８、１０９、１１３、１１４、１１５、１１７、１１９、１２０、１３７、１４９、１５０、１５３、１５５、１５６、１５８、１５９、１６０、１６１、１６２、１６３、１６４、１６５、１６６、１６７、１６８、１７０、１７１、１７２、１７３、１８８、１８９、１９０、１９２、１９３、１９４、１９５、１９６、１９８、１９９、２００、２０１、２０２、２０３、２０７、２０９、２１０、２１２、２１３、２１４、２２２、２２５、２２６、２２８、２２９、２３６、２３７、２３８、２４２、２４３、２４４、２４５、２４６、２４７、２４８、２４９、２５０、２５１、２５２、２５６、２５７、２５９、２６０、２６８、２７４、２７５、２９３；
Ｃ．Ｉ．ダイレクトグリーン２５、２７、３１、３２、３４、３７、６３、６５、６６、６７、６８、６９、７２、７９、８２等のＣ．Ｉ．ダイレクト染料、
Ｃ．Ｉ．ディスパースイエロー５１、５４、７６；
Ｃ．Ｉ．ディスパースバイオレット２６、２７；
Ｃ．Ｉ．ディスパースブルー１、１４、５６、６０等のＣ．Ｉ．ディスパース染料、
Ｃ．Ｉ．ベーシックレッド１、１０；
Ｃ．Ｉ．ベーシックブルー１、３、５、７、９、１９、２１、２２、２４、２５、２６、２８、２９、４０、４１、４５、４７、５４、５８、５９、６０、６４、６５、６６、６７、６８、８１、８３、８８、８９；
Ｃ．Ｉ．ベーシックバイオレット２；
Ｃ．Ｉ．ベーシックレッド９；
Ｃ．Ｉ．ベーシックグリーン１；等のＣ．Ｉ．ベーシック染料、
Ｃ．Ｉ．リアクティブイエロー２、７６、１１６；
Ｃ．Ｉ．リアクティブオレンジ１６；
Ｃ．Ｉ．リアクティブレッド３６；等のＣ．Ｉ．リアクティブ染料、
Ｃ．Ｉ．モーダントイエロー５、８、１０、１６、２０、２６、３０、３１、３３、４２、４３、４５、５６、６１、６２、６５；
Ｃ．Ｉ．モーダントレッド１、２、３、４、９、１１、１２、１４、１７、１８、１９、２２、２３、２４、２５、２６、２７、２９、３０、３２、３３、３６、３７、３８、３９、４１、４２、４３、４５、４６、４８、５２、５３、５６、６２、６３、７１、７４、７６、７８、８５、８６、８８、９０、９４、９５；
Ｃ．Ｉ．モーダントオレンジ３、４、５、８、１２、１３、１４、２０、２１、２３、２４、２８、２９、３２、３４、３５、３６、３７、４２、４３、４７、４８；
Ｃ．Ｉ．モーダントバイオレット１、１：１、２、３、４、５、６、７、８、１０、１１、１４、１５、１６、１７、１８、１９、２１、２２、２３、２４、２７、２８、３０、３１、３２、３３、３６、３７、３９、４０、４１、４４、４５、４７、４８、４９、５３、５８；
Ｃ．Ｉ．モーダントブルー１、２、３、７、８、９、１２、１３、１５、１６、１９、２０、２１、２２、２３、２４、２６、３０、３１、３２、３９、４０、４１、４３、４４、４８、４９、５３、６１、７４、７７、８３、８４；
Ｃ．Ｉ．モーダントグリーン１、３、４、５、１０、１３、１５、１９、２１、２３、２６、２９、３１、３３、３４、３５、４１、４３、５３等のＣ．Ｉ．モーダント染料、
Ｃ．Ｉ．バットグリーン１等のＣ．Ｉ．バット染料等
【０５１１】
さらに、ＢＡＳＦの製品であるルモゲン（登録商標）が挙げられ、ルモゲン（登録商標）  Ｆ  イエロー  ０８３（ＢＡＳＦ製）、ルモゲン（登録商標）  Ｆ  イエロー  １７０（ＢＡＳＦ製）、ルモゲン（登録商標）  Ｆ  オレンジ  ２４０（ＢＡＳＦ製）及びルモゲン（登録商標）  Ｆ  レッド  ３０５（ＢＡＳＦ製）が挙げられる。
【０５１２】
また、式（ｚ）で表される化合物及び式（ｚ１）で表される化合物等が挙げられる。
【０５１３】
【化１００】
2020132878.tif 000219
【０５１４】
【化１０１】
2020132878.tif 000220
【０５１５】
顔料としては、公知の顔料を使用することができ、例えば、カラーインデックス（The Society of Dyers and Colourists出版）でピグメントに分類されている顔料が挙げられる。これらを単独で用いてもよく、又は２種以上を組み合わせて使用してもよい。
具体的には、Ｃ．Ｉ．ピグメントイエロー１、３、１２、１３、１４、１５、１６、１７、２０、２４、３１、５３、８３、８６、９３、９４、１０９、１１０、１１７、１２５、１２８、１２９、１３７、１３８、１３９、１４７、１４８、１５０、１５３、１５４、１６６、１７３、１８５、１９４、２１４、２３１等の黄色顔料；
Ｃ．Ｉ．ピグメントオレンジ１３、３１、３６、３８、４０、４２、４３、５１、５５、５９、６１、６４、６５、７１、７３等のオレンジ色顔料；
Ｃ．Ｉ．ピグメントレッド９、９７、１０５、１２２、１２３、１４４、１４９、１６６、１６８、１７６、１７７、１７８、１７９、１８０、１９０、１９２、２０９、２１５、２１６、２２４、２４２、２５４、２５５、２６４、２６５、２６６、２６８、２６９、２７３等の赤色顔料；
Ｃ．Ｉ．ピグメントブルー１５、１５：１、１５：２、１５：３、１５：４、１５：６、１６、６０等の青色顔料；
Ｃ．Ｉ．ピグメントバイオレット１、１９、２３、２９、３２、３６、３８等のバイオレット色顔料；
Ｃ．Ｉ．ピグメントグリーン７、３６、５８、５９、６２、６３等の緑色顔料；
Ｃ．Ｉ．ピグメントブラウン２３、２５等のブラウン色顔料；
Ｃ．Ｉ．ピグメントブラック１、７、３１、３２等の黒色顔料
が挙げられる。
【０５１６】
着色剤（Ａ１）としては、黄色染料及び黄色顔料（以下、これらを総称して「黄色着色剤」という場合がある）、橙色染料及び橙色顔料（以下、これらを総称して「橙色着色剤」という場合がある）、赤色染料及び赤色顔料（以下、これらを総称して「赤色着色剤」という場合がある）、緑色染料及び緑色顔料（以下、これらを総称して「緑色着色剤」という場合がある）が好ましく、黄色着色剤及び緑色着色剤がより好ましく、黄色顔料及び緑色顔料がさらに好ましく、緑色顔料がとりわけ好ましい。
【０５１７】
黄色染料としては、上記染料のうち、色相が黄に分類されている染料が挙げられ、黄色顔料としては、上記顔料のうち、色相が黄に分類されている顔料が挙げられる。
黄色着色剤としては、黄色染料及び黄色顔料が好ましく、黄色顔料がより好ましく、キノフタロン顔料、金属含有顔料、イソインドリン顔料がさらに好ましく、Ｃ．Ｉ．ピグメントイエロー１２９、１３８、１３９、１５０、１８５、２３１がとりわけ好ましく、Ｃ．Ｉ．ピグメントイエロー１３８、１３９、１５０、１８５、２３１が一層好ましい。
【０５１８】
橙色染料としては、上記染料のうち、色相が橙に分類されている染料が挙げられ、橙色顔料としては、上記顔料のうち、色相が橙に分類されている顔料が挙げられる。
橙色着色剤としては、橙色染料及び橙色顔料が好ましく、橙色顔料がより好ましく、Ｃ．Ｉ．ピグメントオレンジ１３、３１、３６、３８、４０、４２、４３、５１、５５、５９、６１、６４、６５、７１、７３がさらに好ましい。
【０５１９】
赤色染料としては、上記染料のうち、色相が赤に分類されている染料が挙げられ、赤色顔料としては、上記顔料のうち、色相が赤に分類されている顔料が挙げられる。
赤色着色剤としては、赤色染料及び赤色顔料が好ましく、アゾ染料、アントラキノン染料、トリフェニルメタン染料、キサンテン染料、ペリレン染料、アゾ顔料、ジケトピロロピロール顔料、アントラキノン顔料、トリフェニルメタン染料、キサンテン顔料及びペリレン顔料がより好ましく、Ｃ．Ｉ．アシッドレッド５２、Ｃ．Ｉ．ピグメントレッド１４４、１７７、１７９、２４２、２５４及び２６９がさらに好ましい。
【０５２０】
また、黄色着色剤、橙色着色剤又は赤色着色剤として、特開２０１３−２３５２５７号公報に記載のキサンテン化合物等を使用してもよい。
【０５２１】
緑色染料としては、上記染料のうち、色相が緑に分類されている染料が挙げられ、緑色顔料としては、上記顔料のうち、色相が緑に分類されている顔料が挙げられる。
緑色着色剤としては、緑色染料及び緑色顔料が好ましく、緑色顔料がより好ましく、フタロシアニン顔料がさらに好ましく、ハロゲン化銅フタロシアニン顔料、ハロゲン化亜鉛フタロシアニン顔料及びハロゲン化アルミニウム亜鉛フタロシアニン顔料がとりわけ好ましく、Ｃ．Ｉ．ピグメントグリーン７、３６、５８、５９、６２及び６３が一層好ましい。
【０５２２】
［着色剤（Ａ１）含有液の調製］
本発明の着色組成物が着色剤（Ａ１）を含む場合、予め着色剤（Ａ１）と溶剤（Ｅ）とを含む着色剤（Ａ１）含有液を調製した後、該着色剤（Ａ１）含有液を使用して着色組成物を調製してもよい。着色剤（Ａ１）が溶剤（Ｅ）に溶解しない場合、着色剤（Ａ１）含有液は、着色剤（Ａ１）を溶剤（Ｅ）に分散させて混合することにより調製できる。着色剤（Ａ１）含有液は、着色組成物に含有される溶剤（Ｅ）の一部又は全部を含んでいてもよい。
【０５２３】
着色剤（Ａ１）含有液中の固形分の含有率は、着色剤（Ａ１）含有液の総量に対して、１００質量％未満であり、好ましくは０．０１質量％以上９９．９９質量％以下であり、より好ましくは０．１質量％以上９９．９質量％以下であり、さらに好ましくは０．１質量％以上９９質量％以下であり、とりわけ好ましくは１質量％以上９０質量％以下であり、一層好ましくは１質量％以上８０質量％以下であり、特に好ましくは１質量％以上７０質量％以下であり、極めて好ましくは１質量％以上６０質量％以下であり、最も好ましくは１質量％以上５０質量％以下である。
【０５２４】
着色剤（Ａ１）含有液中の着色剤（Ａ１）の含有率は、着色剤（Ａ１）含有液中の固形分の総量中、１００質量％以下であり、好ましくは０．０００１質量％以上９９．９９９９質量％以下であり、より好ましくは０．０００１質量％以上９９質量％以下であり、さらに好ましくは１質量％以上９９質量％以下であり、とりわけ好ましくは３質量％以上９９質量％以下であり、一層好ましくは５質量％以上９９質量％以下である。
【０５２５】
着色剤（Ａ１）は、必要に応じて、ロジン処理、酸性基又は塩基性基が導入された誘導体等を用いた表面処理、高分子化合物等による着色剤（Ａ１）表面へのグラフト処理、硫酸微粒化法、ソルトミリング法等による微粒化処理、不純物を除去するための有機溶剤や水等による洗浄処理、イオン性不純物のイオン交換法等による除去処理、化合物（Ｉ）と同様な結晶構造変換、粒子の整形及び／又は粒径の略均一化処理等が施されていてもよい。着色剤（Ａ１）の粒径は、略均一であることが好ましい。
【０５２６】
着色剤（Ａ１）は、分散剤を含有させて分散処理を行うことで、着色剤（Ａ１）が着色剤（Ａ１）含有液の中で均一に分散した状態にすることができる。着色剤（Ａ１）は、それぞれ単独で分散処理してもよいし、複数種を混合して分散処理してもよい。
【０５２７】
分散剤としては、界面活性剤等が挙げられ、カチオン系、アニオン系、ノニオン系及び両性のいずれの界面活性剤であってもよい。具体的にはポリエステル系、ポリアミン系及びアクリル系等の界面活性剤等が挙げられる。これらの分散剤は、単独で又は二種以上を組み合わせて用いてもよい。分散剤としては、商品名で表すと、ＫＰ（信越化学工業（株）製）、フローレン（共栄社化学（株）製）、ソルスパース（登録商標）（ゼネカ（株）製）、ＥＦＫＡ（登録商標）（ＢＡＳＦ製）、アジスパー（登録商標）（味の素ファインテクノ（株）製）、ＤＩＳＰＥＲＢＹＫ（登録商標）（ビックケミー（株）製）、及びＢＹＫ（登録商標）（ビックケミー（株）製）等が挙げられる。
【０５２８】
着色剤（Ａ１）含有液が分散剤を含有する場合、該分散剤（固形分）の使用量は、着色剤（Ａ１）１００質量部に対して、例えば０．０１質量部以上１００００質量部以下であり、好ましくは０．０１質量部以上５０００質量部以下であり、より好ましくは０．０１質量部以上１０００質量部以下であり、さらに好ましくは０．１質量部以上５００質量部以下であり、とりわけ好ましくは０．１質量部以上３００質量部以下であり、一層好ましくは１質量部以上３００質量部以下であり、特に好ましくは５質量部以上２６０質量部以下である。
該分散剤の使用量が前記の範囲にあると、より均一な分散状態の着色剤（Ａ１）含有液が得られる傾向がある。
【０５２９】
本発明の着色組成物が樹脂（Ｂ）を含み、着色剤（Ａ１）と溶剤（Ｅ）とを含む着色剤（Ａ１）含有液を予め調製した後、該着色剤（Ａ１）含有液を使用して、本発明の着色組成物を調製する場合、着色剤（Ａ１）含有液は、着色組成物に含有される樹脂（Ｂ）の一部又は全部、好ましくは一部を予め含んでいてもよい。樹脂（Ｂ）を予め含ませておくことで、着色剤（Ａ１）含有液の分散安定性をさらに改善できる。
【０５３０】
着色剤（Ａ１）含有液が樹脂（Ｂ）を含有する場合、樹脂（Ｂ）の含有量は、着色剤（Ａ１）１００質量部に対して、例えば０．０１質量部以上１００００質量部以下であり、好ましくは０．０１質量部以上５０００質量部以下であり、より好ましくは０．０１質量部以上１０００質量部以下であり、さらに好ましくは０．１質量部以上５００質量部以下であり、とりわけ好ましくは０．１質量部以上３００質量部以下である。
【０５３１】
本発明の着色組成物が着色剤（Ａ１）を含有する場合、着色組成物中、化合物（Ｉ）及び着色剤（Ａ１）を合せた着色剤（Ａ）の含有率は、固形分の総量に対して、１００質量％以下であり、好ましくは０．０００１質量％以上９９．９９９９質量％以下であり、より好ましくは０．０００１質量％以上９９質量％以下であり、さらに好ましくは０．０００１質量％以上９０質量％以下であり、とりわけ好ましくは０．０００１質量％以上８０質量％以下であり、一層好ましくは０．０００１質量％以上７０質量％以下であり、特に好ましくは０．０００１質量％以上６０質量％以下であり、極めて好ましくは０．０００１質量％以上５５質量％以下であり、最も好ましくは０．１質量％以上５５質量％以下である。
【０５３２】
本発明の着色組成物が、着色剤（Ａ１）を含有する場合、化合物（Ｉ）の含有率は、着色剤（Ａ）の総量中、通常０．０００１質量％以上であり、好ましくは０．０００３質量％以上であり、より好ましくは０．０００５質量％以上であり、さらに好ましくは０．００１質量％以上であり、上限は１００質量％未満であり、好ましくは９９．９９９９質量％以下であり、より好ましくは９９質量％以下であり、さらに好ましくは９８質量％以下であり、とりわけ好ましくは９７質量％以下である。
【０５３３】
［レベリング剤（Ｆ）］
レベリング剤（Ｆ）としては、シリコーン系界面活性剤、フッ素系界面活性剤及びフッ素原子を有するシリコーン系界面活性剤等が挙げられる。これらは、側鎖に重合性基を有していてもよい。
【０５３４】
シリコーン系界面活性剤としては、分子内にシロキサン結合を有する界面活性剤等が挙げられる。具体的には、トーレシリコーンＤＣ３ＰＡ、同ＳＨ７ＰＡ、同ＤＣ１１ＰＡ、同ＳＨ２１ＰＡ、同ＳＨ２８ＰＡ、同ＳＨ２９ＰＡ、同ＳＨ３０ＰＡ、同ＳＨ８４００（商品名：東レ・ダウコーニング（株）製）、ＫＰ３２１、ＫＰ３２２、ＫＰ３２３、ＫＰ３２４、ＫＰ３２６、ＫＰ３４０、ＫＰ３４１（信越化学工業（株）製）、ＴＳＦ４００、ＴＳＦ４０１、ＴＳＦ４１０、ＴＳＦ４３００、ＴＳＦ４４４０、ＴＳＦ４４４５、ＴＳＦ４４４６、ＴＳＦ４４５２及びＴＳＦ４４６０（モメンティブ・パフォーマンス・マテリアルズ・ジャパン合同会社製）等が挙げられる。
【０５３５】
フッ素系界面活性剤としては、分子内にフルオロカーボン鎖を有する界面活性剤等が挙げられる。具体的には、フロラード（登録商標）ＦＣ４３０、同ＦＣ４３１（住友スリーエム（株）製）、メガファック（登録商標）Ｆ１４２Ｄ、同Ｆ１７１、同Ｆ１７２、同Ｆ１７３、同Ｆ１７７、同Ｆ１８３、同Ｆ５５４、同Ｒ３０、同ＲＳ−７１８−Ｋ（ＤＩＣ（株）製）、エフトップ（登録商標）ＥＦ３０１、同ＥＦ３０３、同ＥＦ３５１、同ＥＦ３５２（三菱マテリアル電子化成（株）製）、サーフロン（登録商標）Ｓ３８１、同Ｓ３８２、同ＳＣ１０１、同ＳＣ１０５（旭硝子（株）製）及びＥ５８４４（（株）ダイキンファインケミカル研究所製）等が挙げられる。
【０５３６】
フッ素原子を有するシリコーン系界面活性剤としては、分子内にシロキサン結合及びフルオロカーボン鎖を有する界面活性剤等が挙げられる。具体的には、メガファック（登録商標）Ｒ０８、同ＢＬ２０、同Ｆ４７５、同Ｆ４７７及び同Ｆ４４３（ＤＩＣ（株）製）等が挙げられる。
【０５３７】
レベリング剤（Ｆ）を含有する場合、その含有量は、着色組成物の総量に対して、通常０．００００１質量％以上５質量％以下であり、好ましくは０．００００１質量％以上３質量％以下であり、より好ましくは０．０００１質量％以上２質量％以下であり、さらに好ましくは０.０００１質量％以上１質量％以下である。
レベリング剤（Ｆ）の含有量が前記の範囲内にあると、カラーフィルタの平坦性を良好にすることができる。
【０５３８】
［酸化防止剤（Ｇ）］
着色剤の耐熱性及び耐光性を向上させる観点から、酸化防止剤を単独又は２種以上を組み合わせて用いることが好ましい。酸化防止剤としては、工業的に一般に使用される酸化防止剤であれば特に限定はなく、フェノール系酸化防止剤、リン系酸化防止剤及び硫黄系酸化防止剤などを用いることができる。
【０５３９】
前記フェノール系酸化防止剤としては、例えば、イルガノックス１０１０（Ｉｒｇａｎｏｘ １０１０：ペンタエリスリトールテトラキス［３−（３，５−ジ−ｔｅｒｔ−ブチル−４−ヒドロキシフェニル）プロピオネート］、ＢＡＳＦ製）、イルガノックス１０７６（Ｉｒｇａｎｏｘ １０７６：オクタデシル−３−（３，５−ジ−ｔｅｒｔ−ブチル−４−ヒドロキシフェニル）プロピオネート、ＢＡＳＦ製）、イルガノックス１３３０（Ｉｒｇａｎｏｘ １３３０：３，３’，３’’，５，５’，５’’−ヘキサ−ｔｅｒｔ−ブチル−ａ，ａ’，ａ’’−（メシチレン−２，４，６−トルイル）トリ−ｐ−クレゾール、ＢＡＳＦ製）、イルガノックス３１１４（Ｉｒｇａｎｏｘ ３１１４：１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン、ＢＡＳＦ製）、イルガノックス３７９０（Ｉｒｇａｎｏｘ ３７９０：１，３，５−トリス（（４−ｔｅｒｔ−ブチル−３−ヒドロキシ−２，６−キシリル）メチル）−１，３，５−トリアジン−２，４，６（１Ｈ，３Ｈ，５Ｈ）−トリオン、ＢＡＳＦ製）、イルガノックス１０３５（Ｉｒｇａｎｏｘ １０３５：チオジエチレンビス［３−（３，５−ジ−ｔｅｒｔ−ブチル−４−ヒドロキシフェニル）プロピオネート］、ＢＡＳＦ製）、イルガノックス１１３５（Ｉｒｇａｎｏｘ１１３５：ベンゼンプロパン酸、３，５−ビス（１，１−ジメチルエチル）−４−ヒドロキシ、Ｃ７−Ｃ９側鎖アルキルエステル、ＢＡＳＦ製）、イルガノックス１５２０Ｌ（Ｉｒｇａｎｏｘ １５２０Ｌ：４，６−ビス（オクチルチオメチル）−ｏ−クレゾール、ＢＡＳＦ製）、イルガノックス３１２５（Ｉｒｇａｎｏｘ ３１２５、ＢＡＳＦ製）、イルガノックス５６５（Ｉｒｇａｎｏｘ ５６５：２，４−ビス（ｎ−オクチルチオ）−６−（４−ヒドロキシ３’，５’−ジ−ｔｅｒｔ−ブチルアニリノ）−１，３，５−トリアジン、ＢＡＳＦ製）、アデカスタブＡＯ−８０（アデカスタブＡＯ−８０：３，９−ビス（２−（３−（３−ｔｅｒｔ−ブチル−４−ヒドロキシ−５−メチルフェニル）プロピオニルオキシ）−１，１−ジメチルエチル）−２，４，８，１０−テトラオキサスピロ（５，５）ウンデカン、（株）ＡＤＥＫＡ製）、スミライザーＢＨＴ（Ｓｕｍｉｌｉｚｅｒ ＢＨＴ、住友化学（株）製）、スミライザーＧＡ−８０（Ｓｕｍｉｌｉｚｅｒ ＧＡ−８０、住友化学（株）製）、スミライザーＧＳ（Ｓｕｍｉｌｉｚｅｒ ＧＳ、住友化学（株）製）、シアノックス１７９０（Ｃｙａｎｏｘ １７９０、（株）サイテック製）及びビタミンＥ（エーザイ（株）製）などが挙げられる。
【０５４０】
前記リン系酸化防止剤としては、例えば、イルガフォス１６８（Ｉｒｇａｆｏｓ １６８：トリス（２，４−ジ−ｔｅｒｔ−ブチルフェニル）フォスファイト、ＢＡＳＦ製）、イルガフォス１２（Ｉｒｇａｆｏｓ １２：トリス［２−［［２，４，８，１０−テトラ−ｔｅｒｔ−ブチルジベンゾ［ｄ，ｆ］［１，３，２］ジオキサフォスフィン−６−イル］オキシ］エチル］アミン、ＢＡＳＦ製）、イルガフォス３８（Ｉｒｇａｆｏｓ ３８：ビス（２，４−ビス（１，１−ジメチルエチル）−６−メチルフェニル）エチルエステル亜りん酸、ＢＡＳＦ製）、アデカスタブ３２９Ｋ（（株）ＡＤＥＫＡ製）、アデカスタブＰＥＰ３６（（株）ＡＤＥＫＡ製）、アデカスタブＰＥＰ−８（（株）ＡＤＥＫＡ製）、Ｓａｎｄｓｔａｂ Ｐ−ＥＰＱ（クラリアント社製）、ウェストン６１８（Ｗｅｓｔｏｎ６１８、ＧＥ社製）、ウェストン６１９Ｇ（Ｗｅｓｔｏｎ ６１９Ｇ、ＧＥ社製）、ウルトラノックス６２６（Ｕｌｔｒａｎｏｘ ６２６、ＧＥ社製）及びスミライザーＧＰ（Ｓｕｍｉｌｉｚｅｒ ＧＰ：６−［３−（３−ｔｅｒｔ−ブチル−４−ヒドロキシ−５−メチルフェニル）プロポキシ］−２，４，８，１０−テトラ−ｔｅｒｔ−ブチルジベンズ［ｄ，ｆ］［１．３．２］ジオキサホスフェピン）（住友化学（株）製）などが挙げられる。
【０５４１】
前記硫黄系酸化防止剤としては、例えば、チオジプロピオン酸ジラウリル、ジミリスチル又はジステアリル等のジアルキルチオジプロピオネート化合物及びテトラキス［メチレン（３−ドデシルチオ）プロピオネート］メタン等のポリオールのβ−アルキルメルカプトプロピオン酸エステル化合物などが挙げられる。
【０５４２】
［その他の成分］
本発明の着色組成物は、必要に応じて、充填剤、他の高分子化合物、密着促進剤、光安定剤、連鎖移動剤等、当該技術分野で公知の添加剤を含んでもよい。
密着促進剤としては、例えば、ビニルトリメトキシシラン、ビニルトリエトキシシラン、ビニルトリス（２−メトキシエトキシ）シラン、３−グリシジルオキシプロピルトリメトキシシラン、３−グリシドキシプロピルメチルジメトキシシラン、３−グリシドキシプロピルメチルジエトキシシラン、２−（３，４−エポキシシクロヘキシル）エチルトリメトキシシラン、３−クロロプロピルメチルジメトキシシラン、３−クロロプロピルトリメトキシシラン、３−メタクリロイルオキシプロピルトリメトキシシラン、３−メルカプトプロピルトリメトキシシラン、３−スルファニルプロピルトリメトキシシラン、３−イソシアネートプロピルトリエトキシシラン、Ｎ−２−（アミノエチル）−３−アミノプロピルメチルジメトキシシラン、Ｎ−２−（アミノエチル）−３−アミノプロピルメチルジエトキシシラン、Ｎ−２−（アミノエチル）−３−アミノプロピルトリメトキシシラン、Ｎ−２−（アミノエチル）−３−アミノプロピルメチルジエトキシシラン、３−アミノプロピルトリメトキシシラン、３−アミノプロピルトリエトキシシラン、Ｎ−フェニル−３−アミノプロピルトリメトキシシラン及びＮ−フェニル−３−アミノプロピルトリエトキシシラン等が挙げられる。
【０５４３】
［着色組成物の製造方法］
本発明の着色組成物は、例えば、化合物（Ｉ）、溶剤（Ｅ）、及び、必要に応じて、樹脂（Ｂ）、重合性化合物（Ｃ）、重合開始剤（Ｄ）、重合開始助剤（Ｄ１）、着色剤（Ａ１）、レベリング剤（Ｆ）、酸化防止剤（Ｇ）及び／又はその他の成分を混合することにより調製できる。混合は公知又は慣用の装置や条件により行うことができる。
化合物（Ｉ）は、予め溶剤（Ｅ）の一部または全部と混合し、化合物（Ｉ）の平均粒子径が０．２μｍ以下程度となるまで、ビーズミルなどを用いて分散させた化合物（Ｉ）含有液の状態で用いることが好ましい。この際、必要に応じて前記分散剤、樹脂（Ｂ）の一部または全部を配合してもよい。
着色剤（Ａ１）は、予め溶剤（Ｅ）の一部または全部と混合し、着色剤（Ａ１）の平均粒子径が０．２μｍ以下程度となるまで、ビーズミルなどを用いて分散させた着色剤（Ａ１）含有液の状態で用いることが好ましい。この際、必要に応じて前記分散剤、樹脂（Ｂ）の一部または全部を配合してもよい。
化合物（Ｉ）は、予め溶剤（Ｅ）の一部または全部に溶解させた溶液（該溶液は、化合物（Ｉ）含有液に含まれる）の状態で用いることが好ましい。さらに、該化合物（Ｉ）含有液を、孔径０．０１μｍ以上１μｍ以下程度のフィルタでろ過することが好ましい。
着色剤（Ａ１）は、予め溶剤（Ｅ）の一部または全部に溶解させた溶液（該溶液は、着色剤（Ａ１）含有液に含まれる）の状態で用いることが好ましい。さらに、該着色剤（Ａ１）含有液を、孔径０．０１μｍ以上１μｍ以下程度のフィルタでろ過することが好ましい。
混合後の着色組成物を、孔径０．０１μｍ以上１０μｍ以下程度のフィルタでろ過することが好ましい。
【０５４４】
［カラーフィルタ］
本発明の着色組成物から、カラーフィルタを形成することができる。
着色組成物を基板に塗布し、溶剤等の揮発成分を除去して乾燥させることにより、着色塗膜を形成することができる。このように形成した着色塗膜は、本発明のカラーフィルタに含まれる。
着色パターンを形成する方法としては、フォトリソグラフ法、インクジェット法、印刷法等が挙げられる。中でも、フォトリソグラフ法が好ましい。フォトリソグラフ法は、前記着色組成物を基板に塗布し、乾燥させて着色組成物層を形成し、フォトマスクを介して該着色組成物層を露光して、現像する方法である。フォトリソグラフ法において、露光の際にフォトマスクを用いないこと、及び／又は現像しないことにより、上記着色組成物層の硬化物である着色塗膜を形成することができる。このように形成した着色パターンや着色塗膜は、本発明のカラーフィルタである。
作製するカラーフィルタの膜厚は、特に限定されず、目的や用途等に応じて適宜調整することができ、例えば、０．１〜３０μｍであり、好ましくは０．１〜２０μｍであり、さらに好ましくは０．５〜６μｍである。
【０５４５】
基板としては、石英ガラス、ホウケイ酸ガラス、アルミナケイ酸塩ガラス、表面をシリカコートしたソーダライムガラス等のガラス板や、ポリカーボネート、ポリメタクリル酸メチル、ポリエチレンテレフタレート等の樹脂板、シリコン、前記基板上にアルミニウム、銀、銀／銅／パラジウム合金薄膜などを形成したものが用いられる。これらの基板上には、別のカラーフィルタ層、樹脂層、トランジスタ及び回路等が形成されていてもよい。
【０５４６】
フォトリソグラフ法による各色画素の形成は、公知又は慣用の装置や条件で行うことができる。例えば、下記のようにして作製することができる。
まず、着色組成物を基板上に塗布し、加熱乾燥（プリベーク）及び／又は減圧乾燥することにより溶剤等の揮発成分を除去して乾燥させ、平滑な着色組成物層を得る。
塗布方法としては、スピンコート法、スリットコート法及びスリット・アンド・スピンコート法等が挙げられる。
加熱乾燥を行う場合の温度は、３０〜１２０℃が好ましく、５０〜１１０℃がより好ましい。また加熱時間としては、１０秒間〜６０分間であることが好ましく、３０秒間〜３０分間であることがより好ましい。減圧乾燥を行う場合は、５０〜１５０Ｐａの圧力下に、２０〜２５℃の温度範囲で行うことが好ましい。着色組成物層の膜厚は、特に限定されず、目的とするカラーフィルタの膜厚に応じて適宜選択すればよい。
【０５４７】
次に、着色組成物層は、目的の着色パターンを形成するためのフォトマスクを介して露光される。
該フォトマスク上のパターンは特に限定されず、目的とする用途に応じたパターンが用いられる。露光に用いられる光源としては、２５０〜４５０ｎｍの波長の光を発生する光源が好ましい。例えば、３５０ｎｍ未満の光を、この波長域をカットするフィルタを用いてカットしたり、４３６ｎｍ付近、４０８ｎｍ付近、３６５ｎｍ付近の光を、これらの波長域を取り出すバンドパスフィルタを用いて選択的に取り出したりしてもよい。光源の具体例としては、水銀灯、発光ダイオード、メタルハライドランプおよびハロゲンランプが挙げられる。
露光面全体に均一に平行光線を照射することや、フォトマスクと着色組成物層が形成された基板との正確な位置合わせを行うことができるため、マスクアライナ及びステッパ等の露光装置を使用することが好ましい。
【０５４８】
露光後の着色組成物層を現像液に接触させて現像することにより、基板上に着色パターンが形成される。現像により、着色組成物層の未露光部が現像液に溶解して除去される。
現像液としては、例えば、水酸化カリウム、炭酸水素ナトリウム、炭酸ナトリウム及び水酸化テトラメチルアンモニウム等のアルカリ性化合物の水溶液が好ましい。
アルカリ性化合物の濃度は、好ましくは０．０１〜１０質量％であり、より好ましくは０．０２〜５質量％である。現像液は、界面活性剤を含んでいてもよい。
現像方法は、パドル法、ディッピング法及びスプレー法等のいずれでもよい。さらに現像時に基板を任意の角度に傾けてもよい。
現像後の基板は、水洗されることが好ましい。
さらに、得られた着色パターンに、ポストベークを行うことが好ましい。
ポストベーク温度は、１５０〜２５０℃が好ましく、１６０〜２３５℃がより好ましい。ポストベーク時間は、１〜１２０分間が好ましく、１０〜６０分間がより好ましい。この様にして得られた着色パターンや着色塗膜であるカラーフィルタは、種々の特性を付与する為、さらに表面コート処理に供してもよい。
【０５４９】
前記カラーフィルタは、表示装置（例えば、液晶表示装置、有機ＥＬ装置、電子ペーパー等）及び固体撮像素子に用いられるカラーフィルタとして、中でも液晶表示装置に用いられるカラーフィルタとして有用である。
【実施例】
【０５５０】
以下、実施例を挙げて本発明をより具体的に説明するが、本発明はもとより下記実施例によって制限を受けるものではなく、前記及び後記の趣旨に適合し得る範囲で適当に変更を加えて実施することも勿論可能であり、それらはいずれも本発明の技術的範囲に包含される。なお、以下においては、特に断りのない限り、「部」は「質量部」を、「％」は「質量％」を意味する。
【０５５１】
以下の合成例において、化合物の構造は、質量分析（ＬＣ；Ａｇｉｌｅｎｔ製１２００型、ＭＡＳＳ；Ａｇｉｌｅｎｔ製ＬＣ／ＭＳＤ６１３０型）で確認した。
【０５５２】
樹脂のポリスチレン換算の重量平均分子量（Ｍｗ）及び数平均分子量（Ｍｎ）の測定は、ＧＰＣ法により以下の条件で行った。
装置：ＨＬＣ−８１２０ＧＰＣ（東ソー（株）製）
カラム：ＴＳＫ−ＧＥＬＧ２０００ＨＸＬ
カラム温度：４０℃
溶媒：テトラヒドロフラン
流速：１．０ｍＬ／分
分析試料の固形分濃度：０．００１〜０．０１質量％
注入量：５０μＬ
検出器：ＲＩ
校正用標準物質：ＴＳＫ  ＳＴＡＮＤＡＲＤ  ＰＯＬＹＳＴＹＲＥＮＥ  Ｆ−４０、Ｆ−４、Ｆ−２８８、Ａ−２５００、Ａ−５００（東ソー（株）製）
上記で得られたポリスチレン換算の重量平均分子量（Ｍｗ）及び数平均分子量（Ｍｎ）の比（Ｍｗ／Ｍｎ）を分散度とした。
【０５５３】
実施例１
４−アミノ−２−メチルキノリン（東京化成工業（株）製）３．０２部、２，３−ナフタレンジカルボン酸無水物（東京化成工業（株）製）８．３３部、安息香酸（東京化成工業（株）製）１１．７部及び安息香酸メチル（東京化成工業（株）製）６６．７部を混合した。
この混合物を、１７０℃に保ちながら、９時間撹拌した。
この混合物に、２，３−ナフタレンジカルボン酸無水物（東京化成工業（株）製）１３．６部、安息香酸（東京化成工業（株）製）２２．９部及び安息香酸メチル（東京化成工業（株）製）６６．４部を加えた。
この混合物を、１７０℃に保ちながら、４９時間撹拌した。
この混合物に、２，３−ナフタレンジカルボン酸無水物（東京化成工業（株）製）８．３２部、安息香酸（東京化成工業（株）製）１１．７部及び安息香酸メチル（東京化成工業（株）製）４３．５部を加えた。
この混合物を、１７０℃に保ちながら、２８時間撹拌した。
この混合物を室温まで冷却し、この混合物に、メタノール１３００部を加えた。
この混合物を室温で撹拌した後、ろ過し、得られた残渣を、メタノール４００部で７回洗浄した。
得られた残渣を６０℃で減圧乾燥させた。
この残渣に、Ｎ，Ｎ−ジメチルホルムアミド８７５部を加えた。
この混合物を室温で撹拌した後、ろ過し、得られた残渣を、得られた残渣と同じ体積のＮ，Ｎ−ジメチルホルムアミドで３回洗浄した。
この残渣をメタノール２００部で３回洗浄した。
得られた残渣を６０℃で減圧乾燥させて、式（Ｉａ２）で表される化合物７．２５部を得た。
【０５５４】
【化１０２】
2020132878.tif 000221
【０５５５】
＜式（Ｉａ２）で表される化合物の同定＞
（質量分析）イオン化モード＝ＥＳＩ＋：  ｍ／ｚ＝［Ｍ＋Ｈ］+  ５１９
（質量分析）イオン化モード＝ＥＳＩ−：  ｍ／ｚ＝［Ｍ−Ｈ］-  ５１７
Ｅｘａｃｔ  Ｍａｓｓ：  ５１８
【０５５６】
実施例２
４−アミノ−２−メチルキノリン（東京化成工業（株）製）２．０５部、テトラクロロフタル酸無水物（東京化成工業（株）製）８．１６部、安息香酸（東京化成工業（株）製）８．０５部及び安息香酸メチル（東京化成工業（株）製）５８．６部を混合した。
この混合物を、１７０℃に保ちながら、５時間撹拌した。
この混合物に、テトラクロロフタル酸無水物（東京化成工業（株）製）３．７２部、安息香酸（東京化成工業（株）製）８．００部及び安息香酸メチル（東京化成工業（株）製）１８．０部を加えた。
この混合物を、１７０℃に保ちながら、６時間撹拌した。
この混合物に、テトラクロロフタル酸無水物（東京化成工業（株）製）１．８９部、安息香酸（東京化成工業（株）製）４．０９部及び安息香酸メチル（東京化成工業（株）製）５４．５部を加えた。
この混合物を、１７０℃に保ちながら、６時間撹拌した。
この混合物に、テトラクロロフタル酸無水物（東京化成工業（株）製）１１．４部、安息香酸（東京化成工業（株）製）１２．６部及び安息香酸メチル（東京化成工業（株）製）１８．４部を加えた。
この混合物を、１７０℃に保ちながら、１６時間撹拌した。
この混合物を室温まで冷却し、この混合物に、メタノール１２００部を加えた。
この混合物を室温で撹拌した後、ろ過し、得られた残渣を、メタノール４００部で８回洗浄した。
得られた残渣を６０℃で減圧乾燥させて、式（Ｉａ２３）で表される化合物８．８８部を得た。
【０５５７】
【化１０３】
2020132878.tif 000222
【０５５８】
＜式（Ｉａ２３）で表される化合物の同定＞
（質量分析）イオン化モード＝ＥＳＩ＋：  ｍ／ｚ＝［Ｍ＋Ｈ］+  ６９１
（質量分析）イオン化モード＝ＥＳＩ−：  ｍ／ｚ＝［Ｍ−Ｈ］-  ６８９
Ｅｘａｃｔ  Ｍａｓｓ：  ６９０
【０５５９】
実施例３
４−アミノ−２−メチルキノリン（東京化成工業（株）製）１．０１部、４−フェニルエチニルフタル酸無水物（東京化成工業（株）製）３．４９部、安息香酸（東京化成工業（株）製）３．９５部及び安息香酸メチル（東京化成工業（株）製）２８．７部を混合した。
この混合物を、１７０℃に保ちながら、２０時間撹拌した。
この混合物に、４−フェニルエチニルフタル酸無水物（東京化成工業（株）製）０．４７６部、安息香酸（東京化成工業（株）製）１．３２部及び安息香酸メチル（東京化成工業（株）製）３．３部を加えた。
この混合物を、１７０℃に保ちながら、１０時間撹拌した。
この混合物に、４−フェニルエチニルフタル酸無水物（東京化成工業（株）製）０．８０１部、安息香酸（東京化成工業（株）製）２．９０部及び安息香酸メチル（東京化成工業（株）製）９．１３部を加えた。
この混合物を、１７０℃に保ちながら、２９時間撹拌した。
この混合物を室温まで冷却し、この混合物に、メタノール４００部を加え、１時間撹拌した。
この混合物をろ過し、得られた残渣を、メタノール１４０部で６回洗浄した。
得られた残渣を６０℃で減圧乾燥させて、式（Ｉａ２２）で表される化合物３．１２部を得た。
【０５６０】
【化１０４】
2020132878.tif 000223
【０５６１】
＜式（Ｉａ２２）で表される化合物の同定＞
（質量分析）イオン化モード＝ＥＳＩ＋：  ｍ／ｚ＝［Ｍ＋Ｈ］+  ６１９
（質量分析）イオン化モード＝ＥＳＩ−：  ｍ／ｚ＝［Ｍ−Ｈ］-  ６１７
Ｅｘａｃｔ  Ｍａｓｓ：  ６１８
【０５６２】
実施例４
４−アミノ−２−メチルキノリン（東京化成工業（株）製）４．０４部、トリメリット酸無水物（東京化成工業（株）製）１０．８部、安息香酸（東京化成工業（株）製）１５．６部及び安息香酸メチル（東京化成工業（株）製）９２．３部を混合した。
この混合物を、１６７℃に保ちながら、５時間撹拌した。
この混合物に、安息香酸メチル（東京化成工業（株）製）４０．２部を加えた。
この混合物を、１６７℃に保ちながら、９時間撹拌した。
この混合物に、安息香酸メチル（東京化成工業（株）製）２８．０部を加えた。
この混合物を、１７０℃に保ちながら、１１時間撹拌した。
この混合物を室温まで冷却し、この混合物に、メタノール２０００部を加えた。
この混合物を室温で撹拌した。
得られた混合物にメタノール１７３部を加えた。
この混合物をろ過し、得られた残渣を、メタノール１２４部で1回、１６０部で１回、４００部で1回洗浄した。
得られた残渣を６０℃で減圧乾燥させて、式（Ｉａ１０）で表される化合物、式（Ｉａ２１４３）で表される化合物、式（Ｉａ８５０）で表される化合物及び式（Ｉａ３１５）で表される化合物の混合物９．９１部を得た。
【０５６３】
【化１０５】
2020132878.tif 000224
【０５６４】
＜式（Ｉａ１０）で表される化合物の同定＞
（質量分析）イオン化モード＝ＥＳＩ＋：  ｍ／ｚ＝［Ｍ＋Ｈ］+  ５０７
（質量分析）イオン化モード＝ＥＳＩ−：  ｍ／ｚ＝［Ｍ−Ｈ］-  ５０５
Ｅｘａｃｔ  Ｍａｓｓ：  ５０６
【０５６５】
【化１０６】
2020132878.tif 000225
【０５６６】
＜式（Ｉａ２１４３）で表される化合物の同定＞
（質量分析）イオン化モード＝ＥＳＩ＋：  ｍ／ｚ＝［Ｍ＋Ｈ］+  ５２１
（質量分析）イオン化モード＝ＥＳＩ−：  ｍ／ｚ＝［Ｍ−Ｈ］-  ５１９
Ｅｘａｃｔ  Ｍａｓｓ：  ５２０
【０５６７】
【化１０７】
2020132878.tif 000226
【０５６８】
＜式（Ｉａ８５０）で表される化合物の同定＞
（質量分析）イオン化モード＝ＥＳＩ＋：  ｍ／ｚ＝［Ｍ＋Ｈ］+  ５２１
（質量分析）イオン化モード＝ＥＳＩ−：  ｍ／ｚ＝［Ｍ−Ｈ］-  ５１９
Ｅｘａｃｔ  Ｍａｓｓ：  ５２０
【０５６９】
【化１０８】
2020132878.tif 000227
【０５７０】
＜式（Ｉａ３１５）で表される化合物の同定＞
（質量分析）イオン化モード＝ＥＳＩ＋：  ｍ／ｚ＝［Ｍ＋Ｈ］+  ５３５
（質量分析）イオン化モード＝ＥＳＩ−：  ｍ／ｚ＝［Ｍ−Ｈ］-  ５３３
Ｅｘａｃｔ  Ｍａｓｓ：  ５３４
【０５７１】
実施例５
４−アミノ−２−メチルキノリン（東京化成工業（株）製）５．２３部、３−ニトロフタル酸無水物（東京化成工業（株）製）１４．２部、安息香酸（東京化成工業（株）製）２０．２部及び安息香酸メチル（東京化成工業（株）製）１１９部を混合した。
この混合物を、１６８℃に保ちながら、１２時間撹拌した。
この混合物に、３−ニトロフタル酸無水物（東京化成工業（株）製）７．１２部、安息香酸（東京化成工業（株）製）１０．３部及び安息香酸メチル（東京化成工業（株）製）１６．０部を加えた。
この混合物を、１７０℃に保ちながら、２６時間撹拌した。
この混合物を室温まで冷却し、この混合物に、メタノール２４００部を加えた。
得られた混合物を室温で撹拌した後、ろ過した。
得られた残渣を、メタノール４００部で５回洗浄した。
得られた残渣を６０℃で減圧乾燥させて、式（Ｉａ３５）で表される化合物１３．０部を得た。
【０５７２】
【化１０９】
2020132878.tif 000228
【０５７３】
＜式（Ｉａ３５）で表される化合物の同定＞
（質量分析）イオン化モード＝ＥＳＩ＋：  ｍ／ｚ＝［Ｍ＋Ｈ］+  ５０９
（質量分析）イオン化モード＝ＥＳＩ−：  ｍ／ｚ＝［Ｍ−Ｈ］-  ５０７
Ｅｘａｃｔ  Ｍａｓｓ：  ５０８
【０５７４】
実施例６
４−アミノ−２−メチルキノリン（東京化成工業（株）製）３．６７部、フタル酸無水物（東京化成工業（株）製）７．５９部、安息香酸（東京化成工業（株）製）１４．４部及び安息香酸メチル（東京化成工業（株）製）８４．３部を混合した。
この混合物を、１７０℃に保ちながら、１０時間撹拌した。
この混合物に、フタル酸無水物（東京化成工業（株）製）７．９２部、安息香酸（東京化成工業（株）製）１５．５部及び安息香酸メチル（東京化成工業（株）製）４５部を加えた。
この混合物を、１７０℃に保ちながら、９時間撹拌した。
この混合物に、安息香酸メチル（東京化成工業（株）製）９部を加えた。
この混合物を、１７０℃に保ちながら、１８時間撹拌した。
この混合物に、フタル酸無水物（東京化成工業（株）製）７．７７部、安息香酸（東京化成工業（株）製）１４．６部及び安息香酸メチル（東京化成工業（株）製）１１．１部を加えた。
この混合物を、１７０℃に保ちながら、２７時間撹拌した。
この混合物に、フタル酸無水物（東京化成工業（株）製）３．８８部、安息香酸（東京化成工業（株）製）７．３３部及び安息香酸メチル（東京化成工業（株）製）１２．３部を加えた。
この混合物を、１７０℃に保ちながら、８時間撹拌した。
この混合物を室温まで冷却し、この混合物に、メタノール２８００部を加えた。
得られた混合物を室温で撹拌した後、ろ過した。
得られた残渣を、メタノール４００部で２回、メタノール８００部で１回洗浄した。
得られた残渣を６０℃で減圧乾燥させて、式（Ｉａ１）で表される化合物７．６７部を得た。
【０５７５】
【化１１０】
2020132878.tif 000229
【０５７６】
＜式（Ｉａ１）で表される化合物の同定＞
（質量分析）イオン化モード＝ＥＳＩ＋：  ｍ／ｚ＝［Ｍ＋Ｈ］+  ４１９
（質量分析）イオン化モード＝ＥＳＩ−：  ｍ／ｚ＝［Ｍ−Ｈ］-  ４１７
Ｅｘａｃｔ  Ｍａｓｓ：  ４１８
【０５７７】
実施例７
実施例４で得た式（Ｉａ１０）で表される化合物、式（Ｉａ２１４３）で表される化合物、式（Ｉａ８５０）で表される化合物及び式（Ｉａ３１５）で表される化合物の混合物１．０５部と水１０６部を混合した。
この混合物に、室温で１％水酸化ナトリウム水溶液２２．１部を加えた。
得られた混合物に、室温で、硝酸鉄（ＩＩＩ）九水和物（和光純薬工業（株）製）３．２３部と水２９．１部の混合物８．１９部を加えた。
得られた混合物をろ過し、得られた残渣を、得られた残渣と同じ体積の水で２回洗浄した。
得られた残渣を６０℃で減圧乾燥させて、式（Ｉｅ１２）で表される化合物を含む混合物１．１７部を得た。
【０５７８】
【化１１１】
2020132878.tif 000230
【０５７９】
実施例８
４−アミノ−２−メチルキノリン（東京化成工業（株）製）５．０３部、４−ニトロフタル酸無水物（東京化成工業（株）製）１３．６部、安息香酸（東京化成工業（株）製）１９．５部及び安息香酸メチル（東京化成工業（株）製）１１６部を混合した。
この混合物を、１７０℃に保ちながら、４時間撹拌した。
この混合物に、４−ニトロフタル酸無水物（東京化成工業（株）製）７．１２部、安息香酸（東京化成工業（株）製）１０．５部及び安息香酸メチル（東京化成工業（株）製）３０．１部を加えた。
この混合物を、１７０℃に保ちながら、１８時間撹拌した。
この混合物に、４−ニトロフタル酸無水物（東京化成工業（株）製）１３．６部、安息香酸（東京化成工業（株）製）１９．９部及び安息香酸メチル（東京化成工業（株）製）２９．１部を加えた。
この混合物を、１７０℃に保ちながら、２７時間撹拌した。
この混合物を室温まで冷却し、この混合物に、メタノール２８００部を加えた。
得られた混合物を室温で撹拌した後、ろ過した。
得られた残渣を、メタノール４００部で４回洗浄した。
得られた残渣を６０℃で減圧乾燥させて、式（Ｉａ３３）で表される化合物１４．８部を得た。
【０５８０】
【化１１２】
2020132878.tif 000231
【０５８１】
＜式（Ｉａ３３）で表される化合物の同定＞
（質量分析）イオン化モード＝ＥＳＩ＋：  ｍ／ｚ＝［Ｍ＋Ｈ］+  ５０９
（質量分析）イオン化モード＝ＥＳＩ−：  ｍ／ｚ＝［Ｍ−Ｈ］-  ５０７
Ｅｘａｃｔ  Ｍａｓｓ：  ５０８
【０５８２】
実施例Ａ−１
４−アミノ−２−メチルキノリン（東京化成工業（株）製）１モル、
３−メチルフタル酸無水物（東京化成工業（株）製）８モル、
安息香酸（東京化成工業（株）製）２１モル及び
４−アミノ−２−メチルキノリン（東京化成工業（株）製）１モルの重量の７３倍の重量の安息香酸メチル（東京化成工業（株）製）
を混合した。
この混合物を、１７０℃に保ちながら、１２０時間撹拌した。
この混合物を室温まで冷却し、この混合物に、この混合物の重量の１３倍の重量のメタノールを加えた。
得られた混合物を室温で撹拌した後、ろ過した。
得られた残渣を、メタノールで洗浄した。
得られた残渣をカラムクロマトグラフィーで精製し、式（Ｉａ５）で表される化合物を得た。
【０５８３】
【化１１３】
2020132878.tif 000232
【０５８４】
＜式（Ｉａ５）で表される化合物の同定＞
（質量分析）イオン化モード＝ＥＳＩ＋：  ｍ／ｚ＝［Ｍ＋Ｈ］＋  ４４７
（質量分析）イオン化モード＝ＥＳＩ−：  ｍ／ｚ＝［Ｍ−Ｈ］−  ４４５
Ｅｘａｃｔ  Ｍａｓｓ：  ４４６
【０５８５】
実施例Ａ−２
３−メチルフタル酸無水物（東京化成工業（株）製）を１，２−ナフタル酸無水物（東京化成工業（株）製）に代えた以外は、実施例Ａ−１と同様に実施して、式（Ｉａ３）で表される化合物を得た。
【０５８６】
【化１１４】
2020132878.tif 000233
【０５８７】
＜式（Ｉａ３）で表される化合物の同定＞
（質量分析）イオン化モード＝ＥＳＩ＋：  ｍ／ｚ＝［Ｍ＋Ｈ］＋  ５１９
（質量分析）イオン化モード＝ＥＳＩ−：  ｍ／ｚ＝［Ｍ−Ｈ］−  ５１７
Ｅｘａｃｔ  Ｍａｓｓ：  ５１８
【０５８８】
実施例Ａ−３
３−メチルフタル酸無水物（東京化成工業（株）製）を３−クロロフタル酸無水物（東京化成工業（株）製）に代えた以外は、実施例Ａ−１と同様に実施して、式（Ｉａ１７）で表される化合物を得た。
【０５８９】
【化１１５】
2020132878.tif 000234
【０５９０】
＜式（Ｉａ１７）で表される化合物の同定＞
（質量分析）イオン化モード＝ＥＳＩ＋：  ｍ／ｚ＝［Ｍ＋Ｈ］＋  ４８７
（質量分析）イオン化モード＝ＥＳＩ−：  ｍ／ｚ＝［Ｍ−Ｈ］−  ４８５
Ｅｘａｃｔ  Ｍａｓｓ：  ４８６
【０５９１】
実施例Ａ−４
３−メチルフタル酸無水物（東京化成工業（株）製）を４−クロロフタル酸無水物（東京化成工業（株）製）に代えた以外は、実施例Ａ−１と同様に実施して、式（Ｉａ７）で表される化合物を得た。
【０５９２】
【化１１６】
2020132878.tif 000235
【０５９３】
＜式（Ｉａ７）で表される化合物の同定＞
（質量分析）イオン化モード＝ＥＳＩ＋：  ｍ／ｚ＝［Ｍ＋Ｈ］＋  ４８７
（質量分析）イオン化モード＝ＥＳＩ−：  ｍ／ｚ＝［Ｍ−Ｈ］−  ４８５
Ｅｘａｃｔ  Ｍａｓｓ：  ４８６
【０５９４】
実施例Ａ−５
３−メチルフタル酸無水物（東京化成工業（株）製）を３−アセトアミドフタル酸無水物（東京化成工業（株）製）に代えた以外は、実施例Ａ−１と同様に実施して、式（Ｉａ３６）で表される化合物を得た。
【０５９５】
【化１１７】
2020132878.tif 000236
【０５９６】
＜式（Ｉａ３６）で表される化合物の同定＞
（質量分析）イオン化モード＝ＥＳＩ＋：  ｍ／ｚ＝［Ｍ＋Ｈ］＋  ５３３
（質量分析）イオン化モード＝ＥＳＩ−：  ｍ／ｚ＝［Ｍ−Ｈ］−  ５３１
Ｅｘａｃｔ  Ｍａｓｓ：  ５３２
【０５９７】
実施例Ａ−６
３−メチルフタル酸無水物（東京化成工業（株）製）を３−ヒドロキシフタル酸無水物（シグマ  アルドリッチ  ジャパン合同会社製）に代えた以外は、実施例Ａ−１と同様に実施して、式（Ｉａ５１）で表される化合物を得た。
【０５９８】
【化１１８】
2020132878.tif 000237
【０５９９】
＜式（Ｉａ５１）で表される化合物の同定＞
（質量分析）イオン化モード＝ＥＳＩ＋：  ｍ／ｚ＝［Ｍ＋Ｈ］＋  ４５１
（質量分析）イオン化モード＝ＥＳＩ−：  ｍ／ｚ＝［Ｍ−Ｈ］−  ４４９
Ｅｘａｃｔ  Ｍａｓｓ：  ４５０
【０６００】
実施例Ａ−７
３−メチルフタル酸無水物（東京化成工業（株）製）を３−フルオロフタル酸無水物（東京化成工業（株）製）に代えた以外は、実施例Ａ−１と同様に実施して、式（Ｉａ１９）で表される化合物を得た。
【０６０１】
【化１１９】
2020132878.tif 000238
【０６０２】
＜式（Ｉａ１９）で表される化合物の同定＞
（質量分析）イオン化モード＝ＥＳＩ＋：  ｍ／ｚ＝［Ｍ＋Ｈ］＋  ４５５
（質量分析）イオン化モード＝ＥＳＩ−：  ｍ／ｚ＝［Ｍ−Ｈ］−  ４５３
Ｅｘａｃｔ  Ｍａｓｓ：  ４５４
【０６０３】
実施例Ａ−８
３−メチルフタル酸無水物（東京化成工業（株）製）を式（ｓｍ１）で表される化合物に代えた以外は、実施例Ａ−１と同様に実施して、式（Ｉａ２４８）で表される化合物を得た。
【０６０４】
【化１２０】
2020132878.tif 000239
【０６０５】
【化１２１】
2020132878.tif 000240
【０６０６】
＜式（Ｉａ２４８）で表される化合物の同定＞
（質量分析）イオン化モード＝ＥＳＩ＋：  ｍ／ｚ＝［Ｍ＋Ｈ］＋  ５０７
（質量分析）イオン化モード＝ＥＳＩ−：  ｍ／ｚ＝［Ｍ−Ｈ］−  ５０５
Ｅｘａｃｔ  Ｍａｓｓ：  ５０６
【０６０７】
実施例Ａ−９
３−メチルフタル酸無水物（東京化成工業（株）製）を４−メチルフタル酸無水物（東京化成工業（株）製）に代えた以外は、実施例Ａ−１と同様に実施して、式（Ｉａ４）で表される化合物を得た。
【０６０８】
【化１２２】
2020132878.tif 000241
【０６０９】
＜式（Ｉａ４）で表される化合物の同定＞
（質量分析）イオン化モード＝ＥＳＩ＋：  ｍ／ｚ＝［Ｍ＋Ｈ］＋  ４４７
（質量分析）イオン化モード＝ＥＳＩ−：  ｍ／ｚ＝［Ｍ−Ｈ］−  ４４５
Ｅｘａｃｔ  Ｍａｓｓ：  ４４６
【０６１０】
実施例Ａ−１０
４−アミノ−２−メチルキノリン（東京化成工業（株）製）を４−アミノ−６−フルオロ−２−メチルキノリン（シグマ  アルドリッチ  ジャパン合同会社製）に代え、３−メチルフタル酸無水物（東京化成工業（株）製）を  ２，３−ナフタレンジカルボン酸無水物（東京化成工業（株）製）に代えた以外は、実施例Ａ−１と同様に実施して、式（Ｉｔ２４２）で表される化合物を得た。
【０６１１】
【化１２３】
2020132878.tif 000242
【０６１２】
＜式（Ｉｔ２４２）で表される化合物の同定＞
（質量分析）イオン化モード＝ＥＳＩ＋：  ｍ／ｚ＝［Ｍ＋Ｈ］＋  ５３７
（質量分析）イオン化モード＝ＥＳＩ−：  ｍ／ｚ＝［Ｍ−Ｈ］−  ５３５
Ｅｘａｃｔ  Ｍａｓｓ：  ５３６
【０６１３】
実施例Ａ−１１
４−アミノ−２−メチルキノリン（東京化成工業（株）製）を４−アミノ−６−メトキシ−２−メチルキノリン（シグマ  アルドリッチ  ジャパン合同会社製）に代え、３−メチルフタル酸無水物（東京化成工業（株）製）を  ２，３−ナフタレンジカルボン酸無水物（東京化成工業（株）製）に代えた以外は、実施例Ａ−１と同様に実施して、式（Ｉｔ２３２）で表される化合物を得た。
【０６１４】
【化１２４】
2020132878.tif 000243
【０６１５】
＜式（Ｉｔ２３２）で表される化合物の同定＞
（質量分析）イオン化モード＝ＥＳＩ＋：  ｍ／ｚ＝［Ｍ＋Ｈ］＋  ５４９
（質量分析）イオン化モード＝ＥＳＩ−：  ｍ／ｚ＝［Ｍ−Ｈ］−  ５４７
Ｅｘａｃｔ  Ｍａｓｓ：  ５４８
【０６１６】
実施例Ａ−１２
４−アミノ−２−メチルキノリン（東京化成工業（株）製）を４−アミノ−６−ブロモ−２−メチルキノリン（シグマ  アルドリッチ  ジャパン合同会社製）に代えた以外は、実施例Ａ−１と同様に実施して、式（Ｉｔ７５０）で表される化合物を得た。
【０６１７】
【化１２５】
2020132878.tif 000244
【０６１８】
＜式（Ｉｔ７５０）で表される化合物の同定＞
（質量分析）イオン化モード＝ＥＳＩ＋：  ｍ／ｚ＝［Ｍ＋Ｈ］＋  ５２５
（質量分析）イオン化モード＝ＥＳＩ−：  ｍ／ｚ＝［Ｍ−Ｈ］−  ５２３
Ｅｘａｃｔ  Ｍａｓｓ：  ５２４
【０６１９】
合成例Ｂ−１
式（Ｉａ２）で表される化合物１モル及び、水酸化カリウム２０モルと式（Ｉａ２）で表される化合物１モルの重量の１０倍の重量の水との混合物を混合した。
この混合物を、９０℃に保ちながら、式（Ｉａ２）で表される化合物が消失するまで撹拌した。
この混合物と３６％塩酸を混合し、中和した。
この混合物をろ過した。
得られた残渣を、水で洗浄した。
この残渣をカラムクロマトグラフィーで精製し、式（ＩＭ１−１）で表される化合物を得た。
【０６２０】
【化１２６】
2020132878.tif 000245
【０６２１】
＜式（ＩＭ１−１）で表される化合物の同定＞
（質量分析）イオン化モード＝ＥＳＩ＋：  ｍ／ｚ＝［Ｍ＋Ｈ］＋  ３３９
（質量分析）イオン化モード＝ＥＳＩ−：  ｍ／ｚ＝［Ｍ−Ｈ］−  ３３７
Ｅｘａｃｔ  Ｍａｓｓ：  ３３８
【０６２２】
合成例Ｂ−２
式（Ｉａ２）で表される化合物を式（Ｉａ２３）で表される化合物に代えた以外は、合成例Ｂ−１と同様に実施して、式（ＩＭ１−２）で表される化合物を得た。
【０６２３】
【化１２７】
2020132878.tif 000246
【０６２４】
＜式（ＩＭ１−２）で表される化合物の同定＞
（質量分析）イオン化モード＝ＥＳＩ＋：  ｍ／ｚ＝［Ｍ＋Ｈ］＋  ４２５
（質量分析）イオン化モード＝ＥＳＩ−：  ｍ／ｚ＝［Ｍ−Ｈ］−  ４２３
Ｅｘａｃｔ  Ｍａｓｓ：  ４２４
【０６２５】
合成例Ｂ−３
式（Ｉａ２）で表される化合物を式（Ｉａ５）で表される化合物に代えた以外は、合成例Ｂ−１と同様に実施して、式（ＩＭ１−３）で表される化合物を得た。
【０６２６】
【化１２８】
2020132878.tif 000247
【０６２７】
＜式（ＩＭ１−３）で表される化合物の同定＞
（質量分析）イオン化モード＝ＥＳＩ＋：  ｍ／ｚ＝［Ｍ＋Ｈ］＋  ３０３
（質量分析）イオン化モード＝ＥＳＩ−：  ｍ／ｚ＝［Ｍ−Ｈ］−  ３０１
Ｅｘａｃｔ  Ｍａｓｓ：  ３０２
【０６２８】
合成例Ｂ−４
式（Ｉａ２）で表される化合物を式（Ｉａ４）で表される化合物に代えた以外は、合成例Ｂ−１と同様に実施して、式（ＩＭ１−４）で表される化合物を得た。
【０６２９】
【化１２９】
2020132878.tif 000248
【０６３０】
＜式（ＩＭ１−４）で表される化合物の同定＞
（質量分析）イオン化モード＝ＥＳＩ＋：  ｍ／ｚ＝［Ｍ＋Ｈ］＋  ３０３
（質量分析）イオン化モード＝ＥＳＩ−：  ｍ／ｚ＝［Ｍ−Ｈ］−  ３０１
Ｅｘａｃｔ  Ｍａｓｓ：  ３０２
【０６３１】
合成例Ｂ−５
式（Ｉａ２）で表される化合物を式（Ｉａ３６）で表される化合物に代えた以外は、合成例Ｂ−１と同様に実施して、式（ＩＭ１−５）で表される化合物を得た。
【０６３２】
【化１３０】
2020132878.tif 000249
【０６３３】
＜式（ＩＭ１−５）で表される化合物の同定＞
（質量分析）イオン化モード＝ＥＳＩ＋：  ｍ／ｚ＝［Ｍ＋Ｈ］＋  ３４６
（質量分析）イオン化モード＝ＥＳＩ−：  ｍ／ｚ＝［Ｍ−Ｈ］−  ３４４
Ｅｘａｃｔ  Ｍａｓｓ：  ３４５
【０６３４】
合成例Ｂ−６
式（Ｉａ２）で表される化合物を式（Ｉａ１）で表される化合物に代えた以外は、合成例Ｂ−１と同様に実施して、式（ＩＭ１−６）で表される化合物を得た。
【０６３５】
【化１３１】
2020132878.tif 000250
【０６３６】
＜式（ＩＭ１−６）で表される化合物の同定＞
（質量分析）イオン化モード＝ＥＳＩ＋：  ｍ／ｚ＝［Ｍ＋Ｈ］＋  ２８９
（質量分析）イオン化モード＝ＥＳＩ−：  ｍ／ｚ＝［Ｍ−Ｈ］−  ２８７
Ｅｘａｃｔ  Ｍａｓｓ：  ２８８
【０６３７】
実施例Ｃ−１
式（ＩＭ１−１）で表される化合物１モル、
トリメリット酸無水物（東京化成工業（株）製）８モル、
安息香酸（東京化成工業（株）製）２１モル及び
式（ＩＭ１−１）で表される化合物１モルの重量の７３倍の重量の安息香酸メチル（東京化成工業（株）製）
を混合した。
この混合物を、１７０℃に保ちながら、１２０時間撹拌した。
この混合物を室温まで冷却し、この混合物に、この混合物の重量の１３倍の重量のメタノールを加えた。
得られた混合物を室温で撹拌した後、ろ過した。
得られた残渣を、メタノールで洗浄した。
得られた残渣をカラムクロマトグラフィーで精製し、式（Ｉａ６９９）で表される化合物を得た。
【０６３８】
【化１３２】
2020132878.tif 000251
【０６３９】
＜式（Ｉａ６９９）で表される化合物の同定＞
（質量分析）イオン化モード＝ＥＳＩ＋：  ｍ／ｚ＝［Ｍ＋Ｈ］＋  ５１３
（質量分析）イオン化モード＝ＥＳＩ−：  ｍ／ｚ＝［Ｍ−Ｈ］−  ５１１
Ｅｘａｃｔ  Ｍａｓｓ：  ５１２
【０６４０】
実施例Ｃ−２
式（ＩＭ１−１）で表される化合物を式（ＩＭ１−２）で表される化合物に代え、トリメリット酸無水物（東京化成工業（株）製）を２，３−ナフタレンジカルボン酸無水物（東京化成工業（株）製）に代えた以外は、実施例Ｃ−１と同様に実施して、式（Ｉａ９７０）で表される化合物を得た。
【０６４１】
【化１３３】
2020132878.tif 000252
【０６４２】
＜式（Ｉａ９７０）で表される化合物の同定＞
（質量分析）イオン化モード＝ＥＳＩ＋：  ｍ／ｚ＝［Ｍ＋Ｈ］＋  ６０５
（質量分析）イオン化モード＝ＥＳＩ−：  ｍ／ｚ＝［Ｍ−Ｈ］−  ６０３
Ｅｘａｃｔ  Ｍａｓｓ：  ６０４
【０６４３】
実施例Ｃ−３
トリメリット酸無水物（東京化成工業（株）製）をテトラクロロフタル酸無水物（東京化成工業（株）製）に代えた以外は、実施例Ｃ−１と同様に実施して、式（Ｉａ７０３）で表される化合物を得た。
【０６４４】
【化１３４】
2020132878.tif 000253
【０６４５】
＜式（Ｉａ７０３）で表される化合物の同定＞
（質量分析）イオン化モード＝ＥＳＩ＋：  ｍ／ｚ＝［Ｍ＋Ｈ］＋  ６０５
（質量分析）イオン化モード＝ＥＳＩ−：  ｍ／ｚ＝［Ｍ−Ｈ］−  ６０３
Ｅｘａｃｔ  Ｍａｓｓ：  ６０４
【０６４６】
実施例Ｃ−４
トリメリット酸無水物（東京化成工業（株）製）を３−メチルフタル酸無水物（東京化成工業（株）製）に代えた以外は、実施例Ｃ−１と同様に実施して、式（Ｉｆ３７９６）で表される化合物を得た。
【０６４７】
【化１３５】
2020132878.tif 000254
【０６４８】
＜式（Ｉｆ３７９６）で表される化合物の同定＞
（質量分析）イオン化モード＝ＥＳＩ＋：  ｍ／ｚ＝［Ｍ＋Ｈ］＋  ４８３
（質量分析）イオン化モード＝ＥＳＩ−：  ｍ／ｚ＝［Ｍ−Ｈ］−  ４８１
Ｅｘａｃｔ  Ｍａｓｓ：  ４８２
【０６４９】
実施例Ｃ−５
トリメリット酸無水物（東京化成工業（株）製）をフタル酸無水物（東京化成工業（株）製）に代えた以外は、実施例Ｃ−１と同様に実施して、式（Ｉａ６９６）で表される化合物を得た。
【０６５０】
【化１３６】
2020132878.tif 000255
【０６５１】
＜式（Ｉａ６９６）で表される化合物の同定＞
（質量分析）イオン化モード＝ＥＳＩ＋：  ｍ／ｚ＝［Ｍ＋Ｈ］＋  ４６９
（質量分析）イオン化モード＝ＥＳＩ−：  ｍ／ｚ＝［Ｍ−Ｈ］−  ４６７
Ｅｘａｃｔ  Ｍａｓｓ：  ４６８
【０６５２】
実施例Ｃ−６
式（ＩＭ１−１）で表される化合物を式（ＩＭ１−２）で表される化合物に代え、トリメリット酸無水物（東京化成工業（株）製）をフタル酸無水物（東京化成工業（株）製）に代えた以外は、実施例Ｃ−１と同様に実施して、式（Ｉａ９６９）で表される化合物を得た。
【０６５３】
【化１３７】
2020132878.tif 000256
【０６５４】
＜式（Ｉａ９６９）で表される化合物の同定＞
（質量分析）イオン化モード＝ＥＳＩ＋：  ｍ／ｚ＝［Ｍ＋Ｈ］＋  ５５５
（質量分析）イオン化モード＝ＥＳＩ−：  ｍ／ｚ＝［Ｍ−Ｈ］−  ５５３
Ｅｘａｃｔ  Ｍａｓｓ：  ５５４
【０６５５】
実施例Ｃ−７
式（ＩＭ１−１）で表される化合物を式（ＩＭ１−２）で表される化合物に代え、トリメリット酸無水物（東京化成工業（株）製）を３−メチルフタル酸無水物（東京化成工業（株）製）に代えた以外は、実施例Ｃ−１と同様に実施して、式（Ｉｆ２５２８）で表される化合物を得た。
【０６５６】
【化１３８】
2020132878.tif 000257
【０６５７】
＜式（Ｉｆ２５２８）で表される化合物の同定＞
（質量分析）イオン化モード＝ＥＳＩ＋：  ｍ／ｚ＝［Ｍ＋Ｈ］＋  ５６９
（質量分析）イオン化モード＝ＥＳＩ−：  ｍ／ｚ＝［Ｍ−Ｈ］−  ５６７
Ｅｘａｃｔ  Ｍａｓｓ：  ５６８
【０６５８】
実施例Ｃ−８
式（ＩＭ１−１）で表される化合物を式（ＩＭ１−２）で表される化合物に代えた以外は、実施例Ｃ−１と同様に実施して、式（Ｉａ９７３）で表される化合物を得た。
【０６５９】
【化１３９】
2020132878.tif 000258
【０６６０】
＜式（Ｉａ９７３）で表される化合物の同定＞
（質量分析）イオン化モード＝ＥＳＩ＋：  ｍ／ｚ＝［Ｍ＋Ｈ］＋  ５９９
（質量分析）イオン化モード＝ＥＳＩ−：  ｍ／ｚ＝［Ｍ−Ｈ］−  ５９７
Ｅｘａｃｔ  Ｍａｓｓ：  ５９８
【０６６１】
実施例Ｃ−９
式（ＩＭ１−１）で表される化合物を式（ＩＭ１−３）で表される化合物に代えた以外は、実施例Ｃ−１と同様に実施して、式（Ｉｆ１２６１）で表される化合物を得た。
【０６６２】
【化１４０】
2020132878.tif 000259
【０６６３】
＜式（Ｉｆ１２６１）で表される化合物の同定＞
（質量分析）イオン化モード＝ＥＳＩ＋：  ｍ／ｚ＝［Ｍ＋Ｈ］＋  ４７７
（質量分析）イオン化モード＝ＥＳＩ−：  ｍ／ｚ＝［Ｍ−Ｈ］−  ４７５
Ｅｘａｃｔ  Ｍａｓｓ：  ４７６
【０６６４】
実施例Ｃ−１０
式（ＩＭ１−１）で表される化合物を式（ＩＭ１−３）で表される化合物に代え、トリメリット酸無水物（東京化成工業（株）製）をテトラクロロフタル酸無水物（東京化成工業（株）製）に代えた以外は、実施例Ｃ−１と同様に実施して、式（Ｉｆ５６８８）で表される化合物を得た。
【０６６５】
【化１４１】
2020132878.tif 000260
【０６６６】
＜式（Ｉｆ５６８８）で表される化合物の同定＞
（質量分析）イオン化モード＝ＥＳＩ＋：  ｍ／ｚ＝［Ｍ＋Ｈ］＋  ５６９
（質量分析）イオン化モード＝ＥＳＩ−：  ｍ／ｚ＝［Ｍ−Ｈ］−  ５６７
Ｅｘａｃｔ  Ｍａｓｓ：  ５６８
【０６６７】
実施例Ｃ−１１
式（ＩＭ１−１）で表される化合物を式（ＩＭ１−３）で表される化合物に代え、トリメリット酸無水物（東京化成工業（株）製）を２，３−ナフタレンジカルボン酸無水物（東京化成工業（株）製）に代えた以外は、実施例Ｃ−１と同様に実施して、式（Ｉｆ６３６）で表される化合物を得た。
【０６６８】
【化１４２】
2020132878.tif 000261
【０６６９】
＜式（Ｉｆ６３６）で表される化合物の同定＞
（質量分析）イオン化モード＝ＥＳＩ＋：  ｍ／ｚ＝［Ｍ＋Ｈ］＋  ４８３
（質量分析）イオン化モード＝ＥＳＩ−：  ｍ／ｚ＝［Ｍ−Ｈ］−  ４８１
Ｅｘａｃｔ  Ｍａｓｓ：  ４８２
【０６７０】
実施例Ｃ−１２
式（ＩＭ１−１）で表される化合物を式（ＩＭ１−３）で表される化合物に代え、トリメリット酸無水物（東京化成工業（株）製）を１，２−ナフタル酸無水物（東京化成工業（株）製）に代えた以外は、実施例Ｃ−１と同様に実施して、式（Ｉｆ５６７０）で表される化合物を得た。
【０６７１】
【化１４３】
2020132878.tif 000262
【０６７２】
＜式（Ｉｆ５６７０）で表される化合物の同定＞
（質量分析）イオン化モード＝ＥＳＩ＋：  ｍ／ｚ＝［Ｍ＋Ｈ］＋  ４８３
（質量分析）イオン化モード＝ＥＳＩ−：  ｍ／ｚ＝［Ｍ−Ｈ］−  ４８１
Ｅｘａｃｔ  Ｍａｓｓ：  ４８２
【０６７３】
実施例Ｃ−１３
式（ＩＭ１−１）で表される化合物を式（ＩＭ１−３）で表される化合物に代え、トリメリット酸無水物（東京化成工業（株）製）を１，８−ナフタル酸無水物（東京化成工業（株）製）に代えた以外は、実施例Ｃ−１と同様に実施して、式（Ｉｆ５７２０）で表される化合物を得た。
【０６７４】
【化１４４】
2020132878.tif 000263
【０６７５】
＜式（Ｉｆ５７２０）で表される化合物の同定＞
（質量分析）イオン化モード＝ＥＳＩ＋：  ｍ／ｚ＝［Ｍ＋Ｈ］＋  ４８３
（質量分析）イオン化モード＝ＥＳＩ−：  ｍ／ｚ＝［Ｍ−Ｈ］−  ４８１
Ｅｘａｃｔ  Ｍａｓｓ：  ４８２
【０６７６】
実施例Ｃ−１４
トリメリット酸無水物（東京化成工業（株）製）を１，８−ナフタル酸無水物（東京化成工業（株）製）に代えた以外は、実施例Ｃ−１と同様に実施して、式（Ｉａ７１２）で表される化合物を得た。
【０６７７】
【化１４５】
2020132878.tif 000264
【０６７８】
＜式（Ｉａ７１２）で表される化合物の同定＞
（質量分析）イオン化モード＝ＥＳＩ＋：  ｍ／ｚ＝［Ｍ＋Ｈ］＋  ５１９
（質量分析）イオン化モード＝ＥＳＩ−：  ｍ／ｚ＝［Ｍ−Ｈ］−  ５１７
Ｅｘａｃｔ  Ｍａｓｓ：  ５１８
【０６７９】
実施例Ｃ−１５
式（ＩＭ１−１）で表される化合物を式（ＩＭ１−４）で表される化合物に代え、トリメリット酸無水物（東京化成工業（株）製）を２，３−ナフタレンジカルボン酸無水物（東京化成工業（株）製）に代えた以外は、実施例Ｃ−１と同様に実施して、式（Ｉｆ６３５）で表される化合物を得た。
【０６８０】
【化１４６】
2020132878.tif 000265
【０６８１】
＜式（Ｉｆ６３５）で表される化合物の同定＞
（質量分析）イオン化モード＝ＥＳＩ＋：  ｍ／ｚ＝［Ｍ＋Ｈ］＋  ４８３
（質量分析）イオン化モード＝ＥＳＩ−：  ｍ／ｚ＝［Ｍ−Ｈ］−  ４８１
Ｅｘａｃｔ  Ｍａｓｓ：  ４８２
【０６８２】
実施例Ｃ−１６
式（ＩＭ１−１）で表される化合物を式（ＩＭ１−４）で表される化合物に代えた以外は、実施例Ｃ−１と同様に実施して、式（Ｉｆ１２６０）で表される化合物を得た。
【０６８３】
【化１４７】
2020132878.tif 000266
【０６８４】
＜式（Ｉｆ１２６０）で表される化合物の同定＞
（質量分析）イオン化モード＝ＥＳＩ＋：  ｍ／ｚ＝［Ｍ＋Ｈ］＋  ４７７
（質量分析）イオン化モード＝ＥＳＩ−：  ｍ／ｚ＝［Ｍ−Ｈ］−  ４７５
Ｅｘａｃｔ  Ｍａｓｓ：  ４７６
【０６８５】
実施例Ｃ−１７
式（ＩＭ１−１）で表される化合物を式（ＩＭ１−４）で表される化合物に代え、トリメリット酸無水物（東京化成工業（株）製）をピロメリット酸無水物（東京化成工業（株）製）に代えた以外は、実施例Ｃ−１と同様に実施して、式（Ｉｆ１３０４０）で表される化合物を得た。
【０６８６】
【化１４８】
2020132878.tif 000267
【０６８７】
＜式（Ｉｆ１３０４０）で表される化合物の同定＞
（質量分析）イオン化モード＝ＥＳＩ＋：  ｍ／ｚ＝［Ｍ＋Ｈ］＋  ５２１
（質量分析）イオン化モード＝ＥＳＩ−：  ｍ／ｚ＝［Ｍ−Ｈ］−  ５１９
Ｅｘａｃｔ  Ｍａｓｓ：  ５２０
【０６８８】
実施例Ｃ−１８
式（ＩＭ１−１）で表される化合物を式（ＩＭ１−４）で表される化合物に代え、トリメリット酸無水物（東京化成工業（株）製）を４−ｔｅｒｔ−ブチルフタル酸無水物（東京化成工業（株）製）に代えた以外は、実施例Ｃ−１と同様に実施して、式（Ｉｆ８４５４）で表される化合物を得た。
【０６８９】
【化１４９】
2020132878.tif 000268
【０６９０】
＜式（Ｉｆ８４５４）で表される化合物の同定＞
（質量分析）イオン化モード＝ＥＳＩ＋：  ｍ／ｚ＝［Ｍ＋Ｈ］＋  ４８９
（質量分析）イオン化モード＝ＥＳＩ−：  ｍ／ｚ＝［Ｍ−Ｈ］−  ４８７
Ｅｘａｃｔ  Ｍａｓｓ：  ４８８
【０６９１】
実施例Ｃ−１９
トリメリット酸無水物（東京化成工業（株）製）を４−メチルフタル酸無水物（東京化成工業（株）製）に代えた以外は、実施例Ｃ−１と同様に実施して、式（Ｉｆ３７９５）で表される化合物を得た。
【０６９２】
【化１５０】
2020132878.tif 000269
【０６９３】
＜式（Ｉｆ３７９５）で表される化合物の同定＞
（質量分析）イオン化モード＝ＥＳＩ＋：  ｍ／ｚ＝［Ｍ＋Ｈ］＋  ４８３
（質量分析）イオン化モード＝ＥＳＩ−：  ｍ／ｚ＝［Ｍ−Ｈ］−  ４８１
Ｅｘａｃｔ  Ｍａｓｓ：  ４８２
【０６９４】
実施例Ｃ−２０
式（ＩＭ１−１）で表される化合物を式（ＩＭ１−３）で表される化合物に代え、トリメリット酸無水物（東京化成工業（株）製）を４−メチルフタル酸無水物（東京化成工業（株）製）に代えた以外は、実施例Ｃ−１と同様に実施して、式（Ｉｆ５６７１）で表される化合物を得た。
【０６９５】
【化１５１】
2020132878.tif 000270
【０６９６】
＜式（Ｉｆ５６７１）で表される化合物の同定＞
（質量分析）イオン化モード＝ＥＳＩ＋：  ｍ／ｚ＝［Ｍ＋Ｈ］＋  ４４７
（質量分析）イオン化モード＝ＥＳＩ−：  ｍ／ｚ＝［Ｍ−Ｈ］−  ４４５
Ｅｘａｃｔ  Ｍａｓｓ：  ４４６
【０６９７】
実施例Ｃ−２１
式（ＩＭ１−１）で表される化合物を式（ＩＭ１−４）で表される化合物に代え、トリメリット酸無水物（東京化成工業（株）製）を３−メチルフタル酸無水物（東京化成工業（株）製）に代えた以外は、実施例Ｃ−１と同様に実施して、式（Ｉｆ２５１１）で表される化合物を得た。
【０６９８】
【化１５２】
2020132878.tif 000271
【０６９９】
＜式（Ｉｆ２５１１）で表される化合物の同定＞
（質量分析）イオン化モード＝ＥＳＩ＋：  ｍ／ｚ＝［Ｍ＋Ｈ］＋  ４４７
（質量分析）イオン化モード＝ＥＳＩ−：  ｍ／ｚ＝［Ｍ−Ｈ］−  ４４５
Ｅｘａｃｔ  Ｍａｓｓ：  ４４６
【０７００】
実施例Ｃ−２２
トリメリット酸無水物（東京化成工業（株）製）を４−ｔｅｒｔ−ブチルフタル酸無水物（東京化成工業（株）製）に代えた以外は、実施例Ｃ−１と同様に実施して、式（Ｉｆ３７９９）で表される化合物を得た。
【０７０１】
【化１５３】
2020132878.tif 000272
【０７０２】
＜式（Ｉｆ３７９９）で表される化合物の同定＞
（質量分析）イオン化モード＝ＥＳＩ＋：  ｍ／ｚ＝［Ｍ＋Ｈ］＋  ５２５
（質量分析）イオン化モード＝ＥＳＩ−：  ｍ／ｚ＝［Ｍ−Ｈ］−  ５２３
Ｅｘａｃｔ  Ｍａｓｓ：  ５２４
【０７０３】
実施例Ｃ−２３
トリメリット酸無水物（東京化成工業（株）製）を３−アセトアミドフタル酸無水物（東京化成工業（株）製）に代えた以外は、実施例Ｃ−１と同様に実施して、式（Ｉｆ３８１４）で表される化合物を得た。
【０７０４】
【化１５４】
2020132878.tif 000273
【０７０５】
＜式（Ｉｆ３８１４）で表される化合物の同定＞
（質量分析）イオン化モード＝ＥＳＩ＋：  ｍ／ｚ＝［Ｍ＋Ｈ］＋  ５２６
（質量分析）イオン化モード＝ＥＳＩ−：  ｍ／ｚ＝［Ｍ−Ｈ］−  ５２４
Ｅｘａｃｔ  Ｍａｓｓ：  ５２５
【０７０６】
実施例Ｃ−２４
式（ＩＭ１−１）で表される化合物を  式（ＩＭ１−５）で表される化合物に代え、  トリメリット酸無水物（東京化成工業（株）製）を２，３−ナフタレンジカルボン酸無水物（東京化成工業（株）製）に代えた以外は、実施例Ｃ−１と同様に実施して、式（Ｉｆ６５４）で表される化合物を得た。
【０７０７】
【化１５５】
2020132878.tif 000274
【０７０８】
＜式（Ｉｆ６５４）で表される化合物の同定＞
（質量分析）イオン化モード＝ＥＳＩ＋：  ｍ／ｚ＝［Ｍ＋Ｈ］＋  ５２６
（質量分析）イオン化モード＝ＥＳＩ−：  ｍ／ｚ＝［Ｍ−Ｈ］−  ５２４
Ｅｘａｃｔ  Ｍａｓｓ：  ５２５
【０７０９】
実施例Ｃ−２５
式（ＩＭ１−１）で表される化合物を  式（ＩＭ１−５）で表される化合物に代え、トリメリット酸無水物（東京化成工業（株）製）をフタル酸無水物（東京化成工業（株）製）に代えた以外は、実施例Ｃ−１と同様に実施して、式（Ｉｆ２９）で表される化合物を得た。
【０７１０】
【化１５６】
2020132878.tif 000275
【０７１１】
＜式（Ｉｆ２９）で表される化合物の同定＞
（質量分析）イオン化モード＝ＥＳＩ＋：  ｍ／ｚ＝［Ｍ＋Ｈ］＋  ４７６
（質量分析）イオン化モード＝ＥＳＩ−：  ｍ／ｚ＝［Ｍ−Ｈ］−  ４７４
Ｅｘａｃｔ  Ｍａｓｓ：  ４７５
【０７１２】
実施例Ｃ−２６
式（ＩＭ１−１）で表される化合物を式（ＩＭ１−５）で表される化合物に代えた以外は、実施例Ｃ−１と同様に実施して、式（Ｉｆ１２７９）で表される化合物を得た。
【０７１３】
【化１５７】
2020132878.tif 000276
【０７１４】
＜式（Ｉｆ１２７９）で表される化合物の同定＞
（質量分析）イオン化モード＝ＥＳＩ＋：  ｍ／ｚ＝［Ｍ＋Ｈ］＋  ５２０
（質量分析）イオン化モード＝ＥＳＩ−：  ｍ／ｚ＝［Ｍ−Ｈ］−  ５１８
Ｅｘａｃｔ  Ｍａｓｓ：  ５１９
【０７１５】
実施例Ｃ−２７
式（ＩＭ１−１）で表される化合物を式（ＩＭ１−５）で表される化合物に代え、トリメリット酸無水物（東京化成工業（株）製）を式（ｓｍ１）で表される化合物に代えた以外は、実施例Ｃ−１と同様に実施して、式（Ｉｆ１９０４）で表される化合物を得た。
【０７１６】
【化１５８】
2020132878.tif 000277
【０７１７】
＜式（Ｉｆ１９０４）で表される化合物の同定＞
（質量分析）イオン化モード＝ＥＳＩ＋：  ｍ／ｚ＝［Ｍ＋Ｈ］＋  ５２０
（質量分析）イオン化モード＝ＥＳＩ−：  ｍ／ｚ＝［Ｍ−Ｈ］−  ５１８
Ｅｘａｃｔ  Ｍａｓｓ：  ５１９
【０７１８】
実施例Ｃ−２８
トリメリット酸無水物（東京化成工業（株）製）を式（ｓｍ１）で表される化合物に代えた以外は、実施例Ｃ−１と同様に実施して、式（Ｉａ７２８）で表される化合物を得た。
【０７１９】
【化１５９】
2020132878.tif 000278
【０７２０】
＜式（Ｉａ７２８）で表される化合物の同定＞
（質量分析）イオン化モード＝ＥＳＩ＋：  ｍ／ｚ＝［Ｍ＋Ｈ］＋  ５１３
（質量分析）イオン化モード＝ＥＳＩ−：  ｍ／ｚ＝［Ｍ−Ｈ］−  ５１１
Ｅｘａｃｔ  Ｍａｓｓ：  ５１２
【０７２１】
実施例Ｃ−２９
式（ＩＭ１−１）で表される化合物を式（ＩＭ１−６）で表される化合物に代え、トリメリット酸無水物（東京化成工業（株）製）を２，３−ナフタレンジカルボン酸無水物（東京化成工業（株）製）に代えた以外は、実施例Ｃ−１と同様に実施して、式（Ｉａ６５７）で表される化合物を得た。
【０７２２】
【化１６０】
2020132878.tif 000279
【０７２３】
＜式（Ｉａ６５７）で表される化合物の同定＞
（質量分析）イオン化モード＝ＥＳＩ＋：  ｍ／ｚ＝［Ｍ＋Ｈ］＋  ４６９
（質量分析）イオン化モード＝ＥＳＩ−：  ｍ／ｚ＝［Ｍ−Ｈ］−  ４６７
Ｅｘａｃｔ  Ｍａｓｓ：  ４６８
【０７２４】
実施例Ｃ−３０
式（ＩＭ１−１）で表される化合物を式（ＩＭ１−６）で表される化合物に代え、トリメリット酸無水物（東京化成工業（株）製）を３−メチルフタル酸無水物（東京化成工業（株）製）に代えた以外は、実施例Ｃ−１と同様に実施して、式（Ｉｆ３１７１）で表される化合物を得た。
【０７２５】
【化１６１】
2020132878.tif 000280
【０７２６】
＜式（Ｉｆ３１７１）で表される化合物の同定＞
（質量分析）イオン化モード＝ＥＳＩ＋：  ｍ／ｚ＝［Ｍ＋Ｈ］＋  ４３３
（質量分析）イオン化モード＝ＥＳＩ−：  ｍ／ｚ＝［Ｍ−Ｈ］−  ４３１
Ｅｘａｃｔ  Ｍａｓｓ：  ４３２
【０７２７】
実施例Ｃ−３１
式（ＩＭ１−１）で表される化合物を式（ＩＭ１−６）で表される化合物に代え、トリメリット酸無水物（東京化成工業（株）製）を３−クロロフタル酸無水物（東京化成工業（株）製）に代えた以外は、実施例Ｃ−１と同様に実施して、式（Ｉａ６８６）で表される化合物を得た。
【０７２８】
【化１６２】
2020132878.tif 000281
【０７２９】
＜式（Ｉａ６８６）で表される化合物の同定＞
（質量分析）イオン化モード＝ＥＳＩ＋：  ｍ／ｚ＝［Ｍ＋Ｈ］＋  ４５３
（質量分析）イオン化モード＝ＥＳＩ−：  ｍ／ｚ＝［Ｍ−Ｈ］−  ４５１
Ｅｘａｃｔ  Ｍａｓｓ：  ４５２
【０７３０】
実施例Ｅ−１
式（Ｉａ５）で表される化合物１．６１部と発煙硫酸（２５％）（富士フィルム和光純薬（株）製）３２．７部を、１０℃〜２０℃に保ちながら、混合した。
この混合物を、５℃〜２０℃に保ちながら、３時間撹拌した。
この混合物を６２．２部の氷に滴下した。
得られた混合物をろ過した。
得られたろ液に、１０％アンモニア水を加えて、得られたろ液を中和した。
この混合物の溶媒を、この混合物の体積が半分になるまで、留去した。
得られた混合物に、この混合物の体積の２倍の体積のメタノールを加えた。
この混合物をろ過し、得られたろ液の溶媒を留去した。
得られた残渣を６０℃で減圧乾燥させて、
式（Ｉａ５−ＳＡ１）で表される化合物（式（Ｉａ５）で表される化合物の１個のいずれかの水素原子が−ＳＯ3ＮＨ4に置換している化合物）と
式（Ｉａ５−ＳＡ２）で表される化合物（式（Ｉａ５）で表される化合物の２個のいずれかの水素原子が−ＳＯ3ＮＨ4に置換している化合物）を含む混合物０．５８部を得た。
【０７３１】
【化１６３】
2020132878.tif 000282
【０７３２】
＜式（Ｉａ５−ＳＡ１）で表される化合物の同定＞
（質量分析）イオン化モード＝ＥＳＩ−：  ｍ／ｚ＝［Ｍ−ＮＨ４＋Ｈ−Ｈ］−  ５２５
Ｅｘａｃｔ  Ｍａｓｓ：  ５４３
【０７３３】
【化１６４】
2020132878.tif 000283
【０７３４】
＜式（Ｉａ５−ＳＡ２）で表される化合物の同定＞
（質量分析）イオン化モード＝ＥＳＩ−：  ｍ／ｚ＝［Ｍ−ＮＨ４−ＮＨ４＋Ｈ＋Ｈ−Ｈ］−  ６０５
Ｅｘａｃｔ  Ｍａｓｓ：  ６４０
【０７３５】
実施例Ｅ−２
式（Ｉａ１）で表される化合物０．３０部、クロロホルム３．００部及びクロロスルホン酸（東京化成工業（株）製）０．５５部を混合した。
この混合物を、６０℃に保ちながら、３時間撹拌した。
この混合物を３．６４部の氷に滴下した。
得られた混合物をろ過し、得られた残渣を水で洗浄した。
この残渣をメタノールで洗浄した。
この残渣を６０℃で減圧乾燥させて、式（Ｉａ１−ＳＡ１）で表される化合物（式（Ｉａ１）で表される化合物の１個のいずれかの水素原子が−ＳＯ3Ｈに置換している化合物）と式（Ｉａ１−ＳＡ２）で表される化合物（式（Ｉａ１）で表される化合物の１個のいずれかの水素原子が−ＳＯ2Ｃｌに置換している化合物）を含む混合物０．１８部を得た。
【０７３６】
【化１６５】
2020132878.tif 000284
【０７３７】
＜式（Ｉａ１−ＳＡ１）で表される化合物の同定＞
（質量分析）イオン化モード＝ＥＳＩ−：  ｍ／ｚ＝［Ｍ−Ｈ］−  ４９７
Ｅｘａｃｔ  Ｍａｓｓ：  ４９８
【０７３８】
【化１６６】
2020132878.tif 000285
【０７３９】
＜式（Ｉａ１−ＳＡ２）で表される化合物の同定＞
（質量分析）イオン化モード＝ＥＳＩ−：  ｍ／ｚ＝［Ｍ−Ｈ］−  ５１５
Ｅｘａｃｔ  Ｍａｓｓ：  ５１６
【０７４０】
実施例Ｅ−３
式（Ｉａ２）で表される化合物１．００部と発煙硫酸（３０％）（富士フィルム和光純薬（株）製）２０．６部を、室温で、混合した。
この混合物を、室温で３時間撹拌した。
この混合物を２０８部の氷に滴下した。
得られた混合物とアセトニトリル１１０部を混合した。
この混合物をろ過し、得られた残渣をアセトニトリルで洗浄した。
この残渣を６０℃で減圧乾燥させて、式（Ｉａ２−ＳＡ）で表される化合物（式（Ｉａ２）で表される化合物の２個のいずれかの水素原子が−ＳＯ3Ｈに置換している化合物）を含む混合物０．４０部を得た。
【０７４１】
【化１６７】
2020132878.tif 000286
【０７４２】
＜式（Ｉａ２−ＳＡ）で表される化合物の同定＞
（質量分析）イオン化モード＝ＥＳＩ−：  ｍ／ｚ＝［Ｍ−Ｈ］−  ６７７
Ｅｘａｃｔ  Ｍａｓｓ：  ６７８
【０７４３】
合成例１
還流冷却器、滴下ロート及び攪拌機を備えたフラスコ内に窒素を適量流し窒素雰囲気に置換し、プロピレングリコールモノメチルエーテルアセテート２８０部を入れ、攪拌しながら８０℃まで加熱した。次いで、アクリル酸３８部、３，４−エポキシトリシクロ［５．２．１．０2,6］デカン−８−イルアクリレート及び３，４−エポキシトリシクロ［５．２．１．０2,6］デカン−９−イルアクリレートの混合物（含有比はモル比で１：１）２８９部、プロピレングリコールモノメチルエーテルアセテート１２５部の混合溶液を５時間かけて滴下した。一方、２，２−アゾビス（２，４−ジメチルバレロニトリル）３３部をプロピレングリコールモノメチルエーテルアセテート２３５部に溶解した溶液を６時間かけて滴下した。滴下終了後、８０℃で４時間保持した後、室温まで冷却して、固形分３５．０％の共重合体（樹脂Ｂ１）の溶液を得た。得られた樹脂Ｂ１の重量平均分子量は８８００、分散度は２．１、固形分換算の酸価は８０ｍｇ−ＫＯＨ／ｇであった。
【０７４４】
合成例２
還流冷却器、滴下ロート及び攪拌機を備えたフラスコ内に窒素を適量流し窒素雰囲気に置換し、プロピレングリコールモノメチルエーテルアセテート３４０部を入れ、攪拌しながら８０℃まで加熱した。次いで、アクリル酸５７部、３，４−エポキシトリシクロ［５．２．１．０2,6］デカン−８−イルアクリレート及び３，４−エポキシトリシクロ［５．２．１．０2,6］デカン−９−イルアクリレートの混合物（含有比はモル比で１：１）５４部、ベンジルメタクリレート２３９部、プロピレングリコールモノメチルエーテルアセテート７３部の混合溶液を５時間かけて滴下した。一方、２，２−アゾビス（２，４−ジメチルバレロニトリル）４０部をプロピレングリコールモノメチルエーテルアセテート１９７部に溶解した溶液を６時間かけて滴下した。滴下終了後、８０℃で３時間保持した後、室温まで冷却して、固形分３６．８％の共重合体（樹脂Ｂ２）の溶液を得た。得られた共重合体の重量平均分子量は９４００、分散度は１．８９、固形分換算の酸価は１１４ｍｇ−ＫＯＨ／ｇであった。
【０７４５】
実施例９
以下の割合で各成分を混合し、ビーズミルを用いて着色剤を分散させて、着色組成物Ｍ１を得た。
着色剤（Ａ）：式（Ｉａ２）で表される化合物                        ４．５０部；
着色剤（Ａ）：式（ｚ）で表される化合物                          ０．５００部；
分散剤溶液：ＤＩＳＰＥＲＢＹＫ−１６１(ビックケミー・ジャパン株式会社製）
１６．７部；
樹脂（Ｂ）：樹脂Ｂ１溶液                                          １１．４部；
溶剤（Ｅ）：プロピレングリコールモノメチルエーテルアセテート      ４６．９部；
溶剤（Ｅ）：乳酸エチル                                            ２０．０部；
【０７４６】
次いで、以下の割合で各成分を混合して着色組成物１を得た。
着色組成物Ｍ１                                                    ５７．６部；
樹脂（Ｂ）：樹脂Ｂ２溶液                                          ２７．０部；
溶剤（Ｅ）：プロピレングリコールモノメチルエーテルアセテート      １５．４部；
レベリング剤（Ｆ）：トーレシリコーンＳＨ８４００（東レダウコーニング（株）製）
０．００６３０部；
【０７４７】
【化１６８】
2020132878.tif 000287
【０７４８】
２インチ角のガラス基板（イーグルＸＧ；コーニング製）上に、着色組成物１をスピンコート法で塗布した後、１００℃で３分間プリベークして、プリベーク着色塗膜を形成した。
得られたプリベーク着色塗膜の膜厚を、ＤｅｋｔａｋＸＴ（ＢＲＵＫＥＲ製）を用いて測定した。
このプリベーク着色塗膜のスペクトルを、測色機：ＬＶｍｉｃｒоＺ（株式会社ラムダビジョン製）を用いて測定した。
このプリベーク着色塗膜の膜厚、及びこのプリベーク着色塗膜の吸収スペクトルの最も長波長側の極大吸収波長を表３９に示す。
このプリベーク着色塗膜を、２３０℃で３０分間ポストベークを行うことにより、ポストベーク着色塗膜を得た。
【０７４９】
実施例１０
式（Ｉａ２）で表される化合物を、式（Ｉａ２３）で表される化合物に代えた以外は、実施例９と同様にして、着色組成物を得て、プリベーク着色塗膜及びポストベーク着色塗膜を得た。
このプリベーク着色塗膜の膜厚、及びこのプリベーク着色塗膜の吸収スペクトルの最も長波長側の極大吸収波長を表３９に示す。
【０７５０】
実施例１１
式（Ｉａ２）で表される化合物を、実施例４で得た式（Ｉａ１０）で表される化合物、式（Ｉａ２１４３）で表される化合物、式（Ｉａ８５０）で表される化合物及び式（Ｉａ３１５）で表される化合物の混合物に代えた以外は、実施例９と同様にして、着色組成物を得て、プリベーク着色塗膜及びポストベーク着色塗膜を得た。
このプリベーク着色塗膜の膜厚、及びこのプリベーク着色塗膜の吸収スペクトルの最も長波長側の肩ピークの波長を表３９に示す。
【０７５１】
実施例１２
式（Ｉａ２）で表される化合物を、式（Ｉａ３５）で表される化合物に代えた以外は、実施例９と同様にして、着色組成物を得て、プリベーク着色塗膜及びポストベーク着色塗膜を得た。
このプリベーク着色塗膜の膜厚、及びこのプリベーク着色塗膜の吸収スペクトルの最も長波長側の極大吸収波長を表３９に示す。
【０７５２】
実施例１３
以下の割合で各成分を混合し、ビーズミルを用いて着色剤を分散させて、着色組成物Ｍ２を得た。
着色剤（Ａ）：式（Ｉａ１）で表される化合物                        ４．５０部；
着色剤（Ａ）：式（ｚ）で表される化合物                          ０．５００部；
分散剤溶液：ＢＹＫ−ＬＰＮ６９１９(ビックケミー・ジャパン株式会社製）
８．３３部；
樹脂（Ｂ）：樹脂Ｂ１溶液                                          １１．４部；
溶剤（Ｅ）：プロピレングリコールモノメチルエーテルアセテート      ５５．２部；
溶剤（Ｅ）：乳酸エチル                                            ２０．０部；
【０７５３】
次いで、以下の割合で各成分を混合して着色組成物２を得た。
着色組成物Ｍ２                                                    ５７．６部；
樹脂（Ｂ）：樹脂Ｂ２溶液                                          ２７．０部；
溶剤（Ｅ）：プロピレングリコールモノメチルエーテルアセテート      １５．４部；
レベリング剤（Ｆ）：トーレシリコーンＳＨ８４００（東レダウコーニング（株）製）
０．００６３０部；
【０７５４】
２インチ角のガラス基板（イーグルＸＧ；コーニング製）上に、着色組成物２をスピンコート法で塗布した後、１００℃で３分間プリベークして、プリベーク着色塗膜を形成した。
得られたプリベーク着色塗膜の膜厚を、ＤｅｋｔａｋＸＴ（ＢＲＵＫＥＲ製）を用いて測定した。
このプリベーク着色塗膜のスペクトルを、測色機：ＬＶｍｉｃｒоＺ（株式会社ラムダビジョン製）を用いて測定した。
このプリベーク着色塗膜の膜厚、及びこのプリベーク着色塗膜の吸収スペクトルの最も長波長側の極大吸収波長を表３９に示す。
このプリベーク着色塗膜を、２３０℃で３０分間ポストベークを行うことにより、ポストベーク着色塗膜を得た。
【０７５５】
実施例１４
以下の割合で各成分を混合し、ビーズミルを用いて着色剤を分散させて、着色組成物Ｍ３を得た。
着色剤（Ａ）：実施例４で得た式（Ｉａ１０）で表される化合物、式（Ｉａ２１４３）で表される化合物、式（Ｉａ８５０）で表される化合物及び式（Ｉａ３１５）で表される化合物の混合物                                                      ５．００部；
分散剤溶液：ＤＩＳＰＥＲＢＹＫ−１６１(ビックケミー・ジャパン株式会社製）
１６．７部；
樹脂（Ｂ）：樹脂Ｂ１溶液                                          １１．４部；
溶剤（Ｅ）：プロピレングリコールモノメチルエーテルアセテート      ４６．９部；
溶剤（Ｅ）：乳酸エチル                                            ２０．０部；
【０７５６】
次いで、以下の割合で各成分を混合して着色組成物３を得た。
着色組成物Ｍ３                                                    ５７．６部；
樹脂（Ｂ）：樹脂Ｂ２溶液                                          ２７．０部；
溶剤（Ｅ）：プロピレングリコールモノメチルエーテルアセテート      １５．４部；
レベリング剤（Ｆ）：トーレシリコーンＳＨ８４００（東レダウコーニング（株）製）
０．００６３０部；
【０７５７】
２インチ角のガラス基板（イーグルＸＧ；コーニング製）上に、着色組成物３をスピンコート法で塗布した後、１００℃で３分間プリベークして、プリベーク着色塗膜を形成した。
得られたプリベーク着色塗膜の膜厚を、ＤｅｋｔａｋＸＴ（ＢＲＵＫＥＲ製）を用いて測定した。
このプリベーク着色塗膜のスペクトルを、測色機：ＬＶｍｉｃｒоＺ（株式会社ラムダビジョン製）を用いて測定した。
このプリベーク着色塗膜の膜厚、及びこのプリベーク着色塗膜の吸収スペクトルの最も長波長側の肩ピークの波長を表３９に示す。
このプリベーク着色塗膜を、２３０℃で３０分間ポストベークを行うことにより、ポストベーク着色塗膜を得た。
【０７５８】
実施例１５
実施例４で得た式（Ｉａ１０）で表される化合物、式（Ｉａ２１４３）で表される化合物、式（Ｉａ８５０）で表される化合物及び式（Ｉａ３１５）で表される化合物の混合物を、式（Ｉａ３３）で表される化合物に代えた以外は、実施例１４と同様にして、着色組成物を得て、プリベーク着色塗膜及びポストベーク着色塗膜を得た。
このプリベーク着色塗膜の膜厚、及びこのプリベーク着色塗膜の吸収スペクトルの最も長波長側の極大吸収波長を表３９に示す。
【０７５９】
実施例１６
以下の割合で各成分を混合し、ビーズミルを用いて着色剤を分散させて、着色組成物Ｍ４を得た。
着色剤（Ａ）：式（Ｉａ２２）で表される化合物                      ４．５０部；
着色剤（Ａ）：式（ｚ）で表される化合物                          ０．５００部；
分散剤溶液：ＤＩＳＰＥＲＢＹＫ−１６１(ビックケミー・ジャパン株式会社製）
１６．７部；
樹脂（Ｂ）：樹脂Ｂ１溶液                                          １１．４部；
溶剤（Ｅ）：プロピレングリコールモノメチルエーテルアセテート      ４６．９部；
溶剤（Ｅ）：乳酸エチル                                            ２０．０部；
【０７６０】
次いで、以下の割合で各成分を混合して着色組成物４を得た。
着色組成物Ｍ４                                                    ４８．０部；
樹脂（Ｂ）：樹脂Ｂ２溶液                                          ２２．５部；
溶剤（Ｅ）：プロピレングリコールモノメチルエーテルアセテート      ２９．５部；
レベリング剤（Ｆ）：トーレシリコーンＳＨ８４００（東レダウコーニング（株）製）
０．００５２５部；
【０７６１】
２インチ角のガラス基板（イーグルＸＧ；コーニング製）上に、着色組成物４をスピンコート法で塗布した後、１００℃で３分間プリベークして、プリベーク着色塗膜を形成した。
得られたプリベーク着色塗膜の膜厚を、ＤｅｋｔａｋＸＴ（ＢＲＵＫＥＲ製）を用いて測定した。
このプリベーク着色塗膜のスペクトルを、測色機：ＬＶｍｉｃｒоＺ（株式会社ラムダビジョン製）を用いて測定した。
このプリベーク着色塗膜の膜厚、及びこのプリベーク着色塗膜の吸収スペクトルの最も長波長側の極大吸収波長を表３９に示す。
このプリベーク着色塗膜を、２３０℃で３０分間ポストベークを行うことにより、ポストベーク着色塗膜を得た。
【０７６２】
比較例１
以下の割合で各成分を混合し、ビーズミルを用いて着色剤を分散させて、着色組成物Ｍ５を得た。
着色剤（Ａ）：Ｃ．Ｉ．ピグメントイエロー１３８                    １２．０部；
分散剤の固形分                                                    ４．２１部；
樹脂の固形分                                                      ５．０５部；
溶剤（Ｅ）：プロピレングリコールモノメチルエーテルアセテート      ７４．８部；
溶剤（Ｅ）：プロピレングリコールモノメチルエーテル                ３．９４部；
【０７６３】
次いで、以下の割合で各成分を混合して着色組成物５を得た。
着色組成物Ｍ５                                                    ２４．０部；
樹脂（Ｂ）：樹脂Ｂ２溶液                                          ３５．０部；
溶剤（Ｅ）：プロピレングリコールモノメチルエーテルアセテート      ４１．０部；
レベリング剤（Ｆ）：トーレシリコーンＳＨ８４００（東レダウコーニング（株）製）
０．００６３０部；
【０７６４】
２インチ角のガラス基板（イーグルＸＧ；コーニング製）上に、着色組成物５をスピンコート法で塗布した後、１００℃で３分間プリベークして、プリベーク着色塗膜を形成した。
得られたプリベーク着色塗膜の膜厚を、ＤｅｋｔａｋＸＴ（ＢＲＵＫＥＲ製）を用いて測定した。
このプリベーク着色塗膜のスペクトルを、測色機：ＬＶｍｉｃｒоＺ（株式会社ラムダビジョン製）を用いて測定した。
このプリベーク着色塗膜の膜厚、及びこのプリベーク着色塗膜の吸収スペクトルの最も長波長側の極大吸収波長を表３９に示す。
このプリベーク着色塗膜を、２３０℃で３０分間ポストベークを行うことにより、ポストベーク着色塗膜を得た。
【０７６５】
比較例２
以下の割合で各成分を混合し、ビーズミルを用いて着色剤を分散させて、着色組成物Ｍ６を得た。
着色剤（Ａ）：Ｃ．Ｉ．ピグメントイエロー１３８                    ４．５０部；
着色剤（Ａ）：式（ｚ）で表される化合物                          ０．５００部；
分散剤溶液：ＤＩＳＰＥＲＢＹＫ−１６１(ビックケミー・ジャパン株式会社製）
１６．７部；
樹脂（Ｂ）：樹脂Ｂ１溶液                                          １１．４部；
溶剤（Ｅ）：プロピレングリコールモノメチルエーテルアセテート      ４６．９部；
溶剤（Ｅ）：乳酸エチル                                            ２０．０部；
【０７６６】
次いで、以下の割合で各成分を混合して着色組成物６を得た。
着色組成物Ｍ６                                                    ５７．６部；
樹脂（Ｂ）：樹脂Ｂ２溶液                                          ２７．０部；
溶剤（Ｅ）：プロピレングリコールモノメチルエーテルアセテート      １５．４部；
レベリング剤（Ｆ）：トーレシリコーンＳＨ８４００（東レダウコーニング（株）製）
０．００６３０部；
【０７６７】
２インチ角のガラス基板（イーグルＸＧ；コーニング製）上に、着色組成物６をスピンコート法で塗布した後、１００℃で３分間プリベークして、プリベーク着色塗膜を形成した。
得られたプリベーク着色塗膜の膜厚を、ＤｅｋｔａｋＸＴ（ＢＲＵＫＥＲ製）を用いて測定した。
このプリベーク着色塗膜のスペクトルを、測色機：ＬＶｍｉｃｒоＺ（株式会社ラムダビジョン製）を用いて測定した。
このプリベーク着色塗膜の膜厚、及びこのプリベーク着色塗膜の吸収スペクトルの最も長波長側の極大吸収波長を表３９に示す。
このプリベーク着色塗膜を、２３０℃で３０分間ポストベークを行うことにより、ポストベーク着色塗膜を得た。
【０７６８】
表３９において、
「ＡＡＡ」欄は、吸収スペクトルの最も長波長側の極大吸収波長を示し、
「ＢＢＢ」欄は、吸収スペクトルの最も長波長側の肩ピークの波長を示す。
【０７６９】
【表３９】
2020132878.tif 000288
【０７７０】
実施例１７
以下の割合で各成分を混合し、ビーズミルを用いて着色剤を分散させて、着色組成物Ｍ７を得た。
着色剤（Ａ）：実施例７で得た式（Ｉｅ１２）で表される化合物を含む混合物
５．００部；
分散剤溶液：ＤＩＳＰＥＲＢＹＫ−１６１(ビックケミー・ジャパン株式会社製）
１６．７部；
樹脂（Ｂ）：樹脂Ｂ１溶液                                          １１．４部；
溶剤（Ｅ）：プロピレングリコールモノメチルエーテルアセテート      ４６．９部；
溶剤（Ｅ）：乳酸エチル                                            ２０．０部；
【０７７１】
次いで、以下の割合で各成分を混合して着色組成物７を得た。
着色組成物Ｍ７                                                    ５７．６部；
樹脂（Ｂ）：樹脂Ｂ２溶液                                          ２７．０部；
溶剤（Ｅ）：プロピレングリコールモノメチルエーテルアセテート      １５．４部；
レベリング剤（Ｆ）：トーレシリコーンＳＨ８４００（東レダウコーニング（株）製）
０．００６３０部；
【０７７２】
２インチ角のガラス基板（イーグルＸＧ；コーニング製）上に、着色組成物７をスピンコート法で塗布した後、１００℃で３分間プリベークして、プリベーク着色塗膜を形成した。
このプリベーク着色塗膜を、２３０℃で３０分間ポストベークを行うことにより、ポストベーク着色塗膜を得た。
得られたポストベーク着色塗膜の膜厚を、ＤｅｋｔａｋＸＴ（ＢＲＵＫＥＲ製）を用いて測定した。
このポストベーク着色塗膜のスペクトルを、測色機：ＬＶｍｉｃｒоＺ（株式会社ラムダビジョン製）を用いて測定した。
このポストベーク着色塗膜の膜厚、及びこのポストベーク着色塗膜の吸収スペクトルの最も長波長側の肩ピークの波長を表４０に示す。
【０７７３】
比較例３
以下の割合で各成分を混合し、ビーズミルを用いて着色剤を分散させて、着色組成物Ｍ８を得た。
着色剤（Ａ）：Ｃ．Ｉ．ピグメントイエロー１３８                    １２．０部；
分散剤の固形分                                                    ４．２１部；
樹脂の固形分                                                      ５．０５部；
溶剤（Ｅ）：プロピレングリコールモノメチルエーテルアセテート      ７４．８部；
溶剤（Ｅ）：プロピレングリコールモノメチルエーテル                ３．９４部；
【０７７４】
次いで、以下の割合で各成分を混合して着色組成物８を得た。
着色組成物Ｍ８                                                    ２４．０部；
樹脂（Ｂ）：樹脂Ｂ２溶液                                          ３５．０部；
溶剤（Ｅ）：プロピレングリコールモノメチルエーテルアセテート      ４１．０部；
レベリング剤（Ｆ）：トーレシリコーンＳＨ８４００（東レダウコーニング（株）製）
０．００６３０部；
【０７７５】
２インチ角のガラス基板（イーグルＸＧ；コーニング製）上に、着色組成物８をスピンコート法で塗布した後、１００℃で３分間プリベークして、プリベーク着色塗膜を形成した。
このプリベーク着色塗膜を、２３０℃で３０分間ポストベークを行うことにより、ポストベーク着色塗膜を得た。
得られたポストベーク着色塗膜の膜厚を、ＤｅｋｔａｋＸＴ（ＢＲＵＫＥＲ製）を用いて測定した。
このポストベーク着色塗膜のスペクトルを、測色機：ＬＶｍｉｃｒоＺ（株式会社ラムダビジョン製）を用いて測定した。
このポストベーク着色塗膜の膜厚、及びこのポストベーク着色塗膜の吸収スペクトルの最も長波長側の極大吸収波長を表４０に示す。
【０７７６】
表４０において、
「ＣＣＣ」欄は、吸収スペクトルの最も長波長側の極大吸収波長を示し、
「ＤＤＤ」欄は、吸収スペクトルの最も長波長側の肩ピークの波長を示す。
【０７７７】
【表４０】
2020132878.tif 000289
【０７７８】
比較例４
以下の割合で各成分を混合し、ビーズミルを用いて着色剤を分散させて、着色組成物ＭＨ４を得た。
着色剤（Ａ）：Ｃ．Ｉ．ピグメントイエロー１３８                    ４．５０部
着色剤（Ａ）：式（ｚ）で表される化合物                          ０．５００部
分散剤溶液：ＤＩＳＰＥＲＢＹＫ−１６１(ビックケミー・ジャパン株式会社製）
１６．７部
樹脂（Ｂ）：樹脂Ｂ１溶液                                          １１．４部
溶剤（Ｅ）：プロピレングリコールモノメチルエーテルアセテート      ４６．９部
溶剤（Ｅ）：乳酸エチル                                            ２０．０部
【０７７９】
次いで、以下の割合で各成分を混合して着色組成物Ｈ４を得た。
着色組成物ＭＨ４                                                  ５７．６部
樹脂（Ｂ）：樹脂Ｂ２溶液                                          ２７．０部 
溶剤（Ｅ）：プロピレングリコールモノメチルエーテルアセテート      １５．４部
レベリング剤（Ｆ）：トーレシリコーンＳＨ８４００（東レダウコーニング（株）製）
０．００６３０部
【０７８０】
２インチ角のガラス基板（イーグルＸＧ；コーニング製）上に、着色組成物Ｈ４をスピンコート法で塗布した後、１００℃で３分間プリベークして、プリベーク着色塗膜を形成した。このプリベーク着色塗膜を、２３０℃で３０分間ポストベークを行うことにより、ポストベーク着色塗膜を得た。得られたポストベーク着色塗膜の膜厚を、ＤｅｋｔａｋＸＴ（ＢＲＵＫＥＲ製）を用いて測定した。このポストベーク着色塗膜のスペクトルを、測色機：ＬＶｍｉｃｒоＺ（株式会社ラムダビジョン製）を用いて測定した。
このポストベーク着色塗膜の膜厚、及びこのポストベーク着色塗膜の吸収スペクトルの最も長波長側の極大吸収波長又は吸収スペクトルの最も長波長側の肩ピークの波長を表ＡＤ１に示す。
【０７８１】
表ＡＤ１〜表ＡＤ２１において、
「ＥＥＥ」欄は、吸収スペクトルの最も長波長側の極大吸収波長を示し、
「ＦＦＦ」欄は、吸収スペクトルの最も長波長側の肩ピークの波長を示す。
【０７８２】
【表ＡＤ１】
2020132878.tif 000290
【０７８３】
実施例６−１
以下の割合で各成分を混合し、ビーズミルを用いて着色剤を分散させて、着色組成物Ｍ６−１を得た。
着色剤（Ａ）：式（Ｉａ５１）で表される化合物                      ４．５０部
着色剤（Ａ）：式（ｚ）で表される化合物                          ０．５００部
分散剤溶液：ＤＩＳＰＥＲＢＹＫ−１６１(ビックケミー・ジャパン株式会社製）
１６．７部
樹脂（Ｂ）：樹脂Ｂ１溶液                                          １１．４部
溶剤（Ｅ）：プロピレングリコールモノメチルエーテルアセテート      ６６．９部
【０７８４】
次いで、以下の割合で各成分を混合して着色組成物６−１を得た。
着色組成物Ｍ６−１                                                ５７．６部
樹脂（Ｂ）：樹脂Ｂ１溶液                                          ２８．４部 
溶剤（Ｅ）：プロピレングリコールモノメチルエーテルアセテート      １４．０部
レベリング剤（Ｆ）：トーレシリコーンＳＨ８４００（東レダウコーニング（株）製）
０．００６３０部
【０７８５】
２インチ角のガラス基板（イーグルＸＧ；コーニング製）上に、着色組成物６−１をスピンコート法で塗布した後、１００℃で３分間プリベークして、プリベーク着色塗膜を形成した。
得られたプリベーク着色塗膜の膜厚を、ＤｅｋｔａｋＸＴ（ＢＲＵＫＥＲ製）を用いて測定した。このプリベーク着色塗膜のスペクトルを、測色機：ＬＶｍｉｃｒоＺ（株式会社ラムダビジョン製）を用いて測定した。
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ２に示す。
このプリベーク着色塗膜を、２３０℃で３０分間ポストベークを行うことにより、ポストベーク着色塗膜を得た。
【０７８６】
【表ＡＤ２】
2020132878.tif 000291
【０７８７】
実施例６−２〜実施例６−４
式（Ｉａ５１）で表される化合物を、表ＡＤ３中の「着色剤ＡＡＡ」欄に記載の化合物に代えた以外は、実施例６−１と同様にして、着色組成物を得て、プリベーク着色塗膜及びポストベーク着色塗膜を得た。
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ３に示す。
【０７８８】
【表ＡＤ３】
2020132878.tif 000292
【０７８９】
実施例７−１
以下の割合で各成分を混合し、ビーズミルを用いて着色剤を分散させて、着色組成物Ｍ７−１を得た。
着色剤（Ａ）：式（Ｉａ９７３）で表される化合物                    ４．５０部；
着色剤（Ａ）：式（ｚ）で表される化合物                          ０．５００部；
分散剤溶液：ＢＹＫ−ＬＰＮ６９１９(ビックケミー・ジャパン株式会社製）
８．３３部；
樹脂（Ｂ）：樹脂Ｂ１溶液                                          １１．４部；
溶剤（Ｅ）：プロピレングリコールモノメチルエーテルアセテート      ７５．２部；
【０７９０】
次いで、以下の割合で各成分を混合して着色組成物７−１を得た。
着色組成物Ｍ７−１                                                ５７．６部；
樹脂（Ｂ）：樹脂Ｂ１溶液                                          ２８．４部； 
溶剤（Ｅ）：プロピレングリコールモノメチルエーテルアセテート      １４．０部；
レベリング剤（Ｆ）：トーレシリコーンＳＨ８４００（東レダウコーニング（株）製）
０．００６３０部；
【０７９１】
２インチ角のガラス基板（イーグルＸＧ；コーニング製）上に、着色組成物７−１をスピンコート法で塗布した後、１００℃で３分間プリベークして、プリベーク着色塗膜を形成した。
得られたプリベーク着色塗膜の膜厚を、ＤｅｋｔａｋＸＴ（ＢＲＵＫＥＲ製）を用いて測定した。このプリベーク着色塗膜のスペクトルを、測色機：ＬＶｍｉｃｒоＺ（株式会社ラムダビジョン製）を用いて測定した。
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ４に示す。
このプリベーク着色塗膜を、２３０℃で３０分間ポストベークを行うことにより、ポストベーク着色塗膜を得た。
【０７９２】
【表ＡＤ４】
2020132878.tif 000293
【０７９３】
実施例７−２〜実施例７−６
式（Ｉａ９７３）で表される化合物を、表ＡＤ５中の「着色剤ＡＡＡ」欄に記載の化合物に代えた以外は、実施例７−１と同様にして、着色組成物を得て、プリベーク着色塗膜及びポストベーク着色塗膜を得た。
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ５に示す。
【０７９４】
【表ＡＤ５】
2020132878.tif 000294
【０７９５】
実施例７−７
以下の割合で各成分を混合し、ビーズミルを用いて着色剤を分散させて、着色組成物Ｍ７−７を得た。
着色剤（Ａ）：式（Ｉｆ２５２８）で表される化合物                  ４．５０部；
着色剤（Ａ）：式（ｚ）で表される化合物                          ０．５００部；
分散剤溶液：ＢＹＫ−ＬＰＮ６９１９(ビックケミー・ジャパン株式会社製）
８．３３部；
樹脂（Ｂ）：樹脂Ｂ１溶液                                          １１．４部；
溶剤（Ｅ）：プロピレングリコールモノメチルエーテルアセテート      ７５．２部；
【０７９６】
次いで、以下の割合で各成分を混合して着色組成物７−７を得た。
着色組成物Ｍ７−７                                                ５７．６部；
樹脂（Ｂ）：樹脂Ｂ１溶液                                          ２８．４部； 
溶剤（Ｅ）：プロピレングリコールモノメチルエーテルアセテート      １４．０部；
レベリング剤（Ｆ）：トーレシリコーンＳＨ８４００（東レダウコーニング（株）製）
０．００６３０部；
【０７９７】
２インチ角のガラス基板（イーグルＸＧ；コーニング製）上に、着色組成物７−７をスピンコート法で塗布した後、１００℃で３分間プリベークして、プリベーク着色塗膜を形成した。
このプリベーク着色塗膜を、２３０℃で３０分間ポストベークを行うことにより、ポストベーク着色塗膜を得た。得られたポストベーク着色塗膜の膜厚を、ＤｅｋｔａｋＸＴ（ＢＲＵＫＥＲ製）を用いて測定した。このポストベーク着色塗膜のスペクトルを、測色機：ＬＶｍｉｃｒоＺ（株式会社ラムダビジョン製）を用いて測定した。
このポストベーク着色塗膜の膜厚、及びこのポストベーク着色塗膜の吸収スペクトルの最も長波長側の極大吸収波長又は吸収スペクトルの最も長波長側の肩ピークの波長を表ＡＤ６に示す。
【０７９８】
【表ＡＤ６】
2020132878.tif 000295
【０７９９】
実施例９０−１
以下の割合で各成分を混合し、ビーズミルを用いて着色剤を分散させて、着色組成物Ｍ９０−１を得た。
着色剤（Ａ）：式（Ｉａ５）で表される化合物                        ４．００部；
着色剤（Ａ）：式（ｚ）で表される化合物                            １．００部；
分散剤溶液：ＢＹＫ−ＬＰＮ６９１９(ビックケミー・ジャパン株式会社製）
１２．５部；
樹脂（Ｂ）：樹脂Ｂ１溶液                                          １１．４部；
溶剤（Ｅ）：プロピレングリコールモノメチルエーテルアセテート      ７１．１部；
【０８００】
次いで、以下の割合で各成分を混合して着色組成物９０−１を得た。
着色組成物Ｍ９０−１                                              ５７．６部；
樹脂（Ｂ）：樹脂Ｂ１溶液                                          ２４．３部； 
溶剤（Ｅ）：プロピレングリコールモノメチルエーテルアセテート      １８．１部；
レベリング剤（Ｆ）：トーレシリコーンＳＨ８４００（東レダウコーニング（株）製）
０．００６３０部；
【０８０１】
２インチ角のガラス基板（イーグルＸＧ；コーニング製）上に、着色組成物９０−１をスピンコート法で塗布した後、１００℃で３分間プリベークして、プリベーク着色塗膜を形成した。得られたプリベーク着色塗膜の膜厚を、ＤｅｋｔａｋＸＴ（ＢＲＵＫＥＲ製）を用いて測定した。このプリベーク着色塗膜のスペクトルを、測色機：ＬＶｍｉｃｒоＺ（株式会社ラムダビジョン製）を用いて測定した。
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ７に示す。
このプリベーク着色塗膜を、２３０℃で３０分間ポストベークを行うことにより、ポストベーク着色塗膜を得た。
【０８０２】
【表ＡＤ７】
2020132878.tif 000296
【０８０３】
実施例９０−２〜実施例９０−２２
式（Ｉａ５）で表される化合物を、表ＡＤ８中の「着色剤ＡＡＡ」欄に記載の化合物に代えた以外は、実施例９０−１と同様にして、着色組成物を得て、プリベーク着色塗膜及びポストベーク着色塗膜を得た。
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ８に示す。
【０８０４】
【表ＡＤ８】
2020132878.tif 000297
【０８０５】
実施例９０−２３
以下の割合で各成分を混合し、ビーズミルを用いて着色剤を分散させて、着色組成物Ｍ９０−２３を得た。
着色剤（Ａ）：式（Ｉｆ１９０４）で表される化合物                  ４．００部；
着色剤（Ａ）：式（ｚ）で表される化合物                            １．００部；
分散剤溶液：ＢＹＫ−ＬＰＮ６９１９（ビックケミー・ジャパン株式会社製）
１２．５部；
樹脂（Ｂ）：樹脂Ｂ１溶液                                          １１．４部；
溶剤（Ｅ）：プロピレングリコールモノメチルエーテルアセテート      ７１．１部；
【０８０６】
次いで、以下の割合で各成分を混合して着色組成物９０−２３を得た。
着色組成物Ｍ９０−２３                                            ５７．６部；
樹脂（Ｂ）：樹脂Ｂ１溶液                                          ２４．３部； 
溶剤（Ｅ）：プロピレングリコールモノメチルエーテルアセテート      １８．１部；
レベリング剤（Ｆ）：トーレシリコーンＳＨ８４００（東レダウコーニング（株）製）
０．００６３０部；
【０８０７】
２インチ角のガラス基板（イーグルＸＧ；コーニング製）上に、着色組成物９０−２３をスピンコート法で塗布した後、１００℃で３分間プリベークして、プリベーク着色塗膜を形成した。このプリベーク着色塗膜を、２３０℃で３０分間ポストベークを行うことにより、ポストベーク着色塗膜を得た。得られたポストベーク着色塗膜の膜厚を、ＤｅｋｔａｋＸＴ（ＢＲＵＫＥＲ製）を用いて測定した。このポストベーク着色塗膜のスペクトルを、測色機：ＬＶｍｉｃｒоＺ（株式会社ラムダビジョン製）を用いて測定した。
このポストベーク着色塗膜の膜厚、及びこのポストベーク着色塗膜の吸収スペクトルの最も長波長側の極大吸収波長又は吸収スペクトルの最も長波長側の肩ピークの波長を表ＡＤ９に示す。
【０８０８】
【表ＡＤ９】
2020132878.tif 000298
【０８０９】
実施例９１−１
以下の割合で各成分を混合し、ビーズミルを用いて着色剤を分散させて、着色組成物Ｍ９１−１を得た。
着色剤（Ａ）：式（Ｉｆ３７９６）で表される化合物                  ４．００部；
着色剤（Ａ）：式（ｚ）で表される化合物                            １．００部；
分散剤溶液：ＢＹＫ−ＬＰＮ６９１９（ビックケミー・ジャパン株式会社製）
１２．５部；
樹脂（Ｂ）：樹脂Ｂ１溶液                                          １１．４部；
溶剤（Ｅ）：プロピレングリコールモノメチルエーテルアセテート      ７１．１部；
【０８１０】
次いで、以下の割合で各成分を混合して着色組成物９１−１を得た。
着色組成物Ｍ９１−１                                              ５１．２部；
樹脂（Ｂ）：樹脂Ｂ１溶液                                          ２１．６部； 
溶剤（Ｅ）：プロピレングリコールモノメチルエーテルアセテート      ２７．２部；
レベリング剤（Ｆ）：トーレシリコーンＳＨ８４００（東レダウコーニング（株）製）
０．００５６０部；
【０８１１】
２インチ角のガラス基板（イーグルＸＧ；コーニング製）上に、着色組成物９１−１をスピンコート法で塗布した後、１００℃で３分間プリベークして、プリベーク着色塗膜を形成した。得られたプリベーク着色塗膜の膜厚を、ＤｅｋｔａｋＸＴ（ＢＲＵＫＥＲ製）を用いて測定した。このプリベーク着色塗膜のスペクトルを、測色機：ＬＶｍｉｃｒоＺ（株式会社ラムダビジョン製）を用いて測定した。
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ１０に示す。
このプリベーク着色塗膜を、２３０℃で３０分間ポストベークを行うことにより、ポストベーク着色塗膜を得た。
【０８１２】
【表ＡＤ１０】
2020132878.tif 000299
【０８１３】
実施例９１−２〜実施例９１−４
式（Ｉｆ３７９６）で表される化合物を、表ＡＤ１１中の「着色剤ＡＡＡ」欄に記載の化合物に代えた以外は、実施例９１−１と同様にして、着色組成物を得て、プリベーク着色塗膜及びポストベーク着色塗膜を得た。
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ１１に示す。
【０８１４】
【表ＡＤ１１】
2020132878.tif 000300
【０８１５】
実施例１７−１
以下の割合で各成分を混合し、ビーズミルを用いて着色剤を分散させて、着色組成物Ｍ１７−１を得た。
着色剤（Ａ）：実施例Ｅ−２で得た式（Ｉａ１−ＳＡ１）で表される化合物と式（Ｉａ１−ＳＡ２）で表される化合物を含む混合物                            ３．８９部；
着色剤（Ａ）：式（ｚ）で表される化合物                            １．２５部；
分散剤溶液：ＢＹＫ−ＬＰＮ６９１９（ビックケミー・ジャパン株式会社製）
１２．５部；
樹脂（Ｂ）：樹脂Ｂ１溶液                                          １１．５部；
溶剤（Ｅ）：プロピレングリコールモノメチルエーテルアセテート      ７０．９部；
【０８１６】
次いで、以下の割合で各成分を混合して着色組成物１７−１を得た。
着色組成物Ｍ１７−１                                              ５７．６部；
樹脂（Ｂ）：樹脂Ｂ１溶液                                          ２４．３部； 
溶剤（Ｅ）：プロピレングリコールモノメチルエーテルアセテート      １８．１部；
レベリング剤（Ｆ）：トーレシリコーンＳＨ８４００（東レダウコーニング（株）製）
０．００６２９部；
【０８１７】
２インチ角のガラス基板（イーグルＸＧ；コーニング製）上に、着色組成物１７−１をスピンコート法で塗布した後、１００℃で３分間プリベークして、プリベーク着色塗膜を形成した。
得られたプリベーク着色塗膜の膜厚を、ＤｅｋｔａｋＸＴ（ＢＲＵＫＥＲ製）を用いて測定した。
このプリベーク着色塗膜のスペクトルを、測色機：ＬＶｍｉｃｒоＺ（株式会社ラムダビジョン製）を用いて測定した。
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ１２に示す。
このプリベーク着色塗膜を、２３０℃で３０分間ポストベークを行うことにより、ポストベーク着色塗膜を得た。
【０８１８】
【表ＡＤ１２】
2020132878.tif 000301
【０８１９】
実施例１２−１
以下の割合で各成分を混合し、ビーズミルを用いて着色剤を分散させて、着色組成物Ｍ１２−１を得た。
着色剤（Ａ）：式（Ｉｆ１２６１）で表される化合物                  ３．８０部；
着色剤（Ａ）：式（ｚ）で表される化合物                            １．２０部；
分散剤溶液：ＢＹＫ−ＬＰＮ６９１９(ビックケミー・ジャパン株式会社製）
１２．５部；
樹脂（Ｂ）：樹脂Ｂ１溶液                                          １１．４部；
溶剤（Ｅ）：プロピレングリコールモノメチルエーテルアセテート      ７１．１部；
【０８２０】
次いで、以下の割合で各成分を混合して着色組成物１２−１を得た。
着色組成物Ｍ１２−１                                              ５７．６部；
樹脂（Ｂ）：樹脂Ｂ１溶液                                          ２４．３部； 
溶剤（Ｅ）：プロピレングリコールモノメチルエーテルアセテート      １８．１部；
レベリング剤（Ｆ）：トーレシリコーンＳＨ８４００（東レダウコーニング（株）製）
０．００６３０部；
【０８２１】
２インチ角のガラス基板（イーグルＸＧ；コーニング製）上に、着色組成物１２−１をスピンコート法で塗布した後、１００℃で３分間プリベークして、プリベーク着色塗膜を形成した。このプリベーク着色塗膜を、２３０℃で３０分間ポストベークを行うことにより、ポストベーク着色塗膜を得た。得られたポストベーク着色塗膜の膜厚を、ＤｅｋｔａｋＸＴ（ＢＲＵＫＥＲ製）を用いて測定した。
このポストベーク着色塗膜のスペクトルを、測色機：ＬＶｍｉｃｒоＺ（株式会社ラムダビジョン製）を用いて測定した。
このポストベーク着色塗膜の膜厚、及びこのポストベーク着色塗膜の吸収スペクトルの最も長波長側の極大吸収波長又は吸収スペクトルの最も長波長側の肩ピークの波長を表ＡＤ１３に示す。
【０８２２】
【表ＡＤ１３】
2020132878.tif 000302
【０８２３】
実施例１３−１
以下の割合で各成分を混合し、ビーズミルを用いて着色剤を分散させて、着色組成物Ｍ１３−１を得た。
着色剤（Ａ）：式（Ｉａ７２８）で表される化合物                    ５．０１部；
分散剤溶液：ＢＹＫ−ＬＰＮ６９１９（ビックケミー・ジャパン株式会社製）
１２．５部；
樹脂（Ｂ）：樹脂Ｂ１溶液                                          １１．４部；
溶剤（Ｅ）：プロピレングリコールモノメチルエーテルアセテート      ７１．１部；
【０８２４】
次いで、以下の割合で各成分を混合して着色組成物１３−１を得た。
着色組成物Ｍ１３−１                                              ５７．４部；
樹脂（Ｂ）：樹脂Ｂ１溶液                                          ２４．３部； 
溶剤（Ｅ）：プロピレングリコールモノメチルエーテルアセテート      １８．２部；
レベリング剤（Ｆ）：トーレシリコーンＳＨ８４００（東レダウコーニング（株）製）
０．００６３６部；
【０８２５】
２インチ角のガラス基板（イーグルＸＧ；コーニング製）上に、着色組成物１３−１をスピンコート法で塗布した後、１００℃で３分間プリベークして、プリベーク着色塗膜を形成した。得られたプリベーク着色塗膜の膜厚を、ＤｅｋｔａｋＸＴ（ＢＲＵＫＥＲ製）を用いて測定した。このプリベーク着色塗膜のスペクトルを、測色機：ＬＶｍｉｃｒоＺ（株式会社ラムダビジョン製）を用いて測定した。
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ１４に示す。
このプリベーク着色塗膜を、２３０℃で３０分間ポストベークを行うことにより、ポストベーク着色塗膜を得た。
【０８２６】
【表ＡＤ１４】
2020132878.tif 000303
【０８２７】
実施例１４−１
以下の割合で各成分を混合し、ビーズミルを用いて着色剤を分散させて、着色組成物Ｍ１４−１を得た。
着色剤（Ａ）：式（Ｉａ７０３）で表される化合物                    ４．６６部；
着色剤（Ａ）：式（ｚ）で表される化合物                          ０．４９７部；
分散剤溶液：ＢＹＫ−ＬＰＮ６９１９（ビックケミー・ジャパン株式会社製）
１２．５部；
樹脂（Ｂ）：樹脂Ｂ１溶液                                          １１．４部；
溶剤（Ｅ）：プロピレングリコールモノメチルエーテルアセテート      ７０．９部；
【０８２８】
次いで、以下の割合で各成分を混合して着色組成物１４−１を得た。
着色組成物Ｍ１４−１                                              ５５．５部；
樹脂（Ｂ）：樹脂Ｂ１溶液                                          ２４．９部； 
溶剤（Ｅ）：プロピレングリコールモノメチルエーテルアセテート      １９．６部；
レベリング剤（Ｆ）：トーレシリコーンＳＨ８４００（東レダウコーニング（株）製）
０．００６３５部；
【０８２９】
２インチ角のガラス基板（イーグルＸＧ；コーニング製）上に、着色組成物１４−１をスピンコート法で塗布した後、１００℃で３分間プリベークして、プリベーク着色塗膜を形成した。得られたプリベーク着色塗膜の膜厚を、ＤｅｋｔａｋＸＴ（ＢＲＵＫＥＲ製）を用いて測定した。このプリベーク着色塗膜のスペクトルを、測色機：ＬＶｍｉｃｒоＺ（株式会社ラムダビジョン製）を用いて測定した。
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ１５に示す。
このプリベーク着色塗膜を、２３０℃で３０分間ポストベークを行うことにより、ポストベーク着色塗膜を得た。
【０８３０】
【表ＡＤ１５】
2020132878.tif 000304
【０８３１】
実施例１６−１
以下の割合で各成分を混合し、ビーズミルを用いて着色剤を分散させて、着色組成物Ｍ１６−１を得た。
着色剤（Ａ）：式（Ｉｔ２４２）で表される化合物                    ４．１３部；
着色剤（Ａ）：式（ｚ）で表される化合物                          ０．９１６部；
分散剤溶液：ＢＹＫ−ＬＰＮ６９１９（ビックケミー・ジャパン株式会社製）
１２．４部；
樹脂（Ｂ）：樹脂Ｂ１溶液                                          １１．４部；
溶剤（Ｅ）：プロピレングリコールモノメチルエーテルアセテート      ７１．１部；
【０８３２】
次いで、以下の割合で各成分を混合して着色組成物１６−１を得た。
着色組成物Ｍ１６−１                                              ５７．８部；
樹脂（Ｂ）：樹脂Ｂ１溶液                                          ２４．１部； 
溶剤（Ｅ）：プロピレングリコールモノメチルエーテルアセテート      １８．１部；
レベリング剤（Ｆ）：トーレシリコーンＳＨ８４００（東レダウコーニング（株）製）
０．００６２８部；
【０８３３】
２インチ角のガラス基板（イーグルＸＧ；コーニング製）上に、着色組成物１６−１をスピンコート法で塗布した後、１００℃で３分間プリベークして、プリベーク着色塗膜を形成した。得られたプリベーク着色塗膜の膜厚を、ＤｅｋｔａｋＸＴ（ＢＲＵＫＥＲ製）を用いて測定した。このプリベーク着色塗膜のスペクトルを、測色機：ＬＶｍｉｃｒоＺ（株式会社ラムダビジョン製）を用いて測定した。
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ１６に示す。
このプリベーク着色塗膜を、２３０℃で３０分間ポストベークを行うことにより、ポストベーク着色塗膜を得た。
【０８３４】
【表ＡＤ１６】
2020132878.tif 000305
【０８３５】
実施例５１−１
以下の割合で各成分を混合し、ビーズミルを用いて着色剤を分散させて、着色組成物Ｍ５１−１を得た。
着色剤（Ａ）：式（Ｉａ２）で表される化合物                        ２．２５部；
着色剤（Ａ）：式（Ｉａ５）で表される化合物                        ２．２５部；
着色剤（Ａ）：式（ｚ）で表される化合物                          ０．５００部；
分散剤溶液：ＤＩＳＰＥＲＢＹＫ−１６１（ビックケミー・ジャパン株式会社製）
１６．７部；
樹脂（Ｂ）：樹脂Ｂ１溶液                                          １１．４部；
溶剤（Ｅ）：プロピレングリコールモノメチルエーテルアセテート      ４６．９部；
溶剤（Ｅ）：乳酸エチル                                            ２０．０部；
【０８３６】
次いで、以下の割合で各成分を混合して着色組成物５１−１を得た。
着色組成物Ｍ５１−１                                              ５７．６部；
樹脂（Ｂ）：樹脂Ｂ１溶液                                          ２８．４部； 
溶剤（Ｅ）：プロピレングリコールモノメチルエーテルアセテート      １４．０部；
レベリング剤（Ｆ）：トーレシリコーンＳＨ８４００（東レダウコーニング（株）製）
０．００６３０部；
【０８３７】
２インチ角のガラス基板（イーグルＸＧ；コーニング製）上に、着色組成物５１−１をスピンコート法で塗布した後、１００℃で３分間プリベークして、プリベーク着色塗膜を形成した。得られたプリベーク着色塗膜の膜厚を、ＤｅｋｔａｋＸＴ（ＢＲＵＫＥＲ製）を用いて測定した。このプリベーク着色塗膜のスペクトルを、測色機：ＬＶｍｉｃｒоＺ（株式会社ラムダビジョン製）を用いて測定した。
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ１７に示す。
このプリベーク着色塗膜を、２３０℃で３０分間ポストベークを行うことにより、ポストベーク着色塗膜を得た。
【０８３８】
【表ＡＤ１７】
2020132878.tif 000306
【０８３９】
実施例５７１−１
以下の割合で各成分を混合し、ビーズミルを用いて着色剤を分散させて、着色組成物Ｍ５７１−１を得た。
着色剤（Ａ）：式（Ｉａ１）で表される化合物                        ２．２５部；
着色剤（Ａ）：式（Ｉａ５）で表される化合物                        ２．２５部；
着色剤（Ａ）：式（ｚ）で表される化合物                          ０．５００部；
分散剤溶液：ＢＹＫ−ＬＰＮ６９１９（ビックケミー・ジャパン株式会社製）
８．３３部；
樹脂（Ｂ）：樹脂Ｂ１溶液                                          １０．０部；
溶剤（Ｅ）：プロピレングリコールモノメチルエーテルアセテート      ７６．７部；
【０８４０】
次いで、以下の割合で各成分を混合して着色組成物５７１−１を得た。
着色組成物Ｍ５７１−１                                            ５７．６部；
樹脂（Ｂ）：樹脂Ｂ１溶液                                          ２９．２部； 
溶剤（Ｅ）：プロピレングリコールモノメチルエーテルアセテート      １３．２部；
レベリング剤（Ｆ）：トーレシリコーンＳＨ８４００（東レダウコーニング（株）製）
０．００６３０部；
【０８４１】
２インチ角のガラス基板（イーグルＸＧ；コーニング製）上に、着色組成物５７１−１をスピンコート法で塗布した後、１００℃で３分間プリベークして、プリベーク着色塗膜を形成した。得られたプリベーク着色塗膜の膜厚を、ＤｅｋｔａｋＸＴ（ＢＲＵＫＥＲ製）を用いて測定した。このプリベーク着色塗膜のスペクトルを、測色機：ＬＶｍｉｃｒоＺ（株式会社ラムダビジョン製）を用いて測定した。
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ１８に示す。
このプリベーク着色塗膜を、２３０℃で３０分間ポストベークを行うことにより、ポストベーク着色塗膜を得た。
【０８４２】
【表ＡＤ１８】
2020132878.tif 000307
【０８４３】
実施例５９１−１
以下の割合で各成分を混合し、ビーズミルを用いて着色剤を分散させて、着色組成物Ｍ５９１−１を得た。
着色剤（Ａ）：式（Ｉａ１）で表される化合物                        ２．２５部；
着色剤（Ａ）：式（Ｉａ２４８）で表される化合物                    ２．２５部；
着色剤（Ａ）：式（ｚ）で表される化合物                          ０．５００部；
分散剤溶液：ＢＹＫ−ＬＰＮ６９１９（ビックケミー・ジャパン株式会社製）
１２．５部；
樹脂（Ｂ）：樹脂Ｂ１溶液                                          １１．４部；
溶剤（Ｅ）：プロピレングリコールモノメチルエーテルアセテート      ７１．１部；
【０８４４】
次いで、以下の割合で各成分を混合して着色組成物５９１−１を得た。
着色組成物Ｍ５９１−１                                            ５７．６部；
樹脂（Ｂ）：樹脂Ｂ１溶液                                          ２４．３部； 
溶剤（Ｅ）：プロピレングリコールモノメチルエーテルアセテート      １８．１部；
レベリング剤（Ｆ）：トーレシリコーンＳＨ８４００（東レダウコーニング（株）製）
０．００６３０部；
【０８４５】
２インチ角のガラス基板（イーグルＸＧ；コーニング製）上に、着色組成物５９１−１をスピンコート法で塗布した後、１００℃で３分間プリベークして、プリベーク着色塗膜を形成した。得られたプリベーク着色塗膜の膜厚を、ＤｅｋｔａｋＸＴ（ＢＲＵＫＥＲ製）を用いて測定した。このプリベーク着色塗膜のスペクトルを、測色機：ＬＶｍｉｃｒоＺ（株式会社ラムダビジョン製）を用いて測定した。
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ１９に示す。
このプリベーク着色塗膜を、２３０℃で３０分間ポストベークを行うことにより、ポストベーク着色塗膜を得た。
【０８４６】
実施例５９１−２
実施例５９１−１において、式（Ｉａ１）で表される化合物及び式（Ｉａ２４８）で表される化合物に代えて、以下の着色剤（Ａ）を下記の量使用する以外は、実施例５９１−１と同様にして、着色組成物を得て、プリベーク着色塗膜及びポストベーク着色塗膜を得た。
着色剤（Ａ）：実施例４で得た式（Ｉａ１０）で表される化合物、式（Ｉａ２１４３）で表される化合物、式（Ｉａ８５０）で表される化合物及び式（Ｉａ３１５）で表される化合物の混合物                                           ２．３８部；
着色剤（Ａ）：式（Ｉａ５１）で表される化合物            ２．１２部；
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ１９に示す。
【０８４７】
実施例５９１−３
実施例５９１−１において、式（Ｉａ１）で表される化合物及び式（Ｉａ２４８）で表される化合物に代えて、以下の着色剤（Ａ）を下記の量使用する以外は、実施例５９１−１と同様にして、着色組成物を得て、プリベーク着色塗膜及びポストベーク着色塗膜を得た。
着色剤（Ａ）：式（Ｉａ２４８）で表される化合物                    ２．３８部；
着色剤（Ａ）：式（Ｉａ５１）で表される化合物                      ２．１２部；
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ１９に示す。
【０８４８】
実施例５９１−４
実施例５９１−１において、式（Ｉａ１）で表される化合物及び式（Ｉａ２４８）で表される化合物に代えて、以下の着色剤（Ａ）を下記の量使用する以外は、実施例５９１−１と同様にして、着色組成物を得て、プリベーク着色塗膜及びポストベーク着色塗膜を得た。
着色剤（Ａ）：式（Ｉａ２３）で表される化合物                      ２．６４部；
着色剤（Ａ）：式（Ｉａ１７）で表される化合物                      １．８６部；
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ１９に示す。
【０８４９】
実施例５９１−５
実施例５９１−１において、式（Ｉａ１）で表される化合物及び式（Ｉａ２４８）で表される化合物に代えて、以下の着色剤（Ａ）を下記の量使用する以外は、実施例５９１−１と同様にして、着色組成物を得て、プリベーク着色塗膜及びポストベーク着色塗膜を得た。
着色剤（Ａ）：式（Ｉａ１９）で表される化合物                      ２．１７部；
着色剤（Ａ）：式（Ｉａ１７）で表される化合物                      ２．３３部；
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ１９に示す。
【０８５０】
【表ＡＤ１９】
2020132878.tif 000308
【０８５１】
実施例５９２−１
以下の割合で各成分を混合し、ビーズミルを用いて着色剤を分散させて、着色組成物Ｍ５９２−１を得た。
着色剤（Ａ）：式（Ｉａ１）で表される化合物                        ４．００部；
着色剤（Ａ）：式（Ｉａ２４８）で表される化合物                    １．００部；
分散剤溶液：ＢＹＫ−ＬＰＮ６９１９（ビックケミー・ジャパン株式会社製）
１２．５部；
樹脂（Ｂ）：樹脂Ｂ１溶液                                          １１．４部；
溶剤（Ｅ）：プロピレングリコールモノメチルエーテルアセテート      ７１．１部；
【０８５２】
次いで、以下の割合で各成分を混合して着色組成物５９２−１を得た。
着色組成物Ｍ５９２−１                                            ５７．６部；
樹脂（Ｂ）：樹脂Ｂ１溶液                                          ２４．３部； 
溶剤（Ｅ）：プロピレングリコールモノメチルエーテルアセテート      １８．１部；
レベリング剤（Ｆ）：トーレシリコーンＳＨ８４００（東レダウコーニング（株）製）
０．００６３０部；
【０８５３】
２インチ角のガラス基板（イーグルＸＧ；コーニング製）上に、着色組成物５９２−１をスピンコート法で塗布した後、１００℃で３分間プリベークして、プリベーク着色塗膜を形成した。得られたプリベーク着色塗膜の膜厚を、ＤｅｋｔａｋＸＴ（ＢＲＵＫＥＲ製）を用いて測定した。このプリベーク着色塗膜のスペクトルを、測色機：ＬＶｍｉｃｒоＺ（株式会社ラムダビジョン製）を用いて測定した。
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ２０に示す。
このプリベーク着色塗膜を、２３０℃で３０分間ポストベークを行うことにより、ポストベーク着色塗膜を得た。
【０８５４】
実施例５９２−２
実施例５９２−１において、式（Ｉａ１）で表される化合物及び式（Ｉａ２４８）で表される化合物に代えて、以下の着色剤（Ａ）を下記の量使用する以外は、実施例５９２−１と同様にして、着色組成物を得て、プリベーク着色塗膜及びポストベーク着色塗膜を得た。
着色剤（Ａ）：式（Ｉａ５）で表される化合物                        ４．００部；
着色剤（Ａ）：式（Ｉａ２４８）で表される化合物                    １．００部；
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ２０に示す。
【０８５５】
実施例５９２−３
実施例５９２−１において、式（Ｉａ１）で表される化合物及び式（Ｉａ２４８）で表される化合物に代えて、以下の着色剤（Ａ）を下記の量使用する以外は、実施例５９２−１と同様にして、着色組成物を得て、プリベーク着色塗膜及びポストベーク着色塗膜を得た。
着色剤（Ａ）：式（Ｉａ６９９）で表される化合物                    ４．００部；
着色剤（Ａ）：式（Ｉａ２４８）で表される化合物                    １．００部；
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ２０に示す。
【０８５６】
実施例５９２−４
実施例５９２−１において、式（Ｉａ１）で表される化合物及び式（Ｉａ２４８）で表される化合物に代えて、以下の着色剤（Ａ）を下記の量使用する以外は、実施例５９２−１と同様にして、着色組成物を得て、プリベーク着色塗膜及びポストベーク着色塗膜を得た。
着色剤（Ａ）：式（Ｉａ５）で表される化合物                        ４．００部；
着色剤（Ａ）：実施例Ｅ−１で得た、式（Ｉａ５−ＳＡ１）で表される化合物と式（Ｉａ５−ＳＡ２）で表される化合物を含む混合物
１．００部；
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ２０に示す。
【０８５７】
【表ＡＤ２０】
2020132878.tif 000309
【０８５８】
実施例Ｓ−１
以下の割合で各成分を混合して着色組成物Ｓ−１を得た。
着色剤（Ａ）：実施例Ｅ−１で得た式（Ｉａ５−ＳＡ１）で表される化合物と式（Ｉａ５−ＳＡ２）で表される化合物を含む混合物２．９２部とＮ−メチルピロリドン９７．１部の混合物                                                          ５１．４部；
樹脂（Ｂ）：樹脂Ｂ１溶液                                          ３８．５部； 
溶剤（Ｅ）：プロピレングリコールモノメチルエーテルアセテート      １０．１部；
レベリング剤（Ｆ）：トーレシリコーンＳＨ８４００（東レダウコーニング（株）製）
０．００５３１部；
【０８５９】
２インチ角のガラス基板（イーグルＸＧ；コーニング製）上に、着色組成物Ｓ−１をスピンコート法で塗布した後、１００℃で３分間プリベークして、プリベーク着色塗膜を形成した。
このプリベーク着色塗膜を、２３０℃で３０分間ポストベークを行うことにより、ポストベーク着色塗膜を得た。
得られたポストベーク着色塗膜の膜厚を、ＤｅｋｔａｋＸＴ（ＢＲＵＫＥＲ製）を用いて測定した。
このポストベーク着色塗膜のスペクトルを、測色機：ＬＶｍｉｃｒоＺ（株式会社ラムダビジョン製）を用いて測定した。
このポストベーク着色塗膜の膜厚、及びこのポストベーク着色塗膜の吸収スペクトルの最も長波長側の極大吸収波長又は吸収スペクトルの最も長波長側の肩ピークの波長を表ＡＤ２１に示す。
【０８６０】
実施例Ｓ−２
以下の割合で各成分を混合して着色組成物Ｓ−２を得た。
着色剤（Ａ）：式（Ｉｆ５６７０）で表される化合物１．００部とＮ−メチルピロリドン９９．０部の混合物                                                ５９．２部；
樹脂（Ｂ）：樹脂Ｂ１溶液                                          ４０．５部； 
溶剤（Ｅ）：プロピレングリコールモノメチルエーテルアセテート    ０．２７８部；
レベリング剤（Ｆ）：トーレシリコーンＳＨ８４００（東レダウコーニング（株）製）
０．００５１４部；
【０８６１】
２インチ角のガラス基板（イーグルＸＧ；コーニング製）上に、着色組成物Ｓ−２をスピンコート法で塗布した後、１００℃で３分間プリベークして、プリベーク着色塗膜を形成した。このプリベーク着色塗膜を、２３０℃で３０分間ポストベークを行うことにより、ポストベーク着色塗膜を得た。得られたポストベーク着色塗膜の膜厚を、ＤｅｋｔａｋＸＴ（ＢＲＵＫＥＲ製）を用いて測定した。このポストベーク着色塗膜のスペクトルを、測色機：ＬＶｍｉｃｒоＺ（株式会社ラムダビジョン製）を用いて測定した。
このポストベーク着色塗膜の膜厚、及びこのポストベーク着色塗膜の吸収スペクトルの最も長波長側の極大吸収波長又は吸収スペクトルの最も長波長側の肩ピークの波長を表ＡＤ２１に示す。
【０８６２】
実施例Ｓ−３
以下の割合で各成分を混合して着色組成物Ｓ−３を得た。
着色剤（Ａ）：実施例Ｅ−３で得た式（Ｉａ２−ＳＡ）で表される化合物を含む混合物
２．２４部；
樹脂（Ｂ）：樹脂Ｂ１溶液                                          ３３．６部； 
溶剤（Ｅ）：プロピレングリコールモノメチルエーテルアセテート    ０．５８１部；
溶剤（Ｅ）：Ｎ−メチルピロリドン                                  ６３．６部；
レベリング剤（Ｆ）：トーレシリコーンＳＨ８４００（東レダウコーニング（株）製）
０．００４９０部；
【０８６３】
２インチ角のガラス基板（イーグルＸＧ；コーニング製）上に、着色組成物Ｓ−３をスピンコート法で塗布した後、１００℃で３分間プリベークして、プリベーク着色塗膜を形成した。
得られたプリベーク着色塗膜の膜厚を、ＤｅｋｔａｋＸＴ（ＢＲＵＫＥＲ製）を用いて測定した。
このプリベーク着色塗膜のスペクトルを、測色機：ＬＶｍｉｃｒоＺ（株式会社ラムダビジョン製）を用いて測定した。
このプリベーク着色塗膜の膜厚、及びこのプリベーク着色塗膜の吸収スペクトルの最も長波長側の極大吸収波長又は吸収スペクトルの最も長波長側の肩ピークの波長を表ＡＤ２１に示す。
このプリベーク着色塗膜を、２３０℃で３０分間ポストベークを行うことにより、ポストベーク着色塗膜を得た。
【０８６４】
【表ＡＤ２１】
2020132878.tif 000310
【０８６５】
上記の結果から、本発明の化合物を含む着色組成物から形成された着色塗膜の吸収スペクトルの最も長波長側の極大吸収波長又は吸収スペクトルの最も長波長側の肩ピークの波長は、Ｃ．Ｉ．ピグメントイエロー１３８を含む着色組成物から形成された着色塗膜の吸収スペクトルの最も長波長側の極大吸収波長に比べて、より長波長であることが分かった。
【産業上の利用可能性】
【０８６６】
本発明の着色組成物及び化合物は、Ｃ．Ｉ．ピグメントイエロー１３８を含む着色組成物に比べて、より濃色のカラーフィルタの形成に用いることができるため、カラーフィルタや液晶表示装置等の表示装置に好適に用いられる。